(57)【要約】  本開示は概して、ヘルスモニタリングのためのユーザインタフェースに関する。第１の電子デバイス及び第２の電子デバイスを使用した、ヘルスモニタリングの初期設定のための例示的なユーザインタフェースが記載される。ヘルスモニタリングに使用するための生体情報を記録するための例示的なユーザインタフェースが記載される。ヘルスモニタリングのための生体情報を記録している間に入力デバイスを使用するための例示的なユーザインタフェースが記載される。ヘルスモニタリングの様相を閲覧及び管理するための例示的なユーザインタフェースが記載される。【選択図】図１２Ｅ
2021512429.tif 000002
【特許請求の範囲】
【請求項１】
ディスプレイと、１つ以上の入力デバイスとを有する第１の電子デバイスであって、第２の電子デバイスとペアリングされている、第１の電子デバイスにおいて、
前記ディスプレイ上に、前記第２の電子デバイスの機能を使用するためのチュートリアルの第１の部分を表示することと、
前記１つ以上の入力デバイスを介して、前記チュートリアルを進める要求を検出することと、
前記チュートリアルを進める前記要求を検出したことに応じて、前記ディスプレイ上に、前記第２の電子デバイスの前記機能を伴う前記第２の電子デバイス上の動作を実行する命令を表示することと、
前記第２の電子デバイスから、前記命令が実行されたというインジケーションを受信することと、
前記命令が実行されたという前記インジケーションを受信したことに応じて、前記ディスプレイ上に、前記第１の部分とは異なる前記チュートリアルの第２の部分を表示することと、
を含む、方法。
【請求項２】
前記ディスプレイ上に、前記第２の電子デバイスの前記機能を使用するための前記チュートリアルの前記第１の部分を表示する前に、前記第２の電子デバイスから、前記第２の電子デバイス上の前記機能の前記使用を制御するように構成されたアプリケーションが前記第２の電子デバイス上で開かれているという第２のインジケーションを受信することと、
前記第２の電子デバイス上の前記機能の前記使用を制御するように構成された前記アプリケーションが開かれているという前記第２のインジケーションを受信したことに応じて、前記ディスプレイ上に、前記第２の電子デバイスの前記機能を使用するための前記チュートリアルに対応する通知を表示することと、
を更に含む、請求項１に記載の方法。
【請求項３】
前記第２の電子デバイス上の前記動作は、生体データをキャプチャすることを含む、請求項１又は２に記載の方法。
【請求項４】
前記チュートリアルの前記第１の部分は、前記第２の電子デバイス上で実行される前記動作の起こり得る結果の複数のグラフィカルインジケーションを含む、請求項１から３のいずれか一項に記載の方法。
【請求項５】
前記動作はが、心拍リズム評価及び心拍数評価を含む医学的特性を評価し、前記起こり得る結果は、
正常な結果、
異常な心拍リズムパターン結果、
異常な心拍数結果、及び
不確定結果、
からなる群から選択される、請求項４に記載の方法。
【請求項６】
第１の結果概要の一部分を含む、前記起こり得る結果の少なくとも第１の起こり得る結果を表示している間に、前記１つ以上の入力デバイスを介して、前記第１の結果概要に関連付けられた拡張アフォーダンスのユーザアクティブ化を検出することと、
前記拡張アフォーダンスの前記ユーザアクティブ化を検出したことに応じて、前記ディスプレイ上に、前記第１の結果概要の全てを表示することと、
を更に含む、請求項４又は５に記載の方法。
【請求項７】
起こり得る結果の前記複数のグラフィカルインジケーションは、第１の起こり得る結果に関する第１のアニメーションの表示を含む第１のグラフィカルインジケーションと、第２の起こり得る結果に関する第２のアニメーションを含む第２のグラフィカルインジケーションと、を含み、前記第１のアニメーションと前記第２のアニメーションとが、同期される、請求項４から６のいずれか一項に記載の方法。
【請求項８】
前記ディスプレイ上に、起こり得る結果の前記複数のグラフィカルインジケーションを表示している間に、前記１つ以上の入力デバイスを介して、スクロールジェスチャを検出することと、
前記スクロールジェスチャを検出したことに応じて、前記複数のグラフィカルインジケーションをスクロールすることと、
前記ディスプレイ上に、第３の起こり得る結果に関する第３のアニメーションを含む第３のグラフィカルインジケーションを表示することであって、前記第３のアニメーションは、前記第１のアニメーション及び前記第２のアニメーションと同期される、表示することと、
を更に含む、請求項７に記載の方法。
【請求項９】
前記第１のアニメーションは、固定位置でアニメーション化される前記アニメーションの第１の部分と、前記固定位置から第２の位置にアニメーション移動する前記アニメーションの第２の部分と、を含む、請求項７又は８に記載の方法。
【請求項１０】
前記第２の電子デバイスから、前記命令が実行されたという前記インジケーションを受信する前に、前記第２の電子デバイスから、前記命令が実行され始めたというインジケーションを受信することと、
前記命令が実行され始めたという前記インジケーションを受信したことに応じて、前記ディスプレイ上に、前記命令が前記第２の電子デバイス上で実行されているというインジケーションを表示することと、
を更に含む、請求項１から９のいずれか一項に記載の方法。
【請求項１１】
前記チュートリアルの前記第２の部分は、前記第２の電子デバイス上の前記動作から得られた情報を表すグラフィカルアニメーションを含む、請求項１から１０のいずれか一項に記載の方法。
【請求項１２】
前記チュートリアルの前記第１の部分は、前記動作から導出することができない１つ以上の医学的特性を含む制限インジケーションを含む、請求項１から１１のいずれか一項に記載の方法。
【請求項１３】
前記ディスプレイ上に、前記チュートリアルの前記第２の部分を表示した後に、前記ディスプレイ上に、ヘルスアプリケーションのユーザインタフェースを表示することと、
前記１つ以上の入力デバイスを介して、記録された生体情報を見るためのアフォーダンスのユーザアクティブ化を検出することと、
生体情報の既存の記録を見るための前記アフォーダンスの前記ユーザアクティブ化を検出したことに応じて、前記ディスプレイ上に、生体情報の既存の記録に対応する第１の複数の表現を表示することと、
を更に含む、請求項１から１２のいずれか一項に記載の方法。
【請求項１４】
生体情報の既存の記録を見るための前記アフォーダンスは、生体情報の既存の記録の数のインジケーションを含む、請求項１３に記載の方法。
【請求項１５】
生体情報の既存の記録の前記第１の複数の表現は、異常な評価結果を有する第１の既存の記録に対応する第１の表現を含み、前記第１の表現が、第１の視覚的特性で表示される前記異常な評価結果のインジケーションを含む、請求項１３又は１４に記載の方法。
【請求項１６】
生体情報の既存の記録の前記第１の複数の表現は、ユーザ指定の症状に関連付けられた第２の既存の記録に対応する第２の表現を含み、前記第２の表現は、前記第２の既存の記録に関連付けられたユーザ指定の症状の数のインジケーションを含む、請求項１３から１５のいずれか一項に記載の方法。
【請求項１７】
生体情報の既存の記録の前記第１の複数の表現は、任意のユーザ指定の症状に関連付けられていない第３の既存の記録に対応する第３の表現を含み、前記第３の表現は、前記第３の既存の記録に関連付けられたユーザ指定の症状のインジケーションを含まない、請求項１３から１６のいずれか一項に記載の方法。
【請求項１８】
前記ユーザ指定の症状は、前記症状が指定され保存された後に変更することができない、請求項１６又は１７に記載の方法。
【請求項１９】
更に、記録された生体情報を見るための前記アフォーダンスの前記ユーザアクティブ化を検出したことに応じて、前記ディスプレイ上に、第１の分類アフォーダンス及び第２の分類アフォーダンスを含む複数の分類アフォーダンスを表示することと、
前記１つ以上の入力デバイスを介して、前記第１の分類アフォーダンスのユーザアクティブ化を検出することと、
前記第１の分類アフォーダンスの前記ユーザアクティブ化を検出したことに応じて、前記ディスプレイ上に、生体情報の既存の記録に対応する第２の複数の表現を表示することであって、前記第２の複数の表現は、第１のタイプの評価結果に関連付けられた既存の記録に対応する、表示することと、
前記１つ以上の入力デバイスを介して、前記第２の分類アフォーダンスのユーザアクティブ化を検出することと、
前記第２の分類アフォーダンスのユーザアクティブ化を検出したことに応じて、前記ディスプレイ上に、生体情報の既存の記録に対応する第３の複数の表現を表示することであって、前記第３の複数の表現は、第２のタイプの評価結果に関連付けられた既存の記録に対応する、表示することと、
を更に含む、請求項１３から１８のいずれか一項に記載の方法。
【請求項２０】
前記１つ以上の入力デバイスを介して、第１の評価結果に対応する第１の既存の記録に対応する前記第１の複数の表現の第１の表現のユーザ選択を検出することと、
前記第１の表現の前記ユーザ選択を検出したことに応じて、前記第１の既存の記録の第１の詳細ビューを表示することと、
前記第１の既存の記録の前記第１の詳細ビューを表示している間に、前記１つ以上の入力デバイスを介して、情報アフォーダンスのユーザアクティブ化を検出することと、
前記情報アフォーダンスの前記ユーザアクティブ化を検出したことに応じて、前記ディスプレイ上に、結果概要、及び前記チュートリアルの前記第１の部分からの対応する起こり得る結果からのアニメーションを表示することと、
を更に含む、
請求項１３から１９のいずれか一項に記載の方法。
【請求項２１】
第１の評価結果に対応する前記第１の既存の記録の前記第１の詳細ビューを表示している間に、前記１つ以上の入力デバイスを介して、エクスポートアフォーダンスのユーザアクティブ化を検出することと、
前記エクスポートアフォーダンスのユーザアクティブ化を検出したことに応じて、前記第１の既存の記録に関する情報を含む文書を作成することと、
を更に含む、請求項２０に記載の方法。
【請求項２２】
前記チュートリアルの前記第１の部分は、前記第２の電子デバイスの１つ以上の設定を変更するように構成されたユーザインタフェースを表示している間に受信された入力に応じて表示される、請求項１から２１のいずれか一項に記載の方法。
【請求項２３】
ディスプレイを含む１つ以上の出力デバイスと、１つ以上の入力デバイスとを有する第１の電子デバイスの１つ以上のプロセッサによって実行されるように構成された１つ以上のプログラムを記憶するコンピュータ可読記憶媒体であって、前記第１の電子デバイスは、第２の電子デバイスとペアリングされており、前記１つ以上のプログラムは、請求項１から２２のいずれか一項に記載の方法を実行する命令を含む、コンピュータ可読記憶媒体。
【請求項２４】
第２の電子デバイスとペアリングされている第１の電子デバイスであって、
ディスプレイと、
１つ以上の入力デバイスと、
１つ以上のプロセッサと、
前記１つ以上のプロセッサによって実行されるように構成された１つ以上のプログラムを記憶するメモリと、
を備え、
前記１つ以上のプログラムは、請求項１から２２のいずれか一項に記載の方法を実行する命令を含む、
第１の電子デバイス。
【請求項２５】
第２の電子デバイスとペアリングされている第１の電子デバイスであって、
ディスプレイと、
１つ以上の入力デバイスと、
請求項１から２２のいずれか一項に記載の方法を実行する手段と、
を備える、第１の電子デバイス。
【請求項２６】
ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、前記第１の電子デバイスは、第２の電子デバイスとペアリングされており、前記１つ以上のプログラムは、
前記ディスプレイ上に、前記第２の電子デバイスの機能を使用するためのチュートリアルの第１の部分を表示し、
前記１つ以上の入力デバイスを介して、前記チュートリアルを進める要求を検出し、
前記チュートリアルを進める前記要求を検出したことに応じて、前記ディスプレイ上に、前記第２の電子デバイスの前記機能を伴う前記第２の電子デバイス上の動作を実行する命令を表示し、
前記第２の電子デバイスから、前記命令が実行されたというインジケーションを受信し、
前記命令が実行されたという前記インジケーションを受信したことに応じて、前記ディスプレイ上に、前記第１の部分とは異なる前記チュートリアルの第２の部分を表示する、
命令を含む、非一時的コンピュータ可読記憶媒体。
【請求項２７】
第２の電子デバイスとペアリングされている第１の電子デバイスであって、
ディスプレイと、
１つ以上の入力デバイスと、
１つ以上のプロセッサと、
前記１つ以上のプロセッサによって実行されるように構成された１つ以上のプログラムを記憶するメモリと、を備え、前記１つ以上のプログラムは、
前記ディスプレイ上に、前記第２の電子デバイスの機能を使用するためのチュートリアルの第１の部分を表示し、
前記１つ以上の入力デバイスを介して、前記チュートリアルを進める要求を検出し、
前記チュートリアルを進める前記要求を検出したことに応じて、前記ディスプレイ上に、前記第２の電子デバイスの前記機能を伴う前記第２の電子デバイス上の動作を実行する命令を表示し、
前記第２の電子デバイスから、前記命令が実行されたというインジケーションを受信し、
前記命令が実行されたという前記インジケーションを受信したことに応じて、前記ディスプレイ上に、前記第１の部分とは異なる前記チュートリアルの第２の部分を表示する、
命令を含む、第１の電子デバイス。
【請求項２８】
第２の電子デバイスとペアリングされている第１の電子デバイスであって、
ディスプレイと、
１つ以上の入力デバイスと、
前記ディスプレイ上に、前記第２の電子デバイスの機能を使用するためのチュートリアルの第１の部分を表示する手段と、
前記１つ以上の入力デバイスを介して、前記チュートリアルを進める要求を検出する手段と、
前記チュートリアルを進める前記要求を検出したことに応じて、前記ディスプレイ上に、前記第２の電子デバイスの前記機能を伴う前記第２の電子デバイス上の動作を実行する命令を表示する手段と、
前記第２の電子デバイスから、前記命令が実行されたというインジケーションを受信する手段と、
前記命令が実行されたという前記インジケーションを受信したことに応じて、前記ディスプレイ上に、前記第１の部分とは異なる前記チュートリアルの第２の部分を表示する手段と、
を備える、第１の電子デバイス。
【請求項２９】
ディスプレイと、生体センサを含む１つ以上の入力デバイスとを有する第１の電子デバイスにおいて、
前記ディスプレイ上に、前記第１の電子デバイスが生体情報を検出する準備ができていることを示す第１のユーザインタフェースを表示することと、
第１の基準を満たす前記生体センサによる第１の入力を検出することと、
前記生体センサによる前記第１の入力を検出したことに応じて、前記生体センサによって検出された生体情報を記録することを開始することと、
前記ディスプレイ上に、前記第１のユーザインタフェースとは異なる第２のユーザインタフェースを表示することであって、前記第２のユーザインタフェースは、前記生体情報の記録の進行のインジケーションを含む、表示することと、
前記生体情報の少なくとも一部分を記録した後に、前記１つ以上の入力デバイスを介して、前記第１の基準がもはや満たされないことを検出することと、
前記第１の基準が第１の期間の間にもはや満たされないことを検出したことに応じて、前記生体情報の記録の進行の前記インジケーションをリセットし、前記第２のユーザインタフェースの表示を維持することと、
前記第１の基準が前記第１の期間より長い第２の期間の間にもはや満たされないことを検出したことに応じて、前記第２のユーザインタフェースの表示を前記第１のユーザインタフェースと置き換えることと、
を含む、方法。
【請求項３０】
前記記録された生体情報は、前記生体センサによって検出された前記生体情報から導出された心電図記録を含む、請求項２９に記載の方法。
【請求項３１】
前記第１のユーザインタフェースを表示する前に、ヘルスモニタリングアプリケーションに対応するアプリケーションアフォーダンスを含むホーム画面を表示することと、
前記１つ以上の入力デバイスを介して、前記アプリケーションアフォーダンスのユーザアクティブ化を検出することと、
前記アプリケーションアフォーダンスの前記ユーザアクティブ化を検出したことに応じて、前記ディスプレイ上に、前記第１のユーザインタフェースを表示することと、
を更に含む、請求項２９又は３０に記載の方法。
【請求項３２】
前記アプリケーションアフォーダンスの前記ユーザアクティブ化を検出した後に所定の時間が経過した後に、前記生体センサ上の前記第１の入力を要求する通知が、前記第１のユーザインタフェース内に表示される、請求項３１に記載の方法。
【請求項３３】
前記生体センサは、接触ベースのセンサであり、前記生体センサによる前記第１の入力は、前記生体センサ上で接触が検出されると、前記第１の基準を満たす、請求項２９から３２のいずれか一項に記載の方法。
【請求項３４】
前記第１のユーザインタフェースは、前記第１の電子デバイスが生体情報を検出する準備ができていることを示すグラフィカルアニメーションを含み、前記グラフィカルアニメーションは、第１の形状を形成する複数の移動オブジェクトから構成されている、請求項２９から３３のいずれか一項に記載の方法。
【請求項３５】
前記グラフィカルアニメーションの前記複数の移動オブジェクトは、前記ディスプレイが前記第１のユーザインタフェースから前記第２のユーザインタフェースに遷移する際に、前記第１の形状から前記第１の形状とは異なる第２の形状に遷移する、請求項３４に記載の方法。
【請求項３６】
更に、前記第１の基準が前記第１の期間の間にもはや満たされないことを検出したことに応じて、前記グラフィカルアニメーションの前記複数の移動オブジェクトを前記第１の形状と前記第２の形状との間の中間形状に遷移させること、
を更に含む、請求項３５に記載の方法。
【請求項３７】
前記第２のユーザインタフェースを表示し、かつ前記生体情報を記録している間に、前記第２の形状にある前記グラフィカルアニメーション内に、前記記録された生体情報の視覚的表現を表示することであって、前記記録された生体情報は、前記記録された生体情報の前記視覚的表現を前記グラフィカルアニメーション内に表示することができるように、フィルタリングされスケーリングされる、表示すること、
を更に含む、請求項３４から３６のいずれか一項に記載の方法。
【請求項３８】
前記第２のユーザインタフェースは、前記記録された生体情報からの前記生体情報の視覚化に対応するグラフィカル表現、及び前記生体情報の前記記録を完了するための残りの時間を示すタイマーを含む、請求項２９から３７のいずれか一項に記載の方法。
【請求項３９】
前記生体情報を記録している間に、前記１つ以上の入力デバイスを介して、第２の基準が満たされることを検出することと、
前記第２の基準が満たされることを検出したことに応じて、前記第２のユーザインタフェース内に、前記第２の基準に関する通知を表示することと、
を更に含む、請求項２９から３８のいずれか一項に記載の方法。
【請求項４０】
前記第２の基準は、閾値を上回る移動量が検出されたときに満たされ、
前記通知は、前記移動量を減少させるべきであることを示す、
請求項３９に記載の方法。
【請求項４１】
前記第２の基準は、少なくとも第３の期間の間に前記閾値を上回る前記移動量が検出されたときに満たされ、
前記通知は、前記第１の電子デバイスを静止位置に移動すべきであることを示す、
請求項３９又は４０に記載の方法。
【請求項４２】
前記第２の基準は、前記第１の入力のタイプとは異なるタイプを有する第２の入力が第１の入力デバイス上で検出されたときに満たされ、
前記通知は、前記第２の入力を前記第１の入力デバイス上で繰り返すべきではないことを示す、
請求項３９から４１のいずれか一項に記載の方法。
【請求項４３】
前記第２の基準は、前記生体情報の記録がまだ完了していないときに前記生体センサによって前記第１の入力がもはや検出されないときに満たされ、
前記通知は、前記第１の入力を前記生体センサ上で維持すべきであることを示す、
請求項３９から４２のいずれか一項に記載の方法。
【請求項４４】
第１の生体情報の第１の記録及び前記第１の生体情報とは異なる第２の生体情報の第２の記録を取った後、第２の電子デバイスに、前記記録された第１の生体情報及び前記記録された第２の生体情報を送信すること、
を更に含む、請求項２９から４３のいずれか一項に記載の方法。
【請求項４５】
所定の時間の間、心拍数情報を検出することと、
前記検出された心拍数情報が第１の条件を満たすとの判定に従って、前記ディスプレイ上に、高い心拍数を示す通知を表示することと、
前記１つ以上の入力デバイスを介して、前記通知のユーザアクティブ化を検出することと、
前記通知の前記ユーザアクティブ化を検出したことに応じて、前記ディスプレイ上に、前記第１のユーザインタフェースを表示することと、
を更に含む、請求項２９から４４のいずれか一項に記載の方法。
【請求項４６】
進行の前記インジケーションは、カウントダウンタイマーである、請求項２９から４５のいずれか一項に記載の方法。
【請求項４７】
ディスプレイと、生体センサを含む１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項２９から４６のいずれか一項に記載の方法を実行する命令を含む、コンピュータ可読記憶媒体。
【請求項４８】
ディスプレイと、
生体センサを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項２９から４６のいずれか一項に記載の方法を実行する命令を含む、
第１の電子デバイス。
【請求項４９】
ディスプレイと、
生体センサを含む１つ以上の入力デバイスと、
請求項２９から４６のいずれか一項に記載の方法を実行する手段と、
を備える、第１の電子デバイス。
【請求項５０】
ディスプレイと、生体センサを含む１つ以上の入力デバイスと有する第１の電子デバイスの１つ以上のプロセッサによって実行されるように構成された１つ以上のプログラムを記憶する非一時的コンピュータ可読記憶媒体であって、前記１つ以上のプログラムは、
前記ディスプレイ上に、前記第１の電子デバイスが生体情報を検出する準備ができていることを示す第１のユーザインタフェースを表示し、
第１の基準を満たす前記生体センサによる第１の入力を検出し、
前記生体センサによる前記第１の入力を検出したことに応じて、前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示し、
前記生体情報の少なくとも一部分を記録した後に、前記１つ以上の入力デバイスを介して、前記第１の基準がもはや満たされないことを検出し、
前記第１の基準が第１の期間の間にもはや満たされないことを検出したことに応じて、前記生体情報の記録の前記インジケーションをリセットし、前記第２のユーザインタフェースの表示を維持し、
前記第１の基準が前記第１の期間より長い第２の期間の間にもはや満たされないことを検出したことに応じて、前記第２のユーザインタフェースの表示を前記第１のユーザインタフェースと置き換える、
命令を含む、非一時的コンピュータ可読記憶媒体。
【請求項５１】
ディスプレイと、
生体センサを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムは、
前記ディスプレイ上に、前記第１の電子デバイスが生体情報を検出する準備ができていることを示す第１のユーザインタフェースを表示し、
第１の基準を満たす前記生体センサによる第１の入力を検出し、
前記生体センサによる前記第１の入力を検出したことに応じて、前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示し、
前記生体情報の少なくとも一部分を記録した後に、前記１つ以上の入力デバイスを介して、前記第１の基準がもはや満たされないことを検出し、
前記第１の基準が第１の期間の間にもはや満たされないことを検出したことに応じて、前記生体情報の記録の進行の前記インジケーションをリセットし、前記第２のユーザインタフェースの表示を維持し、
前記第１の基準が前記第１の期間より長い第２の期間の間にもはや満たされないことを検出したことに応じて、前記第２のユーザインタフェースの表示を前記第１のユーザインタフェースと置き換える、
命令を含む、第１の電子デバイス。
【請求項５２】
第１の電子デバイスであって、
ディスプレイと、
生体センサを含む１つ以上の入力デバイスと、
前記ディスプレイ上に、前記第１の電子デバイスが生体情報を検出する準備ができていることを示す第１のユーザインタフェースを表示する手段と、
第１の基準を満たす前記生体センサによる第１の入力を検出する手段と、
前記生体センサによる前記第１の入力を検出したことに応じて、
前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示する、手段と、
前記生体情報の少なくとも一部分を記録した後に、前記１つ以上の入力デバイスを介して、前記第１の基準がもはや満たされないことを検出する手段と、
前記第１の基準が第１の期間の間にもはや満たされないことを検出したことに応じて、前記生体情報の記録の進行の前記インジケーションをリセットし、前記第２のユーザインタフェースの表示を維持する手段と、
前記第１の基準が前記第１の期間より長い第２の期間の間にもはや満たされないことを検出したことに応じて、前記第２のユーザインタフェースの表示を前記第１のユーザインタフェースと置き換える手段と、
を備える、第１の電子デバイス。
【請求項５３】
ディスプレイと、一体型生体センサを有する第１の入力デバイスを含む１つ以上の入力デバイスとを有する第１の電子デバイスにおいて、
前記ディスプレイ上に、前記生体センサから生体情報をキャプチャするためのアプリケーションのユーザインタフェースを表示することと、
前記生体センサから生体情報をキャプチャするための前記アプリケーションの前記ユーザインタフェースを表示している間に、前記第１の入力デバイスの第１のアクティブ化を検出することと、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行することと、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続けることと、
を含む、方法。
【請求項５４】
前記第１の電子デバイスは、前記第１の入力デバイスのアクティブ化を検出し、前記第１の入力デバイスの前記アクティブ化に応答するように構成されており、前記アクティブ化は、生体情報の前記キャプチャとは異なり、かつ生体情報の前記キャプチャとは無関係である、請求項５３に記載の方法。
【請求項５５】
前記アプリケーションは、前記第１の入力デバイスの前記アクティブ化を検出することなく、前記第１の電子デバイスに前記生体情報をキャプチャさせるように構成されている、請求項５３又は５４に記載の方法。
【請求項５６】
前記生体情報をキャプチャする前に、前記第１の入力デバイスの第２のアクティブ化を検出することと、
前記第１の入力デバイスの前記第２のアクティブ化を検出したことに応じて、前記既定の動作を実行することと、
を更に含む、請求項５３から５５のいずれか一項に記載の方法。
【請求項５７】
前記既定の動作は、既定のユーザインタフェースを表示することを含む、請求項５３から５６のいずれか一項に記載の方法。
【請求項５８】
前記既定の動作は、前記ディスプレイ上に、デジタル仮想アシスタントのユーザインタフェースを表示することを含む、請求項５３から５７のいずれか一項に記載の方法。
【請求項５９】
前記第１の基準は、前記生体情報をキャプチャすることが第１の閾値時間未満の間に行われたときに満たされる、請求項５３から５８のいずれか一項に記載の方法。
【請求項６０】
前記第１の入力デバイスに関連付けられた前記既定の動作を実行することなく、前記生体情報をキャプチャし続けた後に、前記第１の入力デバイスの第２のアクティブ化を検出することと、
前記第１の入力デバイスの前記第２のアクティブ化を検出したことに応じて、
前記第１の入力デバイスの前記第１のアクティブ化を検出した後に前記第１の入力デバイスの前記第２のアクティブ化が所定の時間内に検出されたとの判定に従って、前記生体情報のキャプチャを中断する、前記第１の入力デバイスに関連付けられた前記既定の動作を実行することと、
前記第１の入力デバイスの前記第１のアクティブ化を検出した後に前記第１の入力デバイスの前記第２のアクティブ化が前記所定の時間後に検出されたとの判定に従って、前記第１の入力デバイスに関連付けられた前記既定の動作を実行することなく、前記生体情報をキャプチャし続けることと、
を更に含む、請求項５３から５９のいずれか一項に記載の方法。
【請求項６１】
前記生体センサから前記生体情報をキャプチャすると、前記第１の電子デバイスの触覚フィードバックコントローラを自動的に無効にすることと、
前記生体情報のキャプチャを完了すると、前記触覚フィードバックコントローラを自動的に再び有効にすることと、
を更に含む、請求項５３から６０のいずれか一項に記載の方法。
【請求項６２】
前記生体センサから前記生体情報をキャプチャすると、前記第１の電子デバイスの無線通信無線機を自動的に無効にし、前記生体情報をキャプチャしている間に受信された電子通信に対応する通知を含む、第１のタイプの通知が表示されるのを防止することと、
前記生体情報のキャプチャを完了すると、前記無線通信無線機を自動的に再び有効にし、前記第１のタイプの通知が表示されることを可能にすることと、
を更に含む、請求項５３から６１のいずれか一項に記載の方法。
【請求項６３】
ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項５３から６２のいずれか一項に記載の方法を実行する命令を含む、コンピュータ可読記憶媒体。
【請求項６４】
ディスプレイと、
一体型生体センサを有する第１の入力デバイスを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項５３から６２のいずれか一項に記載の方法を実行する命令を含む、第１の電子デバイス。
【請求項６５】
ディスプレイと、
一体型生体センサを有する第１の入力デバイスを含む１つ以上の入力デバイスと、
請求項５３から６２のいずれか一項に記載の方法を実行する手段と、
を備える、第１の電子デバイス。
【請求項６６】
ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶する非一時的コンピュータ可読記憶媒体であって、前記１つ以上のプログラムは、
前記ディスプレイ上に、前記生体センサから生体情報をキャプチャするためのアプリケーションのユーザインタフェースを表示し、
前記生体センサから生体情報をキャプチャするための前記アプリケーションの前記ユーザインタフェースを表示している間に、前記第１の入力デバイスの第１のアクティブ化を検出し、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、
命令を含む、非一時的コンピュータ可読記憶媒体。
【請求項６７】
ディスプレイと、
一体型生体センサを有する第１の入力デバイスを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムは、
前記ディスプレイ上に、前記生体センサから生体情報をキャプチャするためのアプリケーションのユーザインタフェースを表示し、
前記生体センサから生体情報をキャプチャするための前記アプリケーションの前記ユーザインタフェースを表示している間に、前記第１の入力デバイスの第１のアクティブ化を検出し、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、
命令を含む、第１の電子デバイス。
【請求項６８】
ディスプレイと、
一体型生体センサを有する第１の入力デバイスを含む１つ以上の入力デバイスと、
前記ディスプレイ上に、前記生体センサから生体情報をキャプチャするためのアプリケーションのユーザインタフェースを表示する手段と、
前記生体センサから生体情報をキャプチャするための前記アプリケーションの前記ユーザインタフェースを表示している間に、前記第１の入力デバイスの第１のアクティブ化を検出する手段と、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、手段と、
を備える、第１の電子デバイス。
【請求項６９】
ディスプレイと、１つ以上の入力デバイスとを有する第１の電子デバイスにおいて、
前記第１の電子デバイスと通信している生体センサを用いて生体情報をキャプチャすることと、
前記ディスプレイ上に、前記生体センサによってキャプチャされた前記生体情報に基づいて判定された医学的特性の評価の表現を表示することと、
前記医学的特性の前記評価の前記表現を表示している間に、前記１つ以上の入力デバイスを介して、一連の１つ以上の入力を検出し、ユーザ指定の症状を前記医学的特性の前記評価に追加することと、
前記一連の１つ以上の入力を検出したことに応じて、
前記ユーザ指定の症状のうちの少なくとも１つが対応する基準を満たすとの判定に従って、前記ディスプレイ上に、アクティブ化されると、即時の治療を求めるためのプロセスを開始するアフォーダンスを含む、第１のユーザインタフェースを表示することと、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示することと、
を含む、方法。
【請求項７０】
前記ディスプレイ上に、前記医学的特性の前記評価の前記表現を表示している間に、第１の入力デバイスを介して、スクロール入力を検出することと、
前記スクロール入力を検出したことに応じて、前記医学的特性の前記評価の前記表現を含む第２のユーザインタフェースをスクロールすることと、
前記ディスプレイ上に、前記ユーザ指定の症状を前記評価に追加するための症状追加アフォーダンスを表示することと、
を更に含む、請求項６９に記載の方法。
【請求項７１】
更に、前記ユーザ指定の症状が前記対応する基準を満たさないとの判定に従って、前記１つ以上の入力デバイスを介して、スクロールジェスチャを検出することと、
前記１つ以上の入力デバイスを介して、前記スクロールジェスチャを検出したことに応じて、前記ディスプレイ上に、治療を求めるためのオプションを表示することと、
を更に含む、請求項６９又は７０に記載の方法。
【請求項７２】
前記ユーザ指定の症状は、重篤な症状に対応する第１の症状を含み、前記第１の症状に対応するユーザ指定の症状の前記１つ以上の表現の第１の表現は、第１の視覚的特性で表示される、請求項６９から７１のいずれか一項に記載の方法。
【請求項７３】
前記医学的特性は、心拍リズム特性及び心拍数特性を含み、前記医学的特性の前記評価の前記表示された表現は、心拍リズム評価概要及び心拍数評価概要を含む、請求項６９から７２のいずれか一項に記載の方法。
【請求項７４】
前記心拍リズム評価が異常な結果に対応し、かつ前記心拍数評価が異常な結果に対応する場合、前記心拍リズム評価概要は、第１の視覚的特性で表示され、前記心拍数評価概要は、前記第１の視覚的特性で表示される、請求項７３に記載の方法。
【請求項７５】
前記心拍リズム評価が異常な結果に対応し、かつ前記心拍数評価が正常な結果に対応する場合、前記心拍リズム評価概要は、前記第１の視覚的特性で表示され、前記心拍数評価概要は、前記第１の視覚的特性で表示されない、請求項７３又は７４に記載の方法。
【請求項７６】
前記心拍数評価が異常な結果に対応し、かつ前記心拍リズム評価が正常な結果に対応する場合、前記心拍数評価概要は、前記第１の視覚的特性で表示され、前記心拍リズム評価概要は、前記第１の視覚的特性で表示されない、請求項７３から７５のいずれか一項に記載の方法。
【請求項７７】
前記心拍数評価が非常に異常な結果に対応し、前記心拍リズム評価に関して判定を行うことができないようになる場合、前記心拍数評価概要は、第１の視覚的特性で表示され、前記心拍リズム評価概要は、前記第１の視覚的特性で表示される、請求項７３から７６のいずれか一項に記載の方法。
【請求項７８】
前記医学的特性の前記評価が判定できないとの判定に従って、前記評価の前記表現内に、前記評価が不確定であったというインジケーションを表示すること、
を更に含む、請求項６９から７７のいずれか一項に記載の方法。
【請求項７９】
前記医学的特性の前記評価は、正常な結果であり、前記ユーザ指定の症状を追加するための前記一連の１つ以上の入力は、前記正常な結果に対応する前記評価の前記表現を表示している間に検出される、請求項６９から７８のいずれか一項に記載の方法。
【請求項８０】
前記医学的特性の前記評価の前記表現を表示している間に、前記１つ以上の入力デバイスを介して、情報アフォーダンスのユーザアクティブ化を検出することと、
前記情報アフォーダンスの前記ユーザアクティブ化を検出したことに応じて、前記ディスプレイ上に、前記評価に関するテキスト情報を表示することと、
を更に含む、請求項６９から７９のいずれか一項に記載の方法。
【請求項８１】
前記生体センサで前記生体情報をキャプチャすると、前記第１の電子デバイスの無線通信無線機を自動的に無効にし、通知が表示されることを防止することと、
前記生体情報のキャプチャを完了すると、前記無線通信無線機を自動的に再び有効にし、通知が表示されることを可能にすることと、
を更に含む、請求項６９から８０のいずれか一項に記載の方法。
【請求項８２】
前記一連の１つ以上の入力を検出した後に、確認ボタンのユーザアクティブ化を検出することと、
前記確認ボタンの前記ユーザアクティブ化を検出したことに応じて、第２の電子デバイス上に前記医学的特性の前記評価の対応する表現を表示するために、前記第１の電子デバイスから前記第２の電子デバイスに前記医学的特性の前記評価を送信することと、
を更に含む、請求項６９から８１のいずれか一項に記載の方法。
【請求項８３】
前記ユーザ指定の症状は、前記確認ボタンの前記ユーザアクティブ化を検出した後に変更することができない、請求項８２に記載の方法。
【請求項８４】
ディスプレイと、１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項６９から８３のいずれか一項に記載の方法を実行する命令を含む、コンピュータ可読記憶媒体。
【請求項８５】
ディスプレイと、
１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項６９から８３のいずれか一項に記載の方法を実行する命令を含む、
第１の電子デバイス。
【請求項８６】
ディスプレイと、
１つ以上の入力デバイスと、
請求項６９から８３のいずれか一項に記載の方法を実行する手段と、
を備える、第１の電子デバイス。
【請求項８７】
ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、前記１つ以上のプログラムは、
前記第１の電子デバイスと通信している生体センサを用いて生体情報をキャプチャし、
前記ディスプレイ上に、前記生体センサによってキャプチャされた前記生体情報に基づいて判定された医学的特性の評価の表現を表示し、
前記医学的特性の前記評価の前記表現を表示している間に、前記１つ以上の入力デバイスを介して、一連の１つ以上の入力を検出し、ユーザ指定の症状を前記医学的特性の前記評価に追加し、
前記一連の１つ以上の入力を検出したことに応じて、
前記ユーザ指定の症状のうちの少なくとも１つが対応する基準を満たすとの判定に従って、前記ディスプレイ上に、アクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、
命令を含む、非一時的コンピュータ可読記憶媒体。
【請求項８８】
ディスプレイと、
１つ以上の入力デバイスと、
１つ以上のプロセッサと、
前記１つ以上のプロセッサによって実行されるように構成された１つ以上のプログラムを記憶するメモリと、を備える、第１の電子デバイスであって、前記１つ以上のプログラムは、
前記第１の電子デバイスと通信している生体センサを用いて生体情報をキャプチャし、
前記ディスプレイ上に、前記生体センサによってキャプチャされた前記生体情報に基づいて判定された医学的特性の評価の表現を表示し、
前記医学的特性の前記評価の前記表現を表示している間に、前記１つ以上の入力デバイスを介して、一連の１つ以上の入力を検出し、ユーザ指定の症状を前記医学的特性の前記評価に追加し、
前記一連の１つ以上の入力を検出したことに応じて、
前記ユーザ指定の症状のうちの少なくとも１つが対応する基準を満たすとの判定に従って、前記ディスプレイ上に、アクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、
命令を含む、第１の電子デバイス。
【請求項８９】
第１の電子デバイスであって、
ディスプレイと、
１つ以上の入力デバイスと、
前記第１の電子デバイスと通信している生体センサを用いて生体情報をキャプチャする手段と、
前記ディスプレイ上に、前記生体センサによってキャプチャされた前記生体情報に基づいて判定された医学的特性の評価の表現を表示する手段と、
前記医学的特性の前記評価の前記表現を表示している間に、前記１つ以上の入力デバイスを介して、一連の１つ以上の入力を検出し、ユーザ指定の症状を前記医学的特性の前記評価に追加する手段と、
前記一連の１つ以上の入力を検出したことに応じて、
前記ユーザ指定の症状のうちの少なくとも１つが対応する基準を満たすとの判定に従って、前記ディスプレイ上に、アクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、手段と、
を備える、第１の電子デバイス。
【請求項９０】
ディスプレイと、１つ以上の入力デバイスとを有する電子デバイスであって、複数の生体センサに動作可能に接続された、電子デバイスにおいて、
前記複数の生体センサの第１の生体センサから第１の生体情報を受信することと、
前記第１の生体情報を受信したことに応じて、かつ前記第１の生体情報が第１の基準を満たすとの判定に従って、前記ディスプレイ上に、追加の生体情報を検出するための第１のアフォーダンスを含む警告を表示することと、
前記１つ以上の入力デバイスを介して、前記第１のアフォーダンスのユーザアクティブ化を受信することと、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信することと、
を含む、方法。
【請求項９１】
前記第１の生体情報は、第１の時間に記録された生体情報、及び前記第１の時間とは異なる第２の時間に記録された生体情報を含む、請求項９０に記載の方法。
【請求項９２】
前記生体情報は、心臓に関連する情報に関する、請求項９０又は９１に記載の方法。
【請求項９３】
前記第１の基準は、異常な心拍リズム情報を含む、請求項９２に記載の方法。
【請求項９４】
前記警告は、前記第１の生体情報が前記電子デバイスによって記録された１つ以上の時刻を含む、請求項９０から９３のいずれか一項に記載の方法。
【請求項９５】
前記警告は、前記第１の生体情報に基づいて特定された医学的状態のインジケーションを含む、請求項９０から９４のいずれか一項に記載の方法。
【請求項９６】
前記警告は、治療を求めるためのインジケーションを含む、請求項９０から９５のいずれか一項に記載の方法。
【請求項９７】
前記第１の生体センサは、１つ以上のフォトダイオードセンサを含む、請求項９０から９６のいずれか一項に記載の方法。
【請求項９８】
前記第２の生体センサは、前記１つ以上の入力デバイスの第１の入力デバイスと一体化されている、請求項９０から９７のいずれか一項に記載の方法。
【請求項９９】
前記第１のアフォーダンスの前記ユーザアクティブ化を受信したことに応じて、かつ前記第２の生体情報を受信する前に、前記ディスプレイ上に、前記第２の生体情報を受信することに関連付けられた第１のアプリケーションを表示すること、
を更に含む、請求項９０から９８のいずれか一項に記載の方法。
【請求項１００】
前記第１のアプリケーションを表示した後、かつ前記第２の生体情報を受信する前に、前記１つ以上の入力デバイスの第１の入力デバイス上のユーザ入力を検出することであって、前記第２の生体センサは、前記第１の入力デバイスと一体化されている、検出することと、
前記ユーザ入力を検出したことに応じて、前記第２の生体センサから前記第２の生体情報を受信することと、
を更に含む、請求項９９に記載の方法。
【請求項１０１】
前記第２の生体情報は、前記ユーザ入力が前記第１の入力デバイス上で維持されている間に、前記第２の生体センサから受信される、請求項１００に記載の方法。
【請求項１０２】
ディスプレイと、１つ以上の入力デバイスとを有する電子デバイスの１つ以上のプロセッサによって実行されるように構成された１つ以上のプログラムを記憶するコンピュータ可読記憶媒体であって、前記電子デバイスは、複数の生体センサに動作可能に接続されており、前記１つ以上のプログラムは、請求項９０から１０１のいずれか一項に記載の方法を実行する命令を含む、コンピュータ可読記憶媒体。
【請求項１０３】
複数の生体センサに動作可能に接続された電子デバイスであって、
ディスプレイと、
１つ以上の入力デバイスと、
前記１つ以上のプロセッサによって実行されるように構成された１つ以上のプログラムを記憶するメモリと、
を備え、
前記１つ以上のプログラムは、請求項９０から１０１のいずれか一項に記載の方法を実行する命令を含む、
電子デバイス。
【請求項１０４】
複数の生体センサに動作可能に接続された電子デバイスであって、
ディスプレイと、
１つ以上の入力デバイスと、
請求項９０から１０１のいずれか一項に記載の方法を実行する手段と、
を備える、電子デバイス。
【請求項１０５】
ディスプレイと、１つ以上の入力デバイスとを有する電子デバイスの１つ以上のプロセッサによって実行されるように構成された１つ以上のプログラムを記憶するコンピュータ可読記憶媒体であって、前記電子デバイスは、複数の生体センサに動作可能に接続されており、前記１つ以上のプログラムは、
前記複数の生体センサの第１の生体センサから第１の生体情報を受信し、
前記第１の生体情報を受信したことに応じて、かつ前記第１の生体情報が第１の基準を満たすとの判定に従って、前記ディスプレイ上に、追加の生体情報を検出するための第１のアフォーダンスを含む警告を表示し、
前記１つ以上の入力デバイスを介して、前記第１のアフォーダンスのユーザアクティブ化を受信し、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信する、
命令を含む、コンピュータ可読記憶媒体。
【請求項１０６】
複数の生体センサに動作可能に接続された電子デバイスであって、
ディスプレイと、
１つ以上の入力デバイスと、
前記１つ以上のプロセッサによって実行されるように構成された１つ以上のプログラムを記憶するメモリと、を備え、前記１つ以上のプログラムは、
前記複数の生体センサの第１の生体センサから第１の生体情報を受信し、
前記第１の生体情報を受信したことに応じて、かつ前記第１の生体情報が第１の基準を満たすとの判定に従って、前記ディスプレイ上に、追加の生体情報を検出するための第１のアフォーダンスを含む警告を表示し、
前記１つ以上の入力デバイスを介して、前記第１のアフォーダンスのユーザアクティブ化を受信し、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信する、
命令を含む、電子デバイス。
【請求項１０７】
複数の生体センサに動作可能に接続された電子デバイスであって、
ディスプレイと、
１つ以上の入力デバイスと、
前記複数の生体センサの第１の生体センサから第１の生体情報を受信する手段と、
前記第１の生体情報を受信したことに応じて、かつ前記第１の生体情報が第１の基準を満たすとの判定に従って、前記ディスプレイ上に、追加の生体情報を検出するための第１のアフォーダンスを含む警告を表示する手段と、
前記１つ以上の入力デバイスを介して、前記第１のアフォーダンスのユーザアクティブ化を受信する手段と、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信する手段と、
を備える、電子デバイス。
【発明の詳細な説明】
【関連出願の相互参照】
【０００１】
本出願は、２０１８年３月１２日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国仮特許出願第６２／６４１，９９４号、２０１８年３月１５日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国仮特許出願第６２／６４３，６９９号、２０１８年４月１５日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国仮特許出願第６２／６５７，８７０号、２０１８年４月１５日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国仮特許出願第６２／６５７，８８１号、２０１８年９月２７日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国特許出願第１６／１４３，９０９号、２０１８年９月２７日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国特許出願第１６／１４３，９５９号、２０１８年９月２７日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国特許出願第１６／１４３，９９７号、２０１８年９月２７日出願の「ＵＳＥＲ  ＩＮＴＥＲＦＡＣＥＳ  ＦＯＲ  ＨＥＡＬＴＨ  ＭＯＮＩＴＯＲＩＮＧ」と題された米国特許出願第１６／１４４，０３０号、２０１８年９月１５日出願のデンマーク特許出願第ＰＡ２０１８７０５９９号、２０１８年９月１５日出願のデンマーク特許出願第ＰＡ２０１８７０６００号、２０１８年９月１５日出願のデンマーク特許出願第ＰＡ２０１８７０６０１号、及び２０１８年９月１５日出願のデンマーク特許出願第ＰＡ２０１８７０６０２号の優先権を主張するものであり、これら文献の内容全体は、全ての適切な目的のために参照により本明細書に組み込まれる。
【０００２】
本出願は、２０１７年９月５日出願の「ＷＥＡＲＡＢＬＥ  ＤＥＶＩＣＥ  ＷＩＴＨ  ＥＬＥＣＴＲＯＤＥＳ  ＦＯＲ  ＳＥＮＳＩＮＧ  ＢＩＯＬＯＧＩＣＡＬ  ＰＡＲＡＭＥＴＥＲＳ」と題された米国仮特許出願第６２／５５４，１９６号に関連し、その内容は、参照によりその全体が本明細書に組み込まれ、また付属書類Ａとして本明細書に含まれる。
【技術分野】
【０００３】
本開示は、概して、コンピュータユーザインタフェースに関し、より具体的には、ヘルスモニタリングを管理するための技術に関する。
【背景技術】
【０００４】
電子デバイスを用いて、心拍リズム及び心拍数情報を使用して心臓の健康などの健康をモニタリングすることは、人の健康の認識を提供及び維持する便利かつ効果的な方法である。電子デバイスを使用することにより、ユーザが、ユーザの健康をモニタリングするために使用される生体情報を迅速かつ容易にキャプチャすることが可能になる。
【発明の概要】
【０００５】
しかし、電子デバイスを使用してヘルスモニタリングを管理するための一部の技術は、概して煩雑かつ非効率である。例えば、一部の既存の技術では、複数回のキー押下又は打鍵を含む場合がある、複雑かつ時間のかかるユーザインタフェースが使用されている。既存の技術は、必要以上の時間を要し、ユーザの時間及びデバイスのエネルギを浪費する。後者の問題は、バッテリ動作式デバイスにおいては特に重大である。
【０００６】
したがって、本技術は、ヘルスモニタリングを管理するための、より速く、より効率的な方法及びインタフェースを有する電子デバイスを提供する。そのような方法及びインタフェースは、ヘルスモニタリングを管理するための他の方法を任意選択的に補完する又は置き換える。そのような方法及びインタフェースは、ユーザにかかる認識的負担を低減させ、より効率的なヒューマン−マシンインタフェースを作成する。バッテリ動作式コンピューティングデバイスの場合、そのような方法及びインタフェースは、電力を節約し、電池充電の間隔を長くする。そのような方法及びインタフェースにより、ユーザがヘルス情報を迅速にかつ容易にキャプチャし（それによってまた、ユーザを頻繁に自身の健康をモニタリングするように動機付けする）、記録されたヘルス情報を便利に閲覧及び管理する（それによって、ユーザの現在の健康状態に対するユーザの意識を高める）ことを可能にする。
【０００７】
いくつかの実施形態によれば、ディスプレイと、１つ以上の入力デバイスとを有する第１の電子デバイスであって、第２の電子デバイスとペアリングされている、第１の電子デバイスにおいて実行される方法が説明される。この方法は、ディスプレイ上に、第２の電子デバイスの機能を使用するためのチュートリアルの第１の部分を表示することと、１つ以上の入力デバイスを介して、チュートリアルを進める要求を検出することと、チュートリアルを進める要求を検出したことに応じて、ディスプレイ上に、第２の電子デバイスの機能を伴う第２の電子デバイス上の動作を実行する命令を表示することと、第２の電子デバイスから、命令が実行されたというインジケーションを受信することと、命令が実行されたというインジケーションを受信したことに応じて、ディスプレイ上に、第１の部分とは異なるチュートリアルの第２の部分を表示することと、を含む。
【０００８】
いくつかの実施形態によれば、非一時的コンピュータ可読記憶媒体が記載される。ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、第１の電子デバイスは、第２の電子デバイスとペアリングされており、１つ以上のプログラムは、ディスプレイ上に、第２の電子デバイスの機能を使用するためのチュートリアルの第１の部分を表示し、１つ以上の入力デバイスを介して、チュートリアルを進める要求を検出し、チュートリアルを進める要求を検出したことに応じて、ディスプレイ上に、第２の電子デバイスの機能を伴う第２の電子デバイス上の動作を実行する命令を表示し、第２の電子デバイスから、命令が実行されたというインジケーションを受信し、命令が実行されたというインジケーションを受信したことに応じて、ディスプレイ上に、第１の部分とは異なるチュートリアルの第２の部分を表示する、命令を含む。
【０００９】
いくつかの実施形態によれば、一時的コンピュータ可読記憶媒体が記載される。ディスプレイと、１つ以上の入力デバイスとを有する第１の電子デバイスの１つ以上のプロセッサによって実行されるように構成された１つ以上のプログラムを記憶する一時的コンピュータ可読記憶媒体であって、第１の電子デバイスは、第２の電子デバイスとペアリングされており、１つ以上のプログラムは、ディスプレイ上に、第２の電子デバイスの機能を使用するためのチュートリアルの第１の部分を表示し、１つ以上の入力デバイスを介して、チュートリアルを進める要求を検出し、チュートリアルを進める要求を検出したことに応じて、ディスプレイ上に、第２の電子デバイスの機能を伴う第２の電子デバイス上の動作を実行する命令を表示し、第２の電子デバイスから、命令が実行されたというインジケーションを受信し、命令が実行されたというインジケーションを受信したことに応じて、ディスプレイ上に、第１の部分とは異なるチュートリアルの第２の部分を表示する、命令を含む。
【００１０】
いくつかの実施形態によれば、第１の電子デバイスが説明される。第２の電子デバイスとペアリングされている第１の電子デバイスは、ディスプレイと、１つ以上の入力デバイスと、１つ以上のプロセッサと、１つ以上のプロセッサによって実行されるように構成された１つ以上のプログラムを記憶するメモリと、を備え、１つ以上のプログラムは、ディスプレイ上に、第２の電子デバイスの機能を使用するためのチュートリアルの第１の部分を表示し、１つ以上の入力デバイスを介して、チュートリアルを進める要求を検出し、チュートリアルを進める要求を検出したことに応じて、ディスプレイ上に、第２の電子デバイスの機能を伴う第２の電子デバイス上の動作を実行する命令を表示し、第２の電子デバイスから、命令が実行されたというインジケーションを受信し、命令が実行されたというインジケーションを受信したことに応じて、ディスプレイ上に、第１の部分とは異なるチュートリアルの第２の部分を表示する、命令を含む。
【００１１】
いくつかの実施形態によれば、第１の電子デバイスが説明される。第２の電子デバイスとペアリングされている第１の電子デバイスは、ディスプレイと、１つ以上の入力デバイスと、ディスプレイ上に、第２の電子デバイスの機能を使用するためのチュートリアルの第１の部分を表示する手段と、１つ以上の入力デバイスを介して、チュートリアルを進める要求を検出する手段と、チュートリアルを進める要求を検出したことに応じて、ディスプレイ上に、第２の電子デバイスの機能を伴う第２の電子デバイス上の動作を実行する命令を表示する手段と、第２の電子デバイスから、命令が実行されたというインジケーションを受信する手段と、命令が実行されたというインジケーションを受信したことに応じて、ディスプレイ上に、第１の部分とは異なるチュートリアルの第２の部分を表示する手段と、を備える。
【００１２】
いくつかの実施形態によれば、ディスプレイと、生体センサを含む１つ以上の入力デバイスとを有する第１の電子デバイスにおいて実行される方法が説明される。この方法は、ディスプレイ上に、第１の電子デバイスが生体情報を検出する準備ができていることを示す第１のユーザインタフェースを表示することと、第１の基準を満たす生体センサによる第１の入力を検出することと、生体センサによる第１の入力を検出したことに応じて、生体センサによって検出された生体情報を記録することを開始することと、ディスプレイ上に、第１のユーザインタフェースとは異なる第２のユーザインタフェースを表示することであって、第２のユーザインタフェースが、生体情報の記録の進行のインジケーションを含む、表示することと、生体情報の少なくとも一部分を記録した後に、１つ以上の入力デバイスを介して、第１の基準がもはや満たされないことを検出することと、第１の基準が第１の期間の間にもはや満たされないことを検出したことに応じて、生体情報の記録の進行のインジケーションをリセットし、第２のユーザインタフェースの表示を維持することと、第１の基準が第１の期間より長い第２の期間の間にもはや満たされないことを検出したことに応じて、第２のユーザインタフェースの表示を第１のユーザインタフェースと置き換えることと、を含む。
【００１３】
いくつかの実施形態によれば、非一時的コンピュータ可読記憶媒体が記載される。ディスプレイと、生体センサを含む１つ以上の入力デバイスと有する第１の電子デバイスの１つ以上のプロセッサによって実行されるように構成された１つ以上のプログラムを記憶する非一時的コンピュータ可読記憶媒体であって、１つ以上のプログラムは、ディスプレイ上に、第１の電子デバイスが生体情報を検出する準備ができていることを示す第１のユーザインタフェースを表示し、第１の基準を満たす生体センサによる第１の入力を検出し、生体センサによる第１の入力を検出したことに応じて、生体センサによって検出された生体情報を記録することを開始し、ディスプレイ上に、第１のユーザインタフェースとは異なる、生体情報の記録の進行のインジケーションを含む第２のユーザインタフェースを表示し、生体情報の少なくとも一部分を記録した後に、１つ以上の入力デバイスを介して、第１の基準がもはや満たされないことを検出し、第１の基準が第１の期間の間にもはや満たされないことを検出したことに応じて、生体情報の記録の進行のインジケーションをリセットし、第２のユーザインタフェースの表示を維持し、第１の基準が第１の期間より長い第２の期間の間にもはや満たされないことを検出したことに応じて、第２のユーザインタフェースの表示を第１のユーザインタフェースと置き換える、命令を含む。
【００１４】
いくつかの実施形態によれば、一時的コンピュータ可読記憶媒体が記載される。ディスプレイと、生体センサを含む１つ以上の入力デバイスと有する第１の電子デバイスの１つ以上のプロセッサによって実行されるように構成された１つ以上のプログラムを記憶する一時的コンピュータ可読記憶媒体であって、１つ以上のプログラムは、ディスプレイ上に、第１の電子デバイスが生体情報を検出する準備ができていることを示す第１のユーザインタフェースを表示し、第１の基準を満たす生体センサによる第１の入力を検出し、生体センサによる第１の入力を検出したことに応じて、生体センサによって検出された生体情報を記録することを開始し、ディスプレイ上に、第１のユーザインタフェースとは異なる、生体情報の記録の進行のインジケーションを含む第２のユーザインタフェースを表示し、生体情報の少なくとも一部分を記録した後に、１つ以上の入力デバイスを介して、第１の基準がもはや満たされないことを検出し、第１の基準が第１の期間の間にもはや満たされないことを検出したことに応じて、生体情報の記録の進行のインジケーションをリセットし、第２のユーザインタフェースの表示を維持し、第１の基準が第１の期間より長い第２の期間の間にもはや満たされないことを検出したことに応じて、第２のユーザインタフェースの表示を第１のユーザインタフェースと置き換える、命令を含む。
【００１５】
いくつかの実施形態によれば、第１の電子デバイスが説明される。第１の電子デバイスは、ディスプレイと、生体センサを含む１つ以上の入力デバイスと、１つ以上のプロセッサと、１つ以上のプロセッサによって実行されるように構成された１つ以上のプログラムを記憶するメモリと、を備え、１つ以上のプログラムは、ディスプレイ上に、第１の電子デバイスが生体情報を検出する準備ができていることを示す第１のユーザインタフェースを表示し、第１の基準を満たす生体センサによる第１の入力を検出し、生体センサによる第１の入力を検出したことに応じて、生体センサによって検出された生体情報を記録することを開始し、ディスプレイ上に、第１のユーザインタフェースとは異なる、生体情報の記録の進行のインジケーションを含む第２のユーザインタフェースを表示し、生体情報の少なくとも一部分を記録した後に、１つ以上の入力デバイスを介して、第１の基準がもはや満たされないことを検出し、第１の基準が第１の期間の間にもはや満たされないことを検出したことに応じて、生体情報の記録の進行のインジケーションをリセットし、第２のユーザインタフェースの表示を維持し、第１の基準が第１の期間より長い第２の期間の間にもはや満たされないことを検出したことに応じて、第２のユーザインタフェースの表示を第１のユーザインタフェースと置き換える、命令を含む。
【００１６】
いくつかの実施形態によれば、第１の電子デバイスが説明される。第１の電子デバイスは、ディスプレイと、生体センサを含む１つ以上の入力デバイスと、ディスプレイ上に、第１の電子デバイスが生体情報を検出する準備ができていることを示す第１のユーザインタフェースを表示する手段と、第１の基準を満たす生体センサによる第１の入力を検出する手段と、生体センサによる第１の入力を検出したことに応じて、生体センサによって検出された生体情報を記録することを開始し、ディスプレイ上に、第１のユーザインタフェースとは異なる、生体情報の記録の進行のインジケーションを含む第２のユーザインタフェースを表示する、手段と、生体情報の少なくとも一部分を記録した後に、１つ以上の入力デバイスを介して、第１の基準がもはや満たされないことを検出する手段と、第１の基準が第１の期間の間にもはや満たされないことを検出したことに応じて、生体情報の記録の進行のインジケーションをリセットし、第２のユーザインタフェースの表示を維持する手段と、第１の基準が第１の期間より長い第２の期間の間にもはや満たされないことを検出したことに応じて、第２のユーザインタフェースの表示を第１のユーザインタフェースと置き換える手段と、を備える。
【００１７】
いくつかの実施形態によれば、ディスプレイと、一体型生体センサを有する第１の入力デバイスを含む１つ以上の入力デバイスとを有する電子デバイスにおいて実行される方法が説明される。この方法は、ディスプレイ上に、生体センサから生体情報をキャプチャするためのアプリケーションのユーザインタフェースを表示することと、生体センサから生体情報をキャプチャするためのアプリケーションのユーザインタフェースを表示している間に、第１の入力デバイスの第１のアクティブ化を検出することと、第１の入力デバイスの第１のアクティブ化を検出したことに応じて、かつ生体センサから生体情報をキャプチャしている間に、生体センサで生体情報をキャプチャすることに向かう進行に基づく第１の基準が満たされるときに、第１の入力デバイスの第１のアクティブ化が検出されたとの判定に従って、生体情報のキャプチャを中断する、第１の入力デバイスに関連付けられた既定の動作を実行することと、第１の基準が満たされないときに第１の入力デバイスの第１のアクティブ化が検出されたとの判定に従って、第１の入力デバイスに関連付けられた既定の動作を実行することなく、生体情報をキャプチャし続けることと、を含む。
【００１８】
いくつかの実施形態によれば、非一時的コンピュータ可読記憶媒体が記載される。ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶する非一時的コンピュータ可読記憶媒体であって、１つ以上のプログラムは、ディスプレイ上に、生体センサから生体情報をキャプチャするためのアプリケーションのユーザインタフェースを表示し、生体センサから生体情報をキャプチャするためのアプリケーションのユーザインタフェースを表示している間に、第１の入力デバイスの第１のアクティブ化を検出し、第１の入力デバイスの第１のアクティブ化を検出したことに応じて、かつ生体センサから生体情報をキャプチャしている間に、生体センサで生体情報をキャプチャすることに向かう進行に基づく第１の基準が満たされるときに、第１の入力デバイスの第１のアクティブ化が検出されたとの判定に従って、生体情報のキャプチャを中断する、第１の入力デバイスに関連付けられた既定の動作を実行し、第１の基準が満たされないときに第１の入力デバイスの第１のアクティブ化が検出されたとの判定に従って、第１の入力デバイスに関連付けられた既定の動作を実行することなく、生体情報をキャプチャし続ける、命令を含む。
【００１９】
いくつかの実施形態によれば、一時的コンピュータ可読記憶媒体が記載される。ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶する一時的コンピュータ可読記憶媒体であって、１つ以上のプログラムは、ディスプレイ上に、生体センサから生体情報をキャプチャするためのアプリケーションのユーザインタフェースを表示し、生体センサから生体情報をキャプチャするためのアプリケーションのユーザインタフェースを表示している間に、第１の入力デバイスの第１のアクティブ化を検出し、第１の入力デバイスの第１のアクティブ化を検出したことに応じて、かつ生体センサから生体情報をキャプチャしている間に、生体センサで生体情報をキャプチャすることに向かう進行に基づく第１の基準が満たされるときに、第１の入力デバイスの第１のアクティブ化が検出されたとの判定に従って、生体情報のキャプチャを中断する、第１の入力デバイスに関連付けられた既定の動作を実行し、第１の基準が満たされないときに第１の入力デバイスの第１のアクティブ化が検出されたとの判定に従って、第１の入力デバイスに関連付けられた既定の動作を実行することなく、生体情報をキャプチャし続ける、命令を含む。
【００２０】
いくつかの実施形態によれば、第１の電子デバイスが説明される。第１の電子デバイスは、ディスプレイと、一体型生体センサを有する第１の入力デバイスを含む１つ以上の入力デバイスと、１つ以上のプロセッサと、１つ以上のプロセッサによって実行されるように構成された１つ以上のプログラムを記憶するメモリと、を備え、１つ以上のプログラムは、ディスプレイ上に、生体センサから生体情報をキャプチャするためのアプリケーションのユーザインタフェースを表示し、生体センサから生体情報をキャプチャするためのアプリケーションのユーザインタフェースを表示している間に、第１の入力デバイスの第１のアクティブ化を検出し、第１の入力デバイスの第１のアクティブ化を検出したことに応じて、かつ生体センサから生体情報をキャプチャしている間に、生体センサで生体情報をキャプチャすることに向かう進行に基づく第１の基準が満たされるときに、第１の入力デバイスの第１のアクティブ化が検出されたとの判定に従って、生体情報のキャプチャを中断する、第１の入力デバイスに関連付けられた既定の動作を実行し、第１の基準が満たされないときに第１の入力デバイスの第１のアクティブ化が検出されたとの判定に従って、第１の入力デバイスに関連付けられた既定の動作を実行することなく、生体情報をキャプチャし続ける、命令を含む。
【００２１】
いくつかの実施形態によれば、第１の電子デバイスが説明される。第１の電子デバイスは、ディスプレイと、一体型生体センサを有する第１の入力デバイスを含む１つ以上の入力デバイスと、ディスプレイ上に、生体センサから生体情報をキャプチャするためのアプリケーションのユーザインタフェースを表示する手段と、生体センサから生体情報をキャプチャするためのアプリケーションのユーザインタフェースを表示している間に、第１の入力デバイスの第１のアクティブ化を検出する手段と、第１の入力デバイスの第１のアクティブ化を検出したことに応じて、かつ生体センサから生体情報をキャプチャしている間に、生体センサで生体情報をキャプチャすることに向かう進行に基づく第１の基準が満たされるときに、第１の入力デバイスの第１のアクティブ化が検出されたとの判定に従って、生体情報のキャプチャを中断する、第１の入力デバイスに関連付けられた既定の動作を実行し、第１の基準が満たされないときに第１の入力デバイスの第１のアクティブ化が検出されたとの判定に従って、第１の入力デバイスに関連付けられた既定の動作を実行することなく、生体情報をキャプチャし続ける、手段と、を備える。
【００２２】
いくつかの実施形態によれば、ディスプレイと、１つ以上の入力デバイスとを有する第１の電子デバイスにおいて実行される方法が説明される。この方法は、第１の電子デバイスと通信している生体センサを用いて生体情報をキャプチャすることと、ディスプレイ上に、生体センサによってキャプチャされた生体情報に基づいて判定された医学的特性の評価の表現を表示することと、医学的特性の評価の表現を表示している間に、１つ以上の入力デバイスを介して、一連の１つ以上の入力を検出し、ユーザ指定の症状を医学的特性の評価に追加することと、一連の１つ以上の入力を検出したことに応じて、ユーザ指定の症状のうちの少なくとも１つが対応する基準を満たすとの判定に従って、ディスプレイ上に、アクティブ化されると、即時の治療を求めるためのプロセスを開始するアフォーダンスを含む、第１のユーザインタフェースを表示することと、ユーザ指定の症状が対応する基準を満たさないとの判定に従って、ディスプレイ上に、第１のユーザインタフェースを表示することなく、医学的特性の評価の表現及びユーザ指定の症状の１つ以上の表現を表示することと、を含む。
【００２３】
いくつかの実施形態によれば、非一時的コンピュータ可読記憶媒体が記載される。ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、１つ以上のプログラムは、第１の電子デバイスと通信している生体センサを用いて生体情報をキャプチャし、ディスプレイ上に、生体センサによってキャプチャされた生体情報に基づいて判定された医学的特性の評価の表現を表示し、医学的特性の評価の表現を表示している間に、１つ以上の入力デバイスを介して、一連の１つ以上の入力を検出し、ユーザ指定の症状を医学的特性の評価に追加し、一連の１つ以上の入力を検出したことに応じて、ユーザ指定の症状のうちの少なくとも１つが対応する基準を満たすとの判定に従って、ディスプレイ上に、アクティブ化されると、即時の治療を求めるためのプロセスを開始するアフォーダンスを含む、第１のユーザインタフェースを表示し、ユーザ指定の症状が対応する基準を満たさないとの判定に従って、ディスプレイ上に、第１のユーザインタフェースを表示することなく、医学的特性の評価の表現及びユーザ指定の症状の１つ以上の表現を表示する、命令を含む。
【００２４】
いくつかの実施形態によれば、一時的コンピュータ可読記憶媒体が記載される。ディスプレイと、１つ以上の入力デバイスとを有する第１の電子デバイスの１つ以上のプロセッサによって実行されるように構成された１つ以上のプログラムを記憶する一時的コンピュータ可読記憶媒体であって、１つ以上のプログラムは、第１の電子デバイスと通信している生体センサを用いて生体情報をキャプチャし、ディスプレイ上に、生体センサによってキャプチャされた生体情報に基づいて判定された医学的特性の評価の表現を表示し、医学的特性の評価の表現を表示している間に、１つ以上の入力デバイスを介して、一連の１つ以上の入力を検出し、ユーザ指定の症状を医学的特性の評価に追加し、一連の１つ以上の入力を検出したことに応じて、ユーザ指定の症状のうちの少なくとも１つが対応する基準を満たすとの判定に従って、ディスプレイ上に、アクティブ化されると、即時の治療を求めるためのプロセスを開始するアフォーダンスを含む、第１のユーザインタフェースを表示し、ユーザ指定の症状が対応する基準を満たさないとの判定に従って、ディスプレイ上に、第１のユーザインタフェースを表示することなく、医学的特性の評価の表現及びユーザ指定の症状の１つ以上の表現を表示する、命令を含む。
【００２５】
いくつかの実施形態によれば、第１の電子デバイスが説明される。第１の電子デバイスは、ディスプレイと、１つ以上の入力デバイスと、１つ以上のプロセッサと、１つ以上のプロセッサによって実行されるように構成された１つ以上のプログラムを記憶するメモリと、を備え、１つ以上のプログラムは、第１の電子デバイスと通信している生体センサを用いて生体情報をキャプチャし、ディスプレイ上に、生体センサによってキャプチャされた生体情報に基づいて判定された医学的特性の評価の表現を表示し、医学的特性の評価の表現を表示している間に、１つ以上の入力デバイスを介して、一連の１つ以上の入力を検出し、ユーザ指定の症状を医学的特性の評価に追加し、一連の１つ以上の入力を検出したことに応じて、ユーザ指定の症状のうちの少なくとも１つが対応する基準を満たすとの判定に従って、ディスプレイ上に、アクティブ化されると、即時の治療を求めるためのプロセスを開始するアフォーダンスを含む、第１のユーザインタフェースを表示し、ユーザ指定の症状が対応する基準を満たさないとの判定に従って、ディスプレイ上に、第１のユーザインタフェースを表示することなく、医学的特性の評価の表現及びユーザ指定の症状の１つ以上の表現を表示する、命令を含む。
【００２６】
いくつかの実施形態によれば、第１の電子デバイスが説明される。第１の電子デバイスは、ディスプレイと、１つ以上の入力デバイスと、第１の電子デバイスと通信している生体センサを用いて生体情報をキャプチャする手段と、ディスプレイ上に、生体センサによってキャプチャされた生体情報に基づいて判定された医学的特性の評価の表現を表示する手段と、医学的特性の評価の表現を表示している間に、１つ以上の入力デバイスを介して、一連の１つ以上の入力を検出し、ユーザ指定の症状を医学的特性の評価に追加する手段と、一連の１つ以上の入力を検出したことに応じて、ユーザ指定の症状のうちの少なくとも１つが対応する基準を満たすとの判定に従って、ディスプレイ上に、アクティブ化されると、即時の治療を求めるためのプロセスを開始するアフォーダンスを含む、第１のユーザインタフェースを表示し、ユーザ指定の症状が対応する基準を満たさないとの判定に従って、ディスプレイ上に、第１のユーザインタフェースを表示することなく、医学的特性の評価の表現及びユーザ指定の症状の１つ以上の表現を表示する、手段と、を備える。
【００２７】
いくつかの実施形態によれば、ディスプレイと、１つ以上の入力デバイスとを有する電子デバイスであって、複数の生体センサに動作可能に接続された、電子デバイスにおいて実行される方法が説明される。この方法は、複数の生体センサの第１の生体センサから第１の生体情報を受信することと、第１の生体情報を受信したことに応じて、かつ第１の生体情報が第１の基準を満たすとの判定に従って、ディスプレイ上に、追加の生体情報を検出するための第１のアフォーダンスを含む警告を表示することと、１つ以上の入力デバイスを介して、第１のアフォーダンスのユーザアクティブ化を受信することと、第１のアフォーダンスのユーザアクティブ化を受信した後に、第１の生体センサとは異なる複数の生体センサの第２の生体センサから第１の生体情報に関連付けられた第２の生体情報を受信することと、を含む。
【００２８】
いくつかの実施形態によれば、非一時的コンピュータ可読記憶媒体が記載される。ディスプレイと、１つ以上の入力デバイスとを有する電子デバイスの１つ以上のプロセッサによって実行されるように構成された１つ以上のプログラムを記憶する非一時的コンピュータ可読記憶媒体であって、電子デバイスは、複数の生体センサに動作可能に接続されており、１つ以上のプログラムは、複数の生体センサの第１の生体センサから第１の生体情報を受信し、第１の生体情報を受信したことに応じて、かつ第１の生体情報が第１の基準を満たすとの判定に従って、ディスプレイ上に、追加の生体情報を検出するための第１のアフォーダンスを含む警告を表示し、１つ以上の入力デバイスを介して、第１のアフォーダンスのユーザアクティブ化を受信し、第１のアフォーダンスのユーザアクティブ化を受信した後に、第１の生体センサとは異なる複数の生体センサの第２の生体センサから第１の生体情報に関連付けられた第２の生体情報を受信する、命令を含む。
【００２９】
いくつかの実施形態によれば、一時的コンピュータ可読記憶媒体が記載される。ディスプレイと、１つ以上の入力デバイスとを有する電子デバイスの１つ以上のプロセッサによって実行されるように構成された１つ以上のプログラムを記憶する一時的コンピュータ可読記憶媒体であって、電子デバイスは、複数の生体センサに動作可能に接続されており、１つ以上のプログラムは、複数の生体センサの第１の生体センサから第１の生体情報を受信し、第１の生体情報を受信したことに応じて、かつ第１の生体情報が第１の基準を満たすとの判定に従って、ディスプレイ上に、追加の生体情報を検出するための第１のアフォーダンスを含む警告を表示し、１つ以上の入力デバイスを介して、第１のアフォーダンスのユーザアクティブ化を受信し、第１のアフォーダンスのユーザアクティブ化を受信した後に、第１の生体センサとは異なる複数の生体センサの第２の生体センサから第１の生体情報に関連付けられた第２の生体情報を受信する、命令を含む。
【００３０】
いくつかの実施形態によれば、電子デバイスが記載される。電子デバイスは、複数の生体センサに動作可能に接続されており、ディスプレイと、１つ以上の入力デバイスと、１つ以上のプロセッサによって実行されるように構成された１つ以上のプログラムを記憶するメモリと、を備え、１つ以上のプログラムは、複数の生体センサの第１の生体センサから第１の生体情報を受信し、第１の生体情報を受信したことに応じて、かつ第１の生体情報が第１の基準を満たすとの判定に従って、ディスプレイ上に、追加の生体情報を検出するための第１のアフォーダンスを含む警告を表示し、１つ以上の入力デバイスを介して、第１のアフォーダンスのユーザアクティブ化を受信し、第１のアフォーダンスのユーザアクティブ化を受信した後に、第１の生体センサとは異なる複数の生体センサの第２の生体センサから第１の生体情報に関連付けられた第２の生体情報を受信する、命令を含む。
【００３１】
いくつかの実施形態によれば、電子デバイスが記載される。電子デバイスは、複数の生体センサに動作可能に接続されており、ディスプレイと、１つ以上の入力デバイスと、複数の生体センサの第１の生体センサから第１の生体情報を受信する手段と、第１の生体情報を受信したことに応じて、かつ第１の生体情報が第１の基準を満たすとの判定に従って、ディスプレイ上に、追加の生体情報を検出するための第１のアフォーダンスを含む警告を表示する手段と、１つ以上の入力デバイスを介して、第１のアフォーダンスのユーザアクティブ化を受信する手段と、第１のアフォーダンスのユーザアクティブ化を受信した後に、第１の生体センサとは異なる複数の生体センサの第２の生体センサから第１の生体情報に関連付けられた第２の生体情報を受信する手段と、を備える。
【００３２】
これらの機能を実行する実行可能な命令は、任意選択的に、１つ以上のプロセッサによって実行されるように構成された非一時的コンピュータ可読記憶媒体又は他のコンピュータプログラム製品内に含まれる。これらの機能を実行する実行可能な命令は、任意選択的に、１つ以上のプロセッサによって実行されるように構成された一時的コンピュータ可読記憶媒体又は他のコンピュータプログラム製品内に含まれる。
【００３３】
したがって、ヘルスモニタリングを管理するための、より速く、より効率的な方法及びインタフェースがデバイスに提供され、それによって、そのようなデバイスの有効性、効率、及びユーザ満足度が増す。そのような方法及びインタフェースは、ヘルスモニタリングを管理するための他の方法を補完する又は置き換えることができる。
【図面の簡単な説明】
【００３４】
説明される様々な実施形態をより良く理解するため、以下の図面と併せて、以下の「発明を実施するための形態」が参照されるべきであり、類似の参照番号は、以下の図の全てを通じて、対応する部分を指す。
【００３５】
【図１Ａ】いくつかの実施形態に係るタッチ感知ディスプレイを有するポータブル多機能デバイスを示すブロック図である。
【００３６】
【図１Ｂ】いくつかの実施形態に係る、イベント処理のための例示的な構成要素を示すブロック図である。
【００３７】
【図２】いくつかの実施形態に係るタッチスクリーンを有するポータブル多機能デバイスを示す。
【００３８】
【図３】いくつかの実施形態に係る、ディスプレイ及びタッチ感知面を有する例示的な多機能デバイスのブロック図である。
【００３９】
【図４Ａ】いくつかの実施形態に係るポータブル多機能デバイス上のアプリケーションのメニューの例示的なユーザインタフェースを示す。
【００４０】
【図４Ｂ】いくつかの実施形態に係るディスプレイとは別個のタッチ感知面を有する多機能デバイスの例示的なユーザインタフェースを示す。
【００４１】
【図５Ａ】いくつかの実施形態に係るパーソナル電子デバイスを示す。
【００４２】
【図５Ｂ】いくつかの実施形態に係るパーソナル電子デバイスを示すブロック図である。
【００４３】
【図５Ｃ】いくつかの実施形態に係るタッチ感知ディスプレイ及び強度センサを有するパーソナル電子デバイスの例示的な構成要素を示す。
【図５Ｄ】いくつかの実施形態に係るタッチ感知ディスプレイ及び強度センサを有するパーソナル電子デバイスの例示的な構成要素を示す。
【００４４】
【図５Ｅ】いくつかの実施形態に係るパーソナル電子デバイスの例示的な構成要素及びユーザインタフェースを示す。
【図５Ｆ】いくつかの実施形態に係るパーソナル電子デバイスの例示的な構成要素及びユーザインタフェースを示す。
【図５Ｇ】いくつかの実施形態に係るパーソナル電子デバイスの例示的な構成要素及びユーザインタフェースを示す。
【図５Ｈ】いくつかの実施形態に係るパーソナル電子デバイスの例示的な構成要素及びユーザインタフェースを示す。
【００４５】
【図６Ａ】ヘルスモニタリングの初期設定のための例示的なユーザインタフェースを示す。
【図６Ｂ】ヘルスモニタリングの初期設定のための例示的なユーザインタフェースを示す。
【図６Ｃ】ヘルスモニタリングの初期設定のための例示的なユーザインタフェースを示す。
【図６Ｄ】ヘルスモニタリングの初期設定のための例示的なユーザインタフェースを示す。
【図６Ｅ】ヘルスモニタリングの初期設定のための例示的なユーザインタフェースを示す。
【図６Ｆ】ヘルスモニタリングの初期設定のための例示的なユーザインタフェースを示す。
【図６Ｇ】ヘルスモニタリングの初期設定のための例示的なユーザインタフェースを示す。
【図６Ｈ】ヘルスモニタリングの初期設定のための例示的なユーザインタフェースを示す。
【図６Ｉ】ヘルスモニタリングの初期設定のための例示的なユーザインタフェースを示す。
【図６Ｊ】ヘルスモニタリングの初期設定のための例示的なユーザインタフェースを示す。
【図６Ｋ】ヘルスモニタリングの初期設定のための例示的なユーザインタフェースを示す。
【図６Ｌ】ヘルスモニタリングの初期設定のための例示的なユーザインタフェースを示す。
【図６Ｍ】ヘルスモニタリングの初期設定のための例示的なユーザインタフェースを示す。
【図６Ｎ】ヘルスモニタリングの初期設定のための例示的なユーザインタフェースを示す。
【図６Ｏ】ヘルスモニタリングの初期設定のための例示的なユーザインタフェースを示す。
【図６Ｐ】ヘルスモニタリングの初期設定のための例示的なユーザインタフェースを示す。
【図６Ｑ】ヘルスモニタリングの初期設定のための例示的なユーザインタフェースを示す。
【図６Ｒ】ヘルスモニタリングの初期設定のための例示的なユーザインタフェースを示す。
【図６Ｓ】ヘルスモニタリングの初期設定のための例示的なユーザインタフェースを示す。
【図６Ｔ】ヘルスモニタリングの初期設定のための例示的なユーザインタフェースを示す。
【図６Ｕ】ヘルスモニタリングの初期設定のための例示的なユーザインタフェースを示す。
【図６Ｖ】ヘルスモニタリングの初期設定のための例示的なユーザインタフェースを示す。
【図６Ｗ】ヘルスモニタリングの初期設定のための例示的なユーザインタフェースを示す。
【図６Ｘ】ヘルスモニタリングの初期設定のための例示的なユーザインタフェースを示す。
【図６Ｙ】ヘルスモニタリングの初期設定のための例示的なユーザインタフェースを示す。
【図６Ｚ】ヘルスモニタリングの初期設定のための例示的なユーザインタフェースを示す。
【図６ＡＡ】ヘルスモニタリングの初期設定のための例示的なユーザインタフェースを示す。
【図６ＡＢ】ヘルスモニタリングの初期設定のための例示的なユーザインタフェースを示す。
【図６ＡＣ】ヘルスモニタリングの初期設定のための例示的なユーザインタフェースを示す。
【図６ＡＤ】ヘルスモニタリングの初期設定のための例示的なユーザインタフェースを示す。
【図６ＡＥ】ヘルスモニタリングの初期設定のための例示的なユーザインタフェースを示す。
【００４６】
【図７Ａ】いくつかの実施形態に係る、ヘルスモニタリングの初期設定のフロー図を示す。
【図７Ｂ】いくつかの実施形態に係る、ヘルスモニタリングの初期設定のフロー図を示す。
【図７Ｃ】いくつかの実施形態に係る、ヘルスモニタリングの初期設定のフロー図を示す。
【００４７】
【図８Ａ】ヘルスモニタリングに使用するための生体情報を記録するための例示的なユーザインタフェースを示す。
【図８Ｂ】ヘルスモニタリングに使用するための生体情報を記録するための例示的なユーザインタフェースを示す。
【図８Ｃ】ヘルスモニタリングに使用するための生体情報を記録するための例示的なユーザインタフェースを示す。
【図８Ｄ】ヘルスモニタリングに使用するための生体情報を記録するための例示的なユーザインタフェースを示す。
【図８Ｅ】ヘルスモニタリングに使用するための生体情報を記録するための例示的なユーザインタフェースを示す。
【図８Ｆ】ヘルスモニタリングに使用するための生体情報を記録するための例示的なユーザインタフェースを示す。
【図８Ｇ】ヘルスモニタリングに使用するための生体情報を記録するための例示的なユーザインタフェースを示す。
【図８Ｈ】ヘルスモニタリングに使用するための生体情報を記録するための例示的なユーザインタフェースを示す。
【図８Ｉ】ヘルスモニタリングに使用するための生体情報を記録するための例示的なユーザインタフェースを示す。
【図８Ｊ】ヘルスモニタリングに使用するための生体情報を記録するための例示的なユーザインタフェースを示す。
【図８Ｋ】ヘルスモニタリングに使用するための生体情報を記録するための例示的なユーザインタフェースを示す。
【図８Ｌ】ヘルスモニタリングに使用するための生体情報を記録するための例示的なユーザインタフェースを示す。
【図８Ｍ】ヘルスモニタリングに使用するための生体情報を記録するための例示的なユーザインタフェースを示す。
【図８Ｎ】ヘルスモニタリングに使用するための生体情報を記録するための例示的なユーザインタフェースを示す。
【図８Ｏ】ヘルスモニタリングに使用するための生体情報を記録するための例示的なユーザインタフェースを示す。
【図８Ｐ】ヘルスモニタリングに使用するための生体情報を記録するための例示的なユーザインタフェースを示す。
【図８Ｑ】ヘルスモニタリングに使用するための生体情報を記録するための例示的なユーザインタフェースを示す。
【図８Ｒ】ヘルスモニタリングに使用するための生体情報を記録するための例示的なユーザインタフェースを示す。
【図８Ｓ】ヘルスモニタリングに使用するための生体情報を記録するための例示的なユーザインタフェースを示す。
【００４８】
【図９Ａ】いくつかの実施形態に係る、ヘルスモニタリングのための生体情報を記録するためのフロー図を示す。
【図９Ｂ】いくつかの実施形態に係る、ヘルスモニタリングのための生体情報を記録するためのフロー図を示す。
【００４９】
【図１０Ａ】ヘルスモニタリングのための入力デバイスを使用するための例示的なユーザインタフェースを示す。
【図１０Ｂ】ヘルスモニタリングのための入力デバイスを使用するための例示的なユーザインタフェースを示す。
【図１０Ｃ】ヘルスモニタリングのための入力デバイスを使用するための例示的なユーザインタフェースを示す。
【図１０Ｄ】ヘルスモニタリングのための入力デバイスを使用するための例示的なユーザインタフェースを示す。
【図１０Ｅ】ヘルスモニタリングのための入力デバイスを使用するための例示的なユーザインタフェースを示す。
【図１０Ｆ】ヘルスモニタリングのための入力デバイスを使用するための例示的なユーザインタフェースを示す。
【図１０Ｇ】ヘルスモニタリングのための入力デバイスを使用するための例示的なユーザインタフェースを示す。
【図１０Ｈ】ヘルスモニタリングのための入力デバイスを使用するための例示的なユーザインタフェースを示す。
【図１０Ｉ】ヘルスモニタリングのための入力デバイスを使用するための例示的なユーザインタフェースを示す。
【図１０Ｊ】ヘルスモニタリングのための入力デバイスを使用するための例示的なユーザインタフェースを示す。
【００５０】
【図１１】いくつかの実施形態に係る、ヘルスモニタリングのための入力デバイスを使用するためのフロー図を示す。
【００５１】
【図１２Ａ】ヘルスモニタリングの様相を管理するための例示的なユーザインタフェースを示す。
【図１２Ｂ】ヘルスモニタリングの様相を管理するための例示的なユーザインタフェースを示す。
【図１２Ｃ】ヘルスモニタリングの様相を管理するための例示的なユーザインタフェースを示す。
【図１２Ｄ】ヘルスモニタリングの様相を管理するための例示的なユーザインタフェースを示す。
【図１２Ｅ】ヘルスモニタリングの様相を管理するための例示的なユーザインタフェースを示す。
【図１２Ｆ】ヘルスモニタリングの様相を管理するための例示的なユーザインタフェースを示す。
【図１２Ｇ】ヘルスモニタリングの様相を管理するための例示的なユーザインタフェースを示す。
【図１２Ｈ】ヘルスモニタリングの様相を管理するための例示的なユーザインタフェースを示す。
【図１２Ｉ】ヘルスモニタリングの様相を管理するための例示的なユーザインタフェースを示す。
【図１２Ｊ】ヘルスモニタリングの様相を管理するための例示的なユーザインタフェースを示す。
【図１２Ｋ】ヘルスモニタリングの様相を管理するための例示的なユーザインタフェースを示す。
【図１２Ｌ】ヘルスモニタリングの様相を管理するための例示的なユーザインタフェースを示す。
【図１２Ｍ】ヘルスモニタリングの様相を管理するための例示的なユーザインタフェースを示す。
【図１２Ｎ】ヘルスモニタリングの様相を管理するための例示的なユーザインタフェースを示す。
【図１２Ｏ】ヘルスモニタリングの様相を管理するための例示的なユーザインタフェースを示す。
【図１２Ｐ】ヘルスモニタリングの様相を管理するための例示的なユーザインタフェースを示す。
【図１２Ｑ】ヘルスモニタリングの様相を管理するための例示的なユーザインタフェースを示す。
【図１２Ｒ】ヘルスモニタリングの様相を管理するための例示的なユーザインタフェースを示す。
【図１２Ｓ】ヘルスモニタリングの様相を管理するための例示的なユーザインタフェースを示す。
【００５２】
【図１３Ａ】いくつかの実施形態に係る、ヘルスモニタリングの様相を管理するためのフロー図を示す。
【図１３Ｂ】いくつかの実施形態に係る、ヘルスモニタリングの様相を管理するためのフロー図を示す。
【００５３】
【図１４Ａ】健康状態警告を提供するための例示的なユーザインタフェースを示す。
【図１４Ｂ】健康状態警告を提供するための例示的なユーザインタフェースを示す。
【図１４Ｃ】健康状態警告を提供するための例示的なユーザインタフェースを示す。
【図１４Ｄ】健康状態警告を提供するための例示的なユーザインタフェースを示す。
【図１４Ｅ】健康状態警告を提供するための例示的なユーザインタフェースを示す。
【図１４Ｆ】健康状態警告を提供するための例示的なユーザインタフェースを示す。
【図１４Ｇ】健康状態警告を提供するための例示的なユーザインタフェースを示す。
【図１４Ｈ】健康状態警告を提供するための例示的なユーザインタフェースを示す。
【図１４Ｉ】健康状態警告を提供するための例示的なユーザインタフェースを示す。
【００５４】
【図１５】いくつかの実施形態に係る、健康状態警告を提供するためのフロー図を示す。
【発明を実施するための形態】
【００５５】
以下の説明は、例示的な方法、パラメータなどについて記載する。しかしながら、そのような説明は、本開示の範囲に対する限定として意図されるものではなく、代わりに例示的な実施形態の説明として提供されることを認識されたい。
【００５６】
ヘルスモニタリングを管理するための効率的な方法及びインタフェースを提供する電子デバイスが必要とされている。例えば、ユーザが自身の健康を容易にモニタリングすることを可能にするために、ユーザから生体情報を迅速にかつ便利にキャプチャする電子デバイスが必要とされている。別の例では、ユーザがモニタリング及び評価結果に容易かつ便利にアクセスして見ることができるように、ユーザからキャプチャされた生体情報を管理する電子デバイスが必要とされている。別の例では、評価結果を効率的にユーザに提示して、ユーザが結果を容易に理解しそれに適切に応答することを可能にする電子デバイスが必要とされている。そのような技術は、ヘルスモニタリング機能にアクセスするユーザの認識的負担を軽減し、それによって生産性を高めることができる。更に、このような技法は、普通なら冗長なユーザ入力に浪費されるプロセッサ及び電池の電力を低減させることができる。
【００５７】
以下に、図１Ａ〜図１Ｂ、図２、図３、図４Ａ〜図４Ｂ、及び図５Ａ〜図５Ｈは、イベント通知を管理する技法を行うための例示的なデバイスの説明を提供する。図６Ａ〜図６ＡＥは、ヘルスモニタリングの初期設定のための例示的なユーザインタフェースを示す。図７Ａ〜図７Ｃは、ヘルスモニタリングの初期設定のフロー図を示す。図６Ａ〜図６ＡＥのユーザインタフェースは、図７Ａ〜図７Ｃのプロセスを含む後述するプロセスを示すために使用される。図８Ａ〜図８Ｓは、ヘルスモニタリングに使用するための生体情報を記録するための例示的なユーザインタフェースを示す。図９Ａ〜図９Ｂは、いくつかの実施形態に係る、ヘルスモニタリングのための生体情報を記録するためのフロー図を示す。図８Ａ〜図８Ｓのユーザインタフェースは、図９Ａ〜図９Ｂのプロセスを含む後述するプロセスを示すために使用される。図１０Ａ〜図１０Ｊは、ヘルスモニタリングのための入力デバイスを使用するための例示的なユーザインタフェースを示す。図１１は、いくつかの実施形態に係る、ヘルスモニタリングのための入力デバイスを使用するためのフロー図を示す。図１０Ａ〜図１０Ｊのユーザインタフェースは、図１１のプロセスを含む後述するプロセスを示すために使用される。図１２Ａ〜１２Ｓは、ヘルスモニタリングの様相を管理するための例示的なユーザインタフェースを示す。図１３Ａ〜図１３Ｂは、いくつかの実施形態に係る、ヘルスモニタリングの様相を管理するためのフロー図を示す。図１２Ａ〜図１２Ｓのユーザインタフェースは、図１３Ａ〜図１３Ｂのプロセスを含む後述するプロセスを示すために使用される。図１４Ａ〜図１４Ｉは、健康状態警告を提供するための例示的なユーザインタフェースを示す。図１５は、いくつかの実施形態に係る、健康状態警告を提供するためのフロー図を示す。図１４Ａ〜図１４Ｉのユーザインタフェースは、図１５のプロセスを含む後述するプロセスを示すために使用される。
【００５８】
以下の説明では、様々な要素について説明するために、「第１の」、「第２の」などの用語を使用するが、これらの要素は、それらの用語によって限定されるべきではない。これらの用語は、ある要素を別の要素と区別するためにのみ使用される。例えば、記載する様々な実施形態の範囲から逸脱することなく、第１のタッチを第２のタッチと呼ぶこともでき、同様に第２のタッチを第１のタッチと呼ぶこともできる。第１のタッチ及び第２のタッチはどちらもタッチであるが、これらは同じタッチではない。
【００５９】
本明細書に記載する様々な実施形態の説明で使用される術語は、特定の実施形態を説明することのみを目的とし、限定的であることは意図されていない。記載する様々な実施形態の説明及び添付の特許請求の範囲では、単数形の「ａ（１つ、一）」、「ａｎ（１つ、一）」、及び「ｔｈｅ（その、この）」は、文脈上別途明白に記載しない限り、複数形も同様に含むことが意図される。また、本明細書で使用されるとき、用語「及び／又は」は、関連する列挙された項目のうちの１つ以上のいずれか及び全ての考えられる組み合わせを指し、かつこれを含むことを理解されたい。用語「ｉｎｃｌｕｄｅｓ（含む）」、「ｉｎｃｌｕｄｉｎｇ（含む）」、「ｃｏｍｐｒｉｓｅｓ（含む、備える）」、及び／又は「ｃｏｍｐｒｉｓｉｎｇ（含む、備える）」は、本明細書で使用する場合、述べられた特徴、整数、ステップ、動作、要素、及び／又は構成要素の存在を指定するが、１つ以上の他の特徴、整数、ステップ、動作、要素、構成要素、及び／又はそれらのグループの存在又は追加を除外しないことが更に理解されるであろう。
【００６０】
「〜の場合（if）」という用語は、任意選択的に、文脈に応じて、「〜とき（when）」若しくは「〜とき（upon）」、又は「〜と判定したことに応じて（in response to determining）」若しくは「〜を検出したことに応じて（in response to detecting）」を意味すると解釈される。同様に、「〜と判定された場合（if it is determined）」又は「［記載の状態又はイベント］が検出された場合（if[a stated condition or event]is detected）」という語句は、任意選択的に、文脈に応じて、「〜と判定したとき（upon determining）」若しくは「〜と判定したことに応じて（in response to determining）」、又は「［記載の状態又はイベント］を検出したとき（upon detecting[the stated condition or event]）」若しくは「［記載の状態又はイベント］を検出したことに応じて（in response to detecting[the stated condition or event]）」を意味すると解釈される。
【００６１】
電子デバイス、そのようなデバイス用のユーザインタフェース、及びそのようなデバイスを使用する関連するプロセスの実施形態が説明される。いくつかの実施形態では、デバイスは、ＰＤＡ機能及び／又は音楽プレーヤ機能などの他の機能も含む、携帯電話などのポータブル通信デバイスである。ポータブル多機能デバイスの例示的な実施形態としては、カリフォルニア州クパチーノのＡｐｐｌｅ  Ｉｎｃ．からのｉＰｈｏｎｅ（登録商標）、ｉＰｏｄ  Ｔｏｕｃｈ（登録商標）、及びｉＰａｄ（登録商標）のデバイスが挙げられるが、これらに限定されない。任意選択的に、タッチ感知面（例えば、タッチスクリーンディスプレイ及び／又はタッチパッド）を有するラップトップ又はタブレットコンピュータなどの他のポータブル電子デバイスも使用される。また、いくつかの実施形態では、デバイスはポータブル通信デバイスではなく、タッチ感知面（例えば、タッチスクリーンディスプレイ及び／又はタッチパッド）を有するデスクトップコンピュータであることも理解されたい。
【００６２】
以下の論考では、ディスプレイ及びタッチ感知面を含む電子デバイスについて説明する。しかしながら、電子デバイスは、任意選択的に、物理キーボード、マウス、及び／又はジョイスティックなどの１つ以上の他の物理ユーザインタフェースデバイスを含むことを理解されたい。
【００６３】
デバイスは、典型的には、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーションのうちの１つ以上などの様々なアプリケーションに対応する。
【００６４】
本デバイス上で実行される様々なアプリケーションは、タッチ感知面などの、少なくとも１つの共通の物理ユーザインタフェースデバイスを、任意選択的に使用する。タッチ感知面の１つ以上の機能、並びにデバイス上に表示される対応する情報は、アプリケーションごとに、及び／又はそれぞれのアプリケーション内で、任意選択的に、調整及び／又は変更される。このように、デバイスの共通の物理アーキテクチャ（タッチ感知面など）は、任意選択的に、ユーザにとって直観的かつ透明なユーザインタフェースを備える様々なアプリケーションをサポートする。
【００６５】
ここで、タッチ感知ディスプレイを備えるポータブルデバイスの実施形態に注意を向ける。図１Ａは、いくつかの実施形態に係るタッチ感知ディスプレイシステム１１２を有するポータブル多機能デバイス１００を示すブロック図である。タッチ感知ディスプレイ１１２は、便宜上「タッチスクリーン」と呼ばれることがあり、「タッチ感知ディスプレイシステム」として知られている又は呼ばれることがある。デバイス１００は、メモリ１０２（任意選択的に、１つ以上のコンピュータ可読記憶媒体を含む）、メモリコントローラ１２２、１つ以上の処理ユニット（ＣＰＵ）１２０、周辺機器インタフェース１１８、ＲＦ回路１０８、オーディオ回路１１０、スピーカ１１１、マイクロフォン１１３、入出力（Ｉ／Ｏ）サブシステム１０６、他の入力コントロールデバイス１１６、及び外部ポート１２４を含む。デバイス１００は、任意選択的に、１つ以上の光センサ１６４を含む。デバイス１００は、任意選択的に、デバイス１００上の接触の強度を検出する１つ以上の接触強度センサ１６５（例えば、デバイス１００のタッチ感知ディスプレイシステム１１２などのタッチ感知面）を含む。デバイス１００は、任意選択的に、デバイス１００上で触知出力を生成する（例えばデバイス１００のタッチ感知ディスプレイシステム１１２又はデバイス３００のタッチパッド３５５などのタッチ感知面上で触知出力を生成する）１つ以上の触知出力生成器１６７を含む。これらの構成要素は、任意選択的に、１つ以上の通信バス又は信号ライン１０３を介して通信する。
【００６６】
本明細書及び特許請求の範囲では、タッチ感知面上の接触の「強度」という用語は、タッチ感知面上の接触（例えば、指の接触）の力若しくは圧力（単位面積当たりの力）、又はタッチ感知面上の接触の力若しくは圧力に対する代理（プロキシ）を指す。接触の強度は、少なくとも４つの別個の値を含み、より典型的には、数百の（例えば、少なくとも２５６の）別個の値を含む、値の範囲を有する。接触の強度は、任意選択的に、様々な手法、及び様々なセンサ又はセンサの組み合わせを使用して、判定（又は測定）される。例えば、タッチ感知面の下又はそれに隣接する１つ以上の力センサは、任意選択的に、タッチ感知面上の様々なポイントにおける力を測定するために使用される。一部の実装形態では、複数の力センサからの力測定値は、接触の推定される力を判定するために組み合わされる（例えば、加重平均）。同様に、スタイラスの感圧性先端部は、任意選択的に、タッチ感知面上のスタイラスの圧力を判定するために使用される。あるいは、タッチ感知面上で検出される接触エリアのサイズ及び／若しくはその変化、接触に近接するタッチ感知面の電気容量及び／若しくはその変化、並びに／又は、接触に近接するタッチ感知面の抵抗及び／若しくはその変化は、任意選択的に、タッチ感知面上の接触の力又は圧力の代替物として使用される。一部の実装形態では、接触の力又は圧力のための代替測定値は、強度閾値を超えているかどうかを判定するために直接使用される（例えば、強度閾値は、代替測定値に対応する単位で記述される）。一部の実装形態では、接触力又は圧力に対する代理測定は、推定される力又は圧力に変換され、推定される力又は圧力は、強度閾値を超過したかどうかを判定するために使用される（例えば、強度閾値は、圧力の単位で測定される圧力閾値である）。接触の強度をユーザ入力の属性として使用することにより、アフォーダンスを（例えば、タッチ感知ディスプレイ上に）表示するための、及び／又は、ユーザ入力を（例えば、タッチ感知ディスプレイ、タッチ感知面、又は、ノブ若しくはボタンなどの物理的／機械的制御部を介して）受信するための面積が制限されている、低減されたサイズのデバイス上で、通常であればユーザによってアクセスすることが不可能であり得る追加のデバイス機能への、ユーザのアクセスが可能となる。
【００６７】
本明細書及び特許請求の範囲で使用されるように、用語「触知出力」は、ユーザの触覚でユーザによって検出されることになる、デバイスの従前の位置に対するそのデバイスの物理的変位、デバイスの構成要素（例えば、タッチ感知面）の、そのデバイスの別の構成要素（例えば、筐体）に対する物理的変位、又は、デバイスの質量中心に対する構成要素の変位を指す。例えば、デバイス又はデバイスの構成要素が、タッチに敏感なユーザの表面（例えば、ユーザの手の指、手のひら、又は他の部分）に接触している状況では、物理的変位によって生成された触知出力は、そのデバイス又はデバイスの構成要素の物理的特性の認識される変化に相当する触感として、ユーザによって解釈されることになる。例えば、タッチ感知面（例えば、タッチ感知ディスプレイ又はトラックパッド）の移動は、ユーザによって、物理アクチュエータボタンの「ダウンクリック」又は「アップクリック」として、任意選択的に解釈される。場合によっては、ユーザの動作により物理的に押された（例えば、変位された）タッチ感知面に関連付けられた物理アクチュエータボタンの移動がないときでさえ、ユーザは「ダウンクリック」又は「アップクリック」などの触感を感じる。別の例として、タッチ感知面の移動は、タッチ感知面の平滑度に変化がない場合であっても、ユーザによって、そのタッチ感知面の「粗さ」として、任意選択的に解釈又は感知される。そのようなユーザによるタッチの解釈は、ユーザの個人的な感覚認知に左右されるが、大多数のユーザに共通する、多くのタッチの感覚認知が存在する。したがって、触知出力が、ユーザの特定の感覚認知（例えば、「アップクリック」「ダウンクリック」、「粗さ」）に対応するものと記述される場合、別途記載のない限り、生成された触知出力は、典型的な（又は、平均的な）ユーザの記述された感覚認知を生成するデバイス、又はデバイスの構成要素の物理的変位に対応する。
【００６８】
デバイス１００は、ポータブル多機能デバイスの一例に過ぎず、デバイス１００は、任意選択的に、示されているものよりも多くの構成要素又は少ない構成要素を有するものであり、任意選択的に、２つ以上の構成要素を組み合わせるものであり、又は、任意選択的に、それらの構成要素の異なる構成若しくは配置を有するものであることを理解されたい。図１Ａに示す様々な構成要素は、１つ以上の信号処理回路及び／又は特定用途向け集積回路を含む、ハードウェア、ソフトウェア、又はハードウェアとソフトウェアの両方の組み合わせで実施される。
【００６９】
メモリ１０２は、任意選択的に、高速ランダムアクセスメモリを含み、また任意選択的に、１つ以上の磁気ディスク記憶デバイス、フラッシュメモリデバイス、又は他の不揮発性ソリッドステートメモリデバイスなどの不揮発性メモリを含む。メモリコントローラ１２２は、任意選択的に、デバイス１００の他の構成要素によるメモリ１０２へのアクセスを制御する。
【００７０】
周辺機器インタフェース１１８は、デバイスの入力及び出力周辺機器をＣＰＵ１２０及びメモリ１０２に結合するために使用することができる。１つ以上のプロセッサ１２０は、メモリ１０２に記憶された様々なソフトウェアプログラム及び／又は命令セットを動作させる又は実行して、デバイス１００のための様々な機能を実行し、データを処理する。いくつかの実施形態では、周辺機器インタフェース１１８、ＣＰＵ１２０、及びメモリコントローラ１２２は、任意選択的に、チップ１０４などの単一のチップ上で実施される。いくつかの他の実施形態では、それらは別々のチップ上に任意選択的に実装される。
【００７１】
ＲＦ（ｒａｄｉｏ  ｆｒｅｑｕｅｎｃｙ）（無線周波数）回路１０８は、電磁信号とも呼ばれるＲＦ信号を送受信する。ＲＦ回路１０８は、電気信号を電磁信号に、又は電磁信号を電気信号に変換し、電磁信号を介して通信ネットワーク及び他の通信デバイスと通信する。ＲＦ回路１０８は、任意選択的に、これらの機能を実行するための周知の回路を含み、それらの回路としては、限定するものではないが、アンテナシステム、ＲＦ送受信機、１つ以上の増幅器、同調器、１つ以上の発振器、デジタル信号プロセッサ、ＣＯＤＥＣチップセット、加入者識別モジュール（subscriber identity module、ＳＩＭ）カード、メモリなどが挙げられる。ＲＦ回路１０８は、任意選択的に、ワールドワイドウェブ（World Wide Web、ＷＷＷ）とも呼ばれるインターネット、イントラネット、並びに／又はセルラー電話ネットワーク、無線ローカルエリアネットワーク（local area network、ＬＡＮ）及び／若しくはメトロポリタンエリアネットワーク（metropolitan area network、ＭＡＮ）などの無線ネットワークなどのネットワークと、また他のデバイスと、無線通信によって通信する。ＲＦ回路１０８は、任意選択的に、短距離通信無線機などによって近距離通信（near field Communication、ＮＦＣ）フィールドを検出するよく知られている回路を含む。無線通信は、任意選択的に、それだけに限定されるものではないが、移動通信用のグローバルシステム（Global System for Mobile Communications、ＧＳＭ）、拡張データＧＳＭ環境（Enhanced Data GSM Environment、ＥＤＧＥ）、高速ダウンリンクパケットアクセス（high-speed downlink packet access、ＨＳＤＰＡ）、高速アップリンクパケットアクセス（high-speed uplink packet access、ＨＳＵＰＡ）、エボリューションデータオンリ（Evolution、Data-Only、ＥＶ−ＤＯ）、ＨＳＰＡ、ＨＳＰＡ＋、デュアルセルＨＳＰＡ（Dual-Cell HSPA、ＤＣ−ＨＳＰＤＡ）、ロングタームエボリューション（long term evolution、ＬＴＥ）、近距離通信（ＮＦＣ）、広帯域符号分割多元接続（wideband Code division multiple access、Ｗ−ＣＤＭＡ）、符号分割多元接続（code division multiple access、ＣＤＭＡ）、時分割多元接続（time division multiple access、ＴＤＭＡ）、Ｂｌｕｅｔｏｏｔｈ（登録商標）、Ｂｌｕｅｔｏｏｔｈ  Ｌｏｗ  Ｅｎｅｒｇｙ（登録商標）（ＢＴＬＥ）、ワイヤレスフィデリティ（Ｗｉｒｅｌｅｓｓ  Ｆｉｄｅｌｉｔｙ、Ｗｉ−Ｆｉ（登録商標））（例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、及び／若しくはＩＥＥＥ  ８０２．１１ａｃ）、ボイスオーバインターネットプロトコル（voice over Internet Protocol、ＶｏＩＰ）、Ｗｉ−ＭＡＸ（登録商標）、電子メール用プロトコル（例えば、インターネットメッセージアクセスプロトコル（Internet message access protocol、ＩＭＡＰ）及び／若しくはポストオフィスプロトコル（post office protocol、ＰＯＰ））、インスタントメッセージング（例えば、拡張可能なメッセージング及びプレゼンスプロトコル（extensible messaging and presence protocol、ＸＭＰＰ）、インスタントメッセージング及びプレゼンスレベレイジングエクステンションのためのセッション開始プロトコル（Session Initiation Protocol for Instant Messaging and Presence Leveraging Extensions、ＳＩＭＰＬＥ）、インスタント��ッセージング及びプレゼンスサービス（Instant Messaging and Presence Service、ＩＭＰＳ））、並びに／若しくはショートメッセージサービス（Short Message Service、ＳＭＳ）、又は本明細書の出願日の時点でまだ開発されていない通信プロトコルを含む任意の他の好適な通信プロトコルを含む、複数の通信規格、プロトコル、及び技術のうちのいずれかを使用する。
【００７２】
オーディオ回路１１０、スピーカ１１１、及びマイクロフォン１１３は、ユーザとデバイス１００との間のオーディオインタフェースを提供する。オーディオ回路１１０は、周辺機器インタフェース１１８からオーディオデータを受信し、このオーディオデータを電気信号に変換し、この電気信号をスピーカ１１１に送信する。スピーカ１１１は、電気信号を人間の可聴音波に変換する。また、オーディオ回路１１０は、マイクロフォン１１３によって音波から変換された電気信号を受信する。オーディオ回路１１０は、電気信号をオーディオデータに変換し、このオーディオデータを処理のために周辺機器インタフェース１１８に送信する。オーディオデータは、任意選択的に、周辺機器インタフェース１１８によって、メモリ１０２及び／若しくはＲＦ回路１０８から取得され、かつ／又はメモリ１０２及び／若しくはＲＦ回路１０８に伝送される。いくつかの実施形態では、オーディオ回路１１０はまた、ヘッドセットジャック（例えば、図２の２１２）を含む。ヘッドセットジャックは、オーディオ回路１１０と、出力専用ヘッドホン又は出力（例えば片耳又は両耳用のヘッドホン）及び入力（例えばマイクロフォン）の両方を備えるヘッドセットなどの着脱可能なオーディオ入出力周辺機器との間のインタフェースを提供する。
【００７３】
Ｉ／Ｏサブシステム１０６は、タッチスクリーン１１２及び他の入力コントロールデバイス１１６などのデバイス１００上の入出力周辺機器を、周辺機器インタフェース１１８に結合する。Ｉ／Ｏサブシステム１０６は、任意選択的に、ディスプレイコントローラ１５６、光センサコントローラ１５８、強度センサコントローラ１５９、触覚フィードバックコントローラ１６１、及び他の入力若しくは制御デバイスのための１つ以上の入力コントローラ１６０を含む。１つ以上の入力コントローラ１６０は、他の入力コントロールデバイス１１６からの電気信号の受信／他の入力コントロールデバイス１１６への電気信号の送信を行う。他の入力コントロールデバイス１１６は、任意選択的に、物理ボタン（例えば、プッシュボタン、ロッカボタンなど）、ダイヤル、スライダスイッチ、ジョイスティック、クリックホイールなどを含む。いくつかの代替的な実施形態では、入力コントローラ（単数又は複数）１６０は、任意選択的に、キーボード、赤外線ポート、ＵＳＢポート、及びマウスなどのポインタデバイスのうちのいずれかに結合される（又はいずれにも結合されない）。１つ以上のボタン（例えば、図２の２０８）は、任意選択的に、スピーカ１１１及び／又はマイクロフォン１１３の音量コントロールのための上下ボタンを含む。１つ以上のボタンは、任意選択的に、プッシュボタン（例えば、図２の２０６）を含む。
【００７４】
全体として参照により本明細書に組み込まれている、２００５年１２月２３日出願の米国特許出願第１１／３２２，５４９号、「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」、米国特許第７，６５７，８４９号に記載されているように、プッシュボタンの素早い押下は、任意選択的に、タッチスクリーン１１２のロックを係合解除し、又は任意選択的に、タッチスクリーン上のジェスチャを使用してデバイスをアンロックするプロセスを開始する。プッシュボタン（例えば、２０６）のより長い押下は、任意選択的に、デバイス１００への電力をオン又はオフにする。ボタンのうちの１つ以上の機能性は、任意選択的に、ユーザによってカスタマイズ可能である。タッチスクリーン１１２は、仮想又はソフトボタン及び１つ以上のソフトキーボードを実装するために使用される。
【００７５】
タッチ感知ディスプレイ１１２は、デバイスとユーザとの間の入力インタフェース及び出力インタフェースを提供する。ディスプレイコントローラ１５６は、タッチスクリーン１１２からの電気信号の受信、及び／又はタッチスクリーン１１２への電気信号の送信を行う。タッチスクリーン１１２は、ユーザに対して視覚出力を表示する。この視覚出力は、グラフィック、テキスト、アイコン、ビデオ、及びそれらの任意の組み合わせ（総称して「グラフィック」）を任意選択的に含む。いくつかの実施形態では、視覚出力の一部又は全ては、任意選択的に、ユーザインタフェースオブジェクトに対応する。
【００７６】
タッチスクリーン１１２は、触覚及び／又は触知接触に基づくユーザからの入力を受け入れるタッチ感知面、センサ、又はセンサのセットを有する。タッチスクリーン１１２及びディスプレイコントローラ１５６は（メモリ１０２内の任意の関連モジュール及び／又は命令セットとともに）、タッチスクリーン１１２上で接触（及び任意の接触の移動又は中断）を検出し、検出された接触をタッチスクリーン１１２上に表示されたユーザインタフェースオブジェクト（例えば、１つ以上のソフトキー、アイコン、ウェブページ又は画像）との対話に変換する。例示的な実施形態では、タッチスクリーン１１２とユーザとの間の接触点は、ユーザの指に対応する。
【００７７】
タッチスクリーン１１２は、任意選択的に、ＬＣＤ（液晶ディスプレイ）技術、ＬＰＤ（発光ポリマーディスプレイ）技術、又はＬＥＤ（発光ダイオード）技術を使用するが、他の実施形態では、他のディスプレイ技術も使用される。タッチスクリーン１１２及びディスプレイコントローラ１５６は、任意選択的に、それだけに限定されるものではないが、容量性、抵抗性、赤外線、及び表面音波の技術、並びにタッチスクリーン１１２との１つ以上の接触点を判定する他の近接センサアレイ又は他の要素を含む、現在知られている又は今後開発される複数のタッチ感知技術のうちのいずれかを使用して、接触及びそのあらゆる動き又は中断を検出する。例示的な実施形態では、カリフォルニア州クパチーノのＡｐｐｌｅ  Ｉｎｃ．からのｉＰｈｏｎｅ（登録商標）及びｉＰｏｄ  Ｔｏｕｃｈ（登録商標）に見られるものなどの、投影型相互静電容量感知技術が使用される。
【００７８】
タッチスクリーン１１２のいくつかの実施形態におけるタッチ感知ディスプレイは、任意選択的に、それぞれ全体として参照により本明細書に組み込まれている、米国特許第６，３２３，８４６号（Ｗｅｓｔｅｒｍａｎら）、第６，５７０，５５７号（Ｗｅｓｔｅｒｍａｎら）、及び／若しくは第６，６７７，９３２号（Ｗｅｓｔｅｒｍａｎ）、並びに／又は米国特許公報第２００２／００１５０２４Ａ１号という米国特許に記載されているマルチタッチ感知タッチパッドに類似している。しかし、タッチスクリーン１１２はデバイス１００からの視覚出力を表示するのに対して、タッチ感知タッチパッドは視覚出力を提供しない。
【００７９】
タッチスクリーン１１２のいくつかの実施形態におけるタッチ感知ディスプレイは、（１）２００６年５月２日出願の米国特許出願第１１／３８１，３１３号、「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日出願の米国特許出願第１０／８４０，８６２号、「Ｍｕｌｔｉｐｏｉｎｔ  Ｔｏｕｃｈｓｃｒｅｅｎ」、（３）２００４年７月３０日出願の米国特許出願第１０／９０３，９６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日出願の米国特許出願第１１／０４８，２６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日出願の米国特許出願第１１／０３８，５９０号、「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日出願の米国特許出願第１１／２２８，７５８号、「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日出願の米国特許出願第１１／２２８，７００号、「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日出願の米国特許出願第１１／２２８，７３７号、「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、及び（９）２００６年３月３日出願の米国特許出願第１１／３６７，７４９号、「Ｍｕｌｔｉ−Ｆｕｎｃｔｉｏｎａｌ  Ｈａｎｄ−Ｈｅｌｄ  Ｄｅｖｉｃｅ」という出願に記載されている。これらの出願は全て、全体として参照により本明細書に組み込まれている。
【００８０】
タッチスクリーン１１２は、任意選択的に、１００ｄｐｉを超えるビデオ解像度を有する。一部の実施形態では、タッチスクリーンは、約１６０ｄｐｉのビデオ解像度を有する。ユーザは、任意選択的に、スタイラス、指などの任意の適した物体又は付属物を使用して、タッチスクリーン１１２に接触する。一部の実施形態では、ユーザインタフェースは、指ベースの接触及びジェスチャを主に扱うように設計されるが、これは、タッチスクリーン上の指の接触面積がより大きいため、スタイラスベースの入力ほど精密でない可能性がある。一部の実施形態では、デバイスは、指による粗い入力を、ユーザによって所望されているアクションを実行するための、正確なポインタ／カーソルの位置又はコマンドに変換する。
【００８１】
いくつかの実施形態では、タッチスクリーンに加えて、デバイス１００は、任意選択的に、特定の機能をアクティブ化又は非アクティブ化するためのタッチパッド（図示せず）を含む。一部の実施形態では、タッチパッドは、タッチスクリーンとは異なり、視覚出力を表示しない、デバイスのタッチ感知エリアである。タッチパッドは、任意選択的に、タッチスクリーン１１２又はタッチスクリーンによって形成されるタッチ感知面の拡張部とは別個のタッチ感知面である。
【００８２】
デバイス１００は、様々な構成要素に電力を供給する電力システム１６２も含む。電力システム１６２は、任意選択的に、電力管理システム、１つ以上の電源（例えば、バッテリ、交流（ＡＣ））、再充電システム、停電検出回路、電力コンバータ又はインバータ、電力状態インジケータ（例えば、発光ダイオード（ＬＥＤ））、並びにポータブルデバイス内での電力の生成、管理、及び分配に関連付けられた任意の他の構成要素を含む。
【００８３】
また、デバイス１００は、任意選択的に、１つ以上の光センサ１６４を含む。図１Ａは、Ｉ／Ｏサブシステム１０６内の光センサコントローラ１５８に結合された光センサを示す。光センサ１６４は、任意選択的に、電荷結合デバイス（charge-coupled device、ＣＣＤ）又は相補的金属酸化物半導体（complementary metal-oxide semiconductor、ＣＭＯＳ）フォトトランジスタを含む。光センサ１６４は、１つ以上のレンズを通って投影された環境からの光を受信し、その光を、画像を表すデータに変換する。光センサ１６４は、撮像モジュール１４３（カメラモジュールとも呼ばれる）と連携して、任意選択的に、静止画像又はビデオをキャプチャする。いくつかの実施形態では、光センサは、デバイスの前面にあるタッチスクリーンディスプレイ１１２とは反対に、デバイス１００の裏面に位置し、したがってタッチスクリーンディスプレイは、静止画像及び／又はビデオ画像の取得のためのビューファインダとして使用することが有効である。いくつかの実施形態では、光センサは、デバイスの前面には位置し、したがってユーザの画像が、任意選択的に、テレビ会議のために入手され、ユーザは、他のテレビ会議参加者をタッチスクリーンディスプレイ上で見る。いくつかの実施形態では、光センサ１６４の位置は、ユーザによって（例えば、デバイス筐体内でレンズ及びセンサを回転させることによって）変更することができ、したがって単一の光センサ１６４が、タッチスクリーンディスプレイと共に、テレビ会議にも静止画像及び／又はビデオ画像の取得にも使用される。
【００８４】
デバイス１００はまた、任意選択的に、１つ以上の接触強度センサ１６５を含む。図１Ａは、Ｉ／Ｏサブシステム１０６内の強度センサコントローラ１５９に結合された接触強度センサを示す。接触強度センサ１６５は、任意選択的に、１つ以上のピエゾ抵抗ひずみゲージ、容量性力センサ、電気力センサ、圧電力センサ、光学力センサ、容量性タッチ感知面、又は他の強度センサ（例えば、タッチ感知面上の接触の力（若しくは圧力）を測定するために使用されるセンサ）を含む。接触強度センサ１６５は、接触強度情報（例えば、圧力情報、又は圧力情報に対するプロキシ）を環境から受信する。いくつかの実施形態では、少なくとも１つの接触強度センサは、タッチ感知面（例えばタッチ感知ディスプレイシステム１１２）と並置される、又はそれに近接される。いくつかの実施形態では、少なくとも１つの接触強度センサが、デバイス１００の前面に配置されたタッチスクリーンディスプレイ１１２の反対側である、デバイス１００の背面に配置されている。
【００８５】
また、デバイス１００は、任意選択的に、１つ以上の近接センサ１６６を含む。図１Ａは、周辺機器インタフェース１１８に結合された近接センサ１６６を示す。代わりに、近接センサ１６６は、任意選択的に、Ｉ／Ｏサブシステム１０６内の入力コントローラ１６０に結合される。近接センサ１６６は、任意選択的に、全体として参照により本明細書に組み込まれている、米国特許出願第１１／２４１，８３９号、「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号、「Ｐｒｏｘｉｍｉｔｙ  Ｄｅｔｅｃｔｏｒ  Ｉｎ  Ｈａｎｄｈｅｌｄ  Ｄｅｖｉｃｅ」第１１／６２０，７０２号、「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号、「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び同第１１／６３８，２５１号、「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」で説明されるように機能するものであり、これらの出願は、全体が参照により本明細書に組み込まれる。いくつかの実施形態では、多機能デバイスが、ユーザの耳の近くに配置される場合（例えば、ユーザが電話通話を行っている場合）、近接センサは、タッチスクリーン１１２をオフにして無効化する。
【００８６】
デバイス１００はまた、任意選択的に、１つ以上の触知出力生成器１６７を含む。図１Ａは、Ｉ／Ｏサブシステム１０６内の触覚フィードバックコントローラ１６１に結合された触知出力生成器を示す。触知出力生成器１６７は、任意選択的に、スピーカ若しくは他のオーディオ構成要素などの１つ以上の電気音響デバイス、及び／又はモータ、ソレノイド、電気活性ポリマー、圧電アクチュエータ、静電アクチュエータ、若しくは他の触知出力生成構成要素（例えば、デバイス上で電気信号を触知出力に変換する構成要素）などのエネルギを直線の動きに変換する電気機械デバイスを含む。接触強度センサ１６５は、触覚フィードバックモジュール１３３から触知フィードバック生成命令を受信し、デバイス１００のユーザが感知することが可能な触知出力をデバイス１００上に生成する。いくつかの実施形態では、少なくとも１つの触知出力生成器は、タッチ感知面（例えば、タッチ感知ディスプレイシステム１１２）と並置される、又はそれに近接しており、任意選択的に、タッチ感知面を垂直方向（例えば、デバイス１００の表面の内／外）に、又は水平方向（例えば、デバイス１００の表面と同じ平面内の前後）に移動させることによって、触知出力を生成する。いくつかの実施形態では、少なくとも１つの触知出力生成器センサが、デバイス１００の前面に配置されたタッチスクリーンディスプレイ１１２の反対側である、デバイス１００の背面に配置されている。
【００８７】
また、デバイス１００は、任意選択的に、１つ以上の加速度計１６８を含む。図１Ａは、周辺機器インタフェース１１８に結合された加速度計１６８を示す。代わりに、加速度計１６８は、任意選択的に、Ｉ／Ｏサブシステム１０６内の入力コントローラ１６０に結合される。加速度計１６８は、任意選択的に、どちらも全体として参照により本明細書に組み込まれている、米国特許公開第２００５０１９００５９号、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」、及び米国特許公開第２００６００１７６９２号、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」に記載されているように機能する。一部の実施形態では、情報は、１つ以上の加速度計から受信したデータの分析に基づいて、ポートレートビュー又はランドスケープビューでタッチスクリーンディスプレイ上に表示される。デバイス１００は、任意選択的に、加速度計（単数又は複数）１６８に加えて、磁気計（図示せず）、並びにデバイス１００の位置及び向き（例えば、縦向き又は横向き）に関する情報を取得するためのＧＰＳ（又はＧＬＯＮＡＳＳ若しくは他のグローバルナビゲーションシステム）受信機（図示せず）を含む。
【００８８】
いくつかの実施形態では、メモリ１０２内に記憶されているソフトウェア構成要素は、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（Global Positioning System、ＧＰＳ）モジュール（又は命令セット）１３５、及びアプリケーション（又は命令セット）１３６を含む。更に、いくつかの実施形態では、メモリ１０２（図１Ａ）又は３７０（図３）は、図１Ａ及び図３に示すように、デバイス／グローバル内部状態１５７を記憶する。デバイス／グローバル内部状態１５７は、現在アクティブ状態のアプリケーションがある場合に、どのアプリケーションがアクティブであるかを示すアクティブアプリケーション状態、どのアプリケーション、ビュー、又は他の情報がタッチスクリーンディスプレイ１１２の様々な領域を占めているかを示す表示状態、デバイスの様々なセンサ及び入力コントロールデバイス１１６から取得した情報を含むセンサ状態、並びにデバイスの位置及び／又は姿勢に関する位置情報、のうちの１つ以上を含む。
【００８９】
オペレーティングシステム１２６（例えば、Ｄａｒｗｉｎ（登録商標）、ＲＴＸＣ（登録商標）、ＬＩＮＵＸ（登録商標）、ＵＮＩＸ（登録商標）、ＯＳ  Ｘ（登録商標）、ｉＯＳ（登録商標）、ＷＩＮＤＯＷＳ（登録商標）、又はＶｘＷｏｒｋｓ（登録商標）などの組み込み型オペレーティングシステム）は、一般的なシステムタスク（例えば、メモリ管理、記憶デバイスの制御、電力管理など）を制御及び管理する様々なソフトウェア構成要素及び／又はドライバを含み、様々なハードウェア構成要素とソフトウェア構成要素との間の通信を容易にする。
【００９０】
通信モジュール１２８は、１つ以上の外部ポート１２４を介して他のデバイスとの通信を容易にし、ＲＦ回路１０８及び／又は外部ポート１２４が受信したデータを処理するための様々なソフトウェア構成要素をも含む。外部ポート１２４（例えば、ユニバーサルシリアルバス（Universal Serial Bus、ＵＳＢ）、ＦＩＲＥＷＩＲＥ（登録商標）など）は、直接的に、又はネットワーク（例えばインターネット、無線ＬＡＮなど）を介して間接的に、他のデバイスに結合するように適合されている。一部の実施形態では、外部ポートは、ｉＰｏｄ（登録商標）（Ａｐｐｌｅ  Ｉｎｃ．の商標）デバイス上で使用される３０ピンコネクタと同じ若しくは類似であり、かつ／又はそれに適合しているマルチピン（例えば、３０ピン）コネクタである。
【００９１】
接触／動きモジュール１３０は、任意選択的に、タッチスクリーン１１２（ディスプレイコントローラ１５６と連携して）及び他のタッチ感知デバイス（例えば、タッチパッド又は物理クリックホイール）との接触を検出する。接触／動きモジュール１３０は、接触が生じたか否かを判定すること（例えば、指を下ろすイベントを検出すること）、接触の強度（例えば、接触の力若しくは圧力、又は接触の力若しくは圧力の代替物）を判定すること、接触の移動が存在するか否かを判定し、タッチ感知面を横断する移動を追跡すること（例えば、指をドラッグする１つ以上のイベントを検出すること）、及び接触が停止したか否かを判定すること（例えば、指を上げるイベント又は接触の中断を検出すること）などの、接触の検出に関する様々な動作を実行するための、様々なソフトウェア構成要素を含む。接触／動きモジュール１３０は、タッチ感知面から接触データを受信する。一連の接触データによって表される、接触点の移動を判定することは、任意選択的に、接触点の速さ（大きさ）、速度（大きさ及び方向）、及び／又は加速度（大きさ及び／又は方向の変化）を判定することを含む。これらの動作は、任意選択的に、単一の接触（例えば、１本の指の接触）又は複数の同時接触（例えば、「マルチタッチ」／複数の指の接触）に適用される。いくつかの実施形態では、接触／動きモジュール１３０及びディスプレイコントローラ１５６は、タッチパッド上の接触を検出する。
【００９２】
いくつかの実施形態では、接触／動きモジュール１３０は、ユーザによって動作が実行されたか否かを判定するための（例えば、ユーザがアイコン上で「クリック」したか否かを判定するための）、１つ以上の強度閾値のセットを使用する。いくつかの実施形態では、強度閾値の少なくとも１つのサブセットが、ソフトウェアパラメータに従って判定される（例えば、強度閾値は、特定の物理アクチュエータのアクティブ化閾値によって判定されるのではなく、デバイス１００の物理ハードウェアを変化させることなく調整することができる）。例えば、トラックパッド又はタッチスクリーンディスプレイのマウス「クリック」閾値は、トラックパッド又はタッチスクリーンディスプレイハードウェアを変化させることなく、広範囲の既定閾値のうちのいずれかに設定することができる。加えて、一部の実装形態では、デバイスのユーザは、強度閾値のセットのうちの１つ以上を調整するソフトウェア設定が提供される（例えば、システムレベルのクリック「強度」パラメータによって、個々の強度閾値を調整すること、及び／又は複数の強度閾値を一度に調整することによる）。
【００９３】
接触／動きモジュール１３０は、任意選択的に、ユーザによるジェスチャ入力を検出する。タッチ感知面上の異なるジェスチャは、異なる接触パターンを有する（例えば検出される接触の動き、タイミング、及び／又は強度が異なる）。したがって、ジェスチャは、任意選択的に、特定の接触パターンを検出することによって検出される。例えば、指タップジェスチャを検出することは、指ダウンイベントを検出し、それに続いて指ダウンイベントと同じ位置（又は実質的に同じ位置）（例えば、アイコンの位置）で指アップ（リフトオフ）イベントを検出することを含む。別の例として、タッチ感知面上で指スワイプジェスチャを検出することは、指ダウンイベントを検出し、それに続いて１つ以上の指ドラッグイベントを検出し、その後それに続いて指アップ（リフトオフ）イベントを検出することを含む。
【００９４】
グラフィックモジュール１３２は、表示されるグラフィックの視覚的効果（例えば、輝度、透明度、彩度、コントラスト、又は他の視覚的特性）を変更するための構成要素を含めた、タッチスクリーン１１２又は他のディスプレイ上にグラフィックをレンダリングして表示するための、様々な既知のソフトウェア構成要素を含む。本明細書では、「グラフィック」という用語は、それだけに限定されるものではないが、文字、ウェブページ、アイコン（ソフトキーを含むユーザインタフェースオブジェクトなど）、デジタル画像、ビデオ、アニメーションなどを含む、ユーザに表示することができる任意のオブジェクトを含む。
【００９５】
いくつかの実施形態では、グラフィックモジュール１３２は、使用されることになるグラフィックを表すデータを記憶する。各グラフィックには、任意選択的に、対応するコードが割り当てられる。グラフィックモジュール１３２は、アプリケーションなどから、必要に応じて、座標データ及び他のグラフィック特性データとともに、表示されることとなるグラフィックを指定する１つ以上のコードを受信し、次にディスプレイコントローラ１５６に出力する画面の画像データを生成する。
【００９６】
触覚フィードバックモジュール１３３は、デバイス１００とのユーザ対話に応じて、デバイス１００上の１つ以上の場所で触知出力を生成するために、触知出力生成器（単数又は複数）１６７によって使用される命令を生成するための、様々なソフトウェア構成要素を含む。
【００９７】
テキスト入力モジュール１３４は、任意選択で、グラフィックモジュール１３２の構成要素であり、様々なアプリケーション（例えば、連絡先１３７、電子メール１４０、ＩＭ１４１、ブラウザ１４７、及びテキスト入力を必要とする任意の他のアプリケーション）でテキストを入力するためのソフトキーボードを提供する。
【００９８】
ＧＰＳモジュール１３５は、デバイスの位置を判定し、この情報を様々なアプリケーションで使用するために（例えば、位置に基づくダイヤル発呼で使用するために電話１３８へ、写真／ビデオのメタデータとしてカメラ１４３へ、並びに、気象ウィジェット、地域のイエローページウィジェット、及び地図／ナビゲーションウィジェットなどの、位置に基づくサービスを提供するアプリケーションへ）提供する。
【００９９】
アプリケーション１３６は、任意選択的に、以下のモジュール（又は命令セット）又はそれらのサブセット若しくはスーパーセットを含む。
●連絡先モジュール１３７（アドレス帳又は連絡先リストと呼ばれることもある）、
●電話モジュール１３８、
●テレビ会議モジュール１３９、
●電子メールクライアントモジュール１４０、
●インスタントメッセージング（Instant messaging、ＩＭ）モジュール１４１、
●トレーニングサポートモジュール１４２、
●静止画像及び／又はビデオ画像用のカメラモジュール１４３、
●画像管理モジュール１４４、
●ビデオプレーヤモジュール、
●音楽プレーヤモジュール、
●ブラウザモジュール１４７、
●カレンダモジュール１４８、
●任意選択的に気象ウィジェット１４９−１、株価ウィジェット１４９−２、計算機ウィジェット１４９−３、アラーム時計ウィジェット１４９−４、辞書ウィジェット１４９−５、及びユーザによって入手された他のウィジェット、並びにユーザ作成ウィジェット１４９−６のうちの１つ以上を含むウィジェットモジュール１４９、
●ユーザ作成ウィジェット１４９−６を作成するためのウィジェット作成モジュール１５０、
●検索モジュール１５１、
●ビデオプレーヤモジュール及び音楽プレーヤモジュールを一体化したビデオ及び音楽プレーヤモジュール１５２、
●メモモジュール１５３、
●地図モジュール１５４、並びに／又は、
●オンラインビデオモジュール１５５。
【０１００】
任意選択的にメモリ１０２に記憶される他のアプリケーション１３６の例としては、他のワードプロセッシングアプリケーション、他の画像編集アプリケーション、描画アプリケーション、プレゼンテーションアプリケーション、ＪＡＶＡ（登録商標）対応アプリケーション、暗号化、デジタル著作権管理、音声認識、及び音声複製が挙げられる。
【０１０１】
タッチスクリーン１１２、ディスプレイコントローラ１５６、接触／動きモジュール１３０、グラフィックモジュール１３２、及びテキスト入力モジュール１３４と連携して、連絡先モジュール１３７は、任意選択的に、アドレス帳に名前（単数又は複数）を追加すること、アドレス帳から名前（単数又は複数）を削除すること、電話番号（単数又は複数）、電子メールアドレス（単数又は複数）、実際の住所（単数又は複数）、又は他の情報を名前に関連付けること、画像を名前に関連付けること、名前を分類して並べ替えること、電話番号又は電子メールアドレスを提供して、電話１３８、テレビ会議モジュール１３９、電子メール１４０、又はＩＭ１４１による通信を開始及び／又は促進することなどを含めて、アドレス帳又は連絡先リスト（例えば、メモリ１０２又はメモリ３７０内の連絡先モジュール１３７のアプリケーション内部状態１９２内に記憶される）を管理するために使用される。
【０１０２】
ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２、及びテキスト入力モジュール１３４と連携して、電話モジュール１３８は、任意選択的に、電話番号に対応する文字シーケンスの入力、連絡先モジュール１３７内の１つ以上の電話番号へのアクセス、入力された電話番号の修正、それぞれの電話番号のダイヤル、会話の実施、会話が終了したときの通話停止又はハングアップのために使用される。前述したように、無線通信は、任意選択的に、複数の通信規格、プロトコル、及び技術のうちのいずれかを使用する。
【０１０３】
ＲＦ回路１０８、オーディオ回路１１０、スピーカ１１１、マイクロフォン１１３、タッチスクリーン１１２、ディスプレイコントローラ１５６、光センサ１６４、光センサコントローラ１５８、接触／動きモジュール１３０、グラフィックモジュール１３２、テキスト入力モジュール１３４、連絡先モジュール１３７、及び電話モジュール１３８と連携して、テレビ会議モジュール１３９は、ユーザ命令に従ってユーザと１人以上の他の参加者との間のテレビ会議を開始、実行、及び終了するための実行可能な命令を含む。
【０１０４】
ＲＦ回路１０８、タッチスクリーン１１２、ディスプレイコントローラ１５６、接触／動きモジュール１３０、グラフィックモジュール１３２、及びテキスト入力モジュール１３４と連携して、電子メールクライアントモジュール１４０は、ユーザ命令に応じて電子メールを作成、送信、受信、及び管理するための実行可能な命令を含む。画像管理モジュール１４４と連携して、電子メールクライアントモジュール１４０は、カメラモジュール１４３で撮影された静止画像又はビデオ画像を有する電子メールの作成及び送信を非常に容易にする。
【０１０５】
ＲＦ回路１０８、タッチスクリーン１１２、ディスプレイコントローラ１５６、接触／動きモジュール１３０、グラフィックモジュール１３２、及びテキスト入力モジュール１３４と連携して、インスタントメッセージングモジュール１４１は、インスタントメッセージに対応する文字シーケンスの入力、以前に入力された文字の修正、それぞれのインスタントメッセージの送信（例えば、電話通信ベースのインスタントメッセージ向けのショートメッセージサービス（Short Message Service、ＳＭＳ）若しくはマルチメディアメッセージサービス（Multimedia Message Service、ＭＭＳ）プロトコル、又はインターネットベースのインスタントメッセージ向けのＸＭＰＰ、ＳＩＭＰＬＥ、若しくはＩＭＰＳを使用する）、インスタントメッセージの受信、及び受信したインスタントメッセージの閲覧のための実行可能な命令を含む。いくつかの実施形態では、送信及び／又は受信されるインスタントメッセージは、任意選択的に、ＭＭＳ及び／又は拡張メッセージングサービス（Enhanced Messaging Service、ＥＭＳ）でサポートされるグラフィック、写真、オーディオファイル、ビデオファイル、及び／又は他の添付ファイルを含む。本明細書では、「インスタントメッセージング」とは、電話通信ベースのメッセージ（例えば、ＳＭＳ又はＭＭＳを使用して送信されるメッセージ）と、インターネットベースのメッセージ（例えば、ＸＭＰＰ、ＳＩＭＰＬＥ、又はＩＭＰＳを使用して送信されるメッセージ）との両方を指す。
【０１０６】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４、及び音楽プレーヤモジュールと連携して、トレーニングサポートモジュール１４２は、トレーニング（例えば、時間、距離、及び／又はカロリー燃焼目標を有する）を作成し、トレーニングセンサ（スポーツデバイス）と通信し、トレーニングセンサデータを受信し、トレーニングをモニタリングするために使用されるセンサ（例えば、心拍数又は心拍リズムセンサ）を較正し、トレーニングのための音楽を選択及び再生し、並びに、トレーニングデータを表示、記憶、及び送信するための実行可能な命令を含む。
【０１０７】
タッチスクリーン１１２、ディスプレイコントローラ１５６、光センサ（単数又は複数）１６４、光センサコントローラ１５８、接触／動きモジュール１３０、グラフィックモジュール１３２、及び画像管理モジュール１４４と連携して、カメラモジュール１４３は、静止画像若しくはビデオ（ビデオストリームを含む）のキャプチャ及びメモリ１０２内への記憶、静止画像若しくはビデオの特性の修正、又はメモリ１０２からの静止画像若しくはビデオの削除のための実行可能な命令を含む。
【０１０８】
タッチスクリーン１１２、ディスプレイコントローラ１５６、接触／動きモジュール１３０、グラフィックモジュール１３２、テキスト入力モジュール１３４、及びカメラモジュール１４３と連携して、画像管理モジュール１４４は、静止画像及び／又はビデオ画像の配置、修正（例えば、編集）、あるいはその他の操作、ラベル付け、削除、提示（例えば、デジタルスライドショー又はアルバムにおける）、及び記憶のための実行可能な命令を含む。
【０１０９】
ＲＦ回路１０８、タッチスクリーン１１２、ディスプレイコントローラ１５６、接触／動きモジュール１３０、グラフィックモジュール１３２、及びテキスト入力モジュール１３４と連携して、ブラウザモジュール１４７は、ウェブページ又はその一部分、並びにウェブページにリンクされた添付ファイル及び他のファイルの検索、リンク、受信、及び表示を含めて、ユーザ命令に従ってインターネットをブラウジングするための実行可能な命令を含む。
【０１１０】
ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０、及びブラウザモジュール１４７と連携して、カレンダモジュール１４８は、ユーザ命令に従ってカレンダ及びカレンダに関連付けられたデータ（例えば、カレンダ項目、ｔｏ  ｄｏリストなど）を作成し、表示し、変更し、記憶するための実行可能な命令を含む。
【０１１１】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連携して、ウィジェットモジュール１４９は、任意選択的にユーザによってダウンロード及び使用されるミニアプリケーション（例えば、気象ウィジェット１４９−１、株価ウィジェット１４９−２、計算機ウィジェット１４９−３、アラーム時計ウィジェット１４９−４、及び辞書ウィジェット１４９−５）、又はユーザによって作成されるミニアプリケーション（例えば、ユーザ作成ウィジェット１４９−６）である。いくつかの実施形態では、ウィジェットは、ＨＴＭＬ（Ｈｙｐｅｒｔｅｘｔ  Ｍａｒｋｕｐ  Ｌａｎｇｕａｇｅ、ハイパーテキストマークアップ言語）ファイル、ＣＳＳ（Ｃａｓｃａｄｉｎｇ  Ｓｔｙｌｅ  Ｓｈｅｅｔｓ、カスケーディングスタイルシート）ファイル、及びＪａｖａＳｃｒｉｐｔファイルを含む。いくつかの実施形態では、ウィジェットは、ＸＭＬ（Ｅｘｔｅｎｓｉｂｌｅ  Ｍａｒｋｕｐ  Ｌａｎｇｕａｇｅ、拡張可能マークアップ言語）ファイル及びＪａｖａＳｃｒｉｐｔファイル（例えば、Ｙａｈｏｏ！ウィジェット）を含む。
【０１１２】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連携して、ウィジェットクリエータモジュール１５０は、任意選択的に、ウィジェットを作成する（例えば、ウェブページのユーザ指定部分をウィジェットにする）ために、ユーザによって使用される。
【０１１３】
タッチスクリーン１１２、ディスプレイコントローラ１５６、接触／動きモジュール１３０、グラフィックモジュール１３２、及びテキスト入力モジュール１３４と連携して、検索モジュール１５１は、ユーザ命令に従って１つ以上の検索基準（例えば、１つ以上のユーザ指定検索語）に一致するメモリ１０２内の文字、音楽、サウンド、画像、ビデオ、及び／又は他のファイルを検索するための実行可能な命令を含む。
【０１１４】
タッチスクリーン１１２、ディスプレイコントローラ１５６、接触／動きモジュール１３０、グラフィックモジュール１３２、オーディオ回路１１０、スピーカ１１１、ＲＦ回路１０８、及びブラウザモジュール１４７と連携して、ビデオ及び音楽プレーヤモジュール１５２は、ＭＰ３又はＡＡＣファイルなどの１つ以上のファイル形式で記憶された録音済みの音楽及び他のサウンドファイルをユーザがダウンロード及び再生できるようにする実行可能な命令、並びにビデオを（例えば、タッチスクリーン１１２上又は外部ポート１２４を介して接続された外部のディスプレイ上に）表示、提示、又は別の方法で再生するための実行可能な命令を含む。いくつかの実施形態では、デバイス１００は、任意選択的に、ｉＰｏｄ（Ａｐｐｌｅ  Ｉｎｃ．の商標）などのＭＰ３プレーヤの機能を含む。
【０１１５】
タッチスクリーン１１２、ディスプレイコントローラ１５６、接触／動きモジュール１３０、グラフィックモジュール１３２、及びテキスト入力モジュール１３４と連携して、メモモジュール１５３は、ユーザ命令に従ってメモ、やることリストなどを作成及び管理するための実行可能な命令を含む。
【０１１６】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、及びブラウザモジュール１４７と連携して、地図モジュール１５４は、任意選択的に、ユーザ命令に従って、地図及び地図に関連付けられたデータ（例えば、運転方向、特定の場所又はその付近の店舗及び他の対象地点に関するデータ、並びに他の場所ベースのデータ）を受信、表示、修正、及び記憶するために使用される。
【０１１７】
タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０、及びブラウザモジュール１４７と連携して、オンラインビデオモジュール１５５は、ユーザが特定のオンラインビデオへのアクセス、特定のオンラインビデオのブラウジング、受信（例えば、ストリーミング及び／又はダウンロードによる）、再生（例えば、タッチスクリーン上又は外部ポート１２４を介して接続された外部ディスプレイ上）、特定のオンラインビデオへのリンクを有する電子メールの送信、並びにＨ．２６４などの１つ以上のファイル形式のオンラインビデオの他の管理を行うことを可能にする命令を含む。いくつかの実施形態では、特定のオンラインビデオへのリンクを送信するために、電子メールクライアントモジュール１４０ではなく、インスタントメッセージングモジュール１４１が使用される。オンラインビデオアプリケーションについての追加の説明は、その内容が全体として参照により本明細書に組み込まれている、２００７年６月２０日出願の米国仮特許出願第６０／９３６，５６２号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」、及び２００７年１２月３１日出願の米国特許出願第１１／９６８，０６７号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」において見ることができる。
【０１１８】
上記で特定したモジュール及びアプリケーションはそれぞれ、前述した１つ以上の機能及び本出願に記載する方法（例えば、本明細書に記載するコンピュータにより実装される方法及び他の情報処理方法）を実行する実行可能な命令のセットに対応する。これらのモジュール（例えば、命令セット）は、別個のソフトウェアプログラム、手順、又はモジュールとして実施する必要はなく、したがって、様々な実施形態において、これらのモジュールの様々なサブセットが、任意選択的に、組み合わされ、又は他の形で再構成される。例えば、ビデオプレーヤモジュールは、任意選択的に、音楽プレーヤモジュールと組み合わされて、単一のモジュール（例えば、図１Ａのビデオ及び音楽プレーヤモジュール１５２）にされる。いくつかの実施形態では、メモリ１０２は、任意選択的に、上記で特定したモジュール及びデータ構造のサブセットを記憶する。更に、メモリ１０２は、上記で説明されていない追加のモジュール及びデータ構造を任意選択的に記憶する。
【０１１９】
いくつかの実施形態では、デバイス１００は、そのデバイスにおける既定の機能のセットの動作がタッチスクリーン及び／又はタッチパッドのみを介して実行されるデバイスである。デバイス１００が動作するための主要な入力コントロールデバイスとしてタッチスクリーン及び／又はタッチパッドを使用することにより、任意選択的に、デバイス１００上の物理的な入力コントロールデバイス（プッシュボタン、ダイヤルなど）の数が削減される。
【０１２０】
タッチスクリーン及び／又はタッチパッドを通じてのみ実行される既定の機能のセットは、任意選択的に、ユーザインタフェース間のナビゲーションを含む。いくつかの実施形態では、タッチパッドは、ユーザによってタッチされたときに、デバイス１００上に表示される任意のユーザインタフェースから、メインメニュー、ホームメニュー、又はルートメニューにデバイス１００をナビゲートする。このような実施形態では、「メニューボタン」は、タッチパッドを使用して実装される。一部の他の実施形態では、メニューボタンは、タッチパッドではなく、物理プッシュボタン又はその他の物理入力コントロールデバイスである。
【０１２１】
図１Ｂは、いくつかの実施形態に係るイベント処理のための例示的な構成要素を示すブロック図である。いくつかの実施形態では、メモリ１０２（図１Ａ）又は３７０（図３）は、イベントソータ１７０（例えば、オペレーティングシステム１２６内）と、それぞれのアプリケーション１３６−１（例えば、前述のアプリケーション１３７〜１５１、１５５、３８０〜３９０のうちのいずれか）とを含む。
【０１２２】
イベントソータ１７０は、イベント情報を受信し、イベント情報が配信されるアプリケーション１３６−１、及びアプリケーション１３６−１のアプリケーションビュー１９１を判定する。イベントソータ１７０は、イベントモニタ１７１及びイベントディスパッチャモジュール１７４を含む。いくつかの実施形態では、アプリケーション１３６−１は、アプリケーションがアクティブ又は実行中のとき、タッチ感知ディスプレイ１１２上に表示される現在のアプリケーションビュー（単数又は複数）を示す、アプリケーション内部状態１９２を含む。いくつかの実施形態では、デバイス／グローバル内部状態１５７は、どのアプリケーション（単数又は複数）が現在アクティブであるかを判定するためにイベントソータ１７０によって使用され、アプリケーション内部状態１９２は、イベント情報が配信されるアプリケーションビュー１９１を判定するためにイベントソータ１７０によって使用される。
【０１２３】
いくつかの実施形態では、アプリケーション内部状態１９２は、アプリケーション１３６−１が実行を再開するときに使用すべき再開情報、アプリケーション１３６−１によって表示されている情報を示す又は表示する準備ができたユーザインタフェース状態情報、ユーザがアプリケーション１３６−１の前の状態又はビューに戻ることを可能にする状態キュー、及びユーザによって行われた前のアクションのリドゥ／アンドゥキューのうちの１つ以上などの追加の情報を含む。
【０１２４】
イベントモニタ１７１は、周辺機器インタフェース１１８からイベント情報を受信する。イベント情報は、サブイベント（例えば、マルチタッチジェスチャの一部としてのタッチ感知ディスプレイ１１２上のユーザタッチ）に関する情報を含む。周辺機器インタフェース１１８は、Ｉ／Ｏサブシステム１０６、又は近接センサ１６６、加速度計（単数又は複数）１６８、及び／若しくは（オーディオ回路１１０を介した）マイクロフォン１１３などのセンサから受信する情報を送信する。周辺機器インタフェース１１８がＩ／Ｏサブシステム１０６から受信する情報は、タッチ感知ディスプレイ１１２又はタッチ感知面からの情報を含む。
【０１２５】
いくつかの実施形態では、イベントモニタ１７１は、所定の間隔で周辺機器インタフェース１１８に要求を送信する。それに応じて、周辺機器インタフェース１１８は、イベント情報を送信する。他の実施形態では、周辺機器インタフェース１１８は、重要なイベント（例えば、所定のノイズ閾値を上回る及び／又は所定の持続時間を超える入力の受信）があるときのみイベント情報を送信する。
【０１２６】
いくつかの実施形態では、イベントソータ１７０はまた、ヒットビュー判定モジュール１７２及び／又はアクティブイベント認識部判定モジュール１７３を含む。
【０１２７】
ヒットビュー判定モジュール１７２は、タッチ感知ディスプレイ１１２が２つ以上のビューを表示するとき、サブイベントが１つ以上のビュー内のどこで行われたかを判定するソフトウェア手順を提供する。ビューは、ユーザがディスプレイ上で見ることができる制御装置及び他の要素から構成されている。
【０１２８】
アプリケーションに関連付けられたユーザインタフェースの別の態様は、本明細書ではアプリケーションビュー又はユーザインタフェースウインドウと呼ばれることもあるビューのセットであり、その中で情報が表示され、タッチに基づくジェスチャが生じる。タッチが検出される（それぞれのアプリケーションの）アプリケーションビューは、任意選択的に、アプリケーションのプログラム階層又はビュー階層内のプログラムレベルに対応する。例えば、タッチが検出される最下位レベルビューは、任意選択的に、ヒットビューと呼ばれ、また、適切な入力として認識されるイベントのセットは、任意選択的に、タッチによるジェスチャを開始する初期タッチのヒットビューに少なくとも部分的に基づいて決定される。
【０１２９】
ヒットビュー判定モジュール１７２は、タッチに基づくジェスチャのサブイベントに関連する情報を受信する。アプリケーションが階層状に構成された複数のビューを有するとき、ヒットビュー判定モジュール１７２は、サブイベントを処理すべき階層内の最下位のビューとして、ヒットビューを特定する。ほとんどの状況では、ヒットビューは、開始サブイベント（例えば、イベント又は潜在的イベントを形成するサブイベントシーケンス内の第１のサブイベント）が行われる最も低いレベルのビューである。ヒットビューがヒットビュー判定モジュール１７２によって特定されると、このヒットビューは、典型的には、ヒットビューとして特定されたのと同じタッチ又は入力ソースに関係する全てのサブイベントを受信する。
【０１３０】
アクティブイベント認識部判定モジュール１７３は、ビュー階層内のどのビュー（単数又は複数）がサブイベントの特定のシーケンスを受信すべきかを判定する。いくつかの実施形態では、アクティブイベント認識部判定モジュール１７３は、ヒットビューのみがサブイベントの特定のシーケンスを受信すべきであると判定する。他の実施形態では、アクティブイベント認識部判定モジュール１７３は、サブイベントの物理位置を含む全てのビューがアクティブに関わりがあるビューであると判定し、したがって、全てのアクティブに関わりがあるビューが、サブイベントの特定のシーケンスを受信すべきであると判定する。他の実施形態では、タッチサブイベントが１つの特定のビューに関連付けられたエリアに完全に限定された場合でも、階層内の上位のビューは、依然としてアクティブに関わりがあるビューであり続ける。
【０１３１】
イベントディスパッチャモジュール１７４は、イベント情報をイベント認識部（例えばイベント認識部１８０）にディスパッチする。アクティブイベント認識部判定モジュール１７３を含む実施形態では、イベントディスパッチャモジュール１７４は、アクティブイベント認識部判定モジュール１７３により判定されたイベント認識部にイベント情報を配信する。いくつかの実施形態では、イベントディスパッチャモジュール１７４は、それぞれのイベント受信部１８２によって取得されるイベント情報をイベントキューに記憶する。
【０１３２】
いくつかの実施形態では、オペレーティングシステム１２６は、イベントソータ１７０を含む。あるいは、アプリケーション１３６−１がイベントソータ１７０を含む。更に他の実施形態では、イベントソータ１７０は、独立型のモジュールであり、又は接触／動きモジュール１３０などのメモリ１０２内に記憶されている別のモジュールの一部分である。
【０１３３】
いくつかの実施形態では、アプリケーション１３６−１は、それぞれがアプリケーションのユーザインタフェースのそれぞれのビュー内で発生するタッチイベントを処理するための命令を含む、複数のイベント処理部１９０及び１つ以上のアプリケーションビュー１９１を含む。アプリケーション１３６−１の各アプリケーションビュー１９１は、１つ以上のイベント認識部１８０を含む。典型的には、それぞれのアプリケーションビュー１９１は、複数のイベント認識部１８０を含む。他の実施形態では、イベント認識部１８０のうちの１つ以上は、ユーザインタフェースキット（図示せず）又はアプリケーション１３６−１が方法及び他の特性を継承する上位レベルのオブジェクトなどの、別個のモジュールの一部である。いくつかの実施形態では、それぞれのイベント処理部１９０は、データ更新部１７６、オブジェクト更新部１７７、ＧＵＩ更新部１７８、及び／又はイベントソータ１７０から受信されたイベントデータ１７９、のうちの１つ以上を含む。イベント処理部１９０は、任意選択的に、データ更新部１７６、オブジェクト更新部１７７、又はＧＵＩ更新部１７８を利用し又は呼び出して、アプリケーション内部状態１９２を更新する。あるいは、アプリケーションビュー１９１のうちの１つ以上が、１つ以上のそれぞれのイベント処理部１９０を含む。また、いくつかの実施形態では、データ更新部１７６、オブジェクト更新部１７７、及びＧＵＩ更新部１７８のうちの１つ以上は、それぞれのアプリケーションビュー１９１に含まれる。
【０１３４】
それぞれのイベント認識部１８０は、イベントソータ１７０からイベント情報（例えば、イベントデータ１７９）を受信し、このイベント情報からイベントを特定する。イベント認識部１８０は、イベント受信部１８２及びイベント比較部１８４を含む。いくつかの実施形態では、イベント認識部１８０はまた、メタデータ１８３及びイベント配信命令１８８（任意選択的にサブイベント配信命令を含む）の少なくともサブセットも含む。
【０１３５】
イベント受信部１８２は、イベントソータ１７０からイベント情報を受信する。イベント情報は、サブイベント、例えば、タッチ又はタッチの移動についての情報を含む。サブイベントに応じて、イベント情報はまた、サブイベントの位置などの追加の情報を含む。サブイベントがタッチの動きに関わるとき、イベント情報はまた任意選択的に、サブイベントの速さ及び方向を含む。一部の実施形態では、イベントは、１つの向きから別の向きへの（例えば、縦向きから横向きへ、又はその逆の）デバイスの回転を含み、イベント情報は、デバイスの現在の向き（デバイスの姿勢とも呼ぶ）についての対応する情報を含む。
【０１３６】
イベント比較部１８４は、イベント情報を、定義済みのイベント又はサブイベントの定義と比較し、その比較に基づいて、イベント又はサブイベントを判定するか、あるいはイベント又はサブイベントの状態を判定若しくは更新する。いくつかの実施形態では、イベント比較部１８４は、イベント定義１８６を含む。イベント定義１８６は、例えばイベント１（１８７−１）及びイベント２（１８７−２）などのイベント（例えば、既定のサブイベントのシーケンス）の定義を含む。いくつかの実施形態では、イベント（１８７）内のサブイベントは、例えば、タッチの開始、タッチの終了、タッチの移動、タッチの取り消し、及び複数のタッチを含む。一実施例では、イベント１（１８７−１）についての定義は、表示されたオブジェクト上のダブルタップである。ダブルタップは、例えば、所定の段階に対する表示オブジェクト上の第１のタッチ（タッチ開始）、所定の段階に対する第１のリフトオフ（タッチ終了）、所定の段階に対する表示オブジェクト上の第２のタッチ（タッチ開始）、及び所定の段階に対する第２のリフトオフ（タッチ終了）を含む。別の実施例では、イベント２（１８７−２）の定義は、表示されたオブジェクト上のドラッグである。ドラッグは、例えば、所定の段階に対する表示オブジェクト上のタッチ（又は接触）、タッチ感知ディスプレイ１１２にわたるタッチの移動、及びタッチのリフトオフ（タッチ終了）を含む。いくつかの実施形態では、イベントは、１つ以上の関連付けられたイベント処理部１９０に関する情報も含む。
【０１３７】
いくつかの実施形態では、イベント定義１８７は、それぞれのユーザインタフェースオブジェクトについてのイベントの定義を含む。いくつかの実施形態では、イベント比較部１８４は、どのユーザインタフェースオブジェクトがサブイベントに関連付けられているかを判定するヒットテストを実行する。例えば、タッチ感知ディスプレイ１１２上に３つのユーザインタフェースオブジェクトが表示されているアプリケーションビュー内で、タッチ感知ディスプレイ１１２上でタッチが検出されたとき、イベント比較部１８４は、ヒットテストを実行して、３つのユーザインタフェースオブジェクトのうちのどれがタッチ（サブイベント）に関連付けられているかを判定する。表示された各オブジェクトが、それぞれのイベント処理部１９０に関連付けられている場合、イベント比較部は、ヒットテストの結果を用いて、どのイベント処理部１９０をアクティブ化すべきかを判定する。例えば、イベント比較部１８４は、ヒットテストをトリガするサブイベント及びオブジェクトに関連付けられたイベント処理部を選択する。
【０１３８】
いくつかの実施形態では、それぞれのイベント１８７の定義は、サブイベントのシーケンスがイベント認識部のイベントタイプに対応するか否かが判定されるまで、イベント情報の配信を遅らせる遅延アクションも含む。
【０１３９】
それぞれのイベント認識部１８０が、一連のサブイベントがイベント定義１８６のイベントのいずれとも一致しないと判定した場合、それぞれのイベント認識部１８０は、イベント不可能、イベント失敗、又はイベント終了の状態に入り、その後は、タッチに基づくジェスチャの次のサブイベントを無視する。この状況では、ヒットビューについてアクティブのままである他のイベント認識部があれば、そのイベント認識部は、進行中のタッチによるジェスチャのサブイベントの追跡及び処理を続行する。
【０１４０】
いくつかの実施形態では、それぞれのイベント認識部１８０は、イベント配信システムがどのようにサブイベント配信を実行すべきかをアクティブに関与しているイベント認識部に示す構成可能なプロパティ、フラグ、及び／又はリストを有するメタデータ１８３を含む。いくつかの実施形態では、メタデータ１８３は、イベント認識部が互いにどのように対話するか、又はイベント認識部が互いにどのように対話することが可能となるかを示す構成可能なプロパティ、フラグ、及び／又はリストを含む。いくつかの実施形態では、メタデータ１８３は、サブイベントがビュー階層又はプログラム階層における多様なレベルに配信されるかを示す構成可能なプロパティ、フラグ、及び／又はリストを含む。
【０１４１】
いくつかの実施形態では、それぞれのイベント認識部１８０は、イベントの１つ以上の特定のサブイベントが認識されるときに、イベントに関連付けられたイベント処理部１９０をアクティブ化する。いくつかの実施形態では、それぞれのイベント認識部１８０は、イベントに関連付けられたイベント情報をイベント処理部１９０に配信する。イベント処理部１９０をアクティブ化することは、それぞれのヒットビューにサブイベントを送信する（及び、送信を延期する）こととは別個である。いくつかの実施形態では、イベント認識部１８０は、認識したイベントに関連付けられたフラグを投入し、そのフラグに関連付けられたイベント処理部１９０は、そのフラグを捕らえ、既定のプロセスを実行する。
【０１４２】
いくつかの実施形態では、イベント配信命令１８８は、イベント処理部をアクティブ化することなくサブイベントについてのイベント情報を配信するサブイベント配信命令を含む。代わりに、サブイベント配信命令は、一連のサブイベントと関連付けられたイベント処理部に、又はアクティブに関与しているビューにイベント情報を配信する。一連のサブイベント又はアクティブに関与しているビューと関連付けられたイベント処理部は、イベント情報を受信し、所定の処理を実行する。
【０１４３】
いくつかの実施形態では、データ更新部１７６は、アプリケーション１３６−１で使用されるデータを作成及び更新する。例えば、データ更新部１７６は、連絡先モジュール１３７で使用される電話番号を更新し、又はビデオプレーヤモジュールで使用されるビデオファイルを記憶する。いくつかの実施形態では、オブジェクト更新部１７７は、アプリケーション１３６−１で使用されるオブジェクトを作成及び更新する。例えば、オブジェクト更新部１７７は、新たなユーザインタフェースオブジェクトを作成し、又はユーザインタフェースオブジェクトの位置を更新する。ＧＵＩ更新部１７８は、ＧＵＩを更新する。例えば、ＧＵＩ更新部１７８は、表示情報を準備し、タッチ感知ディスプレイ上に表示するために表示情報をグラフィックモジュール１３２に送る。
【０１４４】
いくつかの実施形態では、イベント処理部（単数又は複数）１９０は、データ更新部１７６、オブジェクト更新部１７７、及びＧＵＩ更新部１７８を含む又はそれらへのアクセスを有する。いくつかの実施形態では、データ更新部１７６、オブジェクト更新部１７７、及びＧＵＩ更新部１７８は、それぞれのアプリケーション１３６−１又はアプリケーションビュー１９１の単一モジュールに含まれる。他の実施形態では、それらは、２つ以上のソフトウェアモジュールに含まれる。
【０１４５】
タッチ感知ディスプレイ上のユーザのタッチのイベント処理に関する前述の記載は、入力デバイスを用いて多機能デバイス１００を動作させるための他の形態のユーザ入力にも適用されるが、そのすべてがタッチスクリーン上で開始されるわけではないことを理解されたい。例えば、キーボードの単一又は複数の押圧若しくは保持と任意選択的に連携される、マウスの移動及びマウスボタンの押圧、タッチパッド上のタップ、ドラッグ、スクロールなどの接触の移動、ペンスタイラス入力、デバイスの移動、口頭による命令、検出された眼球運動、バイオメトリック入力、並びに／又はそれらの任意の組み合わせを、任意選択的に、認識するイベントを定義するサブイベントに対応する入力として利用する。
【０１４６】
図２は、いくつかの実施形態に係る、タッチスクリーン１１２を有するポータブル多機能デバイス１００を示す。タッチスクリーンは、任意選択的に、ユーザインタフェース（user interface、ＵＩ）２００内に１つ以上のグラフィックを表示する。本実施形態、並びに以下で説明される他の実施形態では、ユーザは、例えば、１本以上の指２０２（図には正確な縮尺では描かれていない）又は１つ以上のスタイラス２０３（図には正確な縮尺では描かれていない）を使用して、グラフィック上でジェスチャを実施することによって、それらのグラフィックのうちの１つ以上を選択することが可能となる。一部の実施形態では、１つ以上のグラフィックの選択は、ユーザが、その１つ以上のグラフィックとの接触を中断する場合に実施される。いくつかの実施形態では、ジェスチャは、１回以上のタップ、１回以上のスワイプ（左から右へ、右から左へ、上向きに及び／若しくは下向きに）、並びに／又は、デバイス１００と接触した指のローリング（右から左へ、左から右へ、上向きに及び／若しくは下向きに）を、任意選択で含む。一部の実装形態又は状況では、グラフィックとの不測の接触は、そのグラフィックを選択するものではない。例えば、選択に対応するジェスチャがタップである場合、アプリケーションアイコンの上をスイープするスワイプジェスチャは、任意選択的に、対応するアプリケーションを選択するものではない。
【０１４７】
デバイス１００はまた、任意選択的に、「ホーム」ボタン又はメニューボタン２０４などの１つ以上の物理ボタンを含む。前述したように、メニューボタン２０４は、任意選択的に、任意選択的にデバイス１００上で実行される１組のアプリケーション内の任意のアプリケーション１３６へナビゲートするために使用される。あるいは、いくつかの実施形態では、メニューボタンは、タッチスクリーン１１２上に表示されるＧＵＩ内のソフトキーとして実装される。
【０１４８】
いくつかの実施形態では、デバイス１００は、タッチスクリーン１１２、メニューボタン２０４、デバイスの電源をオン／オフにしてデバイスをロックするプッシュボタン２０６、音量調整ボタン２０８、加入者識別モジュール（ＳＩＭ）カードスロット２１０、ヘッドセットジャック２１２、及びドッキング／充電用外部ポート１２４を含む。プッシュボタン２０６は、任意選択的に、ボタンを押し下げて、既定の期間にわたってボタンを押し下げた状態に保持することによって、デバイスの電源をオン／オフするため、ボタンを押し下げて、既定の時間が経過する前にボタンを解放することによってデバイスをロックするため、及び／又はデバイスをロック解除する、若しくはロック解除プロセスを開始するために、使用される。代替的実施形態では、デバイス１００はまた、マイクロフォン１１３を介して、一部の機能をアクティブ化又は非アクティブ化するための口頭入力も受け入れる。デバイス１００はまた、任意選択的に、タッチスクリーン１１２上の接触の強度を検出する１つ以上の接触強度センサ１６５、及び／又はデバイス１００のユーザに対する触知出力を生成する１つ以上の触知出力生成器１６７を含む。
【０１４９】
図３は、いくつかの実施形態に係る、ディスプレイ及びタッチ感知面を有する例示的な多機能デバイスのブロック図である。デバイス３００は、ポータブル型である必要はない。いくつかの実施形態では、デバイス３００は、ラップトップコンピュータ、デスクトップコンピュータ、タブレットコンピュータ、マルチメディアプレーヤデバイス、ナビゲーションデバイス、教育的デバイス（子供の学習玩具など）、ゲームシステム、又は制御デバイス（例えば、家庭用又は業務用コントローラ）である。デバイス３００は、典型的には、１つ以上の処理ユニット（ＣＰＵ）３１０、１つ以上のネットワーク又は他の通信インタフェース３６０、メモリ３７０、及びこれらの構成要素を相互接続する１つ以上の通信バス３２０を含む。通信バス３２０は、任意選択的に、システム構成要素間の通信を相互接続及び制御する回路（チップセットと呼ばれることもある）を含む。デバイス３００は、ディスプレイ３４０を含む入出力（Ｉ／Ｏ）インタフェース３３０を含み、ディスプレイ３４０は、典型的には、タッチスクリーンディスプレイである。Ｉ／Ｏインタフェース３３０はまた、任意選択的に、キーボード及び／又はマウス（若しくは他のポインティングデバイス）３５０と、タッチパッド３５５と、デバイス３００上に触知出力を生成する触知出力生成器３５７（例えば、図１Ａを参照して前述した触知出力生成器１６７に類似している）と、センサ３５９（例えば、図１Ａを参照して前述した接触強度センサ１６５に類似している光、加速度、近接、タッチ感知、及び／又は接触強度センサ）とを含む。メモリ３７０は、ＤＲＡＭ、ＳＲＡＭ、ＤＤＲ  ＲＡＭ、又は他のランダムアクセスソリッドステートメモリデバイスなどの高速ランダムアクセスメモリを含み、任意選択的に、１つ以上の磁気ディスク記憶デバイス、光ディスク記憶デバイス、フラッシュメモリデバイス、又は他の不揮発性ソリッドステート記憶デバイスなどの不揮発性メモリを含む。メモリ３７０は、任意選択で、ＣＰＵ（単数又は複数）３１０からリモートに位置する１つ以上の記憶デバイスを含む。いくつかの実施形態では、メモリ３７０は、ポータブル多機能デバイス１００（図１Ａ）のメモリ１０２内に記憶されているプログラム、モジュール、及びデータ構造に類似したプログラム、モジュール、及びデータ構造、又はそのサブセットを記憶する。更に、メモリ３７０は、任意選択で、ポータブル多機能デバイス１００のメモリ１０２に存在しない追加のプログラム、モジュール、及びデータ構造を記憶する。例えば、デバイス３００のメモリ３７０は、任意選択的に、描画モジュール３８０、プレゼンテーションモジュール３８２、ワードプロセッシングモジュール３８４、ウェブサイト作成モジュール３８６、ディスクオーサリングモジュール３８８、及び／又はスプレッドシートモジュール３９０を記憶するのに対して、ポータブル多機能デバイス１００（図１Ａ）のメモリ１０２は、任意選択的に、これらのモジュールを記憶しない。
【０１５０】
図３の上記で特定した要素はそれぞれ、任意選択的に、前述したメモリデバイスのうちの１つ以上の中に記憶される。上記で特定したモジュールはそれぞれ、前述した機能を実行する命令セットに対応する。上記で特定したモジュール又はプログラム（例えば、命令セット）は、別個のソフトウェアプログラム、手順、又はモジュールとして実施する必要はなく、したがって様々な実施形態では、これらのモジュールの様々なサブセットは、任意選択的に、組み合わされ、又は他の形で再構成される。いくつかの実施形態では、メモリ３７０は、任意選択で、上記で特定されたモジュール及びデータ構造のサブセットを記憶する。更に、メモリ３７０は、上記で説明されていない追加のモジュール及びデータ構造を任意選択的に記憶する。
【０１５１】
次に、任意選択的に例えばポータブル多機能デバイス１００上で実施されるユーザインタフェースの実施形態に注意を向ける。
【０１５２】
図４Ａは、いくつかの実施形態に係るポータブル多機能デバイス１００上のアプリケーションのメニューの例示的なユーザインタフェースを示す。同様のユーザインタフェースは、デバイス３００上に任意選択的に実装される。いくつかの実施形態では、ユーザインタフェース４００は、以下の要素、又はそれらのサブセット若しくはスーパーセットを含む。
●セルラー信号及びＷｉ−Ｆｉ（登録商標）信号などの無線通信（単数又は複数）のための信号強度インジケータ（単数又は複数）４０２、
●時刻４０４、
●Ｂｌｕｅｔｏｏｔｈ（登録商標）インジケータ４０５、
●バッテリ状態インジケータ４０６、
●以下のような、頻繁に使用されるアプリケーションのアイコンを有するトレイ４０８
○不在着信又はボイスメールメッセージの数のインジケータ４１４を任意選択的に含む、「電話」とラベル付けされた、電話モジュール１３８のアイコン４１６、
○未読電子メールの数のインジケータ４１０を任意選択的に含む、「メール」とラベル付けされた、電子メールクライアントモジュール１４０のアイコン４１８、
○「ブラウザ」とラベル付けされた、ブラウザモジュール１４７のアイコン４２０、及び
○「ｉＰｏｄ」とラベル付けされた、ｉＰｏｄ（Ａｐｐｌｅ  Ｉｎｃ．の商標）モジュール１５２とも呼ばれるビデオ及び音楽プレーヤモジュール１５２のアイコン４２２、及び
●以下のような、他のアプリケーションのアイコン、
○「メッセージ」とラベル付けされた、ＩＭモジュール１４１のアイコン４２４、
○「カレンダ」とラベル付けされた、カレンダモジュール１４８のアイコン４２６、
○「写真」とラベル付けされた、画像管理モジュール１４４のアイコン４２８、
○「カメラ」とラベル付けされた、カメラモジュール１４３のアイコン４３０、
○「オンラインビデオ」とラベル付けされた、オンラインビデオモジュール１５５のアイコン４３２、
○「株価」とラベル付けされた、株価ウィジェット１４９−２のアイコン４３４、
○「地図」とラベル付けされた、地図モジュール１５４のアイコン４３６、
○「天気」とラベル付けされた、気象ウィジェット１４９−１のアイコン４３８、
○「時計」とラベル付けされた、アラーム時計ウィジェット１４９−４のアイコン４４０、
○「トレーニングサポート」とラベル付けされた、トレーニングサポートモジュール１４２のアイコン４４２、
○「メモ」とラベル付けされた、メモモジュール１５３のアイコン４４４、及び
○デバイス１００及びその様々なアプリケーション１３６についての設定へのアクセスを提供する、「設定」とラベル付けされた、設定アプリケーション又はモジュールのアイコン４４６。
【０１５３】
図４Ａに示すアイコンラベルは、単なる例示であることに留意されたい。例えば、ビデオ及び音楽プレーヤモジュール１５２のためのアイコン４２２は、「音楽」又は「音楽プレーヤ」と表示される、他のラベルが、様々なアプリケーションアイコンのために、任意選択的に使用される。一部の実施形態では、それぞれのアプリケーションアイコンに関するラベルは、それぞれのアプリケーションアイコンに対応するアプリケーションの名前を含む。一部の実施形態では、特定のアプリケーションアイコンのラベルは、その特定のアプリケーションアイコンに対応するアプリケーションの名前とは異なる。
【０１５４】
図４Ｂは、ディスプレイ４５０（例えば、タッチスクリーンディスプレイ１１２）とは別個のタッチ感知面４５１（例えば、図３のタブレット又はタッチパッド３５５）を有するデバイス（例えば、図３のデバイス３００）上の例示的なユーザインタフェースを示す。デバイス３００はまた、任意選択的に、タッチ感知面４５１上の接触の強度を検出する１つ以上の接触強度センサ（例えば、センサ３５９のうちの１つ以上）、及び／又はデバイス３００のユーザに対する触知出力を生成する１つ以上の触知出力生成器３５７を含む。
【０１５５】
以下の例のうちのいくつかは、タッチスクリーンディスプレイ１１２（タッチ感知面及びディスプレイが組み合わされている）上の入力を参照して与えられるが、いくつかの実施形態では、デバイスは、図４Ｂに示すディスプレイとは別個のタッチ感知面上の入力を検出する。いくつかの実施形態では、タッチ感知面（例えば、図４Ｂの４５１）は、ディスプレイ（例えば、４５０）上の１次軸（例えば、図４Ｂの４５３）に対応する１次軸（例えば、図４Ｂの４５２）を有する。これらの実施形態によれば、デバイスは、ディスプレイ上のそれぞれの場所に対応する場所（例えば、図４Ｂでは、４６０は４６８に対応し、４６２は４７０に対応する）で、タッチ感知面４５１との接触（例えば、図４Ｂの４６０及び４６２）を検出する。このようにして、タッチ感知面（例えば、図４Ｂの４５１）上でデバイスによって検出されるユーザ入力（例えば、接触４６０及び４６２、並びにこれらの動き）は、タッチ感知面がディスプレイとは別個であるとき、多機能デバイスのディスプレイ（例えば、図４Ｂの４５０）上のユーザインタフェースを操作するために、デバイスによって使用される。同様の方法が、本明細書に記載の他のユーザインタフェースに任意選択的に使用されることを理解されたい。
【０１５６】
加えて、以下の例は、主に指入力（例えば、指接触、指タップジェスチャ、指スワイプジェスチャ）を参照して与えられるが、一部の実施形態では、指入力のうちの１つ以上は、別の入力デバイスからの入力（例えば、マウスベースの入力又はスタイラス入力）に置き換えられることを理解されたい。例えば、スワイプジェスチャは、（例えば、接触の代わりの）マウスクリックに続けた、（例えば、接触の移動の代わりの）スワイプの経路に沿ったカーソルの移動によって、任意選択的に置き換えられる。別の例として、タップジェスチャは、任意選択的に、カーソルがタップジェスチャの位置の上に位置する間はマウスクリックと置き換えられる（例えば、接触を検出して、それに続いて接触の検出を停止する代わりに）。同様に、複数のユーザ入力が同時に検出されるとき、複数のコンピュータマウスが、任意選択的に、同時に使用され、又はマウス及び指の接触が、任意選択的に、同時に使用されることを理解されたい。
【０１５７】
図５Ａは、例示的なパーソナル電子デバイス５００を示す。デバイス５００は、本体５０２を含む。いくつかの実施形態では、デバイス５００は、デバイス１００及び３００（例えば、図１Ａ〜４Ｂ）に関して説明する特徴のうちのいくつか又は全てを含むことができる。いくつかの実施形態では、デバイス５００は、タッチ感知ディスプレイスクリーン５０４、以下ではタッチスクリーン５０４、を有する。あるいは、又はタッチスクリーン５０４に加えて、デバイス５００は、ディスプレイ及びタッチ感知面を有する。デバイス１００及び３００と同様に、いくつかの実施形態では、タッチスクリーン５０４（又はタッチ感知面）は、任意選択的に、加えられている接触（例えば、タッチ）の強度を検出する１つ以上の強度センサを含む。タッチスクリーン５０４（又はタッチ感知面）の１つ以上の強度センサは、タッチの強度を表す出力データを提供することができる。デバイス５００のユーザインタフェースは、タッチの強度に基づいてタッチに応答することができ、これは、異なる強度のタッチが、デバイス５００上で異なるユーザインタフェース動作を呼び出すことができることを意味する。
【０１５８】
タッチ強度を検出及び処理する例示的な技法は、例えば、それぞれ全体として参照により本明細書に組み込まれている、国際特許第ＷＯ／２０１３／１６９８４９号として公開された、２０１３年５月８日出願の国際特許出願第ＰＣＴ／ＵＳ２０１３／０４００６１号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」、及び国際特許第ＷＯ／２０１４／１０５２７６号として公開された、２０１３年１１月１１日出願の国際特許出願第ＰＣＴ／ＵＳ２０１３／０６９４８３号、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」という関連出願に見られる。
【０１５９】
いくつかの実施形態では、デバイス５００は、１つ以上の入力機構５０６及び５０８を有する。入力機構５０６及び５０８は、含まれる場合、物理的機構とすることができる。物理的入力機構の例としては、プッシュボタン及び回転可能機構が挙げられる。いくつかの実施形態では、デバイス５００は、１つ以上のアタッチメント機構を有する。そのようなアタッチメント機構は、含まれる場合、例えば帽子、アイウェア、イアリング、ネックレス、シャツ、ジャケット、ブレスレット、腕時計のバンド、チェーン、ズボン、ベルト、靴、財布、バックパックなどにデバイス５００を取り付けることを可能にすることができる。これらのアタッチメント機構は、ユーザがデバイス５００を着用することを可能にする。
【０１６０】
図５Ｂは、例示的なパーソナル電子デバイス５００を示す。いくつかの実施形態では、デバイス５００は、図１Ａ、図１Ｂ、及び図３に関して説明した構成要素のうちのいくつか又は全てを含むことができる。デバイス５００は、Ｉ／Ｏセクション５１４を１つ以上のコンピュータプロセッサ５１６及びメモリ５１８に動作可能に結合するバス５１２を有する。Ｉ／Ｏセクション５１４は、ディスプレイ５０４に接続することができ、ディスプレイ５０４は、タッチ感知構成要素５２２と、任意選択的に強度センサ５２４（例えば、接触強度センサ）とを有することができる。加えて、Ｉ／Ｏセクション５１４は、Ｗｉ−Ｆｉ、Ｂｌｕｅｔｏｏｔｈ（登録商標）、近距離通信（ＮＦＣ）、セルラー、及び／又は他の無線通信技法を使用してアプリケーション及びオペレーティングシステムデータを受信する通信ユニット５３０に接続することができる。デバイス５００は、入力機構５０６及び／又は５０８を含むことができる。入力機構５０６は、任意選択的に、例えば、回転可能入力デバイス又は押圧可能かつ回転可能入力デバイス（例えば、回転クラウン）である。いくつかの例では、入力機構５０８は、任意選択的にボタンである。
【０１６１】
いくつかの例では、入力機構５０８は、任意選択的にマイクロフォンである。パーソナル電子デバイス５００は、任意選択的に、ＧＰＳセンサ５３２、加速度計５３４、方向センサ５４０（例えば、コンパス）、ジャイロスコープ５３６、動きセンサ５３８、及び／又はこれらの組み合わせなどの様々なセンサを含み、これらのセンサは全て、Ｉ／Ｏセクション５１４に動作可能に接続することができる。
【０１６２】
パーソナル電子デバイス５００のメモリ５１８は、コンピュータ実行可能命令を記憶するための１つ以上の非一時的コンピュータ可読記憶媒体を含むことができ、それらの命令は、１つ以上のコンピュータプロセッサ５１６によって実行されると、例えば、コンピュータプロセッサに、プロセス７００（図７Ａ〜図７Ｃ）、プロセス９００（図９Ａ及び図９Ｂ）、プロセス１１００（図１１）及びプロセス１３００（図１３及び図１３Ｂ）を含めた、以下に説明する技術を実行させることができる。コンピュータ可読記憶媒体は、命令実行システム、装置、又はデバイスによって使用するための、又は命令実行システム、装置、又はデバイスに接続されているコンピュータ実行可能命令を、有形に含み又は記憶することができる任意の媒体とすることができる。いくつかの実施例では、記憶媒体は、一時的コンピュータ可読記憶媒体である。いくつかの実施例では、記憶媒体は、非一時的コンピュータ可読記憶媒体である。非一時的コンピュータ可読記憶媒体は、それだけに限定されるものではないが、磁気、光学、及び／又は半導体記憶装置を含むことができる。そのような記憶装置の例としては、磁気ディスク、ＣＤ、ＤＶＤ、又はＢｌｕ−ｒａｙ技術に基づく光学ディスク、並びにフラッシュ、ソリッドステートドライブなどの常駐ソリッドステートメモリなどが挙げられる。パーソナル電子デバイス５００は、図５Ｂの構成要素及び構成に限定されるものではなく、他の又は追加の構成要素を複数の構成で含むことができる。
【０１６３】
本明細書では、「アフォーダンス」という用語は、任意選択的にデバイス１００、３００、及び／又は５００（図１Ａ、図３、及び図５Ａ〜５Ｂ）のディスプレイスクリーン上に表示されるユーザ対話グラフィカルユーザインタフェースオブジェクトを指す。例えば、画像（例えば、アイコン）、ボタン、及び文字（例えば、ハイパーリンク）はそれぞれ、意選択的に、アフォーダンスを構成する。
【０１６４】
本明細書で使用される「フォーカスセレクタ」という用語は、ユーザが対話しているユーザインタフェースの現在の部分を示す入力要素を指す。カーソル又は他の場所マーカを含むいくつかの実装形態では、カーソルが「フォーカスセレクタ」として作用し、したがってカーソルが特定のユーザインタフェース要素（例えば、ボタン、ウインドウ、スライダ、又は他のユーザインタフェース要素）の上に位置する間に、タッチ感知面（例えば、図３のタッチパッド３５５又は図４Ｂのタッチ感知面４５１）上で入力（例えば、押下入力）が検出されたとき、特定のユーザインタフェース要素が、検出された入力に従って調整される。タッチスクリーンディスプレイ上のユーザインタフェース要素との直接対話を有効化するタッチスクリーンディスプレイ（例えば、図１Ａのタッチ感知ディスプレイシステム１１２又は図４Ａのタッチスクリーン１１２）を含むいくつかの実装形態では、タッチスクリーン上の検出された接触が「フォーカスセレクタ」として作用し、したがってタッチスクリーンディスプレイ上の特定のユーザインタフェース要素（例えば、ボタン、ウインドウ、スライダ、又は他のユーザインタフェース要素）の場所で入力（例えば、接触による押下入力）が検出されたとき、特定のユーザインタフェース要素が、検出された入力に従って調整される。一部の実装形態では、タッチスクリーンディスプレイ上の対応するカーソルの移動又は接触の移動（例えば、フォーカスを１つのボタンから別のボタンへ動かすためにタブキー又は矢印キーを使用することによる）なく、フォーカスがユーザインタフェースの１つの領域からユーザインタフェースの別の領域へ動かされ、これらの実装形態では、フォーカスセレクタは、ユーザインタフェースの種々の領域間でのフォーカスの移動に従って移動する。フォーカスセレクタがとる特有の形態にかかわらず、フォーカスセレクタは、概して、ユーザインタフェース要素（又はタッチスクリーンディスプレイ上の接触）であり、ユーザの意図する対話をユーザインタフェースによって通信するように、ユーザによって制御される（例えば、ユーザが対話することを意図しているユーザインタフェースの要素をデバイスに示すことによる）。例えば、タッチ感知面（例えば、タッチパッド又はタッチスクリーン）上で押圧入力が検出されている間の、対応のボタンの上のフォーカスセレクタ（例えば、カーソル、接触、又は選択ボックス）の位置は、その対応のボタンを（そのデバイスのディスプレイ上に示される他のユーザインタフェース要素ではなく）アクティブ化することをユーザが意図していることを示すものである。
【０１６５】
本明細書及び特許請求の範囲で使用される、接触の「特性強度」という用語は、接触の１つ以上の強度に基づく、その接触の特性を指す。一部の実施形態では、特性強度は複数の強度サンプルに基づく。特性強度は、任意選択的に、既定の数の強度サンプル、すなわち、既定のイベント（例えば、接触を検出した後、接触のリフトオフを検出する前、接触の移動の開始を検出する前若しくは後、接触の終了を検出する前、接触の強度の増大を検出する前若しくは後、及び／又は、接触の強度の減少を検出する前若しくは後の）に関連する既定の期間（例えば、０．０５、０．１、０．２、０．５、１、２、５、１０秒）の間に収集された強度サンプルのセットに基づく。接触の特性強度は、任意選択的に、接触の強度の最大値、接触の強度の平均（mean）値、接触の強度の平均（average）値、接触の強度の上位１０パーセンタイル値、接触の強度の最大の２分の１の値、接触の強度の最大の９０パーセントの値などのうちの１つ以上に基づいている。一部の実施形態では、特性強度を判定する際に（例えば、特性強度が経時的な接触の強度の平均であるときに）、接触の持続期間が使用される。一部の実施形態では、特性強度は、ユーザによって動作が実行されたかどうかを判定するために、１つ以上の強度閾値のセットと比較される。例えば、１組の１つ以上の強度閾値は、任意選択的に、第１の強度閾値及び第２の強度閾値を含む。この例では、第１の閾値を超過しない特性強度を有する接触は、第１の動作をもたらし、第１の強度閾値を超過するが第２の強度閾値を超過しない特性強度を有する接触は、第２の動作をもたらし、第２の閾値を超過する特性強度を有する接触は、第３の動作をもたらす。いくつかの実施形態では、特性強度と１つ以上の閾値との間の比較は、第１の動作を実行するべきか、それとも第２の動作を実行するべきかを判定するために使用されるのではなく、１つ以上の動作を実行するべきか否か（例えば、それぞれの動作を実行するべきか、それともそれぞれの動作を実行するのを取り止めるべきか）を判定するために使用される。
【０１６６】
図５Ｃは、複数の強度センサ５２４Ａ〜５２４Ｄによってタッチ感知ディスプレイスクリーン５０４上で複数の接触５５２Ａ〜５５２Ｅを検出することを示す。図５Ｃは、追加として、強度単位に対する強度センサ５２４Ａ〜５２４Ｄの現在の強度測定値を示す強度ダイアグラムを含む。この例では、強度センサ５２４Ａ及び５２４Ｄの強度測定値はそれぞれ９強度単位であり、強度センサ５２４Ｂ及び５２４Ｃの強度測定値はそれぞれ７強度単位である。いくつかの実装形態では、集約強度は、複数の強度センサ５２４Ａ〜５２４Ｄの強度測定値の和であり、この例では３２強度単位である。いくつかの実施形態では、各接触に、集約強度の一部分であるそれぞれの強度が割り当てられる。図５Ｄは、力の中心５５４からの距離に基づいて、集約強度を接触５５２Ａ〜５５２Ｅに割り当てることを示す。この例では、接触５５２Ａ、５５２Ｂ、及び５５２Ｅのそれぞれに、集約強度の８強度単位の接触の強度が割り当てられ、接触５５２Ｃ及び５５２Ｄのそれぞれに、集約強度の４強度単位の接触の強度が割り当てられる。より一般的には、一部の実装例では、各接触ｊは、所定の数学関数Ｉｊ＝Ａ・（Ｄｊ／ΣＤｉ）に従って、合計の強度Ａの一部分である、それぞれの強度Ｉｊが割り当てられ、ここで、Ｄｊは、力の中心からそれぞれの接触ｊまでの距離であり、ΣＤｉは、力の中心から全てのそれぞれ接触（例えば、ｉ＝１から最後まで）までの距離の和である。図５Ｃ〜図５Ｄを参照して説明した動作は、デバイス１００、３００又は５００と類似若しくは同一の電子デバイスを使用して行うことができる。いくつかの実施形態では、接触の特性強度は、接触の１つ以上の強度に基づいている。いくつかの実施形態では、強度センサは、単一の特性強度（例えば、単一の接触の単一の特性強度）を判定するために使用される。強度ダイアグラムは、表示ユーザインタフェースの一部ではなく、読み手の助けになるように図５Ｃ〜図５Ｄに含まれていることに留意されたい。
【０１６７】
一部の実施形態では、特性強度を判定する目的のために、ジェスチャの一部分が特定される。例えば、タッチ感知面は、任意選択的に、開始場所から遷移して終了場所に到達する連続するスワイプ接触を受信し、その時点で接触の強度が増大する。この例では、終了場所での接触の特性強度は、任意選択的に、スワイプ接触全体ではなく、連続するスワイプ接触の一部分のみ（例えば、スワイプ接触のうち終了場所の部分のみ）に基づいている。いくつかの実施形態では、任意選択的に、接触の特性強度を判定する前に、平滑化アルゴリズムがスワイプ接触の強度に適用される。例えば、平滑化アルゴリズムは、任意選択的に、非加重移動平均平滑化アルゴリズム、三角平滑化アルゴリズム、中央値フィルタ平滑化アルゴリズム、及び／又は指数平滑化アルゴリズムのうちの１つ以上を含む。いくつかの状況では、これらの平滑化アルゴリズムは、特性強度を判定する目的のために、スワイプ接触の強度の小幅な上昇又は降下を排除する。
【０１６８】
タッチ感知面上の接触の強度は、任意選択的に、接触検出強度閾値、軽い押下の強度閾値、深い押下の強度閾値、及び／又は１つ以上の他の強度閾値などの１つ以上の強度閾値に対して特徴付けられる。一部の実施形態では、軽い押圧強度閾値は、通常、物理マウスのボタン又はトラックパッドをクリックすることに関連付けられた動作をデバイスが実行する強度に相当する。一部の実施形態では、深い押圧強度閾値は、通常、物理マウスのボタン又はトラックパッドをクリックすることに関連付けられた動作とは異なる動作をデバイスが実行する強度に相当する。一部の実施形態では、軽い押圧強度閾値を下回る（例えば、それを下回ると接触が検出されなくなる公称接触検出強度閾値を上回る）特性強度を有する接触が検出されたとき、デバイスは、軽い押圧強度閾値又は深い押圧強度閾値に関連付けられた動作を実行することなく、タッチ感知面上の接触の移動に従ってフォーカスセレクタを動かす。一般に、特に明記しない限り、これらの強度閾値は、ユーザインタフェース図の様々なセットの間で一貫している。
【０１６９】
軽い押圧強度閾値を下回る強度から、軽い押圧強度閾値と深い押圧強度閾値との間の強度への、接触の特性強度の増大は、「軽い押圧」の入力と呼ばれることがある。深い押圧強度閾値を下回る強度から、深い押圧強度閾値を上回る強度への、接触の特性強度の増大は、「深い押圧」の入力と呼ばれることがある。接触検出強度閾値を下回る強度から、接触検出強度閾値と軽い押圧強度閾値との間の強度への、接触の特性強度の増大は、タッチ面上の接触の検出と呼ばれることがある。接触検出強度閾値を上回る強度から、接触検出強度閾値を下回る強度への、接触の特性強度の減少は、タッチ面からの接触のリフトオフの検出と呼ばれることがある。一部の実施形態では、接触検出強度閾値はゼロである。一部の実施形態では、接触検出強度閾値は、ゼロより大きい。
【０１７０】
本明細書に記載する一部の実施形態では、それぞれの押圧入力を含むジェスチャを検出したことに応じて、又はそれぞれの接触（若しくは複数の接触）によって実行されたそれぞれの押圧入力を検出したことに応じて、１つ以上の動作が実行され、それぞれの押圧入力は、押圧入力強度閾値を上回る接触（又は複数の接触）の強度の増大を検出したことに少なくとも部分的に基づいて検出される。一部の実施形態では、それぞれの動作は、押圧入力強度閾値を上回るそれぞれの接触の強度の増大（例えば、それぞれの押圧入力の「ダウンストローク」）を検出したことに応じて実行される。一部の実施形態では、押圧入力は、押圧入力強度閾値を上回るそれぞれの接触の強度の増大、及びそれに続く押圧入力強度閾値を下回る接触の強度の減少を含み、それぞれの動作は、それに続く押圧入力閾値を下回るそれぞれの接触の強度の減少（例えば、それぞれの押圧入力の「アップストローク」）を検出したことに応じて実行される。
【０１７１】
図５Ｅ〜５Ｈは、図５Ｅの軽い押下の強度閾値（例えば、「ＩＴＬ」）を下回る強度から、図５Ｈの深い押下の強度閾値（例えば、「ＩＴＤ」）を上回る強度への、接触５６２の強度の増大に対応する押下入力を含むジェスチャの検出を示す。接触５６２によって実行されるジェスチャは、タッチ感知面５６０上で検出され、所定の領域５７４内に表示されたアプリケーションアイコン５７２Ａ〜５７２Ｄを含む表示ユーザインタフェース５７０上では、アプリ２に対応するアプリケーションアイコン５７２Ｂの上にカーソル５７６が表示される。いくつかの実施形態では、ジェスチャは、タッチ感知ディスプレイ５０４上に検出される。強度センサは、タッチ感知面５６０上の接触の強度を検出する。デバイスは、接触５６２の強度が深い押下の強度閾値（例えば、「ＩＴＤ」）を上回ってピークに達したと判定する。接触５６２は、タッチ感知面５６０上で維持される。ジェスチャの検出に応じて、ジェスチャ中に深い押下の強度閾値（例えば、「ＩＴＤ」）を上回る強度を有する接触５６２に従って、図５Ｆ〜５Ｈに示すように、アプリ２に対して最近開いた文書の縮尺が低減された表現５７８Ａ〜５７８Ｃ（例えば、サムネイル）が表示される。いくつかの実施形態では、１つ以上の強度閾値と比較されるこの強度は、接触の特性強度である。接触５６２に対する強度ダイアグラムは、表示ユーザインタフェースの一部ではなく、読み手の助けになるように図５Ｅ〜５Ｈに含まれていることに留意されたい。
【０１７２】
いくつかの実施形態では、表現５７８Ａ〜５７８Ｃの表示は、アニメーションを含む。例えば、図５Ｆに示すように、表現５７８Ａが、アプリケーションアイコン５７２Ｂに近接して最初に表示される。アニメーションが進むにつれて、図５Ｇに示すように、表現５７８Ａは上方へ動き、表現５７８Ｂが、アプリケーションアイコン５７２Ｂに近接して表示される。次いで、図５Ｈに示すように、表現５７８Ａが上方へ動き、表現５７８Ｂが表現５７８Ａに向かって上方へ動き、表現５７８Ｃが、アプリケーションアイコン５７２Ｂに近接して表示される。表現５７８Ａ〜５７８Ｃは、アイコン５７２Ｂの上にアレイを形成する。いくつかの実施形態では、アニメーションは、図５Ｆ〜５Ｇに示すように、接触５６２の強度に従って進行し、接触５６２の強度が深い押下の強度閾値（例えば、「ＩＴＤ」）に向かって増大するにつれて、表現５７８Ａ〜５７８Ｃが現れ、上方へ動く。いくつかの実施形態では、アニメーションの進行が基づいている強度は、接触の特性強度である。図５Ｅ〜５Ｈを参照して説明する動作は、デバイス１００、３００、又は５００に類似又は同一の電子デバイスを使用して実行することができる。
【０１７３】
一部の実施形態では、デバイスは、「ジッタ」と呼ばれる場合がある偶発的な入力を回避するために強度ヒステリシスを採用し、デバイスは、押圧入力強度閾値との既定の関係を有するヒステリシス強度閾値を定義又は選択する（例えば、ヒステリシス強度閾値は、押圧入力強度閾値よりも低いＸ強度単位であり、又はヒステリシス強度閾値は、押圧入力強度閾値の７５％、９０％、若しくは何らかの妥当な割合である）。したがって、一部の実施形態では、押圧入力は、押圧入力強度閾値を上回るそれぞれの接触の強度の増大、及びそれに続く押圧入力強度閾値に対応するヒステリシス強度閾値を下回る接触の強度の減少を含み、それぞれの動作は、それに続くヒステリシス強度閾値を下回るそれぞれの接触の強度の減少（例えば、それぞれの押圧入力の「アップストローク」）を検出したことに応じて実行される。同様に、一部の実施形態では、押圧入力は、デバイスが、ヒステリシス強度閾値以下の強度から押圧入力強度閾値以上の強度への接触の強度の増大、及び任意選択的に、その後のヒステリシス強度以下の強度への接触の強度の減少を検出するときにのみ検出され、それぞれの動作は、押圧入力（例えば、状況に応じて、接触の強度の増大又は接触の強度の減少）を検出したことに応じて実行される。
【０１７４】
説明を容易にするために、押圧入力強度閾値に関連付けられた押圧入力、又は押圧入力を含むジェスチャに応じて実行される動作の説明は、任意選択的に、押圧入力強度閾値を上回る接触の強度の増大、ヒステリシス強度閾値を下回る強度から押圧入力強度閾値を上回る強度への接触の強度の増大、押圧入力強度閾値を下回る接触の強度の減少、及び／又は押圧入力強度閾値に対応するヒステリシス強度閾値を下回る接触の強度の減少のいずれかを検出したことに応じてトリガされる。更に、押圧入力強度閾値を下回る接触の強度の減少を検出したことに応じて実行されるように動作が記載される例では、動作は、任意選択的に、押圧入力強度閾値に対応し、かつそれよりも低いヒステリシス強度閾値を下回る接触の強度の減少を検出したことに応じて実行される。
【０１７５】
本明細書では、「インストール済みアプリケーション」は、電子デバイス（例えば、デバイス１００、３００、及び／又は５００）上へダウンロードされ、デバイス上で起動する準備ができた（例えば、開かれた）ソフトウェアアプリケーションを指す。いくつかの実施形態では、ダウンロードされたアプリケーションは、ダウンロードされたパッケージからプログラム部分を抽出し、抽出された部分をコンピュータシステムのオペレーティングシステムと統合するインストールプログラムによって、インストール済みアプリケーションになる。
【０１７６】
本明細書では、「開いているアプリケーション」又は「実行中のアプリケーション」という用語は、保持された状態情報（例えば、デバイス／グローバル内部状態１５７及び／又はアプリケーション内部状態１９２の一部として）を有するソフトウェアアプリケーションを指す。開いている又は実行中のアプリケーションは、任意選択的に、以下のタイプのアプリケーションのうちのいずれか１つである。
●アプリケーションが使用されているデバイスのディスプレイスクリーン上に現在表示されているアクティブアプリケーション、
●現在表示されていないが、アプリケーションに対する１つ以上のプロセスが１つ以上のプロセッサによって処理されている背景アプリケーション（又は背景プロセス）、並びに
●稼働していないが、メモリ（揮発性及び不揮発性それぞれ）内に記憶されており、かつアプリケーションの実行を再開するために使用することができる状態情報を有する、中断又は休止状態アプリケーション。
【０１７７】
本明細書では、「閉じているアプリケーション」という用語は、保持された状態情報を有していないソフトウェアアプリケーションを指す（例えば、閉じているアプリケーションに対する状態情報は、デバイスのメモリ内に記憶されていない）。したがって、アプリケーションを閉じることは、アプリケーションに対するアプリケーションプロセスを停止及び／又は除去し、アプリケーションに対する状態情報をデバイスのメモリから除去することを含む。概して、第１のアプリケーション中に第２のアプリケーションを開いても、第１のアプリケーションは閉じない。第２のアプリケーションが表示されており、かつ第１のアプリケーションが表示を終了されたとき、第１のアプリケーションは背景アプリケーションになる。
【０１７８】
ここで、ポータブル多機能デバイス１００、デバイス３００、又はデバイス５００などの１つ以上の電子デバイス（単数又は複数）上で実施されるユーザインタフェース（「ＵＩ」）及び関連プロセスの実施形態に注意を向ける。
【０１７９】
図６Ａ〜図６ＡＥは、いくつかの実施形態に係る、ヘルスモニタリングの初期設定のための例示的なユーザインタフェースを示す。それらの図におけるユーザインタフェースは、図７Ａ〜図７Ｃにおける処理を含む、以下で説明される処理を例示するために使用される。これらの図における例示的なユーザインタフェースは、概して、記録された生体情報を使用して健康をモニタリングすることに関し、特定の種類の生体情報に限定されない。単に便宜上、これらの図の例示的なユーザインタフェースは、一種類の生体情報、心電図（以下、「ＥＣＧ」）情報を参照して説明する。
【０１８０】
図６Ａは、ディスプレイ６０２及び１つ以上の入力デバイスを有する第１の電子デバイス６００Ａ（例えば、スマートフォン）を示す。いくつかの実施形態では、１つ以上の入力デバイスは、タッチ入力を検出するためのディスプレイ６０２のタッチ層と、１つ以上の画像センサ６０４（例えば、カメラ、深度センサ）と、１つ以上の動作を実行するように構成された第１の機械的ボタン６０６（例えば、かつ指紋センサなどの一体型生体センサを含む）と、１つ以上の動作を実行するように構成された第２の機械的ボタン６０８と、を含む。いくつかの実施形態では、第１の電子デバイス６００Ａは、無線通信無線機（例えば、ＬＴＥ、Ｂｌｕｅｔｏｏｔｈ（登録商標）、ＷｉＦｉ（登録商標）接続用）を含む。いくつかの実施形態では、第１の電子デバイス６００Ａは、第２の電子デバイス（例えば、スマートウォッチ）とペアリングされる。いくつかの実施形態では、第２の電子デバイスは、図６Ｓ〜図６Ｘを参照して以下に説明する第２の電子デバイス６００Ｂに対応する。
【０１８１】
図６Ａでは、第１の電子デバイス６００Ａは、ディスプレイ６０２上に、デバイス上で稼働しているオペレーティングシステムのホーム画面に対応するホーム画面ユーザインタフェース６１０を表示している。いくつかの実施形態では、ホーム画面ユーザインタフェース６１０は、アイコン６１０Ａに対応するヘルスアプリケーションを含む、デバイス上にインストールされている異なるアプリケーションに対応する複数のアイコンを含む。いくつかの実施形態では、ヘルスアプリケーションを使用して、（例えば、記録されたＥＣＧ情報を使用して）心拍リズム情報及び／又は心拍数情報などのユーザの生体情報を管理することができる。
【０１８２】
いくつかの実施形態では、第１の電子デバイス６００Ａは、ＥＣＧ情報を含む生体情報の記録の管理に関する機能を含むヘルスアプリケーションに対応するアイコン６１０Ａのユーザアクティブ化６０１を（例えば、タッチ入力を介して）検出する。ユーザアクティブ化６０１を検出したことに応じて、第１の電子デバイス６００Ａは、ヘルスアプリケーションを（例えば、ホーム画面ユーザインタフェース６１０の表示をヘルスアプリケーションのユーザインタフェースと置き換えることによって）起動する。
【０１８３】
いくつかの実施形態では、ヘルスアプリケーションは、デバイス上の既存のＥＣＧ記録を閲覧及び管理するためのＥＣＧアフォーダンスを含み、ＥＣＧ情報は、第２の電子デバイス（例えば、図６Ｓ〜図６Ｘを参照して説明する第２の電子デバイス６００Ｂ）上の関連するＥＣＧアプリケーションを使用して記録され、第２の電子デバイス（例えば、第２の電子デバイス６００Ｂ）上のＥＣＧアプリケーションは、第１の電子デバイス６００Ａ上のヘルスアプリケーションのＥＣＧ管理機能に関連付けられる。いくつかの実施形態では、ＥＣＧ管理機能が第１の電子デバイス６００Ａ上にまだ設定されていない（例えば、ユーザがＥＣＧ記録機能をまだ使用していない）場合、ヘルスアプリケーション上でＥＣＧ管理機能を起動する（例えば、ＥＣＧアフォーダンスのユーザ選択を検出したことに応じて）ことにより、（例えば、図６Ｆを参照して説明するように）ヘルスアプリケーションのＥＣＧ管理機能の初期設定を実行するためのチュートリアルの第１のページの表示を引き起こす。
【０１８４】
いくつかの実施形態では、ホーム画面ユーザインタフェース６１０は、アイコン６１０Ｂに対応し、かつ第１の電子デバイス６００Ａとペアリングされたデバイス（例えば、第２の電子デバイス６００Ｂ）に関連付けられた、ペアリングされたデバイスのアプリケーションを含む。いくつかの実施形態では、ホーム画面ユーザインタフェース６１０を表示している間に、第１の電子デバイス６００Ａは、図６Ｂに示すように、アイコン６１０Ｂのユーザアクティブ化６４１を（例えば、タップ入力を介して）検出する。
【０１８５】
いくつかの実施形態では、ユーザアクティブ化６４１を検出したことに応じて、第１の電子デバイス６００Ａは、図６Ｃに示すように、ディスプレイ６０２上に、ペアリングされたデバイスのアプリケーションのメインユーザインタフェース６４３を表示する。いくつかの実施形態では、ペアリングされたデバイスのアプリケーションは、ペアリングされたデバイス上にインストールされた心臓アプリケーション（例えば、ＥＣＧアプリケーション）に対応する心臓アプリケーション設定アフォーダンス６４５Ｇを含む、ペアリングされたデバイス（例えば、第２の電子デバイス６００Ｂ）上にインストールされた様々なアプリケーションに対応する、複数のアプリケーション設定アフォーダンス６４５Ａ〜６４５Ｈを含む。いくつかの実施形態では、ペアリングされたデバイスのアプリケーションのメインユーザインタフェース６４３を表示している間に、デバイスは、心臓アプリケーション設定アフォーダンス６４５Ｇのユーザアクティブ化６４７を（例えば、タップ入力を介して）検出する。
【０１８６】
いくつかの実施形態では、心臓アプリケーション設定アフォーダンス６４５Ｇのユーザアクティブ化６４７を検出したことに応じて、第１の電子デバイス６００Ａは、図６Ｄに示すように、ディスプレイ６０２上に、第２の電子デバイス６００Ｂ上の対応する心臓アプリケーション（例えば、ＥＣＧアプリケーション）のアプリケーション設定を変更及び／又は構成するためのアプリケーション設定ページ６４９を表示する。いくつかの実施形態では、ＥＣＧ管理機能が第１の電子デバイス６００Ａ上でまだ設定されていない場合、アプリケーション設定ページ６４９は、ＥＣＧ管理機能の初期設定を実行するためのアフォーダンス６５１（例えば、「ＥＣＧ機能を設定する」又は「ヘルス内のＥＣＧアプリケーションを設定する」とラベル付けされたアフォーダンス）を含む。いくつかの実施形態では、第１の電子デバイス６００Ａは、アフォーダンス６５１のユーザアクティブ化を検出したことに応じて、（例えば、図６Ｆを参照して説明するように）チュートリアルの第１のページを起動する。
【０１８７】
図６Ｅは、ディスプレイ６０２上に、第１の電子デバイス６００Ａ上のヘルスアプリケーションに関連付けられたＥＣＧアプリケーションが、第２の電子デバイス（例えば、第２の電子デバイス６００Ｂ）上で起動された（又はアクティブである）ことを（デバイスのユーザに）示す（選択可能な）通知６１２を表示する第１の電子デバイス６００Ａを示す。いくつかの実施形態では、通知６１２は、第１の電子デバイスのロック画面ユーザインタフェース上に表示される。いくつかの実施形態では、通知６１２は、デバイスのホーム画面ユーザインタフェース６１０内に（例えば、ディスプレイの上部に）表示される。いくつかの実施形態では、通知６１２は、デバイス上で稼働しているアプリケーション（例えば、電子メールアプリケーション、ウェブブラウザアプリケーション）のユーザインタフェースの上に表示される。
【０１８８】
いくつかの実施形態では、通知６１２は、アプリケーションのＥＣＧ機能を利用するために、ヘルスアプリケーションのＥＣＧ管理機能の初期設定（例えば、オリエンテーション）を実行する必要があることを示す。いくつかの実施形態では、通知６１２を表示している間に、第１の電子デバイス６００Ａは、通知６１２のユーザ選択６０３を（例えば、タッチ入力を介して）検出する。ユーザ選択６０３を検出したことに応じて、第１の電子デバイス６００Ａは、ＥＣＧ管理機能及び関連するＥＣＧアプリケーションの初期設定を実行するためのチュートリアルの第１のページを起動する。
【０１８９】
図６Ｆは、ディスプレイ６０２上に、ＥＣＧ管理機能及び関連するＥＣＧアプリケーションの初期設定を実行するためのチュートリアルの第１のページ６１４を表示する第１の電子デバイス６００Ａを示す。いくつかの実施形態では、チュートリアルの第１のページ６１４は、ＥＣＧ管理機能及び関連するＥＣＧアプリケーションの機能（例えば、心拍リズム情報及び／又は心拍数情報を記録すること）並びに（例えば、デバイスとペアリングされたスマートウォッチ上の関連するＥＣＧアプリケーションを使用して）機能を実行する方法に関する説明を（例えば、静止画像を介して、アニメーションを介して）グラフィカルに示すグラフィカルインジケーション領域６１４Ａを含む。いくつかの実施形態では、チュートリアルの第１のページ６１４は、ＥＣＧ管理機能及び関連するＥＣＧアプリケーションの使用（例えば、「あなたの心拍リズムを確認する」と記述する）並びにＥＣＧ管理機能及び関連するＥＣＧアプリケーションの使用に関連する背景情報を説明するテキスト記述領域６１４Ｂを含む。
【０１９０】
いくつかの実施形態では、チュートリアルの第１のページ６１４は、ユーザの生年月日に対応するユーザ入力を受け入れるための生年月日入力フィールド６１４Ｃを含み、ユーザの生年月日は、ＥＣＧアプリケーションの機能を使用するための最低年齢要件（例えば、２２歳）をユーザが満たすか否かを判定するために使用される。いくつかの実施形態では、生年月日入力フィールド６１４Ｃは、スクロール可能な月、日、及び年のフィールドを含む。いくつかの実施形態では、チュートリアルの第１のページ６１４は、生年月日入力フィールド６１４Ｃを含まない。いくつかの実施形態では、チュートリアルの第１のページ６１４は、（例えば、生年月日入力フィールド６１４Ｃに加えて又はそれの代わりに）ユーザが最低年齢要件を満たさなければならないことをユーザに示す年齢制限メッセージ（例えば、「あなたは２２歳以上でなければならない」と記述する）を含む。
【０１９１】
いくつかの実施形態では、チュートリアルの第１のページ６１４は、チュートリアルを進めるためのアフォーダンス６１４Ｄを含む。図６Ｆでは、ＥＣＧ管理機能及び関連するＥＣＧアプリケーションの初期設定を実行するためのチュートリアルの第１のページ６１４を表示している間に、第１の電子デバイス６００Ａは、チュートリアルを進めるためのアフォーダンス６１４Ｄのユーザアクティブ化６０５を（例えば、タッチ入力を介して）検出する。いくつかの実施形態では、最低年齢要件が満たされないとの判定（例えば、ユーザアクティブ化６０５を検出したことに応じて行われた判定）に従って、第１の電子デバイス６００Ａは、ディスプレイ６０２上に、ユーザが必要な最低年齢要件を満たさないことを示すエラー通知（例えば、「ＥＣＧアプリケーションは２２歳未満の人々による使用を意図していない」と記述する）を表示する。いくつかの実施形態では、エラー通知は、チュートリアルの第１のページ６１４上に重ね合わされる。いくつかの実施形態では、エラー通知を表示している間に、（第１のページ６１４を表示する）ディスプレイの背景は、暗くされる（それによって、表示されたエラー通知を強調する）。
【０１９２】
いくつかの実施形態では、ユーザアクティブ化６０５を検出したことに応じて（かつ最低年齢要件が満たされるとの判定に従って）、第１の電子デバイス６００Ａは、図６Ｇに示すように、ディスプレイ６０２上に、チュートリアルの第２のページ６１６を表示する（例えば、第１のページ６１４の表示をそれと置き換える）。
【０１９３】
図６Ｇは、ディスプレイ６０２上に、ＥＣＧ管理機能及び関連するＥＣＧアプリケーションの初期設定を実行するためのチュートリアルの第２のページ６１６（例えば、関連するＥＣＧアプリケーションが第２の電子デバイス６００Ｂなどの第２の電子デバイス上で稼働している、又は起動することができる）を表示する第１の電子デバイス６００Ａを示す。いくつかの実施形態では、チュートリアルの第２のページ６１６は、アプリケーションを使用してキャプチャされた例示的なＥＣＧ情報を（例えば、静止画像を介して、アニメーションを介して）グラフィカルに示すアニメーション領域６１６Ａを含む。いくつかの実施例では、アニメーション領域６１６Ａは、例示的なタコグラムアニメーションを含む。いくつかの実施例では、例示的なタコグラムアニメーションは、アニメーションのタコグラム様部分を追跡することによってアニメーションにわたって連続的に移動する１つ以上のオブジェクトを含む。いくつかの実施形態では、チュートリアルの第２のページ６１６は、ユーザからＥＣＧ情報がどのようにキャプチャされるか、及び記録された生体情報をユーザによってどのように見ることができるかを要約するテキスト記述領域６１６Ｂを含む。いくつかの実施形態では、チュートリアルの第２のページ６１６は、チュートリアルを進めるためのアフォーダンス６１６Ｃを含む。
【０１９４】
図６Ｇでは、ＥＣＧ管理機能及び関連するＥＣＧアプリケーションの初期設定を実行するためのチュートリアルの第２のページ６１６を表示している間に、第１の電子デバイス６００Ａは、チュートリアルを進めるためのアフォーダンス６１６Ｃのユーザアクティブ化６０７を（例えば、タッチ入力を介して）検出する。いくつかの実施形態では、ユーザアクティブ化６０７を検出したことに応じて、デバイスは、図６Ｈに示すように、ディスプレイ６０２上に、チュートリアルの起こり得る結果ページ６１８を表示する（例えば、第１のページ６１６の表示をそれと置き換える）。
【０１９５】
図６Ｈは、ディスプレイ６０２上に、ＥＣＧ管理機能及び関連するＥＣＧアプリケーションの初期設定を実行するためのチュートリアルの起こり得る結果ページ６１８を表示する第１の電子デバイス６００Ａを示す。いくつかの実施形態では、起こり得る結果ページ６１８は、第２の電子デバイス（例えば、第２の電子デバイス６００Ｂ）上の関連するＥＣＧアプリケーションを使用して記録されたＥＣＧ情報に基づいて作成することができる、起こり得る評価結果の複数の表現を含む。
【０１９６】
いくつかの実施形態では、チュートリアルの起こり得る結果ページ６１８に示される起こり得る評価結果の複数の表現は、ＥＣＧ記録からキャプチャされた心拍リズム及び心拍数に対応する起こり得る評価結果を含む。いくつかの実施形態では、第１の起こり得る評価結果は、ユーザのＥＣＧ記録から異常な徴候が判定されなかった結果に対応する「平常のリズム」結果（又は「正常な結果」）である。いくつかの実施形態では、第２の起こり得る評価結果は、ユーザのＥＣＧ記録から異常な心拍リズム徴候（及び場合によっては、高い／低い心拍数徴候）が判定された結果に対応する「異常な心拍リズム」結果（例えば、「心房細動」結果）である。いくつかの実施形態では、第３の起こり得る評価結果は、ユーザのＥＣＧ記録から普通よりも（又は異常に）高い又は低い心拍数（例えば、１５０ＢＰＭを上回る、又は５０ＢＰＭを下回る）が判定された結果に対応する「異常な心拍数」結果（例えば、「高い又は低い心拍数」結果）である。いくつかの実施形態では、第４の起こり得る評価結果は、（例えば、低品質な読み取り値のため）ユーザのＥＣＧ記録から評価結果を判定することができない結果に対応する「不確定」結果である。
【０１９７】
いくつかの実施形態では、図６Ｈに示すように、起こり得る結果ページ６１８は、表現の全てがディスプレイ上で同時に見えるのではない、起こり得る評価結果の複数の表現を示す。図６Ｈでは、第１の評価結果（「平常の」結果）の表現６２０、及び第２の排出結果（「心房細動」結果）の６２２の表現（の一部分）がディスプレイ上で見える。
【０１９８】
いくつかの実施形態では、図６Ｈに示すように、起こり得る結果ページ６１８上に示される起こり得る評価結果の各表現は、その対応する評価結果を表すグラフィカルアニメーション（例えば、タコグラム様アニメーション、鼓動する心臓のアニメーション、特定の周波数でタコグラム様アニメーションにわたって連続的に／繰り返し移動する１つ以上のオブジェクト）を含むアニメーション領域、及びその対応する評価結果の（医学的）特性を説明するテキスト記述の一部分を示すテキスト領域を含む。
【０１９９】
図６Ｈでは、「平常の」結果の表現６２０は、「平常の」結果の例示的なアニメーションを含むアニメーション領域６２０Ａと、「平常の」結果の特性を説明するテキスト記述の一部分を示すテキスト領域６２０Ｂと、を含み、「心房細動」結果の表現６２２は、「心房細動」結果の例示的なアニメーションを含むアニメーション領域６２２Ａと、「心房細動」結果の医学的特性を説明するテキスト記述の一部分を示すテキスト領域６２２Ｂと、を含む。いくつかの実施形態では、アニメーションは、心拍のリズム及び速度を組み合わせて示す、鼓動する心臓のアニメーション及びタコグラム様アニメーションを含む。
【０２００】
いくつかの実施形態では、起こり得る評価結果の表現はまた、（例えば、テキスト領域を拡張することによって）それぞれの評価結果の完全なテキスト記述を表示するための拡張アフォーダンス（例えば、「更に表示」アフォーダンス）も含む。図６Ｈでは、「平常の」結果の表現６２０は、（例えば、タッチ入力を介して）選択されると、「平常の」結果に関する完全なテキスト記述（例えば、テキスト領域６２０Ｂに示されていない追加のテキスト情報を含む）の表示をさせる拡張アフォーダンス６２０Ｃを含み、「心房細動」結果の表現６２２は、（例えば、タッチ入力を介して）選択されると、「心房細動」結果に関する完全なテキスト記述（例えば、テキスト領域６２２Ｂに示されていない追加のテキスト情報を含む）の表示をさせる拡張アフォーダンス６２２Ｃを含む。
【０２０１】
図６Ｉでは、ディスプレイ６０２上で見える表現６２０及び表現６２２を有する起こり得る結果ページ６１８を表示している間に、第１の電子デバイス６００Ａは、スクロール入力６０９（例えば、ディスプレイ上のスクロールタッチジェスチャ）を検出する。スクロール入力６０９を検出したことに応じて、デバイスは、図６Ｊに示すように、他の起こり得る評価結果の１つ以上の他の表現がディスプレイ６０２上で見えるように、起こり得る結果ページ６１８をスクロールする。
【０２０２】
図６Ｊでは、「高い又は低い心拍数」結果の表現６２４が、ディスプレイ６０２上で完全に見える。起こり得る評価結果の他の表現と同様に、表現６２４は、「高い又は低い心拍数」結果の例示的なグラフィカルアニメーションを含むアニメーション領域６２４Ａと、「高い又は低い心拍数」結果の医学的特性を説明するテキスト記述の一部分を示すテキスト領域６２４Ｂと、テキスト記述のテキストの全てを完全に示すためにテキスト領域６２４Ｃを拡張するための拡張アフォーダンス６２４Ｃとを含む。また、図６Ｊでは、「心房細動」の表現６２２は、ディスプレイ上で完全に見えるままであり、「不確定」結果の表現６２６の一部分のみが、ディスプレイ上で見える。
【０２０３】
図６Ｋでは、ディスプレイ６０２上で見える「心房細動」結果の表現６２０を有する起こり得る結果ページ６１８を表示している間に、第１の電子デバイス６００Ａは、（例えば、ユーザが「心房細動」結果を説明するテキスト記述のテキストの全てを見ることを望むため）拡張アフォーダンス６２２Ｃのユーザアクティブ化６１１を（例えば、タッチ入力を介して）検出する。図６Ｌに示すように、拡張アフォーダンス６２２Ｃのユーザアクティブ化６２２Ｃを検出したことに応じて、第１の電子デバイス６００Ａは、「心房細動」結果の表現６２２のテキスト領域６２２Ｂを拡張して、テキスト記述のテキスト全体を表示する。いくつかの実施形態では、テキスト領域を拡張すると、拡張アフォーダンスは、表現から除去される。いくつかの実施形態では、テキスト領域を拡張すると、拡張アフォーダンスは、収縮アフォーダンス（例えば、「より少なく表示」アフォーダンス）と置き換えられる。
【０２０４】
図６Ｍでは、ディスプレイ６０２上に、「心房細動」結果の表現６２２の拡張されたテキスト領域６２２Ｃを有する起こり得る結果ページ６１８を表示している間に、第１の電子デバイスは、スクロール入力６１３（例えば、スクロールタッチジェスチャ）を（例えば、ディスプレイのタッチ層を介して）検出する。スクロール入力６１３を検出したことに応じて、デバイスは、図６Ｎに示すように、「不確定」結果の表現６２６の全てがディスプレイ上で見えるように、起こり得る結果ページ６１８をスクロールする。
【０２０５】
図６Ｎでは、「不確定」結果の表現６２６は、ディスプレイ６０２上で完全に見える。起こり得る評価結果の他の表現と同様に、表現６２６は、「不確定」結果の例示的なグラフィカルアニメーションを含むアニメーション領域６２６Ａと、「不確定」結果の医学的特性を説明するテキスト記述の一部分を示すテキスト領域６２６Ｂと、テキスト記述のテキストの全てを完全に示すためにテキスト領域６２６Ｃを拡張するための拡張アフォーダンス６２６Ｃとを含む。いくつかの実施形態では、起こり得る結果ページ６１８は、（例えば、ページの底部に）チュートリアルを進めるためのアフォーダンス６２８を含む。
【０２０６】
いくつかの実施形態では、上述したように、起こり得る結果ページ６１８上の起こり得る評価結果の複数の表現６２０〜６２６の（アニメーション領域６２０Ａ〜６２６Ａの）アニメーションは、心拍のリズム及び速度を組み合わせて示す、鼓動する心臓のアニメーション及びタコグラム様アニメーションを含む。いくつかの実施形態では、アニメーションは同期される。いくつかの実施例では、各アニメーションは、繰り返しループを含み、各ループは、タコグラム様アニメーションを追跡しながら、鼓動する心臓のアニメーションを出てスクリーンを横切って移動する、オブジェクト（例えば、円形のオブジェクト）からなる。（表現６２０〜６２６の）複数のアニメーションの繰り返しループは、同期した時間間隔で開始及び終了するように同期される。
【０２０７】
図６Ｎでは、ディスプレイ６０２上に、チュートリアルを進めるための起こり得る結果ページ６１８のアフォーダンス６２８を表示している間に、第１の電子デバイス６００Ａは、チュートリアルを進めるためのアフォーダンス６２８のユーザアクティブ化６１５を（例えば、タッチ入力を介して）検出する。ユーザアクティブ化６１５を検出したことに応じて、第１の電子デバイス６００Ａは、図６Ｏに示すように、ディスプレイ６０２上に、制限ページ６３０を表示する（例えば、起こり得る結果ページ６１８の表示をそれと置き換える）。
【０２０８】
いくつかの実施形態では、制限ページ６３０は、第２の電子デバイス（例えば、第２の電子デバイス６００Ｂ）上で取られたＥＣＧ記録から判定される評価結果のいくつかの制限を（例えば、テキスト記述を介して）ユーザに示す。いくつかの実施例では、制限ページ６３０は、記録されたＥＣＧ情報から判定することができない１つ以上の医学的特性（例えば、心臓発作、血栓／脳卒中）のリスト６３０Ａを含む。いくつかの実施形態では、制限ページ６３０は、（例えば、ページの底部に）チュートリアルを進めるためのアフォーダンス６３０Ｂを含む。
【０２０９】
図６Ｏでは、ディスプレイ６０２上に、制限ページ６３０を表示している間に、第１の電子デバイス６００Ａは、チュートリアルを進めるためのアフォーダンス６３０Ｂのユーザアクティブ化６１７を（例えば、タッチ入力を介して）検出する。いくつかの実施形態では、アフォーダンス６３０Ｂのユーザアクティブ化６１７を検出したことに応じて、デバイスは、図６Ｐに示すように、ディスプレイ６０２上に、命令ページ６３２を表示する。
【０２１０】
いくつかの実施形態では、（図６Ｆ、図６Ｇ、図６Ｈ、及び図６Ｏそれぞれに示すような）チュートリアルのページ６１４、６１６、６１８、及び／又は６３２のうちの１つ以上は、取消アフォーダンスを含む。いくつかの実施形態では、（例えば、チュートリアルのページ６１４、６１６、６１８、及び／又は６３２のいずれか１つの）取消アフォーダンスのユーザ選択を検出すると、第１の電子デバイス６００Ａは、図６Ｑに示すように、ディスプレイ６０２上に、通知６５３を表示する。いくつかの実施形態では、通知６５３は、チュートリアルを通した現在の進行は失われることになり、ユーザが第２の電子デバイス６００Ｂ上でＥＣＧ記録を取り始めるために、初期設定プロセスを再び開始する必要があることをユーザに通知する、インジケーション６５３Ａ（例えば、「ここで取り消す場合、度設定を行った後にＥＣＧ記録を取ることができます」と記述する）を含む。いくつかの実施形態では、通知６５３は、設定プロセスの取消を確認する、したがってチュートリアルを出るための確認アフォーダンス６５３Ｂ（例えば、「後で設定する」と記述する）を含む。いくつかの実施形態では、通知６５３を表示している間に、ディスプレイの背景は、暗くされる（それによって通知６５３を強調する）。
【０２１１】
図６Ｐは、ディスプレイ６０２上に、命令ページ６３２を表示する第１の電子デバイス６００Ａを示す。いくつかの実施形態では、命令ページ６３２は、グラフィカルインジケーション領域６３２Ａ、及び第２の電子デバイス（例えば、第２の電子デバイス６００Ｂ）を使用してＥＣＧ記録を進める方法に関する命令を提供するテキストインジケーション領域６３２Ｂを含む。いくつかの実施例では、グラフィカルインジケーション領域６３２Ａは、チュートリアルの第１のページ６１４のグラフィカルインジケーション領域６１４Ａに対応し、ユーザが第２の電子デバイス（例えば、第２の電子デバイス６００Ｂ）を使用してＥＣＧ記録を取ることを（例えば、静止画像を介して、アニメーションを介して）グラフィカルに示す。いくつかの実施例では、テキストインジケーション領域６３２Ｂは、例えば、第１の電子デバイス６００Ａとペアリングされた１つ以上の生体センサを有するスマートウォッチ（例えば、第２の電子デバイス６００Ｂ）であり得る、第２の電子デバイス上でＥＣＧ記録を実行するために必要なステップを含む命令のリストを含む。
【０２１２】
いくつかの実施形態では、命令ページ６３２は、ユーザが第１のＥＣＧ記録を取ることを後に延期することを可能にする（したがって、ユーザが第１のＥＣＧ記録を実行することなく初期設定プロセスを完了することを可能にする）延期アフォーダンス６３２Ｃ（例えば、「後で記録を取る」を示す）を含む。いくつかの実施形態では、命令ページ６３２を表示している間に、第１の電子デバイス６００Ａは、延期アフォーダンス６３２Ｃのユーザアクティブ化６３１を（例えば、タッチ入力を介して）検出する。
【０２１３】
いくつかの実施形態では、延期アフォーダンス６３２Ｃのユーザアクティブ化６３１を検出したことに応じて、第１の電子デバイス６００Ａは、図６Ｒに示すように、ディスプレイ６０２上に、確認通知６３３を表示する。いくつかの実施形態では、確認通知６３３は、命令ページ６３２上に重ね合わされる。いくつかの実施形態では、確認通知６３３は、初期設定プロセスが完了し、かつ第２の電子デバイス（例えば、第２の電子デバイス６００Ｂ）が現在ＥＣＧ記録を実行することが可能になっていることをユーザに示す、テキストインジケーション６３３Ａを含む。いくつかの実施形態では、確認通知６３３は、（第１のＥＣＧ記録を取ることなく）ＥＣＧ初期設定プロセスの完了を了解し、かつ設定プロセスを出るための、確認アフォーダンス６３３Ｂを含む。いくつかの実施形態では、確認通知６３３に加えて、デバイスは、確認通知６３３を破棄して出て、命令ページ６３２に戻るための、取消アフォーダンス６３５を表示する。いくつかの実施形態では、確認通知６３３（及び、取消アフォーダンス６３５）を表示している間に、ディスプレイの背景（命令ページ６３２を表示する）は、暗くされる（それによって、表示された確認通知を強調する）。
【０２１４】
図６Ｓ〜図６Ｘは、ディスプレイ６３４及び１つ以上の入力デバイス（例えば、ディスプレイ６３４のタッチ層及び押圧可能な回転クラウンなどの１つ以上の機械的ボタンを含む）を有する第２の電子デバイス６００Ｂ（例えば、スマートウォッチ）を示す。いくつかの実施形態では、第２の電子デバイス６００Ｂは、第２の電子デバイス６００Ｂの入力デバイス６３６（例えば、押圧可能な回転クラウンなどの機械的入力デバイス）に一体化された１つ以上の電極を含む（例えば、ＥＣＧ情報を記録するための、ユーザの心拍リズム及び心拍数を検出するための）１つ以上の生体センサを含む。いくつかの実施形態では、第２の電子デバイス６００Ｂの１つ以上の生体センサは、第２の電子デバイス６００Ｂの筐体部分（例えば、バックプレート）の（例えば、それに一体化された）１つ以上の電極を更に含み、入力デバイスに一体化された１つ以上の電極は、筐体部分の１つ以上の電極と連携して動作して、生体情報（例えば、ＥＣＧ情報）をキャプチャする。生体情報（例えば、ＥＣＧ情報）をキャプチャするために使用される第２の電子デバイス６００Ｂの１つ以上の生体センサに関する特徴は、付属書類Ａでより詳細に説明する。図６Ｓでは、第２の電子デバイス６００Ｂは、時計文字盤ユーザインタフェース６３８（例えば、デバイスの時刻画面）を表示している。
【０２１５】
図６Ｓでは、ロックユーザインタフェース６３８を表示している間に、第２の電子デバイス６００Ｂは、入力デバイス６３６上のユーザ入力６１９を検出する。いくつかの実施形態では、ユーザ入力６１９は、（例えば、押圧の力が入力デバイス６３６の「クリック」を生じさせる閾値量を超えるように）入力デバイス６３６の単一の押圧である。いくつかの実施形態では、入力デバイス６３６上のユーザ入力６１９を検出したことに応じて、第２の電子デバイスは、図６Ｔに示すように、ディスプレイ６３４上に、ホームユーザインタフェース６４０（例えば、デバイスのホーム画面に対応する、デバイス上にインストールされ、かつデバイス上で起動することができるアプリケーションに対応する複数のアイコンを含む画面）を表示する（例えば、ロックユーザインタフェース６３８の表示とそれを置き換える）。ホームユーザインタフェース６４０は、デバイス上にインストールされたＥＣＧアプリケーションに対応するアイコン６４２（例えば、心臓でグラフィカルに描かれたアイコン）を含み、第２の電子デバイス６００Ｂ上のＥＣＧアプリケーションは、第１の電子デバイス６００Ａ上にインストールされたヘルスアプリケーションのＥＣＧ管理機能に関連付けられている。
【０２１６】
図６Ｔでは、ディスプレイ６３４上に、ＥＣＧアプリケーションに対応するアイコン６４２を表示している間に、第２の電子デバイス６００Ｂは、アイコン６４２のユーザアクティブ化６２１を（例えば、タッチ入力を介して）検出する。アイコン６４２のユーザアクティブ化を検出したことに応じて、デバイスは、図６Ｕに示すように、ＥＣＧアプリケーションを起動して表示し、ディスプレイ６３４上に、ＥＣＧアプリケーションのユーザインタフェース６４４を表示する（例えば、ホームユーザインタフェース６４０をそれと置き換える）。
【０２１７】
いくつかの実施形態では、ＥＣＧアプリケーションのユーザインタフェース６４４は、特定の形状（例えば、心臓）を描写するアニメーション６４６（例えば、流動的なアニメーション）を含む。いくつかの実施例では、図６Ｕに示すように、アニメーション６４６は、特定の形状（例えば、心臓）を形成する複数の動的オブジェクト（例えば、円形のオブジェクト）を含み、この形状は、三次元的に見え、複数の動的オブジェクトが形状の構造を維持しながら常に移動する際に視覚的に流動的である。
【０２１８】
いくつかの実施形態では、第２の電子デバイス６００Ｂ上のＥＣＧアプリケーションの起動及び表示から所定の時間（例えば、５秒）が経過した後（だが、デバイスはユーザからの任意の追加入力を検出していない）、第２の電子デバイス６００Ｂは、ユーザインタフェース６４４上に（かつアニメーション６４６の表示を維持している間に）、図６Ｖに示すように、デバイスを使用してＥＣＧ情報を記録することを進めるためにアクションが（ユーザによって）実行されなければならないことをユーザに示す通知メッセージ６４８（例えば、「クラウン上にあなたの指を保持してください」）を表示する。いくつかの実施形態では、ユーザは、通知メッセージ６４８によって命令されるように、ＥＣＧ情報の記録を進めるために、第１の入力デバイス６３６（例えば、第２の電子デバイス６００Ｂの筐体部分（例えば、バックプレート）の１つ以上の電極と連携して動作する１つ以上の一体化された電極を含む）上でユーザ入力（例えば、指の接触又はタッチ）を提供する。
【０２１９】
図６Ｗは、ディスプレイ６０２上に、チュートリアルの記録進行中ページ６９４を表示する第１の電子デバイス６００Ａを示す。いくつかの実施形態では、第２の電子デバイス６００Ｂ上でＥＣＧ情報を記録している間に、第１の電子デバイス６００Ａは、ＥＣＧアプリケーションに関連付けられたヘルスアプリケーションの記録進行中ページ６９４内に、ＥＣＧ記録が第２の電子デバイス６００Ｂ上で実行されているというインジケーション６９６を表示する。いくつかの実施例では、インジケーション６９６は、グラフィカルインジケーション部分（例えば、記録を実行するために使用されているデバイスに対応する画像を示す）及びテキストインジケーション部分（例えば、「記録進行中」と記述する）を含む。
【０２２０】
図６Ｗはまた、ＥＣＧ記録（例えば、入力デバイス６３６上のユーザ入力６２９に対応する）が実行されている間に、ディスプレイ６３４上に、ＥＣＧアプリケーションのユーザインタフェース６４４を表示する第２の電子デバイス６００Ｂを示す。いくつかの実施形態では、ＥＣＧ情報を記録している間に、第２の電子デバイス６００Ｂは、記録によって検出されている心拍数を示すＢＰＭインジケータ６９８を表示する。いくつかの実施形態では、ＥＣＧ情報を記録している間に、第２の電子デバイス６００Ｂは、（例えば、記録時に、心臓などのその初期形状からグリッド状パターンに遷移する）アニメーション６４６の上に、進行中の記録をグラフィカルに描写するタコグラム６９９を更に表示する。いくつかの実施形態では、ＥＣＧ情報を記録している間に、タイマー６９７は、（例えば、カウントダウンすることによって）記録を正常に完了するための残りの時間を連続的に反映する。（例えば、第２の電子デバイス６００Ｂなどのデバイス上で）ＥＣＧ記録を実行する態様に関する特徴は、図８Ａ〜図８Ｓ、図１０Ａ〜図１０Ｊ、及び図１２Ａ〜図１２Ｓで以下により詳細に説明する。
【０２２１】
図６Ｘは、図６ＷのＥＣＧ記録形態を完了した（直）後の第１の電子デバイス６００Ａ及び第２の電子デバイス６００Ｂを示す。いくつかの実施形態では、ＥＣＧ記録を完了すると、第２の電子デバイス６００Ｂは、ＥＣＧ記録のデータを第１の電子デバイス６００Ａに（例えば、Ｂｌｕｅｔｏｏｔｈ（登録商標）接続を介して）送信する。いくつかの実施形態では、ＥＣＧ記録を完了すると、第２の電子デバイス６００Ｂは、ＥＣＧ記録のデータを外部サーバに（例えば、ＬＴＥ接続又はＷｉＦｉ（登録商標）接続を介して）送信し、外部サーバはまた、第１の電子デバイス６００Ａによってアクセス可能である。いくつかの実施形態では、第２の電子デバイス６００Ｂは、複数のＥＣＧ記録を記録してローカルで記憶し、複数のＥＣＧ記録を第１の電子デバイス６００Ａに送信することができる。
【０２２２】
いくつかの実施形態では、ＥＣＧ記録を完了した（直）後に、第１の電子デバイス６００Ａは、チュートリアルの概要ページ６９５を表示し、概要ページ６９５は、完了した記録の表現６９３を含む。いくつかの実施形態では、表現６９３は、評価結果（例えば、「平常のリズム」）、（例えば、ＢＰＭ単位の）心拍数読み取り値、及び記録のグラフィカル描写（例えば、タコグラム）を含む。いくつかの実施形態では、チュートリアルの概要ページ６９５は、概要ページを出るためのアフォーダンス６９３を含む。いくつかの実施形態では、第１の電子デバイス６００Ａの概要ページ６９５は、（チュートリアルを完了した後に）チュートリアルを出るための完了ボタン６９１を含む。いくつかの実施形態では、ユーザが第１のＥＣＧ記録を取ることなくチュートリアルが完了した場合、図６Ｒを参照して説明したように、概要ページ６９５の表現６３９は、評価結果、心拍数読み取り値、及び記録のグラフィカル描写のインジケーションなしに表示される（例えば、評価結果、心拍数読み取り値、及びグラフィカル描写フィールドは空白である）。
【０２２３】
いくつかの実施形態では、ＥＣＧ記録を完了した（直）後に、第２の電子デバイス６００Ｂは、対応する概要ページ６８９の少なくとも一部分を（例えば、その初期パターンのアニメーション６４６（例えば、図６Ｖに示すような流動的な心臓形状パターン）を有するＥＣＧアプリケーションのユーザインタフェース６４４の上に）表示する。いくつかの実施形態では、概要ページ６８９は、評価結果（例えば、「平常の結果」）及び完了した記録に関する他の関連情報を含む。いくつかの実施形態では、概要ページ６８９は、ディスプレイの縁部（例えば、ディスプレイの底縁部）からディスプレイ上にスライドする。デバイス（例えば、第２の電子デバイス６００Ｂ）上で実行されているＥＣＧ記録の態様に関する特徴は、図１２Ａ〜図１２Ｓで以下により詳細に説明する。
【０２２４】
いくつかの実施形態では、ユーザは、第２の電子デバイス６００Ｂ上のＥＣＧアプリケーションを使用して複数のＥＣＧ記録を実行することができる。いくつかの実施形態では、複数のＥＣＧ記録は、第１の電子デバイス６００Ａ上のヘルスアプリケーションのＥＣＧ管理機能を介して閲覧及び管理するために、第２の電子デバイス６００Ｂから第１の電子デバイス６００Ａ（又は第１の電子デバイス６００Ａによってアクセス可能な外部サーバ）に送信される。
【０２２５】
図６Ｙは、ディスプレイ６０２上に、第２のデバイス６００Ｂを使用していくつかのＥＣＧ読み取りを実行した後に、（例えば、第２の電子デバイス６００Ｂ上のＥＣＧアプリケーションと関連付けられている）ヘルスアプリケーションのヘルスデータユーザインタフェース６５０を表示する第１の電子デバイス６００Ａを示す。いくつかの実施形態では、ヘルスアプリケーションは、第１の電子デバイス６００Ａのオペレーティングシステムのホームユーザインタフェース上の対応するアイコンを介してアクセス可能である。
【０２２６】
いくつかの実施形態では、ヘルスアプリケーションのヘルスデータユーザインタフェース６５０は、心臓のヘルス情報を閲覧及び管理するためのアフォーダンス６５０Ａ（例えば、「心臓」と記述する）を含む。図６Ｙでは、ヘルスデータユーザインタフェース６５０を表示している間に、第１の電子デバイス６００Ａは、アフォーダンス６５０Ａのユーザアクティブ化６２３を（例えば、タッチ入力を介して）検出する。ユーザアクティブ化６２３を検出したことに応じて、デバイスは、ディスプレイ６０２上に、ヘルスアプリケーションの心臓固有の機能に対応する心臓データユーザインタフェース６５２を表示する。
【０２２７】
いくつかの実施形態では、第１の電子デバイス６００Ａ上のヘルスアプリケーションの心臓データユーザインタフェース６５２は、心拍数アフォーダンス６５４を含む。いくつかの実施形態では、心拍数アフォーダンス６５４は、特定の期間（例えば、今日）中に（例えば、第２の電子デバイス６００Ｂを介して）測定されたユーザの心拍数の範囲のインジケーションを含む。いくつかの実施形態では、心拍数アフォーダンス６５４上のユーザ選択を検出したことに応じて、心臓データユーザインタフェース６５２は、ユーザインタフェースのグラフィカル描写領域６５６内に心拍数アフォーダンス６５４によって要約された心拍数情報のグラフィカル描写を表示する（かつ異なる色などの特定の視覚的特性によりアフォーダンスを更に強調して、心拍数アフォーダンスが現在ユーザによって選択されていることをユーザに示す）。
【０２２８】
いくつかの実施形態では、第１の電子デバイス６００Ａ上のヘルスアプリケーションの心臓データユーザインタフェース６５２は、ＥＣＧアフォーダンス６５８を含む。いくつかの実施形態では、ＥＣＧアフォーダンス６５８は、特定の期間（例えば、今日）中に実行された１つ以上のＥＣＧ記録から判定された心臓の健康評価結果の概要（例えば、「平常の」結果、「心房細動」結果、「高い又は低い心拍数」結果、「不確定」結果）、及びその期間中に取られた記録の数（例えば、「２つの読み取り値」）を含む。いくつかの実施形態では、ＥＣＧアフォーダンス６５８は、（例えば、第２の電子デバイス６００Ｂ上でユーザによって以前に実行された）既存のＥＣＧ記録に関する情報を閲覧及び管理するための情報アフォーダンス６５８Ａを含む。
【０２２９】
図６Ｚでは、ディスプレイ６０２上で見えるＥＣＧアフォーダンス６５８を有する心臓データユーザインタフェース６５２を表示している間に、第１の電子デバイス６００Ａは、ＥＣＧアフォーダンス６５８の情報アフォーダンス６５８Ａのユーザアクティブ化６２５を（例えば、タッチ入力を介して）検出する。情報アフォーダンス６５８Ａのユーザアクティブ化６２５を検出したことに応じて、第１の電子デバイス６００Ａは、図６ＡＡに示すように、ディスプレイ６０２上に、ＥＣＧ管理ユーザインタフェース６６０を表示する。
【０２３０】
いくつかの実施形態では、ＥＣＧ管理ユーザインタフェース６６０は（最初に）、第２の電子デバイス６００Ｂ上で実行された対応する直近のＥＣＧ記録から判定された直近の評価結果の所定の数（例えば、３つ）の表現を表示する。いくつかの実施形態では、直近の評価結果の表現は、記録をグラフィカルに描写するグラフィカル部分（例えば、タコグラム）と、評価結果のタイプ（例えば、「平常の」結果、「心房細動」結果、「高い又は低い心拍数」結果、「不確定」結果）及び測定された（例えば、ＢＰＭ単位の）心拍数を示すテキスト部分とを含む。いくつかの実施形態では、直近の評価結果の表現は、結果に関連付けられた１つ以上のユーザ指定の症状及び／又は結果に関連付けられたユーザ指定の症状の数のインジケーションを含む。いくつかの実施形態では、ユーザが結果に関連付けられる症状がないと指定した場合、結果の対応する表現内に「症状なし」インジケーションが示される。いくつかの実施形態では、ユーザが結果に関する任意の症状を指定しなかった（又は結果に関する症状がないことを示す）場合、結果の対応する表現内に症状インジケーションは示されない。それぞれの評価結果に関する症状のユーザ選択に関する特徴は、図１２Ａ〜図１２Ｓを参照してより詳細に説明する。
【０２３１】
いくつかの実施形態では、第１の電子デバイス６００Ａは、情報アフォーダンス６５８Ａに対応しないアフォーダンス上の位置でのＥＣＧアフォーダンス６５８のユーザアクティブ化を検出する。いくつかの実施形態では、ユーザアクティブ化に応じて、第１の電子デバイス６００Ａは、図６Ｚのグラフィカル描写領域６５６に示す心拍数情報の表示をグラフィカル形態での心拍リズム情報と置き換える。
【０２３２】
図６ＡＡでは、心拍リズムデータユーザインタフェース６６０は、直近のＥＣＧ記録に対応する表現６６２Ａと、２番目に直近のＥＣＧ記録に対応する表現６６２Ｂと、３番目に直近のＥＣＧ記録に対応する表現６６２Ｃとを示す。いくつかの実施例では、表現６６２Ａは、７４ＢＰＭの心拍数測定値及び結果に対して選択された２つの症状のインジケーションを有する「平常の」結果に対応する。いくつかの実施例では、表現６６２Ｂは、結果に対して判定された心拍数測定値を有さず、かつ結果に対してユーザによって具体的に示された「症状なし」を有する、「不確定」結果に対応する。いくつかの実施例では、表現６６２Ｃは、ユーザが結果に関して任意の症状又は症状がないか否かを指定しなかったため、１１１ＢＰＭの心拍数測定値を有し、かつインジケーションがない又は０以上の選択された症状を有する、「心房細動」結果に対応する。更に、いくつかの実施例では、「心房細動」結果が異常な結果であるため、表現６６２Ｃの少なくとも一部分は、デフォルトの視覚的特性とは異なる特定の視覚的特性（例えば、黄色などの警告色）で強調される。
【０２３３】
いくつかの実施形態では、ＥＣＧ管理ユーザインタフェース６６０はまた、追加の／異なる過去の評価結果の追加の／異なる表現を閲覧し、既存の評価結果を分類／フィルタリングするための、複数のアフォーダンスを含む。いくつかの実施例では、ＥＣＧ管理ユーザインタフェース６６０は、ユーザによって実行された全ての過去のＥＣＧ記録の表現を表示するための「全ての結果を表示」アフォーダンス６６４Ａ（例えば、関連する既存の記録の数も示す）を含む。いくつかの実施例では、ＥＣＧ管理ユーザインタフェース６６０は、「平常の」結果（例えば、表現６６２Ａ）に対応する既存のＥＣＧ記録の全ての表現を表示する（例えば、既存の記録をフィルタリングして表示する）ための第１のフィルタアフォーダンス６６４Ｂを含む。いくつかの実施例では、ＥＣＧ管理ユーザインタフェース６６０は、「心房細動」結果（例えば、表現６６２Ｃ）に対応する既存のＥＣＧ記録の全ての表現を表示する（例えば、既存の記録をフィルタリングして表示する）ための第２のフィルタアフォーダンス６６４Ｃを含む。いくつかの実施例では、ＥＣＧ管理ユーザインタフェース６６０は、「心房細動」結果（例えば、表現６６２Ｃ）に対応する既存のＥＣＧ記録の全ての表現を表示する（例えば、既存の記録をフィルタリングして表示する）ための第２のフィルタアフォーダンス６６４Ｃを含む。いくつかの実施例では、ＥＣＧ管理ユーザインタフェース６６０は、「心房細動」結果及び「高い心拍数」（例えば、１５０ＢＰＭを超える心拍数）結果の両方に対応する既存のＥＣＧ記録の全ての表現を表示する（例えば、既存の記録をフィルタリングして表示する）ための第３のフィルタアフォーダンス６６４Ｄを含む。いくつかの実施例では、ＥＣＧ管理ユーザインタフェース６６０は、「高い心拍数」（例えば、１５０ＢＰＭを超える心拍数）結果及び「低い心拍数」（例えば、５０ＢＰＭ未満の心拍数）結果の両方に対応する既存のＥＣＧ記録の全ての表現を表示する（例えば、既存の記録をフィルタリングして表示する）ための第４のフィルタアフォーダンス６６４Ｅを含む。いくつかの実施例では、ＥＣＧ管理ユーザインタフェース６６０は、「高い心拍数」（例えば、１５０ＢＰＭを超える心拍数）結果に対応する既存のＥＣＧ記録の全ての表現を表示する（例えば、既存の記録をフィルタリングして表示する）ための第５のフィルタアフォーダンス６６４Ｆを含む。いくつかの実施例では、ＥＣＧ管理ユーザインタフェース６６０は、「低い心拍数」（例えば、５０ＢＰＭ未満の心拍数）結果に対応する既存のＥＣＧ記録の全ての表現を表示する（例えば、既存の記録をフィルタリングして表示する）ための第６のフィルタアフォーダンス６６４Ｇを含む。いくつかの実施例では、ＥＣＧ管理ユーザインタフェース６６０は、「不確定」結果（例えば、測定された心拍数が評価結果を判定するには高すぎる又は低すぎるため、キャプチャされたＥＣＧ情報が評価結果を判定するためには不完全かつ／又は読み取り不可能であったため）に対応する既存のＥＣＧ記録の全ての表現を表示する（例えば、既存の記録をフィルタリングして表示する）ための第７のフィルタアフォーダンス６６４Ｈを含む。
【０２３４】
図６ＡＢでは、ディスプレイ６０２上にＥＣＧ管理ユーザインタフェース６６０を表示している間に、第１の電子デバイス６００Ａは、（７４ＢＰＭの心拍数測定値及び結果に対して選択された２つの症状のインジケーションを有する「平常の」結果に対応する）表現６６２Ａのユーザ選択６２７を（例えば、タッチ入力を介して）検出する。ユーザ選択６２７を検出したことに応じて、第１の電子デバイス６００Ａは、図６ＡＣに示すように、ディスプレイ６０２上に、選択された評価結果に対応する詳細ページ６６６を表示する（例えば、ＥＣＧ管理ユーザインタフェース６６０の表示をそれと置き換える）。
【０２３５】
いくつかの実施形態では、詳細ページは、選択された評価結果に関連付けられた１つ以上の説明的項目（例えば、タコグラム、評価結果のタイプ、結果の測定されたＢＰＭ、心房細動の存在の欠如の存在、１つ以上の選択された症状）を含む。詳細ページ６６６は、「平常の」結果である（図６ＡＢからの）表現６６２Ａの評価結果に対応する。いくつかの実施例では、詳細ページ６６６は、この平常の結果の記録（例えば、測定された心拍リズム及び心拍数データを表すタコグラム）をグラフィカルに描写するアニメーション６６８Ａと、記録の判定された評価結果（「平常の」結果）を示すインジケーション６６８Ｂと、ＥＣＧ記録から１つ以上の特定の医学的特性（例えば、心房細動）が判定されたか否かを示すインジケーション６６８Ｃ（例えば、「この記録は心房細動の徴候を示さなかった」）と、ＥＣＧ記録に関連付けられたユーザ指定の症状（例えば、「胸痛」及び「息切れ」）を示す（又は列挙する）インジケーション６６８Ｄと、を含む。
【０２３６】
いくつかの実施形態では、詳細ページ（例えば、詳細ページ６６６）は、対応する評価結果の一般的な医学的特性を説明するテキスト記述の表示を引き起こす情報アフォーダンス６７０を含む。いくつかの実施例では、テキスト記述は、図６Ｈ〜図６Ｎを参照して上述したように、チュートリアルの起こり得る結果ページ６１８の拡張されたテキスト領域内に表示される完全なテキスト記述に対応する。
【０２３７】
いくつかの実施形態では、詳細ページ（例えば、詳細ページ６６６）は、対応するＥＣＧ記録を要約する文書（例えば、ＰＤＦ文書）を指定された外部ソースと共有する（例えば、文書を電子メールアカウントに送信する）ための共有アフォーダンス６７２を含む。指示された外部ソースへの送信のために生成された例示的な文書を図６ＡＤに示す。いくつかの実施形態では、共有アフォーダンス６７２のユーザ選択を検出したことに応じて、第１の電子デバイス６００Ａは、文書を生成し、ユーザが生成された文書の意図された受信者への（自動）送信のために意図された受信者（例えば、電子メールアカウント）を入力することを可能にする。
【０２３８】
いくつかの実施形態では、詳細ページ（例えば、詳細ページ６６６）は、（例えば、即時の診療を求めるための、９１１に連絡するための）緊急連絡先アフォーダンス６７４を含む。いくつかの実施形態では、緊急連絡先アフォーダンス６７４のユーザ選択を検出したことに応じて、第１の電子デバイス６００Ａは、緊急連絡先（例えば、９１１）への通話を開始する。
【０２３９】
いくつかの実施形態では、詳細ページ（例えば、詳細ページ６６６）は、ＥＣＧ記録に関連する１つ以上の情報項目（例えば、記録を実行するために使用されたデバイス、記録の時刻、記録を実行するために使用されたデバイスのオペレーティングシステム）を示すメタデータリスト６７６を含む。
【０２４０】
いくつかの実施形態では、詳細ページ（例えば、詳細ページ６６６）は、（例えば、第１の電子デバイス６００Ａ上のローカル記憶装置から、第２の電子デバイス６００Ｂなどの記録を実行するために使用された第２の電子デバイス上のローカル記憶装置から、外部サーバ上のリモート記憶装置から）ＥＣＧ記録を削除するための削除アフォーダンス６７８を含む。
【０２４１】
図６ＡＤは、詳細ページ６６６から共有アフォーダンス６７２のユーザ選択を検出したことに応じて生成された文書６８０（例えば、ＰＤＦ文書）を示す。いくつかの実施例では、文書６８０は、基本ユーザ情報６８２（例えば、ユーザの名前、ユーザの生年月日）を含む。いくつかの実施例では、文書６８０は、ＥＣＧ記録の評価結果６８４（例えば、「平常の」結果、「心房細動」結果、「高い又は低い心拍数」結果、「不確定」結果）を含む。いくつかの実施例では、文書６８０は、（例えば、ＢＰＭ単位のＥＣＧ記録の心拍数測定値６８６を含む。いくつかの実施例では、文書６８０は、ＥＣＧ記録の時刻６９４を含む。いくつかの実施例では、文書６８０は、ＥＣＧ記録に対してユーザによって選択された症状のリスト６８８を含む。いくつかの実施例では、文書６８０は、ＥＣＧ記録のタコグラム６９０（例えば、フィルタリングされていない、全タコグラム）を含む。いくつかの実施例では、文書６８０は、タコグラム６９０を説明する表記情報６９２を含む。
【０２４２】
いくつかの実施形態では、第１の電子デバイス６００Ａは、第２の電子デバイス６００Ｂ上のＥＣＧ記録機能を（例えば、図６Ａを参照して説明したヘルスアプリケーション及び／又はペアリングされたデバイスのアプリケーションを介して）有効化及び無効化することができる。いくつかの実施形態では、（第１の電子デバイス６００Ａによって）ＥＣＧ記録機能が無効化されている間に第２の電子デバイス６００Ｂ上でＥＣＧアプリケーションが起動されると、第２の電子デバイス６００Ｂは、図６ＡＥに示すように、ディスプレイ６３４上に、（第１の電子デバイス６００Ａによって）ＥＣＧ記録機能が無効化されているのでＥＣＧ記録を実行することができないことを（例えば、「ＥＣＧアプリケーションはリモートで無効化されている」と記述するテキストを介して）ユーザに示すエラー通知ユーザインタフェース６３７を表示する。
【０２４３】
図７Ａ〜図７Ｃは、いくつかの実施形態に係る、ヘルスモニタリングの初期設定の方法を示すフロー図である。方法７００は、ディスプレイと、１つ以上の入力デバイス（例えば、生体センサ、ディスプレイのタッチ層）とを有する第１の電子デバイス（例えば、１００、３００、５００、６００Ａ）において実行され、第１の電子デバイスは、第２の電子デバイス（例えば、６００Ｂ）とペアリングされている。方法７００のいくつかの動作は、任意選択的に組み合わされ、いくつかの動作の順序は、任意選択的に変更され、いくつかの動作は、任意選択的に省略される。
【０２４４】
後述するように、方法７００は、ヘルスモニタリングを管理するための直感的方法を提供する。この方法は、ヘルスモニタリングを管理する際のユーザの認識的負担を軽減し、それによって、より効率的なヒューマン−マシンインタフェースを作り出す。バッテリ動作式のコンピューティングデバイスの場合には、ユーザがヘルスモニタリングをより高速かつより効率的に管理することを可能にすることにより、電力が節約され、バッテリ充電の間隔が増す。
【０２４５】
第１の電子デバイス（例えば、６００Ａ）は、ディスプレイ（例えば、６０２）上に、第２の電子デバイス（例えば、６００Ｂ）の機能（例えば、心拍リズム情報（心電図）又は心拍数情報（ＢＰＭ）を測定すること）（例えば、第２の電子デバイスの１つ以上の生体センサを使用して実行される機能）を使用するための、チュートリアルの第１の部分（例えば、６１４、６１６、６１８、６３０、６３２）を表示する（７０６）。第２の電子デバイスの機能を使用するためのチュートリアルの第１の部分を表示することにより、初期化プロセスを正常に完了させる方法に関するガイダンスを提供し、かつ（例えば、機能を使用する方法を学習するために、なんらガイダンスなしにユーザに機能を試験させることなく）機能を使用することに関する重要な背景情報を提供することによって、機能を使用するための、ユーザが第１の電子デバイス（例えば、６００Ａ）及び第２の電子デバイス（例えば、６００Ｂ）を初期化するために必要な入力の数を低減する。動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０２４６】
いくつかの実施形態では、ディスプレイ（例えば、６０２）上に、第２の電子デバイス（例えば、６００Ｂ）の機能を使用するためのチュートリアルの第１の部分（例えば、６１４、６１６、６１８、６３０、６３２）を表示する前に、第１の電子デバイス（例えば、６００Ａ）は、第２の電子デバイス（例えば、６００Ｂ）から、第２の電子デバイス（例えば、６００Ｂ）上の機能の使用を制御するように構成されたアプリケーションが第２の電子デバイス（例えば、６００Ｂ）上で開かれている（例えば、起動されている、開始されている）という第２のインジケーションを（例えば、第１の電子デバイスの無線通信無線機を介して）受信する（７０２）。第２のデバイス（例えば、６００Ｂ）上の機能の使用を制御するように構成されたアプリケーションが開かれているという第２のインジケーションを表示することにより、第２の電子デバイスの現在の状態に関するフィードバックをユーザに提供し、第２の電子デバイスが機能を使用する動作の準備ができていることをユーザに視覚的に示す。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２４７】
いくつかの実施形態では、第２の電子デバイス（例えば、６００Ｂ）上の機能の使用を制御するように構成されたアプリケーションが開かれているという第２のインジケーションを受信したことに応じて、第１の電子デバイス（例えば、６００Ａ）は、ディスプレイ（例えば、６０２）上に、第２の電子デバイスの機能を使用するためのチュートリアルに対応する通知（例えば、６１２）を表示する（７０４）。ディスプレイ（例えば、６０２）上に、第２の電子デバイスの機能を使用するためのチュートリアルに対応する通知を表示することにより、第２の電子デバイスの現在の状態に関するフィードバックをユーザに提供し、第２の電子デバイス上の機能の使用を構成することを進めるためにチュートリアルが第１の電子デバイス（例えば、６００Ａ）上で利用可能であることをユーザに視覚的に示す。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２４８】
いくつかの実施形態では、通知（例えば、６１２）は、アプリケーションが第２の電子デバイス（例えば、６００Ｂ）上で起動したこと、及び起動されたアプリケーションに関連する第２の電子デバイス（例えば、６００Ｂ）の機能を使用するためのチュートリアルをユーザが見ることができることをユーザに通知する。いくつかの実施形態では、第１の電子デバイス（例えば、６００Ａ）は、通知（例えば、６１２）のユーザ選択（例えば、タップジェスチャ）を検出したことに応じて、ディスプレイ（例えば、６０２）上に、チュートリアルを表示する。通知（例えば、６１２）のユーザ選択を検出したことに応じて、ディスプレイ（例えば、６０２）上に、チュートリアルを表示することにより、表示された通知に対応するチュートリアルが第１の電子デバイス（例えば、６００Ａ）上で起動されたことをユーザに示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２４９】
いくつかの実施形態では、第１の電子デバイス（例えば、６００Ａ）は、第２の電子デバイス（例えば、６００Ｂ）の１つ以上の設定を変更するように構成されたユーザインタフェース（例えば、６４３）を表示している間に受信された入力に応じて、チュートリアルの第１の部分（例えば、６１４、６１６、６１８、６３０、６３２）を表示する。第２の電子デバイスの１つ以上の設定を変更するように構成されたユーザインタフェースを表示している間に受信された入力に応じて、チュートリアルの第１の部分を表示することにより、表示されたチュートリアルが第２の電子デバイス上で使用することができるアプリケーションに関連付けられていることをユーザに示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２５０】
第１の電子デバイス（例えば、６００Ａ）は、１つ以上の入力デバイスを介して、チュートリアルを進める要求（例えば、１つ以上の「続ける」ボタン６１４Ｃ、６１６Ｃ、６２８、６３０Ｂ上のユーザのタップ入力）を検出する（７０８）。
【０２５１】
チュートリアルを進める要求を検出したことに応じて、第１の電子デバイス（例えば、６００Ａ）は、ディスプレイ（例えば、６０２）上に、第２の電子デバイス（例えば、６００Ｂ）の機能を伴う第２の電子デバイス（例えば、６００Ｂ）上の動作（例えば、生体データをキャプチャすること／記録すること）を実行する命令を表示する（７１０）。第１の電子デバイス（例えば、６００Ａ）のディスプレイ（例えば、６０２）上に、第２の電子デバイスの機能を伴う第２の電子デバイス（例えば、６００Ｂ）上の動作を実行する命令を表示することにより、チュートリアルに対応する動作を第２の電子デバイス上で（例えば、かつ第１の電子デバイス上ではなく）実行する必要があることを示してユーザへの視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２５２】
いくつかの実施形態では、第２の電子デバイス（例えば、６００Ｂ）上の動作は、（例えば、第２の電子デバイスの生体センサを使用して）生体データをキャプチャすることを含む。いくつかの実施形態では、第２の電子デバイス（例えば、６００ｂ）によってキャプチャされる生体データは、心臓に関連するデータ（例えば、ＥＣＧデータ、ＢＰＭデータ）である。
【０２５３】
いくつかの実施形態では、チュートリアルの第１の部分は、第２の電子デバイス（例えば、６００ｂ）上で実行される動作（例えば、ＥＣＧ記録動作、ＢＰＭ測定動作）の起こり得る結果の複数のグラフィカルインジケーション（例えば、６２０、６２２、６２４、６２６、心拍リズム評価結果、心拍数測定値）を含む。
【０２５４】
いくつかの実施形態では、動作は、心拍リズム評価（例えば、心電図読み取り値）及び心拍数評価（例えば、ＢＰＭ読み取り値）を含む（ユーザの）医学的特性を評価し、起こり得る結果は、（例えば、心拍リズム評価及び／又は心拍数評価に対する）正常な結果、異常な心拍リズムパターン結果（例えば、心房細動の徴候）、異常な心拍数結果（例えば、１５０を超えるＢＰＭ又は５０未満のＢＰＭなどの、高い閾値を上回る又は低い閾値を下回るＢＰＭ）、及び（例えば、低品質な読み取り値に基づく）不確定結果からなる群から選択される。
【０２５５】
いくつかの実施形態では、第１の起こり得る結果が第１の結果概要（のテキスト）（例えば、６２４Ｂ、対応する結果に関する医学的特性を要約したテキスト）の一部分を含む、起こり得る結果の少なくとも第１の起こり得る結果（例えば、６２４）を表示している間に、第１の電子デバイス（例えば、６００Ａ）は、１つ以上の入力デバイスを介して、第１の結果概要に関連付けられた拡張アフォーダンス（例えば、６２４Ｃ）のユーザアクティブ化を検出する。第１の起こり得る結果が第１の結果概要の一部分を含む、起こり得る結果の少なくとも第１の起こり得る結果を表示している間に、拡張アフォーダンスを提供することにより、第１の結果概要の一部分のみが現在表示されていないこと、及び拡張アフォーダンスを選択して第１の結果概要の全てを表示させることができることをユーザに示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。いくつかの実施形態では、拡張アフォーダンス（例えば、６２４Ｃ）のユーザアクティブ化を検出したことに応じて、第１の電子デバイス（例えば、６００Ａ）は、ディスプレイ（例えば、６０２）上に、第１の結果概要（のテキスト）の全てを表示する。
【０２５６】
いくつかの実施形態では、起こり得る結果の複数のグラフィカルインジケーション（例えば、６２０、６２２、６２４、６２６）は、第１の起こり得る結果に関する第１のアニメーションの表示（例えば、６２０Ａ）を含む第１のグラフィカルインジケーション（例えば、６２０）と、第２の起こり得る結果に関する第２のアニメーション（例えば、６２２Ａ）を含む第２のグラフィカルインジケーション（例えば、６２２）と、を含み、第１のアニメーションと第２のアニメーションとは、同期される。いくつかの実施形態では、第１のアニメーション及び第２のアニメーションは、心拍のリズム及び速度を描写する鼓動する心臓のアニメーション及びタコグラム様特徴を含む動的アニメーションである。
【０２５７】
いくつかの実施形態では、ディスプレイ（例えば、６０２）上に、起こり得る結果の複数のグラフィカルインジケーション（例えば、６２０、６２２、６２４、６２６）を表示している間に、第１の電子デバイス（例えば、６００Ａ）は、１つ以上の入力デバイスを介して、スクロールジェスチャ（例えば、ディスプレイのタッチ層上のスクロール）を検出する。いくつかの実施形態では、スクロールジェスチャを検出したことに応じて、第１の電子デバイス（例えば、６００Ａ）は、複数のグラフィカルインジケーション（例えば、６２０、６２２、６２４、６２６）をスクロールする。いくつかの実施形態では、第１の電子デバイス（例えば、６００Ａ）は、ディスプレイ（例えば、６０２）上に、第３の起こり得る結果に関する第３のアニメーション（例えば、６２４Ａ）を含む第３のグラフィカルインジケーション（例えば、６２４）を表示し、第３のアニメーションは、第１のアニメーション（例えば、６２０Ａ）及び第２のアニメーション（例えば、６２２Ａ）と同期される。
【０２５８】
いくつかの実施形態では、第１のアニメーション（例えば、６２０Ａ）は、固定位置でアニメーション化されるアニメーションの第１の部分（例えば、鼓動する心臓）と、固定位置から第２の位置にアニメーション移動するアニメーションの第２の部分（例えば、ドット）と、を含む。いくつかの実施形態では、オブジェクトは、心臓形状のアニメーションを出るときに、タコグラム様パターンに従う。いくつかの実施形態では、第１の動的アニメーションの第１のオブジェクト及び第２の動的アニメーションの第２のオブジェクトは、それらの対応する心臓形状のアニメーションを同期して繰り返し（連続的に）出る。起こり得る結果のグラフィカルインジケーション（例えば、６２０、６２２、６２４、６２６のうちの１つ）のアニメーション（例えば、第１のアニメーション６２０Ａ）を提供することにより、アニメーションに示すように、チュートリアルによって説明された動作が心臓のモニタリングに関連することをユーザに示すこと、及び心臓モニタリング動作から導出される各起こり得る結果がどのように異なるかに関する視覚的ガイダンスを提供することによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２５９】
いくつかの実施形態では、チュートリアルの第１の部分（例えば、６１４、６１６、６１８、６３０、６３２）は、動作から導出することができない１つ以上の医学的特性を含む制限インジケーション（例えば、６３０、動作の限界をユーザに説明する、動作によって判定することができない医学的特性のリストを示す）を含む。チュートリアルの第１の部分に制限インジケーション（例えば６３０）を提供することにより、（ユーザが認識する可能性がより高いように）設定プロセス中に、動作から導出することができない１つ以上の医学的特性をユーザに視覚的に示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２６０】
第１の電子デバイス６００Ａは、（例えば、ユーザが第２の電子デバイス（例えば、６００Ｂ）上で命令を実行した後に、デバイス間の無線通信を介して）第２の電子デバイス（例えば、６００Ｂ）から、（第２の電子デバイス上で）命令が実行されたというインジケーションを受信する（７１６）。
【０２６１】
いくつかの実施形態では、第２の電子デバイス（例えば、６００Ｂ）から、命令が実行されたというインジケーションを（例えば、デバイス間の無線機通信を介して）受信する前に、第１の電子デバイス（例えば、６００Ａ）は、第２の電子デバイス（例えば、６００Ｂ）から（例えば、デバイス間の無線機通信を介して）、（第２の電子デバイス上で）命令が実行され始めたというインジケーションを受信する（７１２）。いくつかの実施形態では、命令が実行され始めたというインジケーションを受信したことに応じて、第１の電子デバイス（例えば、６００Ａ）は、ディスプレイ（例えば、６０２）上に、第２の電子デバイス上で命令が実行されているというインジケーション（例えば、８２０、チュートリアルの「記録進行中」ページ）を表示する（７１４）。命令が実行され始めたというインジケーションを受信したことに応じて、ディスプレイ（例えば、６０２）上に、第２の電子デバイス（例えば、６００Ｂ）上で命令が実行されているというインジケーションを表示することにより、第２の電子デバイス上で動作が正常に実行されている（したがって、設定プロセスが意図されるように進んでいる）ことをユーザに視覚的に示すことによって、視覚的フィードバックを向上する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２６２】
命令が実行されたというインジケーションを受信したことに応じて、第１の電子デバイス（例えば、６００Ａ）は、ディスプレイ（例えば、６０２）上に、第１の部分とは異なるチュートリアルの第２の部分（例えば、８２８、「完了」ページ）を表示する（７１８）。命令が実行されたというインジケーションを受信したことに応じて、ディスプレイ（例えば、６０２）上に、第１の部分とは異なるチュートリアルの第２の部分を表示することにより、第２の電子デバイス上で実行された動作が完了した（例えば、したがって、設定プロセスが正常に完了し、かつ動作が将来の使用のために利用可能である）ことをユーザに示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２６３】
いくつかの実施形態では、チュートリアルの第２の部分（例えば、８２８、「完了」ページ）は、第２の電子デバイス上の動作から得られた（生体）情報を表すグラフィカルアニメーション（例えば、タコグラム様アニメーション）を含む。
【０２６４】
いくつかの実施形態では、ディスプレイ（例えば、６０２）上に、チュートリアルの第２の部分（例えば、８２８）を表示した後に、第１の電子デバイス（例えば、６００Ａ）は、ディスプレイ（例えば、６０２）上に、ヘルスアプリケーションのユーザインタフェース（例えば、６５０、６５６、６６０）を表示する（７２０）。
【０２６５】
いくつかの実施形態では、第１の電子デバイス（例えば、６００Ａ）は、１つ以上の入力デバイスを介して、記録された生体情報（例えば、記録されたＥＣＧ及びＢＰＭ読み取り値）を見るためのアフォーダンス（例えば、６５８Ａ、ＥＣＧアフォーダンス）のユーザアクティブ化を検出する（７２２）。いくつかの実施形態では、生体情報の既存の記録を見るためのアフォーダンス（例えば、６５８Ａ）は、生体情報の既存の記録の数（例えば、記録されたＥＣＧ及び／又はＢＰＭ読み取り値の数）のインジケーションを含む。生体情報の既存の記録を見るためのアフォーダンス内に生体情報の既存の記録の数のインジケーションを提供することにより、ヘルスアプリケーションで見ることができる既存の記録の数をユーザに便利に伝えることによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２６６】
いくつかの実施形態では、生体情報の既存の記録を見るためのアフォーダンス（例えば、６５８Ａ）のユーザアクティブ化を検出したことに応じて、第１の電子デバイス（例えば、６００Ａ）は、ディスプレイ（例えば、６０２）上に、生体情報の既存の記録に対応する第１の複数の表現（例えば、６６２Ａ〜６６２Ｃ）を表示する（７２４）。いくつかの実施形態では、生体情報の既存の記録の表現（例えば、６６２Ａ〜６６Ｃ）は、記録に対応するタコグラム、記録の評価結果、記録に関連付けられた症状の数（ある場合）、及び記録によって記録された心拍数（ＢＰＭ）を含む。生体情報の既存の記録を見るためのアフォーダンスのユーザアクティブ化を検出したことに応じて、ディスプレイ（例えば、６０２）上に、生体情報の既存の記録に対応する第１の複数の表現（例えば、６６２Ａ〜６６２Ｃ）を表示することにより、ユーザに最も関連し得るいくつかの既存の記録（例えば、直近の記録の一部）の表現をユーザに便利に提供することによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０２６７】
いくつかの実施形態では、生体情報の既存の記録の第１の複数の表現（例えば、６６２Ａ〜６６Ｃ）は、異常な評価結果（例えば、心房細動状態などの異常な心拍リズム）を有する第１の既存の記録に対応する第１の表現（例えば、６６２Ｃ）を含み、第１の表現（例えば、６６２Ｃ）は、第１の視覚的特性で表示された（例えば、黄色などの警告色で強調された）異常な評価結果のインジケーションを含む。いくつかの実施形態では、生体情報の既存の記録の複数の表現（例えば、６６２Ａ〜６６Ｃ）は、正常な評価結果を有する第４の既存の記録に対応する第４の表現（例えば、６６２Ａ）を含み、第４の表現は、第１の視覚的特性とは異なる第２の視覚的特性（例えば、デフォルト色）で表示された正常な評価結果のインジケーションを含む。
【０２６８】
いくつかの実施形態では、生体情報の既存の記録の第１の複数の表現（例えば、６６２Ａ〜６６Ｃ）は、ユーザ指定の症状に関連付けられた第２の既存の記録に対応する第２の表現（例えば、６６２Ａ、６６２Ｂ）を含み、第２の表現は、第２の既存の記録に関連付けられたユーザ指定の症状の数のインジケーション（例えば、「２つの症状」、「症状なし」）を含む。いくつかの実施形態では、生体情報の既存の記録の第１の複数の表現（例えば、６６２Ａ〜６６Ｃ）は、（例えば、ユーザが記録に対して任意の症状を指定しなかったため）任意のユーザ指定の症状に関連付けられていない第３の既存の記録に対応する第３の表現（例えば、６６２Ｃ）を含み、第３の表現は、第３の既存の記録に関連付けられたユーザ指定の症状のインジケーションを含まない。ユーザ指定の症状に関連付けられた第２の既存の記録に対応する第２の表現（例えば、６６２Ａ、６６２Ｂ）を提供することにより、記録に対してユーザによって（ある場合、いくつの）症状が以前に選択されたか否かをユーザに便利に示す（例えば、それによって、記録に関連付けられた多くのユーザ指定の症状がある場合に、より重篤な読み取り値に対応する特定の記録か否かをユーザが迅速に認識することを可能にする）ことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。いくつかの実施形態では、ユーザ指定の症状は、（第２の電子デバイス上でユーザによって）症状が指定され保存された後に変更することができない。
【０２６９】
いくつかの実施形態では、更に、記録された生体情報を見るためのアフォーダンス（例えば、６５８Ａ）のユーザアクティブ化を検出したことに応じて、第１の電子デバイス（例えば、６００Ａ）は、ディスプレイ（例えば、６０２）上に、第１の分類アフォーダンス及び第２の分類アフォーダンスを含む複数の分類アフォーダンス（例えば、６６４Ａ〜６６４Ｈ、正常結果、異常な心拍リズム結果、又は異常な心拍数結果などの評価結果のタイプによって見える記録をフィルタリングするための複数の分類アフォーダンス）を表示する（７２６）。いくつかの実施形態では、第１の分類アフォーダンスは、第１のタイプの評価結果に関連付けられた生体情報の既存の記録の数のインジケーションを含み、第２の分類アフォーダンスは、第２のタイプの評価結果に関連付けられた生体情報の既存の記録の数のインジケーションを含む。いくつかの実施形態では、第１の電子デバイス（例えば、６００Ａ）は、１つ以上の入力デバイスを介して、第１の分類アフォーダンスのユーザアクティブ化を検出する（７２８）。
【０２７０】
いくつかの実施形態では、第１の分類アフォーダンスのユーザアクティブ化を検出したことに応じて、第１の電子デバイス（例えば、６００Ａ）は、ディスプレイ（例えば、６０２）上に、生体情報の既存の記録に対応する第２の複数の表現を（例えば、第１の複数の表現を置き換えることによって）表示し（７３０）、第２の複数の表現は、第１のタイプの評価結果（例えば、正常な結果、異常な心拍リズム結果、異常な心拍数結果、不確定結果）に関連付けられた既存の記録に対応する。いくつかの実施形態では、第１の電子デバイス（例えば、６００Ａ）は、１つ以上の入力デバイスを介して、第２の分類アフォーダンスのユーザアクティブ化を検出する（７３２）。
【０２７１】
いくつかの実施形態では、第２の分類アフォーダンスのユーザアクティブ化を検出したことに応じて、第１の電子デバイス（例えば、６００Ａ）は、ディスプレイ（例えば、６０２）上に、生体情報の既存の記録に対応する第３の複数の表現を（例えば、第１の複数の表現を置き換えることによって）表示し（７３４）、第３の複数の表現は、第２のタイプの評価結果に関連付けられた既存の記録に対応する。いくつかの実施形態では、第２及び第３の複数の表現は、１つ以上の既存の記録が第１のタイプの評価結果及び第２のタイプの評価結果の両方に関連付けられている場合に、対応する重複する既存の記録を有する。
【０２７２】
いくつかの実施形態では、第１の電子デバイス（例えば、６００Ａ）は、１つ以上の入力デバイスを介して、第１の評価結果に対応する第１の既存の記録に対応する第１の複数の表現（例えば、６６２Ａ〜６６Ｃ）の第１の表現（例えば、６６２Ａ）のユーザ選択を検出する。いくつかの実施形態では、第１の表現のユーザ選択を検出したことに応じて、第１の電子デバイス（例えば、６００Ａ）は、第１の既存の記録の第１の詳細ビュー（例えば、６６６）を表示する。
【０２７３】
いくつかの実施形態では、第１の既存の記録の第１の詳細ビュー（例えば、６６６）を表示している間に、第１の電子デバイス（例えば、６００Ａ）は、１つ以上の入力デバイスを介して、情報アフォーダンス（例えば、６７０、「ｉ」アイコン）のユーザアクティブ化を検出する。いくつかの実施形態では、情報アフォーダンス（例えば、６７０）のユーザアクティブ化を検出したことに応じて、第１の電子デバイス（例えば、６００Ａ）は、ディスプレイ（例えば、６０２）上に、結果概要（例えば、対応する結果に関する医学的特性を要約したテキスト）、及びチュートリアルの第１の部分からの対応する起こり得る結果からのアニメーション（例えば、チュートリアルからの起こり得る結果は、第１の既存の記録の評価結果に対応する）を表示する。
【０２７４】
いくつかの実施形態では、第１の評価結果に対応する第１の既存の記録の第１の詳細ビュー（例えば、６６６）を表示している間に、第１の電子デバイス（例えば、６００Ａ）は、１つ以上の入力デバイスを介して、エクスポートアフォーダンス（例えば、６７２、「ＰＤＦとして共有」とマークされた）のユーザアクティブ化を検出する。いくつかの実施形態では、エクスポートアフォーダンス（例えば、６７２）のユーザアクティブ化を検出したことに応じて、第１の電子デバイス（例えば、６００Ａ）は、第１の既存の記録に関する情報（例えば、ユーザに関する情報、記録の日付及び時刻、（ＥＣＧ）記録のタコグラム、記録の評価結果）を含む文書を作成する（かつ、続いて意図された受信者に送信する）。いくつかの実施形態では、記録の生体データ（例えば、ＥＣＧデータ）は、（記録からのデータの）任意のフィルタリングなしに、文書に含まれる。情報アフォーダンスのユーザアクティブ化を検出したことに応じて、文書を（自動的に）生成して（意図された受信者に）（自動的に）送信することにより、記録を要約した送信文書を作成し、続いて文書を意図された受信者に送信するために、ユーザから必要とされる入力の数が低減される。動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。いくつかの実施形態では、ユーザ指定の症状は、（第２の電子デバイス上でユーザによって）症状が指定され保存された後に変更することができない。
【０２７５】
なお、方法７００に関して上述したプロセス（例えば、図７Ａ〜図７Ｃ）の詳細はまた、後述する方法にも、類似の方式で適用可能であることに留意されたい。例えば、方法９００は、方法７００を参照して上述した様々な方法の特性のうちの１つ以上を任意選択的に含む。別の例では、方法１１００は、方法７００に関して上述した様々な方法の特性のうちの１つ以上を任意選択的に含む。別の例では、方法１３００は、方法７００に関して上述した様々な方法の特性のうちの１つ以上を任意選択的に含む。別の例では、方法１５００は、方法７００に関して上述した様々な方法の特性のうちの１つ以上を任意選択的に含む。簡潔にするために、これらの詳細は、以下で繰り返さない。
【０２７６】
図８Ａ〜図８Ｓは、ヘルスモニタリングに使用するための生体情報を記録するための例示的なユーザインタフェースを示す。これらの図中のユーザインタフェースは、図９Ａ、図９Ｂでのプロセスを含めた、以下で説明されるプロセスを例示するために使用される。これらの図における例示的なユーザインタフェースは、概して、記録された生体情報を使用して健康をモニタリングすることに関し、特定の種類の生体情報に限定されない。単に便宜上、これらの図の例示的なユーザインタフェースは、一種類の生体情報、心電図（以下、「ＥＣＧ」）情報を参照して説明する。
【０２７７】
図８Ａは、（例えば、第２の電子デバイス６００Ｂに対応する）第１の電子デバイス８００Ａを示す。いくつかの実施形態では、第１の電子デバイス８００Ａは、スマートウォッチである。いくつかの実施形態では、第１の電子デバイス８００Ａは、ディスプレイ８０２及び１つ以上の入力デバイス（例えば、ディスプレイ８０２のタッチ層及び回転クラウンなどの１つ以上の機械的ボタンを含む）を有する。いくつかの実施形態では、第１の電子デバイス８００Ａは、第１の電子デバイス８００Ａの入力デバイス８０４（例えば、押圧可能な回転クラウンなどの機械的入力デバイス）に一体化された１つ以上の電極を含む（例えば、ＥＣＧ情報を記録するための、ユーザの心拍リズム及び心拍数を検出するための）１つ以上の生体センサを含む。いくつかの実施形態では、第１の電子デバイス８００Ａの１つ以上の生体センサは、第１の電子デバイス８００Ａの筐体部分（例えば、バックプレート）の（例えば、それに一体化された）１つ以上の電極を更に含み、入力デバイスに一体化された１つ以上の電極は、筐体部分の１つ以上の電極と連携して動作して、生体情報（例えば、ＥＣＧ情報）をキャプチャする。生体情報（例えば、ＥＣＧ情報）をキャプチャするために使用される第１の電子デバイス８００Ａの１つ以上の生体センサに関する特徴は、付属書類Ａにより詳細に記載されている。
【０２７８】
図８Ａは、ディスプレイ８０２上に、（例えば、図６Ａ〜図６ＡＥを参照して説明したＥＣＧアプリケーションのユーザインタフェース６４４に対応する）ＥＣＧアプリケーションのユーザインタフェース８０６を表示する第１の電子デバイス８００Ａを示す。
【０２７９】
いくつかの実施形態では、ユーザインタフェース６４４と同様に、ユーザインタフェース８０６は、特定の形状（例えば、心臓）を描写するアニメーション８０８（例えば、流動的なアニメーション、ユーザインタフェース６４４のアニメーション６４６に対応する）を含む。いくつかの実施例では、図８Ａに示すように、アニメーション８０８は、特定の形状（例えば、心臓）を形成する複数の動的オブジェクト（例えば、円形のオブジェクト）を含み、この形状は、三次元的に見え、複数の動的オブジェクトが形状の構造を維持しながら常に移動する際に視覚的に流動的である。
【０２８０】
いくつかの実施形態では、特定の形状（例えば、心臓）のアニメーション８０８を表示している間に、ユーザインタフェース８０６は、ＥＣＧ記録を進めるために（心拍リズム及び心拍数情報をキャプチャするために）デバイス上でアクションを（ユーザによって）実行しなければならないことをユーザに示す（例えば、ユーザインタフェース６４４の通知メッセージ６４８に対応する）通知メッセージ８１０を表示する。いくつかの実施形態では、通知メッセージ８１０は、入力のタイプ（例えば、入力が入力デバイスを「クリック」しないように、閾値量を下回る入力デバイス上のタッチ又は接触）、及び（例えば、記録の持続時間の間）入力が入力デバイス上で維持されなければならないことをユーザに命令する。
【０２８１】
いくつかの実施形態では、ＥＣＧアプリケーションのユーザインタフェース８０６を表示する前に（例えば、第１の電子デバイス８００Ａが異なるアプリケーションのユーザインタフェースを表示している又はディスプレイがオフの間に）、デバイスは、（例えば、ユーザ入力なしに心拍数情報を測定する第２の生体センサを使用して）一定期間（例えば、１分）の間ユーザの心拍数情報を検出し、検出された心拍数が閾値速度を上回る（例えば、１５０ＢＰＭを上回る）と判定する。いくつかの実施形態では、検出された心拍数が少なくともその期間の閾値速度を上回ることを検出すると、デバイスは、ディスプレイ８０２上に、（連続的な）高い心拍数をユーザに通知する通知を表示し、ユーザがＥＣＧアプリケーションを使用して自身の心臓の健康をモニタリングすることを要求する。
【０２８２】
図８Ｂでは、ディスプレイ８０２上に、ＥＣＧアプリケーションのユーザインタフェース８０６上に表示している間に、第１の電子デバイス８００Ａは、通知メッセージ８１０からの命令に従った入力デバイス８０４上のユーザ入力８０１を検出する。いくつかの実施形態では、ユーザ入力８０１は、閾値量を下回る、入力デバイス上の連続的なタッチ又は接触（例えば、入力デバイスを「クリック」しない入力）である。いくつかの実施形態では、入力デバイス８０４上のユーザ入力８０１を検出する（かつ検出し続ける）と、アニメーション８０８を形成する複数の動的オブジェクトは、図８Ｂに示すように、（例えば、ある形状の）それらの初期パターンから異なるパターンに向かって遷移する。いくつかの実施形態では、ユーザ入力８０１を検出する（かつ検出し続ける）と、第１の電子デバイス８００Ａは、ディスプレイ８０２上に通知メッセージ８１０を表示することを停止する。
【０２８３】
図８Ｃは、入力デバイス８０４上のユーザ入力８０１を検出し続ける第１の電子デバイス８００Ａを示す。いくつかの実施形態では、入力デバイス８０４上のユーザ入力８０１を検出し続けている間に、アニメーション８０８を形成する複数の動的オブジェクトは、異なるパターン（例えば、タコグラムのグリッド）に向かって遷移し続け、それを形成し始める。いくつかの実施形態では、第１の電子デバイス８００Ａは、ユーザインタフェース８０６内に（例えば、アニメーション８０８の下に）、ＥＣＧ記録を完了するための残りの時間を示すタイマー８１０（例えば、３０秒などの所定の時間のカウントダウンタイマー）を表示する。いくつかの実施形態では、第１の電子デバイス８００Ａは、ユーザインタフェース８０６内に（例えば、タイマー８１０の下に）、ＥＣＧ記録を正常に完了するために、入力デバイス８０４上の入力を維持するようにユーザに命令する（例えば、「クラウンをタッチして静止したままでいるように試みてください」と記述する）通知メッセージ８１２を表示する。
【０２８４】
図８Ｄは、入力デバイス８０４上のユーザ入力８０１を更に検出し続ける第１の電子デバイス８００Ａを示す。いくつかの実施形態では、ユーザが入力デバイス８０４上のユーザ入力８０１を維持し続けると、第１の電子デバイス８００Ａは、ＥＣＧ情報を記録し始める。いくつかの実施形態では、ＥＣＧ情報を記録している間に、デバイスは、ユーザインタフェース８０６内に、記録によって検出されている心拍数を示すＢＰＭインジケータ８１４を表示する。いくつかの実施形態では、ＥＣＧ情報を記録している間に、デバイスは、（記録中、グリッド状パターンを形成する）アニメーション８０８の上に、進行中の記録をグラフィカルに描写するタコグラム８１６を更に表示する。いくつかの実施形態では、ＥＣＧ情報を記録している間に、タイマー８１０は、（例えば、カウントダウンすることによって）記録を正常に完了するための残りの時間を連続的に反映する。
【０２８５】
図８Ｅは、（例えば、図６Ａ〜図６ＡＥを参照して説明した第１の電子デバイス６００Ａに対応する）第２の電子デバイス８００Ｂを示す。いくつかの実施形態では、第２の電子デバイス８００Ｂは、（例えば、Ｂｌｕｅｔｏｏｔｈ（登録商標）接続などの近距離無線通信無線接続を介して）第１の電子デバイス８００Ａとペアリングされたスマートフォンである。図８Ｅでは、第２の電子デバイス８００Ｂは、ディスプレイ８１８上に、第１の電子デバイス８００Ａ上で稼働しているＥＣＧアプリケーションに関連付けられたヘルスアプリケーションのユーザインタフェース８２０を表示している。いくつかの実施形態では、第１の電子デバイス８００Ａ上でＥＣＧ情報を記録している間に、第２の電子デバイス８００Ｂは、ＥＣＧアプリケーションに関連付けられたヘルスアプリケーションのユーザインタフェース８２０内に、ＥＣＧ記録が第１の電子デバイス８００Ａ上で進行中であるというインジケーション８２２を表示する。いくつかの実施例では、インジケーション８２２は、グラフィカルインジケーション部分（例えば、記録を実行するために使用されているデバイスに対応する画像を示す）及びテキストインジケーション部分（例えば、「記録進行中」と記述する）を含む。
【０２８６】
図８Ｆは、図８ＥからデバイスがＥＣＧ記録を実行し続けている間に、ディスプレイ８０２上に、ＥＣＧアプリケーションのユーザインタフェース８０６を表示する第１の電子デバイス８００Ａを示す。図８Ｆでは、ＥＣＧ記録中、デバイスは、（例えば、ユーザが入力に使用された指を入力デバイス８０４から離して持ち上げたため）入力デバイス８０４上のユーザ入力８０１が失われたことを検出する。いくつかの実施形態では、入力デバイス８０４上のユーザ入力が失われたことを検出したことに応じて、デバイスは、ユーザインタフェース８０６内に、ＥＣＧ記録を継続するために、ユーザが入力デバイス８０４上のユーザ入力を回復することを要求する（例えば、「クラウン上にあなたの指を維持してください」と記述する）メッセージインジケーション８２４を表示する。いくつかの実施形態では、ユーザ入力が入力デバイス８０４上で失われている間に、デバイスは、（タイマー８１０によって示される）記録の終了に向かってカウントダウンし続ける。いくつかの実施形態では、ユーザ入力が入力デバイス８０４上で失われている間に、デバイスは、ユーザ入力が入力デバイス８０４上で回復されるまで、記録を一時停止する。いくつかの実施形態では、ユーザ入力が入力デバイス８０４上で失われたことを検出したことに応じて、第１の電子デバイス８００Ａは、タイマー８１０の値を（例えば、初期の３０秒の値に）リセットし、ユーザ入力が回復された（例えば、所定の時間内に回復された）場合には、記録を再開する。
【０２８７】
いくつかの実施形態では、入力デバイス８０４上のユーザ入力が制限時間（例えば、５秒）以内に回復されない場合、第１の電子デバイス８００Ａは、記録を（自動的に）終了し、図８Ａの初期ユーザインタフェースに遷移して戻る。いくつかの実施形態では、入力デバイス８０４上のユーザ入力が制限時間（例えば、５秒）以内に回復された場合、デバイスは、記録を（自動的に）継続する（例えば、一時停止された場合には、タイマーを再開する）。いくつかの実施形態では、入力を回復するための制限時間（例えば、５秒）は、ユーザ入力が回復されるとリセットされる。すなわち、ユーザ入力が記録中に第２の時間の間失われた場合、デバイスは、（自動的に）記録を終了し、ユーザがユーザ入力を回復することなく全制限時間（例えば、５秒）が経過した場合、図８Ａの初期ユーザインタフェースに遷移して戻る。
【０２８８】
図８Ｇでは、第１の電子デバイス８００Ａは、ユーザ入力が図８Ｆで失われたときから制限時間（例えば、５秒）が経過する前に、入力デバイス８０４上のユーザ入力８０１を再び検出する。入力デバイス８０４上のユーザ入力が制限時間（例えば、５秒）の終了前に回復されたため、デバイスは、記録を（自動的に）終了させることなく、ＥＣＧ記録を継続する。
【０２８９】
図８Ｈは、入力デバイス８０４上のユーザ入力８０１を検出し続ける第１の電子デバイス８００Ａを示し、デバイスは、図８ＧからＥＣＧ記録を継続する。いくつかの実施形態では、タイマー８１０は、記録を完了するための残りの時間（例えば、「１秒」）を示し続ける。
【０２９０】
図８Ｉは、記録の完了（時間が残っていないことを示すタイマー８１０によって示される）時の、ＥＣＧアプリケーションのユーザインタフェース８０６を示す。いくつかの実施形態では、記録の完了時、アニメーション８０８を形成する複数の動的オブジェクトは、記録中のグリッド状パターンから記録前の（例えば、心臓などの形状の）それらの初期パターンに向かって再び遷移する。
【０２９１】
図８Ｊは、ＥＣＧ記録を完了した（直）後の第１の電子デバイス８００Ａ及び第２の電子デバイス８００Ｂを示す。いくつかの実施形態では、ＥＣＧ記録を完了すると、第１の電子デバイス８００Ａは、ＥＣＧ記録のデータを第２の電子デバイス８００Ｂに（例えば、Ｂｌｕｅｔｏｏｔｈ（登録商標）接続を介して）送信する。いくつかの実施形態では、ＥＣＧ記録を完了すると、第１の電子デバイス８００Ａは、ＥＣＧ記録のデータを外部サーバに（例えば、ＬＴＥ接続又はＷｉＦｉ（登録商標）接続を介して）送信し、外部サーバはまた、第２の電子デバイス８００Ｂによってアクセス可能である。いくつかの実施形態では、第１の電子デバイス８００Ａは、複数のＥＣＧ記録を記録してローカルで記憶し、複数のＥＣＧ記録を第２の電子デバイス８００Ｂに送信することができる。
【０２９２】
いくつかの実施形態では、ＥＣＧ記録を完了した（直）後に、第１の電子デバイス８００Ａは、ディスプレイ８０２上に、その初期パターン（例えば、流動的な心臓形状パターン）のアニメーション８０８を有するＥＣＧアプリケーションのユーザインタフェース８０６、並びに完了した記録に関する評価結果（例えば、「平常の結果」）及び他の関連情報を含む概要ページ８２６の少なくとも一部分を表示する。いくつかの実施形態では、概要ページ８２６は、ディスプレイの縁部（例えば、ディスプレイの底縁部）からディスプレイ上にスライドする。
【０２９３】
いくつかの実施形態では、ＥＣＧ記録を完了した（直）後に、第２の電子デバイス８００Ｂは、ヘルスアプリケーション内に、第２の電子デバイス８００Ａ上のＥＣＧアプリケーションに関連付けられたヘルスアプリケーションの概要ページ８２８を表示し、概要ページ８２８は、完了した記録の表現８３０を含む。いくつかの実施形態では、表現８３０は、評価結果（例えば、「平常のリズム」）、（例えば、ＢＰＭ単位の）心拍数読み取り値、及び記録のグラフィカル描写（例えば、タコグラム）を含む。いくつかの実施形態では、概要ページ８２８は、概要ページを出るためのアフォーダンス８３２を含む。
【０２９４】
図８Ｋは、ディスプレイ８０２上に、ＥＣＧ記録に対応する概要ページ８２６（の少なくとも一部分）を表示する第１の電子デバイス８００Ａを示す。いくつかの実施形態では、概要ページ８２６は、評価結果のインジケーション８３４Ａ（例えば、「平常のリズム」）及び（例えば、ＢＰＭ単位の）心拍数読み取り値のインジケーション８３４Ｂを含む概要領域８３４を含む。いくつかの実施形態では、概要領域８３４はまた、（例えば、詳細な説明は、図６Ａ〜図６ＡＥを参照して説明したチュートリアルの起こり得る結果ページ６１８に示されるテキスト記述に対応する）対応する評価結果に関する詳細な説明を見るための情報アフォーダンス８３６を含む。いくつかの実施形態では、概要ページ８２６は、特定の医学的特性（例えば、心房細動の徴候、不規則な心拍リズムの徴候）が記録から判定されたか否かのインジケーション８３８を含む。いくつかの実施形態では、概要ページ８２６は、１つ以上の症状を読み取り値に関連付けるためのアフォーダンス８４２を含む症状領域８４０を含む。いくつかの実施形態では、概要ページ８２６を表示している間、デバイスは、（例えば、概要ページがユーザに容易に判読可能であるように、より明るい色合いで）概要ページの背景に（例えば、図８Ａに示すようなその初期形状の）アニメーション８０８の表示を維持する。
【０２９５】
図８Ｌ〜図８Ｏは、ＥＣＧ情報を記録している間にＥＣＧアプリケーションのユーザインタフェース８０６内に表示され得る、異なる複数のエラー通知メッセージを示す。図８Ｌでは、入力デバイス８０４上のユーザ入力８０３に対応する第１のＥＣＧ記録を実行している間に、第１の電子デバイス８００Ａは、閾値量を上回る入力デバイス８０４上のユーザ入力の移動（例えば、移動量が閾値移動量を上回る、入力デバイス８０４とのユーザの接触の移動が存在する）を検出する。いくつかの実施形態では、（例えば、５秒などの、少なくとも一定期間の間の）閾値量を上回る入力デバイス８０４上のユーザ入力の移動を検出したことに応じて、第１の電子デバイス８００Ａは、ユーザが記録中にユーザ入力８０３の移動を制限することを要求する（例えば、「あなたの腕を動かさないように試みてください」と記述する）通知メッセージ８４４を（例えば、タイマー８１０の下に）表示する。
【０２９６】
図８Ｍでは、通知メッセージ８４４を表示した後の一定期間（例えば、５秒）、かつ入力デバイス８０４上のユーザ入力８０３に対応する第１のＥＣＧ記録を実行し続けている間、第１の電子デバイス８００Ａは、閾値量を上回る入力デバイス８０４上のユーザ入力の移動を検出し続ける。いくつかの実施形態では、（例えば、初期通知メッセージ８４４を表示した後に、５秒などの別の期間の間）継続したことに応じて、第１の電子デバイス８００Ａは、入力デバイス８０４上のユーザ入力を安定化させるためにユーザが自身の腕を表面上に置くことを試すことができることを示す通知メッセージ８４６（例えば、「あなたの腕をテーブル上又はあなたの膝に置くと役立つことがあります」と記述する）を表示する（例えば、タイマー８１０の下に、通知メッセージ８４４の表示をそれと置き換える）。
【０２９７】
図８Ｎでは、入力デバイス８０４上のユーザ入力８０５に対応する第２のＥＣＧ記録を実行している間に、第１の電子デバイス８００Ａは、入力デバイス８０４上の押圧入力を検出し、押圧の力は、閾値量を上回る（例えば、それにより、ユーザが入力デバイス８０４を「クリックする」）。いくつかの実施形態では、入力デバイス８０４上の押圧入力を検出したことに応じて、第１の電子デバイス８００Ａは、記録を実行するために入力デバイス８０４を「クリック」する必要がないことをユーザに通知する、かつ／又は記録を正常に完了するために入力デバイス８０４上の入力により弱い力を使用することができることをユーザに通知する、通知メッセージ８４８（例えば、「クラウンをクリックする必要はありません」と記述する）を（例えば、タイマー８１０の下に）表示する。
【０２９８】
図８Ｏでは、入力デバイス８０４上のユーザ入力８０７に対応する第３のＥＣＧ記録を実行している間に、第１の電子デバイス８００Ａは、（例えば、ユーザが入力のために使用された指を入力デバイス８０４から離して持ち上げたため）入力デバイス８０４上のユーザ入力８０７が失われたことを（例えば、図８Ｆのように）検出する。いくつかの実施形態では、入力デバイス８０４上のユーザ入力（例えば、それとのユーザの接触）が失われたことを検出したことに応じて、第１の電子デバイス８００Ａは、ユーザが入力デバイス８０４上のユーザ入力を回復してＥＣＧ記録を継続することを要求する（例えば、通知メッセージ８２４に対応する、「クラウン上にあなたの指を維持してください」と記述する）通知メッセージ８５０を（例えば、タイマー８１０の下に）表示する。
【０２９９】
図８Ｐは、入力デバイス８０４上のユーザ入力８０９に対応するＥＣＧ記録を実行している間に（例えば、記録の開始から初期閾値期間（例えば、５秒）が経過した後）、ディスプレイ８０２上に、ＥＣＧアプリケーションのユーザインタフェース８０６を表示する第１の電子デバイス８００Ａを示す。いくつかの実施形態では、ＥＣＧ記録の必要な持続時間は、３０秒である。図８Ｐで（例えば、「２０秒」を示す）タイマー８１０によって示されるように、記録の開始から１０秒が経過している。いくつかの実施形態では、第１の電子デバイス８００Ａは、ＥＣＧ記録の視覚的な説明に対応するタコグラム８１６を表示する。
【０３００】
図８Ｑでは、第１の電子デバイス８００Ａは、入力デバイス８０４上のユーザ入力８０９の検出を失う。いくつかの実施形態では、入力デバイス８０４上のユーザ入力の検出を失ったことに応じて（例えば、それに直ちに応じて、又は１秒などの短期間内に）、第１の電子デバイス８００Ａは、タイマー８１０（例えば、ここで「３０秒」を示す、記録の全持続時間）によって示されるように、ＥＣＧ記録をリセットする（例えば、前の記録を終了し、新しい記録を開始する準備をする）。いくつかの実施形態では、第１の電子デバイス８００Ａは、入力デバイス８０４上のユーザ入力の検出を失ったことに応じて、タイマー８１０に示される残りの時間を初期持続時間に戻して「巻き戻させる」（例えば、カウントアップさせる）。いくつかの実施形態では、第１の電子デバイス８００Ａは、タコグラム８１６に「サイレント」タコグラムを表示させ、それによって、ＥＣＧ情報がキャプチャされていないことをユーザに更に示す。
【０３０１】
いくつかの実施形態では（例えば、記録をリセットした後）、入力デバイス８０４上のユーザ入力が少なくとも所定の期間（例えば、２．５秒）の間に回復されなかったことを検出すると、第１の電子デバイス８００Ａは、図８Ｒに示すように、ＥＣＧアプリケーションのユーザインタフェース８０６内に、ユーザが入力デバイス８０４上の入力を回復するように要求する通知メッセージ８５２（例えば、「クラウン上にあなたの指を保持してください」と記述する）を表示する。いくつかの実施形態では（例えば、通知メッセージ８５２を表示することに加えて）、デバイスは、図８Ａを参照して最初に説明したように、その初期パターン（例えば、心臓形状）のアニメーション８０８を表示する（例えば、再表示する）。いくつかの実施形態では、アニメーション８０８を形成するアニメーションを形成する複数の動的オブジェクトは、図８Ｑのグリッド状パターンから図８Ｒのその初期パターン（例えば、心臓形状）に動的に遷移する。
【０３０２】
いくつかの実施形態では（例えば、記録をリセットした後）、入力デバイス８０４上のユーザ入力が少なくとも所定の期間（例えば、２．５秒）の間に回復されなかったことを検出すると、第１の電子デバイス８００Ａは、代わりに、図８Ｓに示すように、ＥＣＧアプリケーションのユーザインタフェース８０６内に、その初期パターン（例えば、心臓形状）のアニメーション８０８を表示するが、通知メッセージ８５２を表示することを取り止める。
【０３０３】
いくつかの実施形態では、第１の電子デバイス８００Ａは、入力デバイス８０４上のユーザ入力が第１の所定の期間（例えば、２．５秒）の間に回復されなかったことを検出すると、最初に、図８Ｑのユーザインタフェースから図８Ｒのユーザインタフェースに遷移し、その後、第１の所定の期間が経過した後に、入力デバイス８０４上のユーザ入力が第２の所定の期間（例えば、第１の所定の期間と同じである又は異なる）の間に回復されなかったことを検出すると、図８Ｒのユーザインタフェースから図８Ｓのユーザインタフェースに遷移する。
【０３０４】
図９Ａ〜図９Ｂは、いくつかの実施形態に係る、ヘルスモニタリングのための生体情報を記録する方法を示すフロー図である。方法９００は、ディスプレイと、生体センサを含む１つ以上の入力デバイス（例えば、電子デバイスのユーザの心臓の部分に相関する電気的活動を測定するように構成された、電極などの１つ以上のセンサのセット）とを有する第１の電子デバイス（例えば、１００、３００、５００、６００Ｂ、８００Ａ）において実行される。方法９００のいくつかの動作は、任意選択的に組み合わされ、いくつかの動作の順序は、任意選択的に変更され、いくつかの動作は、任意選択的に省略される。
【０３０５】
後述するように、方法９００は、ヘルスモニタリングを管理するための直感的方法を提供する。この方法は、ヘルスモニタリングを管理する際のユーザの認識的負担を軽減し、それによって、より効率的なヒューマン−マシンインタフェースを作り出す。バッテリ動作式のコンピューティングデバイスの場合には、ユーザがヘルスモニタリングをより高速かつより効率的に管理することを可能にすることにより、電力が節約され、バッテリ充電の間隔が増す。
【０３０６】
第１の電子デバイス（例えば、８００Ａ）は、ディスプレイ（例えば、８０２）上に、第１の電子デバイス（例えば、８００Ａ）が生体情報（例えば、ＥＣＧデータ、ＢＰＭデータ、心臓に関連するデータ）を検出する準備ができていることを示す、第１のユーザインタフェース（例えば、ヘルスモニタリングアプリケーション又はヘルスデータ測定アプリケーションの、図８Ａに示すようなＥＣＧアプリケーションのメインユーザインタフェース８０６）を表示する（９０８）。ディスプレイ（例えば、８０２）上に、第１の電子デバイス（例えば、８００Ａ）が生体情報を検出する準備ができていることを示す第１のユーザインタフェースを表示することにより、生体情報が第１の電子デバイス上で記録される準備ができていることを示すことによって、視覚的フィードバックを提供する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３０７】
いくつかの実施形態では、第１のユーザインタフェース（例えば、図８Ａの８０６）を表示する前に、第１の電子デバイス（例えば、８００Ａ）は、ヘルスモニタリングアプリケーション（例えば、ＥＣＧアプリケーションなどの、心臓の健康をモニタリングするための）に対応するアプリケーションアフォーダンス（例えば、１０１４）を含むホーム画面（例えば、１０１２）を表示する（９０２）。ディスプレイ（例えば、８０２）上に、ホーム画面上のヘルスモニタリングアプリケーションに対応するアプリケーションアフォーダンスを表示することにより、ヘルスモニタリングアプリケーションが第１の電子デバイス（例えば、８００Ａ）のホーム画面からアクセスすることができることをユーザに示すことによって、視覚的フィードバックを提供する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。いくつかの実施形態では、第１の電子デバイス（例えば、８００Ａ）は、１つ以上の入力デバイスを介して、アプリケーションアフォーダンスのユーザアクティブ化を検出する（９０４）。いくつかの実施形態では、アプリケーションアフォーダンスのユーザアクティブ化を検出したことに応じて、第１の電子デバイス（例えば、８００Ａ）は、ディスプレイ（例えば、８０２）上に、第１のユーザインタフェース（例えば、８０６）を表示する（９０６）。
【０３０８】
いくつかの実施形態では、アプリケーションアフォーダンスのユーザアクティブ化を検出した後に所定の時間（例えば、５秒）が経過した後に、生体センサ（例えば、８０４）上の第１の入力を要求する（テキスト）通知（例えば、８１０）が、第１のユーザインタフェース（例えば、図８Ａの８０６）内に表示される。いくつかの実施形態では、通知（例えば、８１０）は、第１の入力デバイス（例えば、８０４）上に指を置くようにユーザに命令する。アプリケーションアフォーダンスのユーザアクティブ化を検出した後に所定の時間が経過した後に、第１のユーザインタフェース内に生体センサ上の第１の入力を要求する通知（例えば、８１０）を提供することにより、（例えば、誤ったボタン又はアフォーダンスを選択することによる）ユーザが意図しない動作を意図せずに回避することを支援し、かつ同時に、記録動作を進めるために生体センサ上の入力が必要とされていることをユーザが認識することを可能にすることによって、デバイスのより多くの制御をユーザに提供する。（表示される追加コントローラによってユーザインタフェースを雑然とさせることなく）デバイスの追加の制御を提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３０９】
いくつかの実施形態では、記録された生体情報は、生体センサ（例えば、８０４）によって検出された生体情報から導出された心電図記録を含む。いくつかの実施形態では、生体センサ（例えば、８０４）は、接触ベースのセンサであり、生体センサ（例えば、８０４）による第１の入力は、生体センサ（例えば、８０４）上で接触（例えば、ユーザの指からの）が検出されると、第１の基準を満たす。
【０３１０】
第１の電子デバイス（例えば、８００Ａ）は、第１の基準（例えば、生体センサとのユーザ接触、閾値を下回る移動、閾値を下回る電気的干渉）を満たす生体センサ（例えば、８０４）による第１の入力を検出する（９１０）。
【０３１１】
生体センサ（例えば、８０４）による第１の入力を検出したことに応じて、第１の電子デバイス（例えば、８００Ａ）は、生体センサ（例えば、８０４）によって検出された生体情報を記録することを開始する（９１２）。また、生体センサ（例えば、８０４）による第１の入力を検出したことに応じて、第１の電子デバイス（例えば、８００Ａ）は、ディスプレイ（例えば、８０２）上に、第１のユーザインタフェース（例えば、図８Ａの８０６）とは異なる、第２のユーザインタフェース（例えば、図８Ｄの８０６）（例えば、ヘルスアプリケーションの測定ページ）を表示し（９１４）、第２のユーザインタフェース（例えば、図８Ｄの８０６）は、生体情報の記録の進行のインジケーション（例えば、８１０）を含む。いくつかの実施形態では、進行のインジケーション（例えば、８１０）は、カウントダウンタイマー（例えば、所定の開始時間からゼロまでの秒単位でのカウントダウンを示す）である。第２のユーザインタフェース（例えば、図８Ｄの８０６）上に、生体情報の記録の進行のインジケーション（例えば、８１０）を表示することにより、記録が実行されていること及び記録を継続するためにユーザが入力を維持しなければならない持続時間をユーザに示すことによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３１２】
生体情報の少なくとも一部分を記録した後に、第１の電子デバイス（例えば、８００Ａ）は、１つ以上の入力デバイスを介して、第１の基準がもはや満たされない（例えば、生体センサ８０４とのユーザ接触が失われた）ことを検出する（９１２）。
【０３１３】
第１の基準が第１の期間（例えば、５秒）の間にもはや満たされないことを検出したことに応じて、第１の電子デバイス（例えば、８００Ａ）は、生体情報の記録の進行のインジケーション（例えば、８１０）をリセットし、第２のユーザインタフェース（例えば、図８Ｄの８０６）の表示を維持する（９１８）。第１の基準が第１の期間の間にもはや満たされないことを検出したことに応じて、第２のユーザインタフェース（例えば、図８Ｄの８０６）の表示を維持しながら、進行のインジケーション（例えば、８１０）をリセットすることにより、ユーザがヘルスモニタリングアプリケーションを意図せずに出ることを回避するのを支援しながら、同時に、記録又はヘルスモニタリングアプリケーションを手動で再開する必要なく、ユーザが記録を容易に継続することを可能にすることによって、デバイスのより多くの制御をユーザに提供する。（表示される追加コントローラによってユーザインタフェースを雑然とさせることなく）デバイスの追加の制御を提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３１４】
第１の基準が第１の期間より長い（例えば、５秒より長い）第２の期間の間にもはや満たされないことを検出したことに応じて、第１の電子デバイス（例えば、８００Ａ）は、第２のユーザインタフェース（例えば、図８Ｄの８０６）の表示を第１のユーザインタフェース（例えば、図８Ａの８０６）と置き換える（９２０）。第１の基準が第１の期間より長い第２の期間の間にもはや満たされないことを検出したことに応じて、第２のユーザインタフェース（例えば、図８Ｄの８０６）の表示を第１のユーザインタフェース（例えば、図８Ａの８０６）に置き換えることにより、記録が停止されたこと及び新しい記録をユーザによって再開することができることをユーザに視覚的に示すことによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３１５】
いくつかの実施形態では、第１のユーザインタフェース（例えば、図８Ａの８０６）は、第１の電子デバイス（例えば、８００Ａ）が生体情報を検出する準備ができていることを（ユーザに）示すグラフィカルアニメーション（例えば、心臓などの形状のグラフィカルアニメーション、図８Ａの８０８）を含み、グラフィカルアニメーションは、第１の形状（例えば、心臓形状）を形成する複数の移動オブジェクト（例えば、８０８、円形ドット）から構成されている。第１の電子デバイス（例えば、８００Ａ）が生体情報を検出する準備ができているというグラフィカルアニメーション（例えば、図８Ａの８０８）をユーザに提供することにより、アプリケーションの現在の状態に関する視覚的フィードバックを提供し、ユーザが記録を進めることができることを示す。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３１６】
いくつかの実施形態では、グラフィカルアニメーションの複数の移動オブジェクト（例えば、８０８）は、ディスプレイが第１のユーザインタフェースから第２のユーザインタフェースに遷移する際に、第１の形状（例えば、心臓形状）から第１の形状とは異なる第２の形状（例えば、グリッド形状）に遷移する。
【０３１７】
いくつかの実施形態では、更に、第１の基準が第１の期間の間にもはや満たされないことを検出したことに応じて、第１の電子デバイス（例えば、８００Ａ）は、グラフィカルアニメーションの複数の移動オブジェクト（例えば、８０８）を第１の形状（例えば、心臓形状）と第２の形状（例えば、グリッド形状）との間の中間形状に遷移させる。
【０３１８】
いくつかの実施形態では、第２のユーザインタフェース（例えば、図８Ｄの８０６）を表示し、かつ生体情報（例えば、心拍リズム情報、心拍数情報）を記録している間に、第１の電子デバイス（例えば、８００Ａ）は、第２の形状にあるグラフィカルアニメーション（例えば、図８Ｄの８０８、グリッド）内に、記録された生体情報の視覚的表現を表示し、記録された生体情報は、記録された生体情報の視覚的表現をグラフィカルアニメーション内に表示することができるように、フィルタリングされスケーリングされる。第２のユーザインタフェース（例えば、図８Ｄの８０６）を表示し、かつ生体情報を記録している間に、記録された生体情報の視覚的表現を表示することにより、ユーザが記録の現在の状態及び進行を見ることを可能にし、かつ記録が実行されていることをユーザに示すことによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３１９】
いくつかの実施形態では、第２のユーザインタフェース（例えば、図８Ｄの８０６）は、記録された生体情報からの生体情報の視覚化に対応する（動的）グラフィカル表現（例えば、動的タコグラム様アニメーション）、及び生体情報の記録を完了するための残りの時間を（ユーザに）示す（カウントダウン）タイマー（例えば、８１０）を含む。いくつかの実施形態では、記録される生体情報は、心臓に関連するデータであり、グラフィカル表現は、生体センサ（例えば、８０４）から取得されたデータを反映するタコグラムを含む動的アニメーションである。
【０３２０】
いくつかの実施形態では、生体情報を記録している間に、第１の電子デバイス（例えば、８００Ａ）は、１つ以上の入力デバイスを介して、第２の基準が満たされることを検出する。いくつかの実施形態では、第２の基準が満たされることを検出したことに応じて、第１の電子デバイス（例えば、８００Ａ）は、第２のユーザインタフェース内に（例えば、図８Ｄの８０６、進行のインジケーション８１０の下に）、第２の基準に関する（テキスト）通知（例えば、８２４）を表示する。第２の基準が満たされることを検出したことに応じて、第２のユーザインタフェース（例えば、図８Ｄの８０６）上に、第２の基準に関する通知（例えば、８２４）を表示することにより、記録を維持するためにユーザによって１つ以上のアクションをとる必要があることをユーザに迅速に示すことによって、デバイスのより多くの制御をユーザに提供する。（表示される追加コントローラによってユーザインタフェースを雑然とさせることなく）デバイスの追加の制御を提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３２１】
いくつかの実施形態では、第２の基準は、閾値を上回る（ユーザによって引き起こされたデバイスの）移動量が検出されたときに満たされ、通知（例えば、８４４）は、移動量を減少させるべきであることを（ユーザに）示す。いくつかの実施形態では、通知（例えば、８４４）は、多すぎる移動が検出されたことをユーザに通知する。いくつかの実施形態では、通知（例えば、８４４）は、ユーザの移動を制約するようにユーザに更に通知する。
【０３２２】
いくつかの実施形態では、第２の基準は、少なくとも第３の期間の間に閾値を上回る（ユーザによって引き起こされたデバイスの）移動量が検出されたときに満たされ、通知（例えば、８４６）は、第１の電子デバイスを（例えば、テーブル上の）静止位置に移動すべきであることを（ユーザに）示す。いくつかの実施形態では、第１の電子デバイスがスマートウォッチである場合、通知（例えば、８４６）は、ユーザの腕をテーブル上に置くようにユーザに命令する。
【０３２３】
いくつかの実施形態では、第２の基準は、第１の入力のタイプとは異なるタイプを有する第２の入力（例えば、押圧入力、クリック入力）が第１の入力デバイス（例えば、８０４、クラウン、機械的ボタン、回転ボタン）上で検出されたときに満たされ、通知（例えば、８４８）は、第２の入力を第１の入力デバイス上で繰り返すべきではないことを（ユーザに）示す。いくつかの実施形態では、生体センサは、第１の入力デバイス（例えば、８０４）に一体化された１つ以上の電極（例えば、第１の電子デバイス（例えば、８００Ａ）の（例えば、バックプレート）に一体化された１つ以上の電極と連携して動作する）筐体部分を含む。いくつかの実施形態では、第２の入力は、第１の入力デバイス（例えば、８０４）上の押圧／クリック入力であり、通知（例えば、８４８）は、ユーザが第１の入力デバイス（例えば、８０４）を押圧／クリックすべきでないことを通知する。
【０３２４】
いくつかの実施形態では、第２の基準は、生体情報の記録がまだ完了していないときに生体センサ（例えば、８０４）によって第１の入力がもはや検出されない（例えば、中止された、中断された）ときに満たされ、通知（例えば、８５０）は、第１の入力を生体センサ（例えば、８０４）上で維持すべきであることを（ユーザに）示す。いくつかの実施形態では、第１の電子デバイス（例えば、８００Ａ）は、生体情報の記録が依然として進行中である間にユーザが生体センサ（例えば、８０４）との接触を中止したときに、第１の入力がもはや検出されないことを検出する。いくつかの実施形態では、通知（例えば、８５０）は、生体センサ（例えば、８０４）との接触を（例えば、ユーザの指をその上に戻して置くことによって）再確立するようにユーザに命令する。
【０３２５】
いくつかの実施形態では、第１の生体情報の第１の記録及び第１の生体情報とは異なる第２の生体情報の第２の記録（例えば、第１の記録及び第２の記録は、異なる時間に取られた異なる記録である）を取った後、第１の電子デバイス（例えば、８００Ａ）は、第２の電子デバイス（例えば、８００Ｂ、スマートウォッチとペアリングされたスマートフォン）に、記録された第１の生体情報及び記録された第２の生体情報を送信する（９２２）。
【０３２６】
いくつかの実施形態では、（例えば、ディスプレイ上に第１及び第２のユーザインタフェースに対応するアプリケーションを表示していない間に）第１の電子デバイス（例えば、８００Ａ）は、（例えば、ユーザ入力なしに心拍数情報を測定する第２の生体センサを介して）所定の時間の間、（ユーザの）心拍数情報を検出する（９２４）。いくつかの実施形態では、検出された心拍数情報が第１の条件を満たす（例えば、１５０ＢＰＭなどの閾値を上回る、特定の時間の間に閾値を上回る）との判定に従って、第１の電子デバイス（例えば、８００Ａ）は、ディスプレイ（例えば、８０２）上に、高い心拍数を示す通知を表示する（９２６）。検出された心拍数情報が第１の条件を満たすとの判定に従って、ディスプレイ（例えば、８０２）上に、高い心拍数を示す通知を表示することにより、高い心拍数をユーザに迅速に通知することによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３２７】
いくつかの実施形態では、第１の電子デバイス（例えば、８００Ａ）は、１つ以上の入力デバイスを介して、通知のユーザアクティブ化を検出する（９２８）。いくつかの実施形態では、通知のユーザアクティブ化を検出したことに応じて、第１の電子デバイス（例えば、８００Ａ）は、ディスプレイ（例えば、８０２）上に、第１のユーザインタフェース（例えば、図８Ａの８０６）を表示する（９３０）（それにより、ユーザが第１のユーザインタフェースに対応するアプリケーションを使用してユーザの心電図記録を確認することができる）。通知のユーザアクティブ化を検出したことに応じて、ディスプレイ（例えば、８０２）上に、第１のユーザインタフェース（例えば、図８Ａの８０６）を表示することにより、デバイスがユーザの高い心拍数を検出したときに、第１のユーザインタフェースに対応するアプリケーションを起動するために必要な入力の数が低減される。動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３２８】
方法９００に関して上述したプロセス（例えば、図９Ａ〜図９Ｂ）の詳細はまた、上記及び以下で説明する方法にも、類似の方式で適用可能であることに留意されたい。例えば、方法７００は、方法９００を参照して上述した様々な方法の特性のうちの１つ以上を任意選択的に含む。別の例では、方法１１００は、方法９００に関して上述した様々な方法の特性のうちの１つ以上を任意選択的に含む。別の例では、方法１３００は、方法９００に関して上述した様々な方法の特性のうちの１つ以上を任意選択的に含む。別の例では、方法１５００は、方法９００に関して上述した様々な方法の特性のうちの１つ以上を任意選択的に含む。簡潔にするために、これらの詳細は、以下で繰り返さない。
【０３２９】
図１０Ａ〜図１０Ｊは、いくつかの実施形態に係る、ヘルスモニタリングのための例示的なユーザインタフェースを示す。これらの図の例示的なユーザインタフェースは、図１１のプロセスを含む後述するプロセスを例示するために使用される。これらの図における例示的なユーザインタフェースは、概して、記録された生体情報を使用して健康をモニタリングすることに関し、特定の種類の生体情報に限定されない。単に便宜上、これらの図の例示的なユーザインタフェースは、一種類の生体情報、心電図（以下、「ＥＣＧ」）情報を参照して説明する。
【０３３０】
図１０Ａは、（例えば、第２の電子デバイス６００Ｂ、第１の電子デバイス８００Ａに対応する）第１の電子デバイス１０００を示す。いくつかの実施形態では、第１の電子デバイス１０００Ａは、スマートウォッチである。いくつかの実施形態では、第１の電子デバイス１０００Ａは、ディスプレイ１００２及び１つ以上の入力デバイス（例えば、ディスプレイ１００２のタッチ層及び回転クラウンなどの１つ以上の機械的ボタンを含む）を有する。いくつかの実施形態では、第１の電子デバイス１０００は、第１の電子デバイス１０００の入力デバイス１００４（例えば、押圧可能な回転クラウンなどの機械的入力デバイス）に一体化された１つ以上の電極を含む（例えば、ＥＣＧ情報を記録するための、ユーザの心拍リズム及び心拍数を検出するための）１つ以上の生体センサを含む。いくつかの実施形態では、第１の電子デバイス１０００の１つ以上の生体センサは、第１の電子デバイス１０００の筐体部分（例えば、バックプレート）の（例えば、それに一体化された）１つ以上の電極を更に含み、入力デバイスに一体化された１つ以上の電極は、筐体部分の１つ以上の電極と連携して動作して、生体情報（例えば、ＥＣＧ情報）をキャプチャする。生体情報（例えば、ＥＣＧ情報）をキャプチャするために使用される第１の電子デバイス１０００の１つ以上の生体センサに関する特徴は、付属書類Ａにより詳細に記載されている。
【０３３１】
いくつかの実施形態では、第１の電子デバイス１０００は、入力デバイス１００４のアクティブ化を検出し、それに応答する（例えば、第１の既定の動作又は第２の既定の動作を実行することによって応答する）ように構成されており、アクティブ化は、生体情報（例えば、ＥＣＧ情報）のキャプチャとは異なり、かつそれとは無関係である。
【０３３２】
図１０Ａは、ディスプレイ１００２上に、（例えば、図６Ａ〜図６ＡＥを参照して説明したＥＣＧアプリケーションのユーザインタフェース６４４及び図８Ａ〜図８Ｓを参照して説明したＥＣＧアプリケーションのユーザインタフェース８０６に対応する）ＥＣＧアプリケーションのユーザインタフェース１００６を表示する第１の電子デバイス１０００を示す。いくつかの実施形態では、ＥＣＧアプリケーションは、入力デバイス１００４のアクティブ化を検出することなく、第１の電子デバイス１０００に生体情報をキャプチャさせるように構成されている。
【０３３３】
いくつかの実施形態では、ユーザインタフェース１００６は、特定の形状（例えば、心臓）を描写するアニメーション１００８（例えば、流動的なアニメーション、ユーザインタフェース６４４のアニメーション６４６及びユーザインタフェース８０６のアニメーション８０８に対応する）を含む。いくつかの実施例では、図１０Ａに示すように、アニメーション１００８は、特定の形状（例えば、心臓）を形成する複数の動的オブジェクト（例えば、円形のオブジェクト）を含み、この形状は、三次元的に見え、複数の動的オブジェクトが形状の構造を維持しながら常に移動する際に視覚的に流動的である。いくつかの実施例では、アニメーション１００８を形成する複数の動的オブジェクトは、一貫した視覚的特性（例えば、同じ色）を有する。
【０３３４】
いくつかの実施形態では、特定の形状（例えば、心臓）のアニメーション１００８を表示している間に、ユーザインタフェース１００６は、ユーザのＥＣＧ情報の記録を進めるためにデバイス上でアクションを（ユーザによって）実行しなければならないことをユーザに示す（例えば、ユーザインタフェース６４４の通知メッセージ６４８及びユーザインタフェース８０６の通知メッセージ８１０に対応する、「クラウン上にあなたの指を保持してください」と記述する）通知メッセージ１０１０を表示する。いくつかの実施形態では、通知メッセージ１０１０は、入力のタイプ（例えば、入力が入力デバイス１００４を「クリック」しないように、閾値量を下回る入力デバイス１００４上のタッチ又は接触）、及び（例えば、記録の持続時間の間）入力が入力デバイス１００４上で維持されなければならないことをユーザに命令する。
【０３３５】
いくつかの実施形態では、図１０Ａに示すように、ＥＣＧアプリケーションのユーザインタフェース１００６を表示している間に、第１の電子デバイス１０００は、入力デバイス１００４上の押圧入力１００１を検出し、押圧入力は、入力が入力デバイス１００４を「クリック」するように、閾値量を上回る押圧力を有する入力デバイス１００４上の入力である。
【０３３６】
いくつかの実施形態では、図１０Ａに示すように、ＥＣＧアプリケーションのユーザインタフェース１００６を表示している間に押圧入力１００１を検出したことに応じて、第１の電子デバイス１０００は、図１０Ｂに示すように、ディスプレイ１００２上に、ホームユーザインタフェース１０１２（例えば、デバイスのオペレーティングシステムのメインユーザインタフェース）を表示する（例えば、ユーザインタフェース１００６の表示をそれと置き換える）。いくつかの実施形態では、ホームユーザインタフェース１０１２は、ＥＣＧアプリケーションに対応するアイコン１０１４を含む、デバイス上にインストールされた異なるアプリケーションに対応する複数のアイコンを含む。
【０３３７】
図１０Ｃは、ＥＣＧアプリケーションのユーザインタフェース１００６を表示している間に、入力デバイス１００４上のユーザ入力１００３（例えば、入力デバイス１０００上の指の連続タッチ又は接触）を検出（及び維持）して、（例えば、図８Ａ〜図８Ｃを参照して説明したように）ＥＣＧ記録を開始する第１の電子デバイス１０００を示す。いくつかの実施形態では、ＥＣＧ記録を開始すると、アニメーション１００８の動的な複数のオブジェクト（例えば、円形のオブジェクト）は、図１０Ａのそれらの初期の流動的な形状からグリッド状の形状に遷移する。いくつかの実施形態では、ＥＣＧ記録を開始すると、デバイスは、ユーザインタフェース１００６内に、記録を完了するための残りの時間（例えば、最初に３０秒）を示すタイマー１０１６を（例えば、アニメーション１０１０の下に）表示する。いくつかの実施形態では、ＥＣＧ記録を開始すると、デバイスは、ユーザインタフェース１００６内に（例えば、タイマー１０１６の下に）、ＥＣＧ情報の記録中にユーザが入力デバイス１００４上で（安定した）ユーザ入力１００３を維持するように（例えば、「クラウンをタッチして静止したままでいるように試みてください」と記述する）要求する通知メッセージ１０１８を表示する。
【０３３８】
図１０Ｄは、（例えば、記録の開始から３秒が経過したことを示すタイマー１０１６によって示されるように）記録の開始から初期閾値期間（例えば、５秒）が経過していない、ユーザからＥＣＧ情報を記録する第１の電子デバイス１０００を示す。いくつかの実施形態では、初期閾値期間がまだ経過していない間に、第１の電子デバイス１０００は、入力デバイス１００４上の押圧入力１００５を検出し、押圧入力は、入力が入力デバイス１００４を「クリック」するように、閾値量を上回る押圧力を有する入力デバイス１００４上の入力である。いくつかの実施形態では、初期閾値期間がまだ経過していない間に入力デバイス１００４上の押圧入力１００５を検出したことに応じて、第１の電子デバイス１０００は、（自動的に）記録を終了し、図１０Ａに示すように、ＥＣＧアプリケーションのユーザインタフェース１００６を表示する。
【０３３９】
図１０Ｅは、（例えば、記録の開始から６秒が経過したことを示すタイマー１０１６によって示されるように）記録の開始から初期閾値期間（例えば、５秒）が経過している、ユーザからＥＣＧ情報を記録する第１の電子デバイスを示す。いくつかの実施形態では、初期閾値期間が経過した後、第１の電子デバイス１０００は、入力デバイス１００４上の押圧入力１００７（例えば、押圧入力１００５と同様の）を検出し、押圧入力は、入力が入力デバイス１００４を「クリック」するように、閾値量を上回る押圧力を有する入力デバイス１００４上の入力である。いくつかの実施形態では、初期閾値期間（例えば、５秒）が経過した後に入力デバイス１００４上の押圧入力１００７を検出したことに応じて、第１の電子デバイス１０００は、記録を終了しない。いくつかの実施形態では、（記録を終了する代わりに）第１の電子デバイス１０００は、ユーザインタフェース１００６内に、記録中に又は記録を正常に完了するために入力デバイス１００４を「クリックする」必要がないことを示す（例えば、「クラウンをクリックする必要はありません」と記述する）通知メッセージ１０２０を表示する。
【０３４０】
いくつかの実施形態では、初期閾値期間（例えば、５秒）が経過した後に入力デバイス１００４上の押圧入力１００７を検出した後に、それに応じて第１の電子デバイス１０００は、記録を終了せず、デバイスは、押圧入力１００７を検出した後だが、押圧入力１００７を検出してから所定の時間（例えば、２．５秒）が経過する前に、（例えば、押圧入力１００７と同様の）第２の押圧入力を検出する。いくつかの実施形態では、押圧入力１００７を検出した後だが、押圧入力１００７を検出してから所定の時間（例えば、２．５秒）が経過する前に、第２の押圧入力を検出したことに応じて、第１の電子デバイス１０００は、記録を（自動的に）終了し、図１０Ａに示すように、ＥＣＧアプリケーションのユーザインタフェース１００６を表示する。
【０３４１】
いくつかの実施形態では、初期閾値期間（例えば、５秒）が経過した後に入力デバイス１００４上の押圧入力１００７を検出した後に、それに応じて第１の電子デバイス１０００は、記録を終了せず、デバイスは、押圧入力１００７を検出した後、かつ押圧入力１００７を検出してから所定の時間（例えば、２．５秒）が経過した後に、（例えば、押圧入力１００７と同様の）第２の押圧入力を検出する。いくつかの実施形態では、（記録を終了する代わりに）第１の電子デバイス１０００は、ユーザインタフェース１００６内に、記録中に又は記録を正常に完了するために入力デバイス１００４を「クリックする」必要がないことを示す（例えば、「クラウンをクリックする必要はありません」と記述する）通知メッセージ１０２０を表示する。要約すると、いくつかの実施形態では、かつ記録が進行中である間に、記録の終了は、２つの入力が所定の期間内に（例えば、素早い連続内で（例えば、２．５秒以内に））受信された場合に生じる。対照的に、いくつかの実施形態では、２つの入力が受信されるが、所定の期間（例えば、２．５秒以内）よりも長く間隔を空けた場合、記録は取り消されない。
【０３４２】
図１０Ｆは、ユーザインタフェース１００６のタイマー１０１６（例えば、「２０秒」を示す）によって示されるように、記録を完了するために２０秒残っている、ＥＣＧアプリケーション上でＥＣＧ記録を実行する第１の電子デバイス１０００を示す。図１０Ｆでは、記録の開始から初期閾値期間（例えば、５秒）が経過している。いくつかの実施形態では、記録の開始から初期閾値時間（例えば、５秒）が経過した後、第１の電子デバイス１０００は、ユーザ入力、入力デバイス１００４上の押圧入力１００９（又はプレスアンドホールド入力）を検出し、押圧入力は、入力が入力デバイス１００４を「クリックする」（例えば、かつ押圧力が１秒などの少なくとも一定期間の間維持される）ように、閾値量を上回る押圧力を有する入力デバイス１００４上の入力である。いくつかの実施形態では、初期閾値時間（例えば、５秒）が経過した後に、入力デバイス１００４上の押圧入力１００９を検出したことに応じて、第１の電子デバイス１０００は、記録を終了せず、ユーザインタフェース１００６内に、記録中に又は記録を正常に完了するために入力デバイス１００４を「クリックする」必要がないことを示す（例えば、「クラウンをクリックする必要はありません」と記述する）通知メッセージ１０２０を表示する。
【０３４３】
いくつかの実施形態では、ユーザ入力１００９を検出した後の少なくとも所定の時間（例えば、５秒）、第１の電子デバイス１０００は、押圧、入力デバイス１００４上のプレスアンドホールド入力１０１１を検出し、プレスアンドホールド入力は、入力が入力デバイス１００４を「クリック」し、かつ入力デバイス１００４が少なくとも閾値期間（例えば、１秒）の間「クリック」されるように、閾値量を上回る押圧力を有する入力デバイス１００４上の入力である。いくつかの実施形態では、初期閾値期間がまだ経過していない間に入力デバイス１００４上のプレスアンドホールド入力１０１１を検出したことに応じて、第１の電子デバイス１０００は、図１０Ｇに示すように、ディスプレイ１００２上に、仮想アシスタント（例えば、デバイスのオペレーティングシステムによって制御された仮想アシスタント）のユーザインタフェース１０２２を（自動的に）表示する（例えば、ＥＣＧアプリケーションのユーザインタフェース１００６の表示をそれと置き換える）。
【０３４４】
図１０Ｈ〜図１０Ｊは、デバイスがＥＣＧ記録を実行している間に電子通信（例えば、電話通話、テキストメッセージ、電子メールメッセージ）を受信する第１の電子デバイス１０００を示す。図１０Ｈでは、受信した電子通信（例えば、「ジェーン・アップルシード」からのテキストメッセージ）は、電子通信に対応する通知１０２６として表される。（通知１０２６として表された）電子通信は、（例えば、入力デバイス１００４上のユーザ入力１０１３から）第１の電子デバイス１０００がＥＣＧ記録を実行している間に受信される。
【０３４５】
図１０Ｉは、ＥＣＧ記録を完了すると、ディスプレイ１００２上に、（例えば、図８Ｊ〜図８Ｋを参照して説明した概要ページ８２６に対応する）ＥＣＧ記録の概要ページ１０２８を表示する第１の電子デバイス１０００を示す。図１０Ｊでは、記録を完了する（かつ記録に対応する概要ページ１０２８を表示する）と（又はその後で）、第１の電子デバイス１０００は、ディスプレイ１００２上に、記録中に受信された電子通信（例えば、「ジェーン・アップルシード」からのテキストメッセージ）に対応する通知警告１０３０を表示する。いくつかの実施形態では、記録中に１つ以上の追加の電子通信が受信された場合、デバイスはまた、記録を完了すると（又はその後で）、受信された電子通信に対応する１つ以上の通知警告を提供する。
【０３４６】
いくつかの実施形態では、ＥＣＧ記録を開始すると（又はその前に）、第１の電子デバイス１０００は、デバイスの無線通信無線機（例えば、ＬＴＥ接続）を自動的に無効にする。いくつかの実施形態では、ＥＣＧ記録を完了すると（又はそれに応じて）、第１の電子デバイス１０００は、デバイス上の無線通信無線機を自動的に再び有効にする。
【０３４７】
いくつかの実施形態では、ＥＣＧ記録を開始すると（又はその前に）、第１の電子デバイス１０００は、デバイスの触覚フィードバックコントローラ（例えば、触覚アクチュエータ）を自動的に無効にする。いくつかの実施形態では、ＥＣＧ記録を完了すると（又はそれに応じて）、第１の電子デバイス１０００は、デバイスの触覚フィードバックコントローラを自動的に再び有効にする。
【０３４８】
図１１は、いくつかの実施形態に係る、ヘルスモニタリングのための入力デバイスを使用する方法を示すフロー図である。方法１１００は、ディスプレイと、一体型生体センサを有する第１の入力デバイス（例えば、ユーザの心臓の特性を検出するための１つ以上の電極を含む一体型生体センサを有する回転可能かつ押圧可能なウォッチクラウン）を含む１つ以上の入力デバイスと、を有するデバイス（例えば、１００、３００、５００、６００Ｂ、８００Ａ、１０００）において実行される。方法１１００のいくつかの動作は、任意選択的に組み合わされ、いくつかの動作の順序は、任意選択的に変更され、いくつかの動作は、任意選択的に省略される。
【０３４９】
後述するように、方法１１００は、ヘルスモニタリングを管理するための直感的方法を提供する。この方法は、ヘルスモニタリングを管理する際のユーザの認識的負担を軽減し、それによって、より効率的なヒューマン−マシンインタフェースを作り出す。バッテリ動作式のコンピューティングデバイスの場合には、ユーザがヘルスモニタリングをより高速かつより効率的に管理することを可能にすることにより、電力が節約され、バッテリ充電の間隔が増す。
【０３５０】
第１の電子デバイス（例えば、１０００）は、ディスプレイ（例えば、１００２）上に、生体センサ（例えば、１００４）から生体情報（例えば、ＥＣＧデータ、ＢＰＭデータ、心臓に関連するデータ）をキャプチャするためのアプリケーション（例えば、ヘルスモニタリングアプリケーション又はヘルスデータ測定アプリケーションなどのヘルスアプリケーション）のユーザインタフェース（例えば、図１０Ａの１００６）を表示する（１１０２）。
【０３５１】
いくつかの実施形態では、第１の電子デバイス（例えば、１０００）は、第１の入力デバイス（例えば、１００４）のアクティブ化を検出し、それに応答する（例えば、既定の動作又は第２の既定の動作を実行することによって応答する）ように構成されており、アクティブ化は、生体情報のキャプチャとは異なり、かつそれとは無関係である。
【０３５２】
いくつかの実施形態では、アプリケーションは、第１の入力デバイス（例えば、１００４）のアクティブ化を検出することなく、第１の電子デバイス（例えば、１０００）に生体情報をキャプチャさせるように構成されている。
【０３５３】
生体センサ（例えば、１００４）から生体情報をキャプチャするためのアプリケーションのユーザインタフェース（例えば、図１０Ａの１００６）を表示している間に、第１の電子デバイス（例えば、１０００）は、第１の入力デバイスの第１のアクティブ化（例えば、１００４、クラウンの「クリック」を引き起こす閾値量を超える、回転クラウンなどの第１の入力デバイスの押圧）を検出する（１１０４）。
【０３５４】
第１の入力デバイスの第１のアクティブ化（例えば、１００４、第１の入力デバイス上の押圧）を検出したことに応じて、かつ生体センサ（例えば、１００４）から生体情報をキャプチャしている間に、生体センサ（例えば、１００４）で生体情報をキャプチャすることに向かう進行に基づく第１の基準が満たされるときに、第１の入力デバイス（例えば、１００４）の第１のアクティブ化が検出された（例えば、デバイスが所定量未満の生体情報をキャプチャし、かつ／又は第１の入力デバイスが５秒などの少なくとも閾値時間内にアクティブ化された）との判定に従って、第１の電子デバイス（例えば、１０００）は、生体情報のキャプチャを中断する、第１の入力デバイス（例えば、１００４）に関連付けられた既定の動作（例えば、表示されたコンテンツのスクロール、現在アクティブなアプリケーションを出ること、デジタルアシスタント機能のアクティブ化）を実行する（１１０６）。第１の基準が満たされるときに第１の入力デバイス（例えば、１００４）の第１のアクティブ化が検出されたとの判定に従って、生体情報のキャプチャを中断する、第１の入力デバイス（例えば、１００４）に関連付けられた既定の動作を実行することにより、ユーザが第１の入力デバイス上の入力を介して特定の状況で生体情報のキャプチャを中断することを可能にすることによって、デバイスのより多くの制御をユーザに提供する。表示される追加コントローラによってＵＩを雑然とさせることなく追加の制御オプションを提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３５５】
また、第１の入力デバイスの第１のアクティブ化（例えば、１００４、第１の入力デバイス上の押圧）を検出したことに応じて、かつ生体センサ（例えば、１００４）から生体情報をキャプチャしている間に、第１の基準が満たされないときに第１の入力デバイス（例えば、１００４）の第１のアクティブ化が検出されたとの判定に従って、第１の電子デバイス（例えば、１０００）は、第１の入力デバイス（例えば、１００４）に関連付けられた既定の動作を実行することなく、生体情報をキャプチャし続ける（１１０８）。第１の基準が満たされないときに第１の入力デバイスの第１のアクティブ化が検出されたとの判定に従って、第１の入力デバイス（例えば、１００４）に関連付けられた既定の動作を実行することなく、生体情報をキャプチャし続けることにより、ユーザが記録プロセスを手動で再開する必要なく、特定の状況で生体情報をキャプチャし続けることを可能にすることによって、デバイスのより多くの制御をユーザに提供する。表示される追加コントローラによってＵＩを雑然とさせることなく追加の制御オプションを提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３５６】
いくつかの実施形態では、生体情報をキャプチャする前に（例えば、図８Ａに示すように、メインユーザインタフェース８０６のアニメーション８０８などの導入アニメーションを表示している間に）、第１の電子デバイス（例えば、１０００）は、第１の入力デバイス（例えば、１００４）の第２のアクティブ化を検出する。いくつかの実施形態では、第１の入力デバイス（例えば、１００４）の第２のアクティブ化を検出したことに応じて、第１の電子デバイス（例えば、１０００）は、既定の動作を実行する（例えば、生体情報のキャプチャが行われているか否かを判定することなく、既定の動作を実行する）。
【０３５７】
いくつかの実施形態では、既定の動作は、ディスプレイ（例えば、１００２）上に、既定のユーザインタフェース（例えば、１０１２、アプリケーションを起動するための１つ以上のアフォーダンスを含むホーム画面）を表示することを含む。いくつかの実施形態では、既定のユーザインタフェース（例えば、１０１２）を表示することは、任意の現在アクティブ又は実行中のアプリケーション（例えば、生体情報をキャプチャするためのアプリケーション）を閉じる又は一時中断することを含む。
【０３５８】
いくつかの実施形態では、既定の動作は、ディスプレイ（例えば、１００２）上に、（例えば、生体情報をキャプチャするためのアプリケーションのユーザインタフェース（例えば、１００６）の表示を置き換えることによって）デジタル仮想アシスタントのユーザインタフェース（例えば、１０２２）を表示することを含む。
【０３５９】
いくつかの実施形態では、第１の基準は、生体情報をキャプチャすることが第１の閾値時間（例えば、５秒）未満の間に行われたときに満たされる。
【０３６０】
いくつかの実施形態では、第１の入力デバイス（例えば、１００４）に関連付けられた既定の動作を実行することなく生体情報をキャプチャし続けた後、第１の電子デバイス（例えば、１０００）は、第１の入力デバイス（例えば、１００４）の第２のアクティブ化を検出する（１１１０）。いくつかの実施形態では、第１の入力デバイス（例えば、１００４）の第２のアクティブ化を検出したことに応じて、第１の入力デバイス（例えば、１００４）の第１のアクティブ化を検出した後に第１の入力デバイス（例えば、１００４）の第２のアクティブ化が所定の時間（例えば、５秒）内に検出されたとの判定に従って、第１の電子デバイス（例えば、１０００）は、生体情報のキャプチャを中断する、第１の入力デバイス（例えば、１００４）に関連付けられた既定の動作を実行する（１１１２）。第１の入力デバイスの第１のアクティブ化を検出した後に第１の入力デバイスの第２のアクティブ化が所定の時間内に検出されたとの判定に従って、生体情報のキャプチャを中断する、第１の入力デバイス（例えば、１００４）に関連付けられた既定の動作を実行することにより、デバイスのより多くの制御をユーザに提供し、ユーザが第１の入力デバイスを使用して生体情報のキャプチャを迅速かつ容易に中断することを可能にすることによって、生体情報のキャプチャを中断するために必要な入力の数を低減する。デバイスの追加の制御を提供し、動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３６１】
いくつかの実施形態では、第１の入力デバイス（例えば、１００４）の第２のアクティブ化を検出したことに応じて、第１の入力デバイス（例えば、１００４）の第１のアクティブ化を検出した後に第１の入力デバイス（例えば、１００４）の第２のアクティブ化が所定の時間後に検出されたとの判定に従って、第１の電子デバイス（例えば、１０００）は、第１の入力デバイス（例えば、１００４）に関連付けられた既定の動作を実行することなく、生体情報をキャプチャし続ける（１１１４）。拳の入力デバイスの第１のアクティブ化を検出した後に第１の入力デバイスの第２のアクティブ化が所定の時間後に検出されたとの判定に従って、第１の入力デバイス（例えば、１００４）に関連付けられた既定の動作を実行することなく、生体情報をキャプチャし続けることにより、ユーザが生体情報のキャプチャを意図せずに中断することを回避することを支援し、かつ同時に、生体情報のキャプチャを中断するために別の及び／又は異なる入力が必要とされることをユーザが認識することを可能にすることによって、デバイスのより多くの制御をユーザに提供する。（表示される追加コントローラによってユーザインタフェースを雑然とさせることなく）デバイスの追加の制御を提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３６２】
いくつかの実施形態では、生体センサ（例えば、１００４）から生体情報（例えば、心拍リズム情報、心拍数情報）をキャプチャすると（又はその前に）、第１の電子デバイス（例えば、１０００）は、第１の電子デバイス（例えば、１０００）の触覚フィードバックコントローラ（例えば、第１の入力デバイスに関連付けられた触覚アクチュエータ）を自動的に無効にする。いくつかの実施形態では、生体情報のキャプチャを完了すると（又はそれに応じて）、第１の電子デバイス（例えば、１０００）は、触覚フィードバックコントローラを自動的に再び有効にする。
【０３６３】
いくつかの実施形態では、生体センサから生体情報（例えば、心拍リズム情報、心拍数情報）をキャプチャすると（又はその前に）、第１の電子デバイス（例えば、１０００）は、第１の電子デバイス（例えば、１０００）の無線通信無線機（例えば、ＬＴＥ接続）を自動的に無効にし、第１のタイプの通知（例えば、１０２６、第１のタイプメッセージ、第１のタイプの警告、タイマー通知以外のタイプの通知）が表示されるのを防止し、第１のタイプの通知は、生体情報をキャプチャしている間に受信された電子通信（例えば、テキストメッセージ、電子メール、電話通話）に対応する通知を含む。いくつかの実施形態では、表示されるのを防止される通知は、タイマー通知を含まない。いくつかの実施形態では、生体情報のキャプチャを完了すると（又はそれに応じて）、第１の電子デバイス（例えば、１０００）は、無線通信無線機を自動的に再び有効にし、第１のタイプの通知（例えば、１０３０）が表示されることを可能にする。
【０３６４】
方法１１００に関して上述したプロセス（図１１）の詳細はまた、上述及び後述する方法にも、類似の方式で適用可能であることに留意されたい。例えば、方法７００は、方法１１００を参照して上述した様々な方法の特性のうちの１つ以上を任意選択的に含む。別の例では、方法９００は、方法１１００に関して上述した様々な方法の特性のうちの１つ以上を任意選択的に含む。例えば、方法１３００は、方法１１００を参照して上述した様々な方法の特性のうちの１つ以上を任意選択的に含む。例えば、方法１５００は、方法１１００を参照して上述した様々な方法の特性のうちの１つ以上を任意選択的に含む。簡潔にするために、これらの詳細は、以下で繰り返さない。
【０３６５】
図１２Ａ〜１２Ｓは、ヘルスモニタリングの様相を管理するための例示的なユーザインタフェースを示す。それらの図におけるユーザインタフェースは、図１３Ａ〜図１３Ｂにおける処理を含む、以下で説明される処理を例示するために使用される。これらの図における例示的なユーザインタフェースは、概して、記録された生体情報を使用して健康をモニタリングすることに関し、特定の種類の生体情報に限定されない。単に便宜上、これらの図の例示的なユーザインタフェースは、一種類の生体情報、心電図（以下、「ＥＣＧ」）情報を参照して説明する。
【０３６６】
図１２Ａは、（例えば、第２の電子デバイス６００Ｂ、第１の電子デバイス８００Ａ、及び／又は第１の電子デバイス１０００に対応する）第１の電子デバイス１２００を示す。いくつかの実施形態では、第１の電子デバイス１２００は、スマートウォッチである。いくつかの実施形態では、第１の電子デバイス１２００は、ディスプレイ１２０２及び１つ以上の入力デバイス（例えば、ディスプレイ１２０２のタッチ層及び回転クラウンなどの１つ以上の機械的ボタンを含む）を有する。いくつかの実施形態では、第１の電子デバイス１２００は、第１の電子デバイス１２００の入力デバイス１２０４（例えば、押圧可能な回転クラウンなどの機械的入力デバイス）に一体化された１つ以上の電極を含む（例えば、ＥＣＧ情報を記録するための、ユーザの心拍リズム及び心拍数を検出するための）１つ以上の生体センサを含む。いくつかの実施形態では、第１の電子デバイス１２００の１つ以上の生体センサは、第１の電子デバイス１２００の筐体部分（例えば、バックプレート）の（例えば、それに一体化された）１つ以上の電極を更に含み、入力デバイスに一体化された１つ以上の電極は、筐体部分の１つ以上の電極と連携して動作して、生体情報（例えば、ＥＣＧ情報）をキャプチャする。生体情報（例えば、ＥＣＧ情報）をキャプチャするために使用される第１の電子デバイス１２００の１つ以上の生体センサに関する特徴は、付属書類Ａにより詳細に記載されている。
【０３６７】
図１２Ａでは、第１の電子デバイス１２００は、ディスプレイ１２０２上に、（例えば、概要ページ８２６及び概要ページ１０２８に対応する）完了したＥＣＧ記録に関するＥＣＧアプリケーションの概要ページ１２０６を表示し、完了したＥＣＧ記録の評価結果は、概要領域１２０８のインジケーション１２０８Ａによって示されるように、「平常のリズム」結果である。いくつかの実施形態では、概要領域１２０８はまた、完了したＥＣＧ記録の（例えば、ＢＰＭ単位の）心拍数読み取り値のインジケーション１２０８Ｂも含む。いくつかの実施形態では、概要ページ１２０６を表示している間、デバイスは、（例えば、概要ページがユーザに容易に判読可能であるように、より明るい色合いで）概要ページの背景に（例えば、図８Ａに示すアニメーション８０８に対応する、図８Ａに示すようなその初期形状の）アニメーションを表示する（例えば、その表示を維持する）。
【０３６８】
いくつかの実施形態では、概要領域１２０８はまた、対応する評価結果に関する詳細な説明を見るための情報アフォーダンス１２１０を含む。いくつかの実施形態では、概要ページ１２０６を表示している間に、第１の電子デバイス１２００は、情報アフォーダンス１２１０のユーザアクティブ化１２０１を（例えば、タッチ入力を介して）検出する。
【０３６９】
図１２Ｂは、ディスプレイ１２０２上に、その対応する結果の医学的特性に関する説明を含む情報ページ１２１２の少なくとも一部分を表示する第１の電子デバイス１２００を示す。いくつかの実施形態では、情報ページ１２１２に含まれる説明は、図６Ａ〜図６ＡＥを参照して説明したチュートリアルの起こり得る結果ページ６１８に示されるテキスト記述に対応する。図１２Ｂでは、第１の電子デバイス１２００は、ページの底部の方向の入力デバイス１２０４上のスクロール入力１２０３（例えば、入力デバイス１２０４、回転クラウンの回転）を検出する。いくつかの実施形態では、ページは、ディスプレイ上のスクロールタッチジェスチャを介してスクロールすることができる。スクロール入力を検出したことに応じて、第１の電子デバイス１２００は、情報ページ１２１２をページの底部に向かってスクロールする。
【０３７０】
図１２Ｃは、ディスプレイ１２０２上に、ＥＣＧアプリケーションの情報ページ１２１２の底部部分を表示する第１の電子デバイス１２００を示す。いくつかの実施形態では、情報ページ１２１２は、（例えば、ページの最後に）ＥＣＧアプリケーションの以前のページに戻るための戻りアフォーダンス１２１４を含む。いくつかの実施形態では、情報ページ１２１２を表示している間に、第１の電子デバイス１２００は、戻りアフォーダンス１２１４のユーザアクティブ化１２０５を（例えば、タッチ入力を介して）検出する。戻りアフォーダンス１２１４のユーザアクティブ化１２０５を検出したことに応じて、第１の電子デバイス１２００は、図１２Ｄに示すように、ディスプレイ１２０２上に、概要ページ１２０６を再び表示する（例えば、情報ページ１２１２の表示をそれと置き換える）。
【０３７１】
図１２Ｄでは、ディスプレイ１２０２上に、概要ページ１２０６を表示している間に、第１の電子デバイス１２００は、入力デバイス１２０４上のスクロール入力１２０７（例えば、入力デバイス、回転クラウンの回転）を検出する。いくつかの実施形態では、入力デバイス１２０４上のスクロール入力１２０７を検出したことに応じて、第１の電子デバイス１２００は、図１２Ｅに示すように、概要ページ１２０６をスクロールして、ページの追加項目を見せる。
【０３７２】
いくつかの実施形態では、図１２Ｅに示すように、概要ページ１２０６は、（例えば、症状のリストからのユーザ選択を介して）１つ以上の症状を概要ページによって表されるＥＣＧ記録に関連付けるためのアフォーダンス１２１８を含む症状領域１２１６を含む。いくつかの実施形態では、また図１２Ｅに示すように、概要ページ１２０６は、（例えば、即時の診療を求めるための、９１１に連絡するための）緊急連絡先アフォーダンス１２２０を含む。いくつかの実施形態では、緊急連絡先アフォーダンス１２２０のユーザ選択を検出したことに応じて、第１の電子デバイス１２００は、緊急連絡先（例えば、９１１）への通話を開始する。
【０３７３】
図１２Ｅでは、概要ページ１２０６の症状領域１２１６を表示している間に、第１の電子デバイス１２００は、１つ以上の症状をＥＣＧ記録に関連付けるためのアフォーダンス１２１８のユーザアクティブ化１２０９を（例えば、タッチ入力を介して）検出する。いくつかの実施形態では、アフォーダンス１２１８のユーザアクティブ化１２０９を検出したことに応じて、第１の電子デバイス１２００は、図１２Ｆに示すように、ディスプレイ１２０２上に、症状ページ１２２２を表示する（例えば、概要ページ１２０６の表示をそれと置き換える）。
【０３７４】
いくつかの実施形態では、症状ページ１２２２は、列挙された症状のうちの１つ以上をリストからユーザによって選択することができる、複数の症状オプションを含む選択可能な症状リスト１２２４を含む。いくつかの実施例では、選択可能な症状リスト１２２４の症状オプションは、「頭がくらくらする又は目まい」オプションである。いくつかの実施例では、選択可能な症状リスト１２２４の症状オプションは、「失神又は失神しそうな発作」オプションである。いくつかの実施例では、選択可能な症状リスト１２２４の症状オプションは、「息切れ」オプションである。いくつかの実施例では、選択可能な症状リスト１２２４の症状オプションは、「胸痛」オプションである。いくつかの実施例では、選択可能な症状リスト１２２４の症状オプションは、（例えば、選択可能な症状リストに列挙されていない１つ以上の症状を示すための）「その他」オプションである。いくつかの実施例では、選択可能な症状リスト１２２４の症状オプションは、（例えば、ユーザが任意の異常な症状を経験していない（又はＥＣＧ記録の時間中に経験していなかった）ことを示すための）「なし」オプションである。
【０３７５】
図１２Ｇでは、ディスプレイ１２０２上に、症状ページ１２２２の選択可能な症状リスト１２２４を表示している間に、第１の電子デバイス１２００は、第１の症状オプション１２２４Ａ（例えば、「息切れ」オプション）のユーザ選択１２１１及び第２の症状オプション１２２４Ｂ（例えば、「胸痛」オプション）のユーザ選択１２１３を（例えば、タッチ入力を介して）検出する。第１の症状オプション１２２４Ａのユーザ選択１２１１及び第２の症状オプション１２２４Ｂのユーザ選択１２１３を検出したことに応じて、第１の電子デバイス１２００は、図１２Ｈに示すように、選択可能な症状リスト１２２４内に、第１の症状オプション１２２４Ａのインジケーション１２２６Ａ（例えば、チェックマークなどのオプションのマーキング）、及び第２の症状オプション１２２４Ｂのインジケーション１２２６Ｂ（例えば、チェックマークなどのオプションのマーキング）を表示する。いくつかの実施形態では、図１２Ａ〜図１２Ｈの場合と同様に、「平常の」結果に対応する評価結果に、ユーザ指定の症状を（症状ページ１２２２を介して）追加することができる。
【０３７６】
いくつかの実施形態では、第１の電子デバイス１２００は、症状ページ１２２２上のスクロールジェスチャを（例えば、スクロールタッチジェスチャを介して、入力デバイス１２０４、回転クラウン上の回転入力を介して）検出し、スクロールジェスチャに応じて、ページをスクロールして、ページの底部部分を見せる。いくつかの実施形態では、図１２Ｈに示すように、症状ページ１２２２は、選択可能な症状リスト１２２４からの症状の選択を確認してＥＣＧ記録と関連付けるため及び概要ページ１２０６に戻るための戻りアフォーダンス１２２８を（例えば、ページの底部に）含む。図１２Ｈでは、第１の電子デバイス１２００は、戻りアフォーダンス１２２８のユーザアクティブ化１２１５を（例えば、タッチ入力を介して）検出する。
【０３７７】
いくつかの実施形態では、戻りアフォーダンス１２２８のユーザアクティブ化１２１５を検出したことに応じて、ユーザ指定の症状のうちの少なくとも１つが「重篤な」症状（例えば、即時の治療を必要とし得る症状）であると判定される場合に、第１の電子デバイス１２００は、図１２Ｉに示すように、ディスプレイ１２０２上に、警告ページ１２３０を表示する。いくつかの実施形態では、警告ページ１２３０は、ユーザによってアクティブ化されると、デバイスに、（例えば、緊急連絡先への緊急通話を開始することによって、９１１通話を開始することによって）即時の治療を求めるためのプロセスを開始させる緊急連絡先アフォーダンス１２３２を含む。いくつかの実施形態では、警告ページ１２３０は、（例えば、緊急連絡先に連絡することなく）概要ページ１２０６に戻るための戻りアフォーダンス１２３４を含む。
【０３７８】
いくつかの実施形態では、戻りアフォーダンス１２２８のユーザアクティブ化１２１５を検出したことに応じて、ユーザ指定の症状のいずれもが「重篤な」症状（例えば、即時の治療を必要とし得る症状）であると判定されない場合に、第１の電子デバイス１２００は、警告ページ１２３０を表示することなく、概要ページ１２０６を（自動的に）表示する。
【０３７９】
図１２Ｉでは、ディスプレイ１２０２上に、警告ページ１２３０を表示している間に、第１の電子デバイスは、警告ページ１２３０からの戻りアフォーダンス１２３４のユーザアクティブ化１２１７を（例えば、タッチ入力を介して）検出する。いくつかの実施形態では、戻りアフォーダンス１２３４のユーザアクティブ化１２１７を検出したことに応じて、第１の電子デバイス１２００は、図１２Ｊに示すように、ディスプレイ１２０２上に、（例えば、以前の症状領域１２１６に対応する）概要ページ１２０６の更新された症状領域１２３６を再び表示し（例えば、警告ページ１２３０の表示をそれと置き換え）、更新された症状領域１２３６は、選択可能な症状リスト１２２４からのユーザ指定の症状のリストを含む。
【０３８０】
いくつかの実施形態では、更新された症状領域１２３６は、選択可能な症状リスト１２２４からのユーザ指定の症状を変更するために、症状ページ１２２２に戻るための編集アフォーダンス１２３８を更に含む。いくつかの実施形態では、ＥＣＧ記録のユーザ指定の症状は、その記録上にいる間にＥＣＧアプリケーションを出ると、（第１の電子デバイス１２００、又はスマートフォンなどの、第１の電子デバイス１２００とペアリングされた第２の電子デバイスのいずれかで）変更することができない。
【０３８１】
図１２Ｊでは、（記録のためにユーザ指定の症状を受信した後に）概要ページ１２０６内の更新された症状領域１２３６を表示している間に、第１の電子デバイス１２００は、概要ページ１２０６の底部に向かう入力デバイス１２０４上のスクロール入力１２１９（例えば、入力デバイス１２０４、回転クラウンの回転）を検出する。いくつかの実施形態では、入力デバイス１２０４上のスクロール入力１２１９を検出したことに応じて、第１の電子デバイス１２００は、ページの底部に向けて概要ページをスクロールする。
【０３８２】
図１２Ｋは、ディスプレイ１２０２上に、概要ページ１２０６の底部部分を表示する第１の電子デバイス１２００を示す。いくつかの実施形態では、概要ページ１２０６は、即時の治療を求めるためのプロセスを開始する（例えば、緊急連絡先への緊急通話を開始する、９１１通話を開始する）ための、緊急連絡先アフォーダンス１２４０を含む。いくつかの実施形態では、概要ページ１２０６は、概要ページ１２０６を介して行われた選択（例えば、ユーザ指定の症状）を確認するため、及び図１２Ｌに示すような（例えば、図６Ａ〜図６ＡＥを参照して説明したユーザインタフェース６４４、図８Ａ〜図８Ｓを参照して説明したユーザインタフェース８０６、及び図１０Ａ〜図１０Ｊを参照して説明したユーザインタフェース１００６に対応する）ＥＣＧアプリケーションのミナユーザインタフェース１２４４に戻るための、戻りアフォーダンス１２４２を含む。
【０３８３】
いくつかの実施形態では、概要ページ（例えば、１２０６）の概要領域（例えば、１２４８）内で、ＥＣＧ記録の評価結果のインジケーション（例えば、「平常の」、「心房細動」、「高い心拍数」、「低い心拍数」、「不確定」）は、結果が異常な結果（例えば、「心房細動」、「高い心拍数」、「低い心拍数」）である場合、デフォルトの視覚的特性（例えば、デフォルト色）とは異なる警告する視覚的特性（例えば、黄色などの警告色）で強調される。同様に、いくつかの実施形態では、概要ページの概要領域内で、ＥＣＧ記録の心拍数測定値（例えば、ＢＰＭ）のインジケーションは、心拍数が異常に高い（例えば、１００ＢＰＭを上回る）又は異常に低い（例えば、５０ＢＰＭを下回る）場合に、警告する視覚的特性（例えば、黄色などの警告色）で強調される。いくつかの実施形態では、評価結果又は心拍数測定値のうちの１つが異常である場合、評価結果のインジケーション及び心拍数測定のインジケーションは、警告する視覚的特性で表示される。
【０３８４】
図１２Ｍは、第１の電子デバイス１２００を使用して実行された第１のＥＣＧ記録に対応する、例示的な概要ページ１２４６の完全に拡張されたビューを示す。概要領域１２４８によって示されるように、第１のＥＣＧ記録は、（例えば、「８０ＢＰＭ」を示す）ＢＰＭのインジケーション１２４８Ｂによって示されるような正常な心拍数（例えば、５０〜１００ＢＰＭ）を有する、（例えば、「心房細動」を示す）評価結果のインジケーション１２４８Ａによって示されるような心房細動結果（異常な結果）を有する。いくつかの実施形態では、評価結果のインジケーション１２４８Ａは、警告する視覚的特性で強調され（例えば、テキスト「心房細動」は、デフォルト色の代わりに、黄色などの警告色で表示され）、ＢＰＭのインジケーション１２４８Ｂは、警告する視覚的特性で強調されない（例えば、テキスト「８０ＢＰＭ」は、白色などのデフォルト色で表示される）。
【０３８５】
図１２Ｎは、第１の電子デバイス１２００を使用して実行された第２のＥＣＧ記録に対応する、例示的な概要ページ１２５０の完全に拡張されたビューを示す。概要領域１２５２によって示されるように、第２のＥＣＧ記録は、（例えば、「１２０ＢＰＭ」を示す）ＢＰＭのインジケーション１２５２Ｂによって示されるような（例えば、１００ＢＰＭを超える）高い心拍数を有する、（例えば、「心房細動」を示す）評価結果のインジケーション１２５２Ａによって示されるような心房細動結果（異常な結果）を有する。いくつかの実施形態では、評価結果のインジケーション１２５２Ａは、警告する視覚的特性で強調され（例えば、テキスト「心房細動」は、デフォルト色の代わりに、黄色などの警告色で表示され）、ＢＰＭのインジケーション１２５２Ｂも、警告する視覚的特性で強調される（例えば、テキスト「１２０ＢＰＭ」は、黄色などの警告色で表示される）。
【０３８６】
図１２Ｏは、第１の電子デバイス１２００を使用して実行された第３のＥＣＧ記録に対応する、例示的な概要ページ１２５４の完全に拡張されたビューを示す。概要ページ１２５４に示すように、第３のＥＣＧ記録の測定された心拍数は、心房細動を確認するには低すぎた（例えば、５０ＢＰＭ未満）。概要領域１２５６の（例えば、「５０を下回る心拍数」を示す）評価結果のインジケーション１２５６Ａは、低い心拍数を示す（例えば、「４６ＢＰＭ」を示す）概要領域１２５６のＢＰＭのインジケーション１２５６Ｂを有する低い心拍数結果（異常な結果）を示す。いくつかの実施形態では、評価結果のインジケーション１２５６Ａは、警告する視覚的特性で強調され（例えば、テキスト「５０を下回る心拍数」は、黄色などの警告色で表示され）、ＢＰＭのインジケーション１２５６Ｂも、警告する視覚的特性で強調される（例えば、テキスト「４６ＢＰＭ」は、黄色などの警告色で表示される）。
【０３８７】
図１２Ｐは、第１の電子デバイス１２００を使用して実行された第４のＥＣＧ記録に対応する、例示的な概要ページ１２５８の完全に拡張されたビューを示す。概要領域１２６０によって示されるように、第４のＥＣＧ記録は、（例えば、「１２０ＢＰＭ」を示す）ＢＰＭのインジケーション１２６０Ｂによって示されるような（例えば、１００ＢＰＭを超える）高い心拍数を有する、（例えば、「平常のリズム」を示す）評価結果のインジケーション１２６０Ａによって示されるような平常のリズム結果（正常な結果）を有する。いくつかの実施形態では、評価結果のインジケーション１２６０Ａは、警告する視覚的特性で強調されず（例えば、テキスト「平常のリズム」は、白色などのデフォルト色で表示され）、ＢＰＭのインジケーション１２６０Ｂは、警告する視覚的特性で強調される（例えば、テキスト「１２０ＢＰＭ」は、黄色などの警告色で表示される）。
【０３８８】
いくつかの実施形態では、代替的な概要領域１２６１によって示されるように、心拍リズム結果が正常な結果（例えば、非心房細動結果）であり、かつ心拍数結果が異常な結果（例えば、高い又は低い心拍数結果）である場合、概要領域１２６１の評価結果１２６１Ａは、（例えば、「１００を超える心拍数」、「１５０を超える心拍数」、「５０を下回る心拍数」と記述することによって）ＢＰＭのインジケーション１２６１Ｂが維持されている間に、異常な心拍数結果を示す。いくつかの実施形態では、評価結果のインジケーション１２６１Ａは、警告する視覚的特性で強調され（例えば、テキスト「１００を超える心拍数」は、黄色などの警告色で表示され）、ＢＰＭのインジケーション１２６１Ｂは、警告する視覚的特性で強調される（例えば、テキスト「１２０ＢＰＭ」は、黄色などの警告色で表示される）。
【０３８９】
図１２Ｑは、第１の電子デバイス１２００を使用して実行された第５のＥＣＧ記録に対応する、例示的な概要ページ１２６２の完全に拡張されたビューを示す。概要ページ１２６２に示すように、第５のＥＣＧ記録の測定された心拍数は、心房細動を確認するには高すぎた（例えば、１５０ＢＰＭを超える）。概要領域１２６４の（例えば、「１５０を超える心拍数」を示す）評価結果のインジケーション１２６４Ａは、高い心拍数を示す（例えば、「１５２ＢＰＭ」を示す）概要領域１２６４のＢＰＭのインジケーション１２６４Ｂを有する高い心拍数結果（異常な結果）を示す。いくつかの実施形態では、評価結果のインジケーション１２６４Ａは、警告する視覚的特性で強調され（例えば、テキスト「１５０を超える心拍数」は、黄色などの警告色で表示され）、ＢＰＭのインジケーション１２６４Ｂも、警告する視覚的特性で強調される（例えば、テキスト「１５２ＢＰＭ」は、黄色などの警告色で表示される）。
【０３９０】
図１２Ｒは、第１の電子デバイス１２００を使用して実行された第６のＥＣＧ記録に対応する、例示的な概要ページ１２６６の完全に拡張されたビューを示す。概要領域１２６８によって示されるように、第６のＥＣＧ記録は、（例えば、「８０ＢＰＭ」を示す）ＢＰＭのインジケーション１２６８Ｂによって示されるような正常な心拍数（例えば、５０〜１００ＢＰＭ）を有する、（例えば、「平常のリズム」を示す）評価結果のインジケーション１２６８Ａによって示されるような平常の結果（正常な結果、非心房細動結果）を有する。いくつかの実施形態では、評価結果のインジケーション１２６８Ａは、警告する視覚的特性で強調されず（例えば、テキスト「平常のリズム」は、白色などのデフォルト色で表示され）、ＢＰＭのインジケーション１２６８Ｂも、警告する視覚的特性で強調されない（例えば、テキスト「８０ＢＰＭ」は、白色などのデフォルト色で表示される）。
【０３９１】
図１２Ｓは、第１の電子デバイス１２００を使用して実行された第７のＥＣＧ記録に対応する、例示的な概要ページ１２７０の完全に拡張されたビューを示す。概要領域１２７２によって示されるように、第７のＥＣＧ記録は、ＢＰＭのインジケーション１２７２Ｂによって示されるような不確定心拍数を有する、（例えば、「不確定」を示す）評価結果のインジケーション１２７２Ａによって示されるような（例えば、低品質な読み取り値による）不確定結果を有する。いくつかの実施形態では、評価結果のインジケーション１２７２Ａは、警告する視覚的特性で強調されず（例えば、テキスト「不確定」は、白色などのデフォルト色で表示され）、ＢＰＭのインジケーション１２７２Ｂも、警告する視覚的特性で強調されない（例えば、テキスト「−ＢＰＭ」は、白色などのデフォルト色で表示される）。いくつかの実施形態では、不確定結果の概要ページ１２７０は、評価が不確定だった理由をユーザに説明するテキスト記述を含む。
【０３９２】
図１３Ａ〜図１３Ｂは、いくつかの実施形態に係る、ヘルスモニタリングの様相を管理する方法を示すフロー図である。方法１３００は、ディスプレイと、１つ以上の入力デバイス（例えば、ユーザの心臓の特性を検出するための一体型生体センサ（例えば、１つ以上の電極を含む）とを有する回転可能かつ押圧可能なウォッチクラウン（例えば、１２０４）、ディスプレイのタッチスクリーン、機械的ボタン、生体センサ）を有するデバイス（例えば、１００、３００、５００、６００Ｂ、８００Ａ、１０００、１２００）において実行される。方法１３００のいくつかの動作は、任意選択的に組み合わされ、いくつかの動作の順序は、任意選択的に変更され、いくつかの動作は、任意選択的に省略される。
【０３９３】
後述するように、方法１３００は、ヘルスモニタリングを管理するための直感的方法を提供する。この方法は、ヘルスモニタリングを管理する際のユーザの認識的負担を軽減し、それによって、より効率的なヒューマン−マシンインタフェースを作り出す。バッテリ動作式のコンピューティングデバイスの場合には、ユーザがヘルスモニタリングをより高速かつより効率的に管理することを可能にすることにより、電力が節約され、バッテリ充電の間隔が増す。
【０３９４】
第１の電子デバイス（例えば、１２００）は、第１の電子デバイスと通信している生体センサ（例えば、第１の電子デバイスの筐体部分（例えば、バックプレート）の１つ以上の電極と連携して動作する入力デバイス（例えば、１２０４）に一体化された１つ以上の電極を含む）を用いて生体情報をキャプチャする（１３０２）。
【０３９５】
第１の電子デバイス（例えば、１２００）は、ディスプレイ（例えば、１２０２）上に、生体センサによってキャプチャされた生体情報（例えば、ＥＣＧデータ、ＢＰＭデータ、心臓に関連するデータ）に基づいて判定された（例えば、心臓の健康に関する）医学的特性の評価の表現（例えば、１２０８）を表示する（１３０４）。ディスプレイ（例えば、１２０２）上に、医学的特性の評価の表現を表示することにより、ユーザがキャプチャされた生体情報に基づく評価の結果を迅速にかつ容易に見ることを可能にすることによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０３９６】
いくつかの実施形態では、生体センサで生体情報をキャプチャすると（又はその前に）、第１の電子デバイス（例えば、１２００）は、第１の電子デバイスの無線通信無線機（例えば、ＲＦ回路１０８、ＬＴＥ接続）を自動的に無効にし、通知（例えば、メッセージの、警告の）が表示されることを防止する。第１の電子デバイス（例えば、１２００）の無線通信無線機を自動的に無効にし、通知が表示されることを防止することにより、ユーザが、生体情報のキャプチャを中断し得る又はそれと干渉し得るデバイスの特定の他の機能を手動で無効にすることなく、生体情報のより正確な記録を実行することを可能にする。ユーザ入力を必要とせずに動作を実行することにより、デバイスの操作性を向上させ、（例えば、デバイスを操作する／デバイスと対話するときに、適切な入力を提供するようにユーザを支援し、ユーザの誤りを低減することによって）ユーザデバイスインタフェースをより効率的にし、加えて、ユーザがデバイスをより迅速かつ効率的に使用できるようにすることによって、電力使用を低減し、デバイスのバッテリ寿命を改善する。いくつかの実施形態では、表示されるのを防止される通知は、タイマー通知を含まない。
【０３９７】
いくつかの実施形態では、生体情報のキャプチャを完了すると（又はそれに応じて）、第１の電子デバイス（例えば、１２００）は、無線通信無線機（例えば、ＲＦ回路１０８、ＬＴＥ接続）を自動的に再び有効にし、通知を表示することを可能にする。生体情報のキャプチャを完了すると、無線通信無線機を自動的に再び有効にし、通知を表示することを可能にすることにより、ユーザが、無線通信無線機を手動で再び有効にし、かつ通知を表示することを可能にしなければならないことを回避することを可能にすることによって、デバイスを制御するためにユーザから必要な入力の数を低減する。動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０３９８】
いくつかの実施形態では、医学的特性は、心拍リズム特性（例えば、１２０８Ａに対応する特性）及び心拍数特性（例えば、１２０８Ｂに対応する特性）を含み、医学的特性の評価の表示される表現は、心拍リズム評価（例えば、心電図評価、１２０８ａ）概要及び心拍数評価（例えば、ＢＰＭ読み取り値、１２０８Ｂ）概要を含む。
【０３９９】
いくつかの実施形態では、心拍リズム評価が異常な結果に対応し、かつ心拍数評価が異常な結果に対応する場合、心拍リズム評価概要（例えば、１２５２Ａ）は、第１の視覚的特性（例えば、第１の色、黄色などの警告色）で表示され、心拍数評価概要（例えば、１２５２Ｂ）は、第１の視覚的特性で表示される。心拍リズム評価が異常な結果に対応し、かつ心拍数評価が異常な結果に対応する場合、第１の視覚的特性で心拍リズム評価概要（例えば、１２５２Ａ）を表示し、かつ第１の視覚的特性で心拍数評価概要（例えば、１２５２Ｂ）を表示することにより、評価結果の解決策及び評価結果により細心の注意を払うべきか否か（例えば、更なる治療のために）をユーザが迅速かつ容易に認識できるようにすることによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。いくつかの実施形態では、心拍リズム分析評価（例えば、１２５２Ａ）は、異常なリズムパターン（例えば、心房細動の徴候）が検出された場合、異常な結果に対応する。いくつかの実施形態では、心拍数評価（例えば、１２５２Ｂ）は、速度が上限数（例えば、１００ＢＰＭ）よりも大きい場合、異常な結果に対応する。
【０４００】
いくつかの実施形態では、心拍リズム評価が異常な結果（例えば、心房細動の徴候）に対応し、かつ心拍数評価が正常な結果（例えば、６０〜１００ＢＰＭ）に対応する場合、心拍リズム評価概要（例えば、１２４８Ａ）は、第１の視覚的特性で表示され、心拍数評価概要（例えば、１２４８Ｂ）は、第１の視覚的特性で表示されない。心拍リズム評価が異常な結果に対応し、かつ心拍数評価が正常な結果に対応する場合、第１の視覚的特性で心拍リズム評価概要（例えば、１２４８Ａ）を表示し、かつ第１の視覚的特性で心拍数評価概要（例えば、１２４８Ｂ）を表示しないことにより、異常な結果と正常な結果及び評価結果により細心の注意を払うべきか否か（例えば、更なる治療のために）をユーザが迅速かつ容易に認識してそれらを区別できるようにすることによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４０１】
いくつかの実施形態では、心拍数評価が異常な結果（例えば、５０を下回る又は１００を上回るＢＰＭ）に対応し、かつ心拍リズム評価（例えば、１２６０Ａ）が正常な結果に対応する場合、心拍数評価概要（例えば、１２６０Ａ）は、第１の視覚的特性で表示され、心拍リズム評価概要（例えば、１２６０Ｂ）は、第１の視覚的特性で表示されない。心拍数評価が異常な結果（例えば、５０を下回る又は１００を上回るＢＰＭ）に対応し、かつ心拍リズム評価が正常な結果に対応する場合、第１の視覚的特性で心拍数評価概要（例えば、１２６０Ａ）を表示し、かつ第１の視覚的特性で心拍リズム評価概要（例えば、１２６０Ｂ）を表示しないことにより、異常な結果と正常な結果及び評価結果により細心の注意を払うべきか否か（例えば、更なる治療のために）をユーザが迅速かつ容易に認識してそれらを区別できるようにすることによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４０２】
いくつかの実施形態では、心拍数評価が非常に異常な結果（例えば、１５０を超える又は５０を下回るＢＰＭ）に対応し、心拍リズム評価に関して判定を行うことができないようになる場合、心拍数評価概要（例えば、１２６４Ａ）は、第１の視覚的特性で表示され、心拍リズム評価概要（例えば、１２６４Ｂ）は、第１の視覚的特性で表示される。心拍数評価が非常に異常な結果（例えば、１５０を超える又は５０を下回るＢＰＭ）に対応し、心拍リズム評価に関して判定を行うことができないようになる場合、第１の視覚的特性で心拍数評価概要（例えば、１２６４Ａ）及び心拍リズム評価概要（例えば、１２６４Ｂ）を表示することにより、結果が非常に異常な結果に対応すること及び評価結果により細心の注意を払うべきこと（例えば、更なる治療のために）をユーザが迅速かつ容易に認識できるようにすることによって、視覚的フィードバックを改善する。ユーザに改善された視覚的フィードバックを提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４０３】
いくつかの実施形態では、（例えば、生体センサによってキャプチャされた生体情報が不完全である又は低品質であるため）医学的特性の評価が判定できないとの判定に従って、第１の電子デバイス（例えば、１２００）は、評価の表現内に、評価が不確定であったというインジケーション（例えば、１２７２Ａ）を表示する（１３０６）。いくつかの実施形態では、評価はまた、評価が不確定であった理由（例えば、生体センサからの低品質な読み取り値により）をユーザに説明するテキスト記述（例えば、１２７０）も含む。評価結果が不確定であった理由をユーザに説明するテキスト記述を提供することにより、視覚的フィードバックを改善し、（例えば、それによりユーザが不確定結果の理由に対処する新たな記録を取ることができるように）評価結果及び不確定の理由をユーザが容易に理解することを可能にすることによって、デバイスのより多くの制御をユーザに提供する。ユーザへの視覚的フィードバックを改善し、（表示される追加コントローラによってユーザインタフェースを雑然とさせることなく）デバイスの追加の制御を提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０４０４】
医学的特性の評価の表現（例えば、１２０８）を表示している間に、第１の電子デバイス（例えば、１２００）は、１つ以上の入力デバイスを介して、一連の１つ以上の入力（例えば、ディスプレイのタッチスクリーン上の一連の１つ以上のタッチ入力（例えば、１２０９、１２１１、１２１３））を検出し、ユーザ指定の症状（例えば、１２２４）を医学的特性の評価に追加する（１３０８）。いくつかの実施形態では、１つ以上の症状が、ユーザ選択のためのリスト内に表示される。ユーザ選択のためのリストとして１つ以上の症状を提供することにより、１つ以上の症状を提供するためにユーザから必要な入力の数を低減する（例えば、ユーザが１つ以上の症状をタイプ入力する必要がないことを可能にする）。動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。いくつかの実施形態では、ユーザは、提供された症状のリストから１つ以上の症状を選択する。
【０４０５】
いくつかの実施形態では、ディスプレイ（例えば、１２０２）上に、医学的特性の評価の表現（例えば、１２０８）（例えば、評価の結果、ＢＰＭなどの評価からのデータ）を表示している間に、第１の電子デバイス（例えば、１２００）は、第１の入力デバイス（例えば、１２０４）を介して、スクロール入力（例えば、１２０７）を検出する。いくつかの実施形態では、第１の入力デバイスは、回転クラウン（例えば、１２０４）であり、スクロール入力は、回転クラウンの回転（例えば、１２０７）である。いくつかの実施形態では、第１の入力デバイスは、ディスプレイのタッチ層であり、スクロール入力は、ディスプレイ（例えば、１２０２）上のスクロールタッチジェスチャである。更に、そのような実施形態では、スクロール入力を検出したことに応じて、第１の電子デバイス（例えば、１２００）は、医学的特性の評価の表現を含む第２のユーザインタフェース（例えば、１２０６）をスクロールする。加えて、そのような実施形態では、第１の電子デバイス（例えば、１２００）は、ディスプレイ（例えば、１２０２）上に、ユーザ指定の症状を評価に追加するための症状追加アフォーダンス（例えば、１２１６）を表示する。ディスプレイ（例えば、１２０２）上に、ユーザ指定の症状を評価に追加するための症状追加アフォーダンスを表示することにより、ユーザが１つ以上の症状を評価結果に追加する方法を迅速に認識できるようにすることによって、視覚的フィードバックを提供する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４０６】
いくつかの実施形態では、ユーザ指定の症状は、重篤な症状（例えば、即時の治療が必要であり得る症状）に対応する第１の症状（例えば、１２２６Ｂ）を含み、第１の症状に対応するユーザ指定の症状の１つ以上の表現の第１の表現は、第１の視覚的特性（例えば、黄色などの警告色）で表示される。いくつかの実施形態では、ユーザ指定の症状は、重篤でない症状に対応する第２の症状（例えば、１２２６Ａ）を含み、第２の症状に対応するユーザ指定の症状の１つ以上の表現の第２の表現は、第１の視覚的特性とは異なる第２の視覚的特性（例えば、非警告色、デフォルト色）で表示される。
【０４０７】
いくつかの実施形態では、医学的特性の評価は、正常な結果であり（異常が検出されなかった、例えば、方法７００及び図６Ｈに関して上述したような正常な結果）、ユーザ指定の症状を追加するための一連の１つ以上の入力（例えば、１２０９、１２１１、１２１３）は、正常な結果に対応する評価の表現を表示している間に検出される。したがって、いくつかの実施形態では、異常な結果を有さない評価に、１つ以上の症状を追加することができる。
【０４０８】
いくつかの実施形態では、医学的特性の評価の表現（例えば、１２０８）を表示している間に、第１の電子デバイス（例えば、１２００）は、１つ以上の入力デバイス（例えば、１２０２）を介して、情報アフォーダンス（例えば、１２１０）のユーザアクティブ化を検出する。そのような実施形態では、情報アフォーダンスのユーザアクティブ化を検出したことに応じて、第１の電子デバイス（例えば、１２００）は、ディスプレイ（例えば、１２０２）上に、評価に関するテキスト情報（例えば、１２１２）を表示する。情報アフォーダンスのユーザアクティブ化を検出したことに応じて、ディスプレイ（例えば、１２０２）上に、評価に関するテキスト情報（例えば、１２１２）を表示することにより、ユーザが評価結果に関するより多くの情報に容易にアクセスすることを可能にすることによって、デバイスのより多くの制御を提供する。（表示される追加コントローラによってユーザインタフェースを雑然とさせることなく）追加の制御オプションを提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。いくつかの実施形態では、評価に関する表示されたテキスト情報は、方法７００（例えば、図６Ｆ〜図６Ｌ）で説明したように、オリエンテーションプロセス中に同じタイプの評価に対して提示されるテキスト情報に対応する。
【０４０９】
一連の１つ以上の入力（例えば、１２０９、１２１１、１２１３）を検出したことに応じて、ユーザ指定の症状のうちの少なくとも１つが対応する基準を満たすとの判定に従って、第１の電子デバイス（例えば、１２００）は、ディスプレイ（例えば、１２０２）上に、アクティブ化されると、即時の治療を求めるためのプロセスを開始する（例えば、緊急通話を開始する、９１１通話を開始する）アフォーダンス（例えば、１２３２）を含む、第１のユーザインタフェース（例えば、症状警告ユーザインタフェース１２３０）を表示する（１３１０）。ディスプレイ（例えば、１２０２）上に、アクティブ化されると、即時の治療を求めるためのプロセスを開始するアフォーダンスを含む第１のユーザインタフェース（例えば、１２３０）を表示することにより、即時の治療が必要であり得ることをユーザが迅速かつ容易に認識することを可能にすることによって、デバイスのユーザ制御を改善し、ユーザが即時の治療を求めるためのプロセスを容易かつ便利に開始することを可能にする。追加の制御オプションを提供し、動作を実行するために必要な入力の数を低減することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０４１０】
一連の１つ以上の入力（例えば、１２０９、１２１１、１２１３）を検出したことに応じて、ユーザ指定の症状（の全て）が対応する基準を満たさないとの判定に従って、第１の電子デバイス（例えば、１２００）は、ディスプレイ（例えば、１２０２）上に、第１のユーザインタフェースを表示することなく（例えば、インタフェース１２３０を表示することなく）、医学的特性の評価の表現及びユーザ指定の症状の１つ以上の表現を表示する（１３１２）。ディスプレイ（例えば、１２０２）上に、第１のユーザインタフェース（例えば、１２３０）を表示することなく、医学的特性の評価の表現及びユーザ指定の症状の１つ以上の表現を表示することにより、ユーザが症状のユーザ選択時に評価及びユーザ指定の症状を容易に見ることを可能にすることによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４１１】
いくつかの実施形態では、更に、ユーザ指定の症状（の全て）が対応する基準を満たさないとの判定に従って、第１の電子デバイス（例えば、１２００）は、１つ以上の入力デバイス（例えば、１２０４）を介して、スクロールジェスチャ（例えば、回転クローの回転（例えば、１２１９）、ディスプレイのタッチ層上のスクロール入力）を検出する（１３１２）。いくつかの実施形態では、１つ以上の入力デバイスを介して、スクロールジェスチャを検出したことに応じて、第１の電子デバイス（例えば、１２００）は、ディスプレイ（例えば、１２０２）上に、治療を求めるためのオプション（例えば、ユーザが９１１に連絡するためのプロセスを開始することを可能にする選択可能なテキスト（例えば、１２４０））を表示する（１３１４）。スクロールジェスチャを検出したことに応じて、ディスプレイ（例えば、１２０２）上に、治療を求めるためのオプションを表示することにより、治療が必要であるとユーザが判定した場合に、治療を求めるための迅速かつ容易な方法をユーザに提供することによって、デバイスのユーザ制御を改善する。（表示される追加コントローラによってユーザインタフェースを雑然とさせることなく）追加の制御オプションを提供することにより、デバイスの操作性を向上させ、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０４１２】
いくつかの実施形態では、一連の１つ以上の入力（例えば、１２０９、１２１１、１２１３）を検出した後に、第１の電子デバイス（例えば、１２００）は、確認ボタン（例えば、１２４２）のユーザアクティブ化（例えば、１２２１）を検出する（１３１６）。そのような実施形態では、確認ボタンのユーザアクティブ化を検出したことに応じて（又はその後に）、第１の電子デバイス（例えば、１２００）は、第２の電子デバイス（例えば、１００、３００、５００、６００Ａ）、第１の電子デバイスとペアリングされたスマートフォン）上に医学的特性の評価の対応する表現を表示するために、第１の電子デバイス（例えば、１２００）から第２の電子デバイスに医学的特性の評価を（例えば、デバイスの無線通信無線機を介して）送信する（１３１８）。
【０４１３】
いくつかの実施形態では、ユーザ指定の症状（例えば、１２２６Ａ、１２２６Ｂ）は、確認ボタンのユーザアクティブ化を検出した後に変更することができない。
【０４１４】
方法１３００に関して上述したプロセス（例えば、図１３Ａ〜図１３Ｂ）の詳細はまた、上記及び以下で説明する方法にも、類似の方式で適用可能であることに留意されたい。例えば、方法７００は、方法１３００を参照して上述した様々な方法の特性のうちの１つ以上を任意選択的に含む。別の例では、方法９００は、方法１３００に関して上述した様々な方法の特性のうちの１つ以上を任意選択的に含む。別の例では、方法１１００は、方法１３００に関して上述した様々な方法の特性のうちの１つ以上を任意選択的に含む。別の例では、方法１５００は、方法１３００に関して上述した様々な方法の特性のうちの１つ以上を任意選択的に含む。簡潔にするために、これらの詳細は、以下で繰り返さない。
【０４１５】
図１４Ａ〜図１４Ｉは、健康状態警告を提供するための例示的なユーザインタフェースを示す。これらの図のユーザインタフェースは、図１５のプロセスを含む後述のプロセスを例示するために使用される。これらの図の例示的なユーザインタフェースは、概して、心臓状態警告などの健康状態警告を提供することに関し、特定の種類の健康状態に関連する警告を提供することに限定されない。単に便宜上、これらの図の例示的なユーザインタフェースは、一種類の心臓に関連する状態、心房細動を参照して説明する。
【０４１６】
図１４Ａは、ディスプレイ１４０２及び１つ以上の入力デバイスを有する第１の電子デバイス１４００Ａ（例えば、第１の電子デバイス６００Ａと同様のスマートフォン）を示す。いくつかの実施形態では、１つ以上の入力デバイスは、タッチ入力を検出するためのディスプレイ１４０２のタッチ層と、１つ以上の画像センサ１４０４（例えば、カメラ、深度センサ）と、１つ以上の動作を実行するように構成された第１の機械的ボタン１４０６（例えば、かつ指紋センサなどの一体型生体センサを含む）と、１つ以上の動作を実行するように構成された第２の機械的ボタン１４０８と、を含む。いくつかの実施形態では、第１の電子デバイス１４００Ａは、無線通信無線機（例えば、ＬＴＥ、Ｂｌｕｅｔｏｏｔｈ（登録商標）、ＷｉＦｉ（登録商標）接続用）を含む。いくつかの実施形態では、第１の電子デバイス１４００Ａは、第２の電子デバイス（例えば、スマートウォッチ）とペアリングされる。いくつかの実施形態では、第２の電子デバイスは、図１４Ｈ〜図１４Ｊを参照して以下に説明する第２の電子デバイス１４００Ｂに対応する。いくつかの実施形態では、第２の電子デバイス１４００Ｂは、第２の電子デバイスの筐体内に含まれた（１つ以上のフォトダイオードセンサを含む）生体センサと、（例えば、第２の電子デバイスの回転可能な入力デバイスなどの入力デバイスと一体化された）一体型生体センサとを含む、複数の生体センサを含む。
【０４１７】
図１４Ａは、ディスプレイ１４０２上に、（例えば、関連するヘルスアプリケーションの）心房細動検出管理機能の初期設定を実行するための設定プロセスの第１のページ１４１０を表示する第１の電子デバイス１４００Ａを示し、心房細動を判定するために使用される心臓に関連する情報（例えば、心拍リズム情報）は、第１の電子デバイス１４００Ａとペアリングされた第２の電子デバイス（例えば、第２の電子デバイス１４００Ｂ）を使用してキャプチャされる。いくつかの実施形態では、設定プロセスの第１のページ１４１０は、心房細動検出管理機能の機能（例えば、心拍リズム情報を記録すること）を（例えば、静止画像を介して、アニメーションを介して）グラフィカルに示すグラフィカルインジケーション領域１４１０Ａを含む。いくつかの実施形態では、設定プロセスの第１のページ１４１０は、心房細動検出管理機能の使用に関連する背景情報を説明するテキスト記述領域１４１０Ｂを含む。
【０４１８】
いくつかの実施形態では、設定プロセスの第１のページ１４１０は、ユーザの生年月日に対応するユーザ入力を受け入れるための生年月日入力フィールド１４１０Ｃを含み、ユーザの生年月日は、心房細動検出管理機能を使用するための最低年齢要件（例えば、２２歳）をユーザが満たすか否かを判定するために使用される。いくつかの実施形態では、生年月日入力フィールド１４１０Ｃは、設定プロセスを進めるためにユーザの生年月日を入力しなければならないことを（例えば、「必須」と記述することによって）示す。いくつかの実施形態では、生年月日入力フィールド１４１０Ｃは、スクロール可能な月、日、及び年のフィールドを含む。
【０４１９】
いくつかの実施形態では、設定プロセスの第１のページ１４１０は、生年月日入力フィールド１４１０Ｃを含まない。いくつかの実施形態では、設定プロセスの第１のページ１４１０は、（例えば、生年月日入力フィールド１４１０Ｃに加えて又はそれの代わりに）ユーザが最低年齢要件を満たさなければならないことをユーザに示す年齢制限メッセージ（例えば、「あなたは２２歳以上でなければならない」と記述する）を含む。
【０４２０】
いくつかの実施形態では、設定プロセスの第１のページ１４１０は、チュートリアルを進めるためのアフォーダンス１４１０Ｄを含む。図１４Ａでは、心房細動検出管理設定プロセスの第１のページ１４１０を表示している間に、かつ入力フィールド１４１０Ｃ内のユーザの生年月日に対応する入力を受信した後に、第１の電子デバイス１４００Ａは、設定プロセスを進めるためのアフォーダンス１４１０Ｄのユーザアクティブ化１４０１を（例えば、タッチ入力を介して）検出する。
【０４２１】
いくつかの実施形態では、最低年齢要件が満たされないとの判定（例えば、ユーザアクティブ化１４０１を検出したことに応じて行われた判定）に従って、第１の電子デバイス１４００Ａは、ディスプレイ１４０２上に、ユーザが必要な最低年齢要件を満たさないことを示すエラー通知（例えば、「心房細動検出管理機能は２２歳未満の人々による使用を意図していない」と記述する）を表示する。いくつかの実施形態では、エラー通知は、設定プロセスの第１のページ１４１０上に重ね合わされる。いくつかの実施形態では、エラー通知を表示している間に、（第１のページ１４１０を表示する）ディスプレイの背景は、暗くされる（それによって、表示されたエラー通知を強調する）。
【０４２２】
いくつかの実施形態では、ユーザアクティブ化１４０１を検出したことに応じて（かつ最低年齢要件が満たされるとの判定に従って）、第１の電子デバイス１４００Ａは、図１４Ｂに示すように、ディスプレイ１４０２上に、設定プロセスの第２のページ１４１２を表示する（例えば、第１のページ１４１０の表示をそれと置き換える）。
【０４２３】
図１４Ｂは、ディスプレイ１４０２上に、心房細動検出管理機能を有効にするための設定プロセスの第２のページ１４１２を表示する第１の電子デバイス１４００Ａを示す。いくつかの実施形態では、設定プロセスの第２のページ１４１２は、（例えば、心臓に関連する情報を期間中のいくつかの異なる時間にキャプチャして、心房細動が存在するか否かを判定することができる）心房細動検出の機能をグラフィカルに（例えば、静止画像を介して、アニメーションを介して）示すアニメーション領域１４１２Ａを含む。いくつかの実施形態では、設定プロセスの第２のページ１４１２は、（第２の電子デバイス１４００Ｂなどの第２の電子デバイスを使用して）心房細動検出機能がどのように実施されるかを説明するテキスト記述領域１４１２Ｂを含む。いくつかの実施形態では、設定プロセスの第２のページ１４１２は、設定プロセスを進めるためのアフォーダンス１４１２Ｃを含む。
【０４２４】
図１４Ｂでは、心房細動検出管理設定プロセスの第２のページ１４１２を表示している間に、第１の電子デバイス１４００Ａは、設定プロセスを進めるためのアフォーダンス１４１２Ｃのユーザアクティブ化１４０３を（例えば、タッチ入力を介して）検出する。いくつかの実施形態では、ユーザアクティブ化１４０３を検出したことに応じて、第１の電子デバイス１４００Ａは、図１４Ｃに示すように、ディスプレイ１４０２上に、設定プロセスの第３のページ１４１４を表示する（例えば、第２のページ１４１２の表示をそれと置き換える）。
【０４２５】
いくつかの実施形態では、設定プロセスの第３のページ１４１４は、第２の電子デバイス（例えば、第２の電子デバイス１４００Ｂ）を使用して（例えば、１つ以上のフォトダイオードセンサを含む第２の電子デバイスの生体センサを使用して）キャプチャされた心臓に関連する情報から判定される心房細動評価結果の１つ以上の制限をユーザに（例えば、テキスト記述を介して）示す。いくつかの実施例では、設定プロセスの第３のページ１４１４は、心房細動検出機能の１つ以上の機能特性、及び／又はキャプチャされた心臓に関連する情報から判定することができない医学的特性（例えば、心臓発作、血栓／脳卒中）のリスト１４１４Ａを含む。いくつかの実施形態では、設定プロセスの第３のページ１４１４は、（例えば、ページの底部に）チュートリアルを進めるためのアフォーダンス１４１４Ｂを含む。
【０４２６】
図１４Ｃでは、ディスプレイ１４０２上に、設定プロセスの第３のページ１４１４を表示している間に、第１の電子デバイス１４００Ａは、設定プロセスを進めるためのアフォーダンス１４１４Ｂのユーザアクティブ化１４０５を（例えば、タッチ入力を介して）検出する。いくつかの実施形態では、アフォーダンス１４１４Ｂのユーザアクティブ化１４０５を検出したことに応じて、デバイスは、図１４Ｄに示すように、ディスプレイ１４０２上に、設定プロセスの第４のページ１４１６を表示する。
【０４２７】
図１４Ｄは、ディスプレイ１４０２上に、設定プロセスの第４のページ１４１６を表示する第１の電子デバイス１４００Ａを示す。いくつかの実施形態では、設定プロセスの第４のページ１４１６は、グラフィカルインジケーション領域１４１６Ａ、及び第２の電子デバイス（例えば、第２の電子デバイス１４００Ｂ）を使用してキャプチャされた（例えば、異なる時間にキャプチャされた）心臓に関連する情報に基づいて心房細動が判定されたときに、心房細動検出機能を閲覧及び管理する方法に関する命令を提供するテキスト記述領域１４１６Ｂを含む。
【０４２８】
いくつかの実施形態では、設定プロセスの第４のページ１４１６は、（第２の電子デバイスを使用してキャプチャされた心臓に関連する情報を使用して）心房細動が判定されたときに、第１の電子デバイス１４００Ａ及び／又は第２の電子デバイス１４００Ｂ上で通知を可能にする（例えば、「ＡＦｉｂ通知をオンにする」を示す）通知アクティブ化アフォーダンス１４１６Ｃを含む。いくつかの実施形態では、設定プロセスの第４のページ１４１６を表示している間に、第１の電子デバイス１４００Ａは、通知アクティブ化アフォーダンス１４１６Ｃのユーザアクティブ化１４０７を（例えば、タッチ入力を介して）検出する。いくつかの実施形態では、ユーザアクティブ化１４０７を検出したことに応じて、第１の電子デバイス１４００Ａは、通知をアクティブ化して、心房細動が判定されたときに、第１の電子デバイス１４００Ａ及び／又は第２の電子デバイス１４００Ｂ上に表示する。
【０４２９】
図１４Ｅは、ディスプレイ１４０２上に、心房細動検出機能に関連付けられたヘルスアプリケーションの心臓データユーザインタフェース１４１８を表示する（例えば、図１４Ａ〜図１４Ｄに関連して説明したように通知のアクティブ化後に動作する）第１の電子デバイス１４００Ａを示す。いくつかの実施形態では、ヘルスアプリケーションは、第１の電子デバイス１４００Ａのオペレーティングシステムのホームユーザインタフェース上の対応するアイコンを介してアクセス可能である。
【０４３０】
いくつかの実施形態では、ヘルスアプリケーションの心臓データユーザインタフェース１４１８は、心拍数アフォーダンス１４２０を含む。いくつかの実施形態では、心拍数アフォーダンス１４２０は、特定の期間（例えば、今日）中に（例えば、第２の電子デバイス１４００Ｂを介して）測定されたユーザの心拍数の範囲のインジケーションを含む。いくつかの実施形態では、心拍数アフォーダンス１４２０上のユーザ選択を検出したことに応じて、心臓データユーザインタフェース１４１８は、ユーザインタフェースのグラフィカル描写領域１４２２内に心拍数アフォーダンス１４２０によって要約された心拍数情報のグラフィカル描写を表示する（かつ異なる色などの特定の視覚的特性によりアフォーダンスを更に強調して、心拍数アフォーダンスが現在ユーザによって選択されていることをユーザに示す）。
【０４３１】
いくつかの実施形態では、ヘルスアプリケーションの心臓データユーザインタフェース１４１８は、心房細動アフォーダンス１４２４を含む。いくつかの実施形態では、心房細動アフォーダンス１４２４は、（例えば、第２の電子デバイスの１つ以上のフォトダイオードセンサを含む生体センサを使用して）第２の電子デバイス（例えば、第２の電子デバイス１４００Ｂ）によって特定の期間中に取られた心臓に関連する読み取り値の数のインジケーション（例えば、「今日（４つの読み取り値）」）を含む。いくつかの実施形態では、心房細動アフォーダンス１４２４は、心房細動を検出するために（例えば、１つ以上のフォトダイオードセンサを含む生体センサを使用して）第２の電子デバイスによって取られた既存の心臓に関連する記録に関する情報を閲覧及び管理するための情報アフォーダンス１４２４Ａを含む。
【０４３２】
図１４Ｅでは、ディスプレイ１４０２上で見える心房細動アフォーダンス１４２４を有する心臓データユーザインタフェース１４１８を表示している間に、第１の電子デバイス１４００Ａは、心房細動アフォーダンス１４２４の情報アフォーダンス１４２４Ａのユーザアクティブ化１４０９を（例えば、タッチ入力を介して）検出する。いくつかの実施形態では、情報アフォーダンス１４２４Ａのユーザアクティブ化１４０９を検出したことに応じて、第１の電子デバイス１４００Ａは、図１４Ｆに示すように、ディスプレイ１４０２上に、心房細動管理ユーザインタフェース１４２６を表示する。
【０４３３】
図１４Ｆは、ディスプレイ１４０２上に、心房細動管理ユーザインタフェース１４２６を表示する第１の電子デバイス１４００Ａを示す。いくつかの実施形態では、心房細動管理ユーザインタフェース１４２６は、第２の電子デバイス（例えば、第２の電子デバイス１４００Ｂ）を使用して状態の検出時に生成された心房細動警告を示す（存在する場合）警告ログインジケーション領域１４２６Ａを含む。いくつかの実施形態では、心房細動がまだ検出されていない（したがって、心房細動警告が生成されていない）場合、警告ログインジケーション領域１４２６Ａは、（例えば、「データなし」と記述することによって）心房細動検出に関して警告がまだ生成されていないことを示す。
【０４３４】
いくつかの実施形態では、心房細動管理ユーザインタフェース１４２６は、（例えば、第２の電子デバイスの１つ以上のフォトダイオードセンサを含む生体センサを使用して）第２の電子デバイス（例えば、第２の電子デバイス１４００Ｂ）によって行われた心臓に関連する情報の１つ以上の直近の測定の時刻（単数又は複数）を示す最近の分析インジケーション１４２６Ｂを含む。いくつかの実施形態では、最近の分析インジケーション１４２６Ｂに示される１つ以上の最近の測定は、第１の電子デバイス１４００Ａ及び／又は第２の電子デバイス１４００Ｂによって心房細動警告が提示された（存在する場合）後にキャプチャされた心臓に関連する情報のみを含む。
【０４３５】
いくつかの実施形態では、心房細動管理ユーザインタフェース１４２６は、第２の電子デバイス（例えば、第２の電子デバイス１４００Ｂ）を使用した（例えば、第２の電子デバイスの１つ以上のフォトダイオードセンサを含む生体センサを使用した）心臓に関連する情報の全ての過去の測定の記録を見るための、全て表示アフォーダンス１４２６Ｃを含む。
【０４３６】
いくつかの実施形態では、心房細動管理ユーザインタフェース１４２６は、第２の電子デバイス（例えば、第２の電子デバイス１４００Ｂ）によって心房細動が検出される方法のインジケーション１４２６Ｄ（例えば、簡単なテキスト記述）を含む。いくつかの実施形態では、心房細動管理ユーザインタフェース１４２６は、心房細動検出機能に関する追加情報（例えば、インジケーション１４２６Ｄに示される説明に関して詳述する）を見るための、詳しく知るアフォーダンス１４２６Ｅを含む。
【０４３７】
いくつかの実施形態では、心房細動管理ユーザインタフェース１４２６は、心房細動が検出されたときに（第１の電子デバイス１４００Ａ及び／又は第２の電子デバイス１４００Ｂ上で）通知を提示することを無効にするための通知無効アフォーダンス１４２６Ｆを含む。
【０４３８】
図１４Ｇは、警告ログインジケーション領域１４２６Ａに示すように、第１の電子デバイス１４００Ａ及び／又は第２の電子デバイス１４００Ｂに以前の２つの心房細動警告が提示された後に、ディスプレイ１４０２上に、心房細動管理ユーザインタフェース１４２６を表示する第１の電子デバイス１４００Ａを示す。図１４Ｇでは、警告ログインジケーション領域１４２６Ａは、（心房細動の第１の検出時の）第１の心房細動警告に対応する第１の警告ログ１４２８Ａと、（心房細動の第１の検出とは異なる／別個の心房細動の第２の検出時の）第２の心房細動警告に対応する第２の警告ログ１４２８Ｂと、を含む。
【０４３９】
いくつかの実施形態では、警告ログ（例えば、第１の警告ログ１４２８Ａ及び第２の警告ログ１４２８Ｂ）は、警告が生成された時刻を含む。いくつかの実施形態では、警告ログのユーザアクティブ化を検出したことに応じて、第１の電子デバイス１４００Ａは、ディスプレイ１４０２上に、警告ログに対応するキャプチャされた心臓に関連する情報に関するより詳細な情報（例えば、心拍数情報、別個の不連続な数の心臓に関連する情報がキャプチャされた時刻）を含む詳細な警告ログページを表示する。
【０４４０】
図１４Ｈは、ディスプレイ１４３０上に、受信された心房細動警告に対応する心房細動通知１４３２を表示する（例えば、第１の電子デバイス１４００Ａとペアリングされ、かつ心臓に関連する情報を検出するための１つ以上のフォトダイオードセンサを含む生体センサを含む）第２の電子デバイス１４００Ｂを示す。いくつかの実施形態では、心房細動通知１４３２のユーザアクティブ化を（例えば、ディスプレイ１４３０上のタッチ入力を介して、又はスクロールジェスチャ（例えば、第２の電子デバイス１４００Ｂの回転入力デバイスの回転又は第２の電子デバイス１４００Ｂのディスプレイ１４３０上のスクロール入力）を介して）検出したことに応じて、第２の電子デバイス１４００Ｂは、図１４Ｉに示すように、ディスプレイ１４３０上に、心房細動警告１４３４を表示する。
【０４４１】
いくつかの実施形態では、心房細動警告１４３４は、警告の理由（例えば、心房細動の検出）及び警告に関連付けられた医学的状態（例えば、心房細動）の説明を記述するインジケーション１４３４Ａ（例えば、テキスト記述）を含む。いくつかの実施形態では、心房細動警告１４３４は、デバイスによって心房細動が検出された（（例えば、１つ以上のフォトダイオードセンサを含む生体センサを使用して）第２の電子デバイス１４００Ｂによって行われた心臓に関連する情報の測定に対応する）１つ以上の時刻を列挙するインジケーション１４３４Ｂを含む。いくつかの実施形態では、インジケーション１４３４Ｂは、デバイスによって心房細動が検出された（例えば、前の４８時間以内の）１つ以上の時刻及び日付を含む（図１４Ｉには示されていない）。いくつかの実施形態では、心房細動警告１４３４は、治療が必要とされ得ることを示す（例えば、「あなたの医師によって心房細動と診断されていなかった場合、あなたは医師に相談する必要があります」と記述する）インジケーション１４３４Ｃを含む。いくつかの実施形態では、心房細動警告１４３４は、医師に相談することなく、ユーザが医療行為を行う（例えば、投薬又は治療を変更する）べきではないことを警告するインジケーション１４３４Ｄを含む。
【０４４２】
いくつかの実施形態では、心房細動警告１４３４は、第２の電子デバイス１４００Ｂの（例えば、図６Ａ〜図６ＡＥ、図８Ａ〜図８Ｓ、図１０Ａ〜図１０Ｊ、及び図１２Ａ〜図１２Ｓに関して上述したＥＣＧアプリケーションに対応する）ＥＣＧアプリケーションを使用して、より詳細な心臓に関連する情報を取得するためのＥＣＧアフォーダンス１４３６を含む。いくつかの実施形態では、ＥＣＧアプリケーションを使用してキャプチャされたより詳細な心臓に関連する情報は、ＥＣＧアプリケーションを使用することなく第２の電子デバイス１４００Ｂによって検出された状態（例えば、心房細動）に関する。いくつかの実施形態では、ＥＣＧアプリケーションを使用して、より詳細な心臓に関連する情報は、第２の電子デバイス１４００Ｂの入力デバイス（例えば、回転可能かつ押圧可能な入力デバイス）の（例えば、それに一体化された）１つ以上の電極と、第２の電子デバイス１４００Ｂの筐体部分（例えば、バックプレート）の（例えば、それに一体化された）１つ以上の電極と、を含む第２の電子デバイス１４００Ｂの１つ以上の生体センサによってキャプチャされ、入力デバイスに一体化された１つ以上の電極は、筐体部分の１つ以上の電極と連携して動作して、より詳細な心臓に関連する情報（例えば、ＥＣＧ情報）をキャプチャする。より詳細な心臓に関連する情報（例えば、ＥＣＧ情報）をキャプチャするために使用される第２の電子デバイス１４００Ｂの１つ以上の生体センサに関する特徴は、付属書類Ａにより詳細に記載されている。いくつかの実施形態では、心房細動警告１４３４は、警告を破棄する（例えば、より詳細な心臓に関連する情報を記録するために、ＥＣＧアプリケーションに進むことなく）ための破棄アフォーダンス１４３８を含む。
【０４４３】
図１５は、いくつかの実施形態に係る、健康状態警告を提供する方法を示すフロー図である。方法１５００は、ディスプレイと、１つ以上の入力デバイス（例えば、ユーザの心臓の特性を検出するための（例えば、１つ以上の電極を含む）一体型生体センサ（単数又は複数）とを有する回転可能かつ押圧可能な入力デバイス（例えば、１２０４）、タッチ感知面、機械的ボタン）を有するデバイス（例えば、１００、３００、５００、６００Ｂ、８００Ａ、１０００、１２００、１４００Ｂ）において実行される。デバイスは、複数の生体センサ（例えば、身体活動追跡センサ、電子デバイスに一体化されたセンサ、デバイスに接続された（例えば、無線接続された）電子デバイスから分離した複数のセンサ）に動作可能に接続される。方法１５００のいくつかの動作は、任意選択的に組み合わされ、いくつかの動作の順序は、任意選択的に変更され、いくつかの動作は、任意選択的に省略される。
【０４４４】
後述するように、方法１５００は、健康状態警告を提供するための直感的方法を提供する。この方法は、健康状態を管理する際のユーザの認識的負担を軽減し、それによって、より効率的なヒューマン−マシンインタフェースを作り出す。バッテリ動作式のコンピューティングデバイスの場合には、ユーザがヘルスモニタリングをより高速かつより効率的に管理することを可能にすることにより、電力が節約され、バッテリ充電の間隔が増す。
【０４４５】
電子デバイス（例えば、１４００Ｂ）は、複数の生体センサの第１の生体センサから第１の生体情報を（例えば、電子デバイス（例えば、１４００）の一体型センサからの内部接続を介して、個別センサからの無線接続を介して）受信する（１５０２）。いくつかの実施形態では、第１の生体センサは、（例えば、電子デバイスの筐体内に含まれた）１つ以上のフォトダイオードセンサを含む。いくつかの実施形態では、第１の生体情報は、第１の時間に記録された生体情報、及び第１の時間とは異なる（例えば、それとは離間した、それとは不連続な）第２の時間（例えば、異なる曜日の共通の時刻）に記録された生体情報を含む。
【０４４６】
第１の生体情報を受信したことに応じて、かつ（例えば、第１の生体情報が異常である心拍数又はリズム情報を含むため、かつ任意選択的に、所定の期間（例えば、４８時間）中に、電子デバイス（例えば、１４００Ｂ）が平常でない心拍数又はリズムのインジケーションを有する閾値数の読み取り値（例えば、５つの読み取り値）を検出したため）第１の生体情報が第１の基準を満たすとの判定に従って、電子デバイス（例えば、１４００Ｂ）は、ディスプレイ（例えば、１４３０）上に、（例えば、電子デバイス上のＥＣＧアプリケーションを使用して）追加の生体情報を検出するための第１のアフォーダンス（例えば、１４３６）を含む警告（例えば、１４３４）を表示する（１５０４）。第１の生体情報を受信したことに応じて、かつ第１の生体情報が第１の基準を満たすとの判定に従って、追加の生体情報を検出するための第１のアフォーダンスを含む警告を表示することにより、アクション（例えば、追加の生体情報を測定すること）をデバイス上で取ることができることをユーザに迅速に（かつ容易に認識可能な方法で）示すことによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。いくつかの実施形態では、生体情報は、心臓に関連する情報に関する。いくつかの実施形態では、第１の基準は、異常な心拍リズム情報を含む。
【０４４７】
いくつかの実施形態では、警告（例えば、１４３４）は、電子デバイスによって第１の生体情報が記録された１つ以上の時刻（例えば、１４３４Ｂ）を含む。いくつかの実施形態では、警告は、第１の生体情報に基づいて特定された医学的状態（例えば、異常な心拍リズム、心房細動）のインジケーション（例えば、１４３４Ａ、テキスト記述）を含む。いくつかの実施形態では、警告は、治療を求めるためのインジケーション（例えば、１４３４Ｃ、テキスト記述）を含む。治療を求めるためのインジケーションを含めることにより、デバイスによって提供される情報に関するアクションを取ることができることをユーザに迅速かつ効率的に示すことによって、デバイスの操作性を向上する。デバイスの操作性を向上させることにより、（例えば、デバイスを操作する／デバイスと対話するときに、適切な入力を提供するようにユーザを支援し、ユーザの誤りを低減することによって）ユーザ−デバイスインタフェースをより効率的にし、加えて、ユーザがデバイスをより迅速かつ効率的に使用できるようにすることによって、電力使用を低減し、デバイスのバッテリ寿命を改善する。
【０４４８】
電子デバイス（例えば、１４００Ｂ）は、１つ以上の入力デバイスを介して、第１のアフォーダンス（例えば、１４３６）のユーザアクティブ化を受信する（１５０６）。
【０４４９】
第１のアフォーダンス（例えば、１４３６）のユーザアクティブ化を受信した後に、電子デバイス（例えば、１４００Ｂ）は、第１の生体センサとは異なる複数の生体センサの（少なくとも）第２の生体センサ（例えば、入力デバイス（例えば、６３６、８０４、１００４、１２０４、回転可能入力デバイスなどの）と一体化された生体センサ）から第１の生体情報に関連付けられた第２の生体情報（例えば、より詳細な心拍リズム情報、ＥＣＧ情報）を（例えば、ＥＣＧアプリケーションを使用して）受信する（１５１２）。いくつかの実施形態では、第２の生体センサは、１つ以上の入力デバイスの第１の入力デバイス（例えば、６３６、８０４、１００４、１２０４、回転可能かつ押圧可能な入力デバイス）と一体化されている。いくつかの実施形態では、第１の入力デバイス上の第１のタイプの入力（例えば、６２９、８０１、１００５、非押圧入力又は接触入力など）は、第２の生体センサのアクティブ化に関連付けられた機能（単数又は複数）をアクティブ化するが、第１の入力デバイスのアクティブ化に関連付けられた機能（単数又は複数）をアクティブ化しない。
【０４５０】
いくつかの実施形態では、第１のアフォーダンス（例えば、１４３６）のユーザアクティブ化を受信したことに応じて、かつ第２の生体情報を受信する前に、電子デバイス（例えば、１４００Ｂ）は、ディスプレイ（例えば、１４３０）上に、第２の生体情報を受信することに関連付けられた第１のアプリケーション（例えば、８０６、１００６、ＥＣＧアプリケーション）を表示する（１５０８）。第１のアフォーダンスのユーザアクティブ化を受信したことに応じて、かつ第２の生体情報を受信する前に、第２の生体情報を受信することに関連付けられた第１のアプリケーションを表示することにより、キャプチャされることになる第２の生体情報が第１のアプリケーションの機能に関連することをユーザが迅速かつ容易に認識することを可能にすることによって、視覚的フィードバックを改善する。改善された視覚的フィードバックをユーザに提供することにより、デバイスの操作性を向上させ、（例えば、デバイスを操作する／デバイスと対話するときに適切な入力を提供するようにユーザを支援し、ユーザの誤りを削減することによって）ユーザ−デバイスインタフェースをより効率的にし、加えて、ユーザがデバイスをより迅速かつ効率的に使用できるようにすることによって、電力使用量を削減し、デバイスのバッテリ寿命を改善する。
【０４５１】
いくつかの実施形態では、第１のアプリケーション（例えば、８０６、１００６、ＥＣＧアプリケーション）を表示した後、かつ第２の生体情報を受信する前に、電子デバイス（例えば、１４００Ｂ）は、１つ以上の入力デバイスの第１の入力デバイス（例えば、６３６、８０４、１００４、１２０４、回転可能かつ押圧可能な入力デバイス）上のユーザ入力（例えば、６２９、８０１、１００５、非押圧入力、接触入力）を検出し（１５１０）、第２の生体センサは、第１の入力デバイスと一体化されている。いくつかの実施形態では、ユーザ入力を検出したことに応じて、電子デバイスは、第２の生体センサから第２の生体情報を受信する。
【０４５２】
いくつかの実施形態では、第２の生体情報は、ユーザ入力（例えば、６２９、８０１、１００５、非押圧入力、接触入力）が第１の入力デバイス（例えば、６３６、８０４、１００４、１２０４、回転可能かつ押圧可能な入力デバイス）上で維持されている間に、第２の生体センサから受信される。いくつかの実施形態では、ユーザ入力が第１の入力デバイス上でもはや維持されていないことを検出したことに応じて、電子デバイス（例えば、１４００Ｂ）は、第２の生体センサから第２の生体情報を受信することを停止する。いくつかの実施形態では、ユーザ入力が所定の期間内に回復された場合、電子デバイスは、第２の生体センサから第２の生体情報を受信することを再開する。
【０４５３】
方法１５００に関して上述したプロセス（例えば、図１５）の詳細はまた、上述した方法にも類似の方式で適用可能であることに留意されたい。例えば、方法７００は、方法１５００を参照して上述した様々な方法の特性のうちの１つ以上を任意選択的に含む。別の例では、方法９００は、方法１５００に関して上述した様々な方法の特性のうちの１つ以上を任意選択的に含む。別の例では、方法１１００は、方法１５００に関して上述した様々な方法の特性のうちの１つ以上を任意選択的に含む。別の例では、方法１３００は、方法１５００に関して上述した様々な方法の特性のうちの１つ以上を任意選択的に含む。簡潔にするために、これらの詳細は、以下で繰り返さない。
【０４５４】
上記は、説明を目的として、特定の実施形態を参照して記述されている。しかしながら、上記の例示的な論考は、網羅的であること、又は開示される厳密な形態に本発明を限定することを意図するものではない。上記の教示を考慮して、多くの修正及び変形が可能である。これらの実施形態は、本技術の原理、及びその実際の適用を最もよく説明するために、選択及び記載されている。それにより、他の当業者は、意図された具体的な用途に適するような様々な修正を用いて、本技術及び様々な実施形態を最も良好に利用することが可能となる。
【０４５５】
添付図面を参照して、本開示及び例を十分に説明してきたが、様々な変更及び修正が、当業者には明らかとなるであろうことに留意されたい。そのような変更及び修正は、特許請求の範囲によって定義されるような、本開示及び例の範囲内に含まれるものとして理解されたい。
【０４５６】
上述のように、本技術の一態様は、ユーザが求める内容又はユーザが関心を持つ可能性のある任意の他の内容に関するユーザへの配信を改善するために、種々のソースから入手可能なデータを収集及び使用することである。本開示は、いくつかの例において、この収集されたデータは、特定の人を一意に特定する個人情報データ、又は特定の人に連絡する若しくはその所在を突き止めるために使用できる個人情報データを含み得ることを想到している。そのような個人情報データとしては、人口統計データ、位置に基づくデータ、電話番号、電子メールアドレス、自宅の住所、又は任意の他の識別情報を挙げることができる。
【０４５７】
本開示は、本技術におけるそのような個人情報データの使用がユーザの利益になる使用であり得る点を認識するものである。例えば、よりユーザの興味を引く対象のコンテンツを配信するために、個人情報データが使用されてもよい。したがって、そのような個人情報データの使用は、配信されるコンテンツの意図的な制御を可能にする。更には、ユーザに利益をもたらす、個人情報データに関する他の使用もまた、本開示によって想到される。
【０４５８】
本開示は、そのような個人情報データの収集、分析、開示、転送、記憶、又は他の使用目的の責任を負うエンティティが、適切に規定されたプライバシーのポリシー及び／又はプライバシーの慣行に準拠すると更に想到する。具体的には、そのようなエンティティは、個人情報データを秘密として厳重に保守するための、業界又は政府の要件を満たしているか又は上回るものとして一般に認識されている、プライバシーのポリシー及び慣行を実施し、一貫して使用するべきである。例えば、ユーザからの個人情報は、そのエンティティの合法的かつ正当な使用のために収集されるべきであり、それらの合法的使用を除いて、共用又は販売されるべきではない。更には、そのような収集は、ユーザに告知して同意を得た後にのみ実施するべきである。加えて、そのようなエンティティは、そのような個人情報データへのアクセスを保護して安全化し、その個人情報データへのアクセス権を有する他者が、それらのプライバシーのポリシー及び手順を遵守することを保証するための、あらゆる必要な措置を講じるであろう。更には、そのようなエンティティは、広く受け入れられているプライバシーのポリシー及び慣行に対する自身の遵守を証明するために、第三者による評価を自らが受けることができる。
【０４５９】
前述のことがらにもかかわらず、本開示はまた、個人情報データの使用又は個人情報データへのアクセスを、ユーザが選択的に阻止する実施形態も想到する。すなわち、本開示は、そのような個人情報データへのアクセスを防止又は阻止するように、ハードウェア要素及び／又はソフトウェア要素を提供することができると想到する。例えば、広告配信サービスの場合において、本技術は、ユーザが、サービスの登録の間、個人情報データの収集への参加の「オプトイン」又は「オプトアウト」を選択することを可能とするように構成することができる。別の実施例では、ユーザは、対象のコンテンツ配信サービスに対して位置情報を提供しないことを選択してもよい。更に別の実施例では、ユーザは、正確な位置情報を提供しないが位置のゾーン情報の転送は許可することを選択してもよい。
【０４６０】
それゆえ、本開示は、１つ以上の様々な開示された実施形態を実施するための、個人情報データの使用を広範に網羅するものではあるが、本開示はまた、そのような個人情報データにアクセスすることを必要とせずに、それらの様々な実施形態を実施することもまた可能であることを想到している。すなわち、本技術の様々な実施形態は、そのような個人情報データの全て又は一部分が欠如することにより、実施不可能となるものではない。例えば、ユーザに関連付けられたデバイスによって要求されるコンテンツなどの非個人情報データ若しくは必要最小限の個人情報、コンテンツ配信サービスが入手可能な他の非個人情報、又は公的に入手可能な情報に基づいて嗜好を推測することによって、コンテンツを選択し、ユーザへ配信することができる。
付録(Appendix)
[書類名]      明細書
[発明の名称]  生物学的パラメータを感知するための電極を有するウェアラブルデバイス
[技術分野]
[０００１]
説明する実施形態は、概して、ウォッチ又は他の電子デバイス（例えば、別の種類のウェアラブル電子デバイス）に関する。より具体的には、説明する実施形態は、ウォッチ又は他のウェアラブル電子デバイス上に、生物学的パラメータを感知するための電極を提供するための技術に関する。電極は、ウォッチ又は他の電子デバイスのクリスタル表面、クラウン、ボタン、又は筐体部材上に様々に提供されてもよい。
[背景技術]
[０００２]
ウォッチ又は他の電子デバイスは、ウォッチ又は他の電子デバイスを着用するユーザの生物学的パラメータのセットを判定するためのセンサのセットを含んでもよい。センサのセットに関連付けられた回路は、例えば、センサに印加される力又はセンサに入射する光の量における電圧に対応する電気信号（又は値）を生成することができる。様々な信号又は値は、ユーザの心拍数などユーザの様々な生物学的パラメータに相関させる、又はそれを導出するために使用することができる。
[発明の概要]
[０００３]
本開示で説明するシステム、デバイス、方法、及び装置の実施形態は、ウォッチ又は他の電子デバイスを着用するユーザの生物学的パラメータを感知又は判定するために使用され得る１つ以上の電極のセットを有する、ウォッチ又は他の電子デバイス（例えば、別の種類のウェアラブル電子デバイス）を対象とする。生物学的パラメータは、例えば、ユーザの心エコー図（echocardiogram、ＥＣＧ）を含んでもよい。
[０００４]
第１の態様では、本開示は、電子デバイスを説明する。電子デバイスは、筐体を含み、筐体は、クリスタルを含む。クリスタルは、電子デバイスの内部にある第１の表面と、電子デバイスの外部にある第２の表面とを有する。物理蒸着（physical vapor deposition、ＰＶＤ）堆積された薄膜の第１の電極は、クリスタルの第２の表面上にある。電子デバイスはまた、第１の電極がユーザの皮膚に対して配置されている間に、電子デバイスのユーザの指によって接触されるように配置された第２の電極を含む。電子デバイスは、ユーザが第１の電極及び第２の電極と接触している間に、第１の電極及び第２の電極における電圧に基づいて、ユーザの生物学的パラメータを判定するように動作可能なプロセッサを含む。
[０００５]
別の態様では、本開示は、ウォッチ本体を説明する。ウォッチ本体は、クリスタルを含む筐体を有する。クリスタルは、ウォッチ本体の内部にある第１の表面と、ウォッチ本体の外部にある第２の表面とを有する。ウォッチ本体に関連付けられたクラウンアセンブリは、筐体の開口部を通って延びるシャフトと、シャフトに取り付けられたユーザにより回転可能なクラウンと、を含む。クラウンは、筐体の外部にある。電子デバイスは、クリスタルの第２の表面上の第１の電極及び第２の電極と、ユーザにより回転可能なクラウンの表面上の第３の電極と、を含む。第３の電極は、ユーザの指によって接触されるように配置され、一方、第１の電極及び第２の電極は、ユーザの手首に対して配置される。電子デバイスは、ユーザが第１の電極、第２の電極、及び第３の電極と接触している間に、第１の電極、第２の電極、及び第３の電極における電圧に基づいて、ユーザの生物学的パラメータを判定するように動作可能なプロセッサを含む。
[０００６]
本開示の更に別の態様では、別の電子デバイスが説明される。電子デバイスは、筐体と、筐体の開口部を通って延びる導電性回転シャフトと、シャフトに機械的かつ電気的に接続された導電性クラウンと、を含む。クラウンは、筐体の外部にある。電子デバイスは、シャフトに機械的かつ電気的に接続された、筐体の内部にある導電性シャフト保持器を更に含む。また、電子デバイスには、バネ付勢導体が含まれる。バネ付勢導体は、シャフト及びシャフト保持器のうちの少なくとも１つと機械的かつ電気的に接触している。バネ付勢導体に電気的に接続された回路は、バネ付勢導体、シャフト保持器、及びシャフトを介してクラウンと電気通信する。
[０００７]
上記の例示的な態様及び実施形態に加えて、更なる態様及び実施形態が、図面を参照し、以下の説明を検討することによって明らかになるであろう。
[図面の簡単な説明]
[０００８]
参照番号が同様の構造的要素を指定する、添付図面と共に以下の詳細な説明によって開示が容易に理解されよう。
[０００９]
[図１Ａ]  電極のセットを組み込むことができる電子デバイスの一例を示す。
[００１０]
[図１Ｂ]  電極のセットを組み込むことができるウォッチの一例を示す。
[００１１]
[図２]  ウォッチ本体の裏側筐体部材に取り付けられたクリスタルに取り付けることができる構成要素の分解図を示す。
[００１２]
[図３Ａ]  図２に示すクリスタルの内面及び外面上に堆積させることができるコーティングの一例を示す。
[図３Ｂ]  図２に示すクリスタルの内面及び外面上に堆積させることができるコーティングの一例を示す。
[図３Ｃ]  図２に示すクリスタルの内面及び外面上に堆積させることができるコーティングの一例を示す。
[図３Ｄ]  図２に示すクリスタルの内面及び外面上に堆積させることができるコーティングの一例を示す。
[図３Ｅ]  図２に示すクリスタルの内面及び外面上に堆積させることができるコーティングの一例を示す。
[００１３]
[図４]  図３Ｂに示すクリスタルの断面を示す。
[００１４]
[図５]  図３Ｃ及び図３Ｄに示すクリスタルの断面を示す。
[００１５]
[図６]  ＩＴＯベースの電極の例示的な層構造を示す。
[００１６]
[図７Ａ]  電子デバイスの筐体の一部を形成するクリスタルの外面上の電極と電子デバイスの内部の電気接点との間の代替的な電気的接続を示す。
[図７Ｂ]  電子デバイスの筐体の一部を形成するクリスタルの外面上の電極と電子デバイスの内部の電気接点との間の代替的な電気的接続を示す。
[図７Ｃ]  電子デバイスの筐体の一部を形成するクリスタルの外面上の電極と電子デバイスの内部の電気接点との間の代替的な電気的接続を示す。
[００１７]
[図８Ａ]  代替的なクリスタル構成、及び電子デバイスの他の筐体部材へのクリスタルの代替的な取り付けを示す。
[図８Ｂ]  代替的なクリスタル構成、及び電子デバイスの他の筐体部材へのクリスタルの代替的な取り付けを示す。
[図８Ｃ]  代替的なクリスタル構成、及び電子デバイスの他の筐体部材へのクリスタルの代替的な取り付けを示す。
[図８Ｄ]  代替的なクリスタル構成、及び電子デバイスの他の筐体部材へのクリスタルの代替的な取り付けを示す。
[００１８]
[図９]  図３Ａ〜図３Ｅ、図４、図５、及び図７Ａ〜図７Ｃを参照して説明するようにクリスタルに適用されたマスク及び電極を有する、図２に示す裏側筐体部材及びクリスタルの外面（例えば、皮膚に面する表面）を示す。
[００１９]
[図１０]  図２に示すクリスタル上に取り付けられた図２のセンササブシステムを示す。
[００２０]
[図１１]  クラウンアセンブリの分解図を示す。
[００２１]
[図１２]  図１１に示すクラウンアセンブリの組み立てられた断面を示す。
[００２２]
[図１３]  生物学的パラメータを感知することができるウォッチ本体の立面図を示す。
[００２３]
[図１４]  ウォッチ本体の縁部から見たときの、図１１及び図１２に示すクラウンアセンブリの断面を示す。
[００２４]
[図１５]  電子デバイスのユーザからＥＣＧ又は他の生物学的パラメータを取得するために使用することができる電子デバイスの概略図を示す。
[００２５]
[図１６]  ウォッチ又は他のウェアラブル電子デバイスを着用しているユーザの生物学的パラメータを判定する例示的な方法を示す。
[００２６]
[図１７]  ウォッチ又は他のウェアラブル電子デバイスなどの電子デバイスのサンプル電気ブロック図を示す。
[００２７]
添付の図でのクロスハッチング又はシェーディングの使用は、概して、隣り合う要素間の境界を明らかにし、図の視認性も促進するためにも提供される。したがって、クロスハッチング又はシェーディングの存在も不在も、添付の図に示される任意の要素に関する特定の材料、材料特性、要素の割合、要素の寸法、同様に図示されている要素の共通点、又は任意の他の特質、属性、若しくは特性についてのいかなる選好又は要件も伝達又は指示するものではない。
[００２８]
追加的に、種々の特徴及び要素（並びにそれらの集合及び群）の（相対的であれ絶対的であれ）割合及び寸法、並びにそれらの間に提示される境界、分離点及び位置関係は、単に本明細書に述べられる種々の実施形態の理解を容易にするために添付の図に提供されるものであり、したがって必ずしも一定の縮尺で提示又は図示されていない場合があり、図示される実施形態についての任意の選好又は要件を、それを参照して述べられる実施形態を除外して示す意図はないことを理解されたい。
[発明を実施するための形態]
[００３０]
ここで、添付図面に図示される代表的な実施形態が詳細に説明される。以下の説明は、これらの実施形態を１つの好ましい実施形態に限定することを意図するものではないことを理解されたい。反対に、以下の説明は、添付の特許請求の範囲により画定される記載された実施形態の趣旨及び範囲に含むことができるような、代替形態、修正形態及び均等物を包含することを意図している。
[００３１]
以下の開示は、図１Ａに示すように、電子デバイス１００の表面上に電極１０２のセットを提供するための技術、及び電極のセットを使用して、電極１０２のセットと接触しているユーザの１つ以上の生物学的パラメータを示す電圧又は信号を感知するための技術に関する。いくつかの実施形態では、電極１０２のセットは、電子デバイス１００の１つの表面上に提供されてもよい。他の実施形態では（図示のように）、電極１０２のセットは、電子デバイス１００の第１の表面１０４ａ上に設けられた第１の電極１０２ａ及び電子デバイス１００の第２の表面１０４ｂ上に設けられた第２の電極１０２ｂなどの、電子デバイスの異なる表面上に設けられた電極を含んでもよい。デバイスの異なる表面上に電極を提供することにより、ユーザが異なる身体部分を異なる電極と接触させることがより容易になり得る。例えば、ユーザは、電極１０２のうちの１つ以上（第１の電極１０２ａを含む）をユーザの手首と接触させてもよく、電極１０２のうちの別の１つ以上（第２の電極１０２ｂを含む）をユーザの反対側の手の指とタッチさせてもよい。電子デバイス１００のプロセッサ１０６又は電子デバイス１００から遠隔のプロセッサは、電圧又は信号から（例えば、電圧又は信号を表す記憶されたデジタルサンプル又は値から）ユーザの生物学的パラメータ（単数又は複数）を判定することができる。生物学的パラメータ（単数又は複数）は、例えば、ユーザの心電図（electrocardiogram、ＥＣＧ）を含んでもよい。
[００３２]
いくつかの実施形態では、１つ又は２つの薄膜電極は、電子デバイスの筐体の一部を形成するクリスタル又は他の構造体などの、透明又は透光性の表面上にＰＶＤ堆積されてもよい。より具体的には、電極（単数又は複数）は、電子デバイスの筐体の一部を形成するクリスタルの表面上に堆積されてもよい。ウォッチ（すなわち、一種の電子デバイス）の場合、追加の電極は、ウォッチ本体のユーザにより回転可能なクラウン上に、ウォッチのボタン上に、又はウォッチ本体を画定する筐体の別のクリスタル表面若しくは非クリスタル表面上に配置されてもよい。本明細書で使用するとき、用語「クリスタル」は、そのような材料が結晶原子構造を有するか否かにかかわらず、ガラス、結晶性材料（サファイア又はジルコニアなど）、プラスチックなどから作製された任意の透明、半透明、又は透光性の表面を指す。したがって、本明細書で使用するとき、用語「クリスタル」は、非晶質固体並びに結晶質固体を包含することが理解されるべきである。
[００３３]
クリスタルの外面上の電極（単数又は複数）は、電極材料がクリスタルの縁部又は外周の周囲及びクリスタルの内面上に巻き付くように電極材料を堆積させることによって、電子デバイス内の電気接点に接続されてもよい。電気接点は、クリスタルの内面上にあってもよい。他の実施形態では、電極（単数又は複数）は、クリスタルの外面上に形成されてもよく、導電材料で充填又はコーティングされた貫通クリスタルビアは、電極（単数又は複数）を電子デバイス内の電気接点に接続することができる。
[００３４]
電極が電子デバイスのクラウン上に設けられる場合、クラウンは、導電性であってもよく、又は導電性表面を有してもよく、クラウンの導電部分は、デバイス筐体の開口部を通って延びる導電性回転シャフトに結合されてもよい。筐体の内部のシャフトの端部又は筐体の内部の導電性シャフト保持器は、シャフト又はシャフト保持器と回路との間で電気信号を伝達するバネ付勢導体と機械的かつ電気的に接触していてもよく、それによって、クラウンと回路との間に電気通信を提供する。
[００３５]
電子デバイスのプロセッサ（例えば、プロセッサ１０６）は、様々な電極における（例えば、電極１０２のセットにおける）電圧に基づいてユーザの生物学的パラメータを判定するように動作可能であってもよい。場合によっては、生物学的パラメータは、電子デバイスのユーザのＥＣＧであってもよい。例えば、ウォッチがクリスタルの外面上の第１の電極及びクラウン上の第２の電極を有する場合、ユーザがウォッチをユーザの手首に固定することにより、第１の電極をユーザの手首上の皮膚と接触させることができる。ＥＣＧを取得するために、ユーザは、ユーザの反対側の手の指でクラウンの導電部分にタッチすることができ（例えば、ウォッチは、一方の手に隣接する手首に取り付けられてもよく、クラウンは、反対側の手の指でタッチされてもよく）、それによって、ユーザの腕及び胸部を介して第１の電極と第２の電極との間の回路を完成させる。場合によっては、ウォッチは、ユーザをウォッチに接地するクリスタルの外面上に、第３の電極も有してもよい。第３の電極を使用して、ＥＣＧ信号からノイズを拒否することができる。様々な実施形態では、電極は、異なる表面、又は表面の異なる部分上に配置されてもよい。
[００３６]
クリスタルの外面上の電極（単数又は複数）は、クリスタルの周辺に配置されて、又は別の方法で配置して、センササブシステムがクリスタルを介して光を放出及び受光することを可能にすることができる。光は、ユーザの皮膚内に放出され、ユーザの皮膚から反射されて、心拍数、血圧、脈拍、血液酸素濃度、血糖値などの、ユーザの他の生物学的パラメータを判定することができる。
[００３７]
これら及び他の実施形態について、図１〜図１７を参照して説明する。しかしながら、当業者であれば、これらの図に関して本明細書に与えられた発明を実施するための形態は説明の目的のためのものに過ぎず、限定するものとして解釈されるべきではないことを容易に理解するであろう。
[００３８]
図１Ｂは、電極のセットを組み込んだウォッチ１１０の一例を示す。ウォッチは、ウォッチ本体１１２及びウォッチバンド１１４を含んでもよい。電極のセットを組み込むことができる他のデバイスとしては、他のウェアラブル電子デバイス、他の時間管理デバイス、他のヘルスモニタリング又はフィットネスデバイス、他のポータブルコンピューティングデバイス、携帯電話（スマートフォンを含む）、タブレットコンピューティングデバイス、デジタルメディアプレーヤなどが挙げられる。
[００３９]
ウォッチ本体１１２は、筐体１１６を含んでもよい。筐体１１６は、ウォッチ１１０がユーザによって着用されたときにユーザの皮膚から離れる方向を向いた前側筐体部材と、ユーザの皮膚に向かって向いた裏側筐体部材とを含んでもよい。あるいは、筐体１１６は、単一の筐体部材、又は３つ以上筐体部材を含んでもよい。１つ以上の筐体部材は、金属、プラスチック、セラミック、クリスタル、又は他の種類の筐体部材（又はそのような材料の組み合わせ）であってもよい。
[００４０]
クリスタル１１８は、ウォッチ本体１１２の前側に（すなわち、ユーザの皮膚から離れる方向を向いて）取り付けられてもよく、筐体１１６内に取り付けられたディスプレイを保護することができる。ディスプレイは、クリスタル１１８を介してユーザによって視認可能であってもよい。場合によっては、クリスタル１１８は、ディスプレイスタックの一部であってもよく、ディスプレイスタックは、タッチ感知能力又は力感知能力を含むことができる。ディスプレイは、ウォッチ１１０のグラフィカル出力を描写するように構成されてもよく、ユーザは、（例えば、指又はスタイラスを使用して）グラフィカル出力と対話することができる。一例として、ユーザは、グラフィックの位置でディスプレイにタッチ又は押圧することによって、ディスプレイ上に提示されたグラフィック、アイコンなどを選択（又は他の方法でそれと対話）してもよい。クリスタル１１８は、筐体１１６の一部を形成してもよい。いくつかの実施例では、クリスタル１１８は、サファイア結晶であってもよい。クリスタル１１８はまた、ガラス、プラスチック、又は他の材料で形成されてもよい。
[００４１]
いくつかの実施形態では、ウォッチ本体１１２は、筐体１１６の一部を形成する追加のクリスタル（図示せず）を含んでもよい。追加のクリスタルは、（例えば、図２、図３Ｃ、図３Ｄ、図４〜図６、図７Ａ〜図７Ｃ、図８Ａ〜図８Ｄ、図９、図１０、及び図１５を参照して説明するように）その上に１つ以上の電極を有してもよい。
[００４２]
ウォッチ本体１１２は、クラウンアセンブリ、スクロールホイール、ノブ、ダイヤル、ボタンなどの少なくとも１つの入力デバイス又は選択デバイスを含んでもよく、この入力デバイスは、ウォッチ１１０のユーザによって操作されてもよい。例えば、筐体１１６は、シャフトが通って延びる開口部を含んでもよい。クラウン１２０は、シャフトに取り付けられてもよく、筐体１１６の外部のユーザにアクセス可能であってもよい。クラウン１２０は、ユーザによって操作されて、シャフトを回転又は並進させることができる。一例として、シャフトは、筐体１１６内の構成要素に機械的に、電気的に、磁気的に、かつ／又は光学的に結合されてもよい。クラウン１２０及びシャフトのユーザによる操作を使用して、その結果として、ディスプレイ上に表示された様々な要素を操作又は選択し、スピーカの音量を調整し、ウォッチ１１０をオン又はオフにするなどすることができる。筐体１１６はまた、ボタン１２２がそこを通って突出する開口部を含んでもよい。いくつかの実施形態では、クラウン１２０、スクロールホイール、ノブ、ダイヤル、ボタン１２２などは、導電性であってもよく、又は導電性表面を有してもよく、クラウン１２０、スクロールホイール、ノブ、ダイヤル、ボタン１２２などの導電部分とウォッチ本体１１２内の回路との間に、信号経路を提供することができる。いくつかの実施形態では、クラウン１２０は、図１１、図１２、図１４、及び１５を参照して説明するように、クラウンアセンブリの一部であってもよい。
[００４３]
筐体１１６は、ウォッチバンド１１４をウォッチ本体１１２に取り付けるための構造体を含むことができる。場合によっては、構造体は、ウォッチバンド１１４の端部をウォッチ本体１１２に挿入して取り付けることができる、細長い凹部又は開口部を含んでもよい。他の場合（図示せず）では、構造体は、筐体１１６内にへこみ（例えば、くぼみ又は陥凹部）を含んでもよく、へこみは、ウォッチバンドをウォッチ本体に取り付けるためにウォッチバンドの端部に取り付けられた、又はそれを通された、バネピンの端部を受け入れることができる。
[００４４]
ウォッチバンド１１４を使用して、ウォッチ１１０をユーザ、別のデバイス、保持機構などに固定することができる。
[００４５]
いくつかの実施例では、ウォッチ１１０は、クリスタル１１８、ディスプレイ、クラウン１２０、又はボタン１２２を欠いていてもよい。例えば、ウォッチ１１０は、オーディオ入力若しくは出力インタフェース、タッチ入力インタフェース、触覚（力）入力若しくは出力インタフェース、又はディスプレイ、クラウン１２０、若しくはボタン１２２を必要としない他の入力若しくは出力インタフェースを含んでもよい。ウォッチ１１０はまた、ディスプレイ、クラウン１２０、又はボタン１２２に加えて、前述の入力又は出力インタフェースを含んでもよい。ウォッチ１１０がディスプレイを欠いているとき、ウォッチ１１０の前側は、クリスタル１１８によって、又は金属若しくは他の種類の筐体部材によって、覆われてもよい。
[００４６]
図２は、ウォッチ本体の裏側筐体部材２０２に取り付けられたクリスタル２０４に取り付けることができる構成要素の分解図を示す。いくつかの実施例では、構成要素は、図１Ｂに示すウォッチ本体１１２の一部であってもよく、図１Ｂに示す筐体１１６内に取り付けられてもよい。例として、図２は、ウォッチ本体１１２などのウォッチ本体の裏側筐体部材２０２（すなわち、皮膚に面する筐体部材）に対して構成要素を示す。また、例として、裏側筐体部材２０２は、ウォッチバンドの端部を、裏側筐体部材２０２を含むウォッチ本体に挿入して取り付けることができる、開口部２４０を含む。あるいは、ウォッチバンドは、他の方法でウォッチ本体１１２に取り付けられてもよい。
[００４７]
クリスタル２０４（例えば、皮膚に面するクリスタル）は、裏側筐体部材２０２に取り付けられて、ウォッチ本体の筐体の一部（例えば、ウォッチ本体１１２の一部）を形成することができる。クリスタル２０４は、ウォッチ本体の内部にある第１の表面と、ウォッチ本体の外部にある第２の表面とを有してもよい。例として、クリスタル２０４は、丸い外周２０６を有し、裏側筐体部材２０２の丸い開口部に嵌合される。他の例では、クリスタル２０４は、正方形、楕円形、又はなんらかの他の形状である外周を有してもよい。同様に、裏側筐体部材２０２の開口部は、正方形、楕円形、又はなんらかの他の形状であってもよい。クリスタル２０４の外周２０６及び開口部の外周は、同じ形状を有する必要はない（例えば、裏側筐体部材２０２の開口部の外周は、クリスタル２０４の外周２０６よりも小さく、かつそれとは異なって成形されてもよい）。いくつかの実施例では、クリスタル２０４は、サファイア結晶であってもよい。クリスタル２０４はまた、ガラス、プラスチック、又は他の材料で形成されてもよい。クリスタル２０４は、光の全ての波長、又は光の一部の波長のみに対して透明であってもよい。
[００４８]
クリスタル２０４の外面は、その上に電極２４２のセットを有してもよい。電極２４２は、クリスタル２０４の周辺に（又は他の位置に）配置されて、ウォッチ本体の内部のセンササブシステム２１６とウォッチ本体の外部の媒体（例えば、皮膚）との間の光通信を可能にしてもよい。光通信は、クリスタル２０４を介して、場合によっては、クリスタル２０４に適用された１つ以上のマスク２２４に形成された多数の開口部を介して、行うことができる。電極２４２及びマスク２２４の例示的な構成は、図３Ｃ、図３Ｄ、図３Ｅ、図４〜図６、図７Ａ〜図７Ｃ、図８Ａ〜図８Ｄ、図９、図１０、及び図１５を参照して説明する。他の実施例では、電極２４２は、図６を参照して説明するように、透明材料で形成されてもよく、センササブシステム２１６は、電極２４２を介して光を透過／受光してもよい。
[００４９]
場合によっては、図２に示す内部構成要素は、クリスタル２０４の第１の表面又は内面に取り付けられてもよい（かつ場合によっては、その上に直接取り付けられてもよい）。構成要素は、レンズ２０８、光フィルタ２１０、１つ以上の接着剤２１２、２１４、センササブシステム２１６、回路若しくは処理サブシステム２１８、磁石２２０、又は磁気シールド２２２を含むことができる。
[００５０]
レンズ２０８は、クリスタル２０４の第１の表面若しくは内面に当接する、取り付ける（例えば、その上に直接取り付ける）、又はその上に形成することができる。例として、レンズ２０８は、クリスタル２０４の中心と位置合わせされる。場合によっては、クリスタル２０４の内面又は外面は、その上にマスク２２４（例えば、インクマスク又は暗色マスク、場合によっては、複数のマスク）を有してもよい。マスク２２４は、少なくとも１つの波長の光がクリスタル２０４を通過することを可能にする開口部２２６（例えば、第１の開口部又は中央開口部）を画定してもよく、レンズ２０８は、開口部２２６と位置合わせされてもよい。場合によっては、レンズ２０８は、フレネルレンズ、球面レンズ、拡散体フィルムなどであってもよく、又はそれを含んでもよい。
[００５１]
場合によっては、光フィルタ２１０は、１つ以上のセグメント２２８を含んでもよく、各セグメント２２８は、クリスタル２０４の内面に取り付けられ（例えば、積層され）、内面上に配置されて（例えば、レンズ２０８に隣接して又はその周囲に）、センササブシステム２１６上の１つ以上の受光器のセットがセンササブシステム２１６上の１つ以上の発光器のセットによって放出される光の一部分を受光することを防止することができる。発光器のセット及び受光器のセットは、図２には示されておらず、センササブシステム２１６の下側に取り付けられてもよい。クリスタル２０４がマスク２２４を含む場合、マスク２２４は、第２の開口部２３０ａ、又は第２の開口部２３０ａを含む開口部２３０のセットを更に画定してもよい。第２の開口部２３０ａ又は開口部２３０のセットは、第１の開口部２２６に隣接して又はその周囲に配置されてもよい。これらの実施形態では、光フィルタ２１０のセグメント２２８（又は光フィルタリング若しくは他の光フィルタ構成）は、開口部２３０のセット内の開口部のそれぞれと位置合わせされてもよい（例えば、それを覆ってもよい）。
[００５２]
一例として、図２は、中央開口部２２６の周囲に８つの半径方向開口部２３０のセットを画定するマスク２２４を示す。光フィルタ２１０の各セグメント２２８は、センササブシステム２１６上に取り付けられた発光器のセットによって放出された光の一部分を遮断（例えば、吸収）してもよく、光のこの部分は、クリスタル２０４に近すぎる（又はその内部の）表面（例えば、クリスタル２０４の外面、クリスタル２０４内の欠陥、又はクリスタル２０４に近すぎる媒体）から反射し、それにより、反射光は、センササブシステム２１６が設計されている感知動作に有用ではない。例えば、センササブシステム２１６がユーザの生物学的パラメータを判定するように構成されている場合、クリスタル２０４から又はユーザの皮膚の外層から反射された光は、判定されている生物学的パラメータに対するいかなる関係も有さない場合があり、有用ではない場合がある。いくつかの実施例では、光フィルタ２１０又はそのセグメント２２８は、光制御フィルム、光偏光子、反射防止フィルム、反射フィルム、又は光吸収体のうちの少なくとも１つを含んでもよい。
[００５３]
いくつかの実施形態では、マスク２２４は、複数のマスクを表してもよく、異なるマスクは、例えば図３Ａ〜図３Ｅ及び図４を参照して説明するように、異なる波長の光がクリスタル２０４を通過することを可能にすることができる。
[００５４]
センササブシステム２１６は、１つ以上の発光器（例えば、ＬＥＤ）のセット及び１つ以上の受光器（例えば、フォトダイオードなどの光検出器）のセットが実装された基板２３２を含んでもよい。発光器（単数又は複数）及び受光器（単数又は複数）は、基板２３２上に取り付けられ、又は配置されて、クリスタル２０４を介して光を放出及び受光することができる。センササブシステム２１６は、感圧接着剤（pressure sensitive adhesives、ＰＳＡ）又は熱活性化フィルム（heat-activated films、ＨＡＦ）などの１つ以上の接着剤２１２／２１４によって、クリスタル２０４に取り付けられてもよい。場合によっては、発光器のセットは、基材２３２上に中央に取り付けられてもよく、第１の壁部は、発光器のセットを取り囲む基板２３２の下側に取り付ける（例えば、その上に形成する、又はそれに接合する）ことができる。第１の壁部は、接着剤の第１のリング２１２を使用して、クリスタル２０４の内面に取り付けられてもよい。受光器のセットは、第１の壁部と基板２３２の下側に取り付けられた（例えば、その上に形成された、又はそれに接合された）第２の壁部との間で、発光器のセットの周囲の基板２３２上に取り付けられてもよい。第２の壁部は、接着剤の第２のリング２１４を使用して、クリスタル２０４の内面に取り付けられてもよい。
[００５５]
センササブシステム２１６の基板２３２は、処理サブシステム２１８をセンササブシステム２１６の発光器のセット及び受光器のセットに電気的に結合することを可能にする、様々な接点、パッド、トレース、又は他の導電性構造体２３４を含んでもよい。処理サブシステム２１８は、導電性構造体２３４、並びに／又はセンササブシステム２１６及び処理サブシステム２１８の基板２３２と２３６との間の追加の接着剤を介して、センササブシステム２１６に取り付けられ、かつそれによってクリスタル２０４に取り付けられた、基板２３６（例えば、プリント回路基板（printed circuit board、ＰＣＢ））を含んでもよい。基板２３２、２３６は、また、あるいは代わりに、機械的締結具（例えば、ねじ）を使用して接続されてもよい。処理サブシステム２１８は、発光器及び受光器を作動させて、センサ機能を実行する（例えば、心拍数を判定する）ことができる。場合によっては、処理サブシステム２１８は、ウォッチ本体内の別の構造体に取り付けられてもよく、フレックス回路又は他の導体によってセンササブシステム２１６の導電性構造体２３４に電気的に接続されてもよい。
[００５６]
いくつかの実施形態では、処理サブシステム２１８の基板２３６は、内部に孔２３８を有してもよく、磁石２２０は、孔２３８と位置合わせされ、基板２３２に当接され（又はその上に取り付けられ）てもよい。場合によっては、磁石２２０は、センササブシステム２１６の基板２３２に接着接合されてもよい。磁石２２０は、ウォッチ本体内に含まれるバッテリを充電するために使用されるバッテリ充電器に誘導結合してもよく、このバッテリは、センササブシステム２１６及び処理サブシステム２１８の構成要素を含むウォッチの構成要素に電力を供給することができる。
[００５７]
磁気シールド２２２は、磁石２２０に当接する（又はその上に取り付ける）ことができる。場合によっては、磁気シールド２２２は、磁石２２０に接着接合されてもよい。磁気シールドは、磁石２２０に関連付けられた磁束をクリスタル２０４に向かって、かつそれを出て誘導して、ウォッチ本体内に含まれるバッテリの誘導性バッテリ充電性能を向上させることができる。
[００５８]
図２に示す構成要素をクリスタル２０４の内面に直接又は間接的に取り付けることにより、積層時の構成要素の高さを低減することができる。
[００５９]
図３Ａ〜図３Ｅは、図２に示すクリスタル２０４の内面及び外面上に堆積させることができるコーティングの一例を示す。図３Ａに示すように、赤外線（infrared、ＩＲ）及び可視光に対して不透明である第１のマスク３００（例えば、第１のインクマスク）は、クリスタル２０４の内面３０２上に堆積（例えばＰＶＤ堆積）させることができる。いくつかの実施例では、第１のマスク３００は、中央の第１の開口部３０４及び同心の第２の開口部３０６（すなわち、第１の開口部３０４と同心である第２の開口部３０６）を画定する、内側リング３００ａ及び外側リング３００ｂを含んでもよい。中央の第１の開口部３０４は、図２を参照して説明したセンササブシステム２１６の発光器の上（かつ任意選択のレンズ２０８の上）に配置されてもよく、同心の第２の開口部３０６は、センササブシステム２１６の受光器の上に配置されてもよい。第１のマスクの内側リング３００ａは、中央の第１の開口部３０４を通過した後に、ユーザの皮膚を通過した可能性が低い光を受光器が受光することを防止することができる。第１のマスクの外側リング３００ｂは、場合によっては、装飾的な理由のために提供されてもよく、場合によっては、提供されなくてもよい。
[００６０]
図３Ｂは、可視光に対して不透明であるがＩＲ光に対して透明である第２のマスク３０８（例えば、第２のインクマスク）を示す。第２のマスク３０８は、クリスタル２０４の内面３０２上に堆積（例えばＰＶＤ堆積）されてもよい。第２のマスク３０８は、図４に示すように、第１のマスク３００の同心の第２の開口部３０６の上に、クリスタル２０４上に堆積されてもよく、第１のマスクの内側リング３００ａ及び外側リング３００ｂと重なり合ってもよい。第２のマスク３０８は、ＩＲ光が同心の第２の開口部３０６の全体を通過することを可能にしながら、センササブシステム２１６のそれぞれの受光器の上に複数の可視光開口部３１０を画定してもよい。これにより、受光器によって受光されるＩＲ光の量を増加させることができる。第２のマスク３０８はまた、凝縮検出器３１２の上に任意選択の開口部を画定してもよい。場合によっては、第２のマスク３０８は、第１のマスク３００と視覚的に類似して見えてもよい（例えば、両方のマスクは、暗色マスクであってもよく、それにより、ユーザが第１のマスク３００と第２のマスク３０８を視覚的に区別することが不可能又は困難にすることができる）。
[００６１]
図３Ｃ及び図３Ｄは、クリスタル２０４の内面３０２及び外面３１６上のＰＶＤ堆積された第１の電極３１４ａ及び第２の電極３１４ｂの例を示す。第１の電極３１４ａ及び第２の電極３１４ｂは、円弧形状であってもよく、クリスタル２０４の周辺に配置されてもよい。第１の電極３１４ａ及び第２の電極３１４ｂは、電極３１４ａ、３１４ｂと皮膚との間に良好な電気的接触を提供するのに十分な面積を提供すること（これにより、電気的センサ効率を改善することができる）、デバイスのアンテナ又は他の電気的構造体と実質的に干渉しないサイズの電極３１４ａ、３１４ｂを提供すること（これにより、無線通信効率を改善することができる）、又はクリスタル２０４を介した光通信を可能にするように配置された電極３１４ａ、３１４ｂを提供すること（これにより、光通信効率を改善することができる）などの要因に基づいたサイズにすることができる。第１の電極３１４ａ及び第２の電極３１４ｂは、一対の間隙３１８ａ、３１８ｂによって互いに分離されてもよい。
[００６２]
第１の電極３１４ａ及び第２の電極３１４ｂは、クリスタル２０４の内面３０２及び外面３１６の両方上に堆積されてもよく、クリスタル２０４の縁部（又は外周）の周囲に巻き付けることができる。第１の電極３１４ａ及び第２の電極３１４ｂを形成するために使用される材料は、クリスタル２０４の内面３０２上に電気接点３２０ａ、３２０ｂ（例えば、タブ）を形成するように、パターン化してもよい。第１の電極３１４ａ及び第２の電極３１４ｂは、第１のマスク３００が第１の電極３１４ａ及び第２の電極３１４ｂとクリスタル２０４の内面３０２との間に配置されるように、クリスタル２０４の内面３０２上の第１のマスク３００（又は第１のマスクの外側リング３００ｂ）に重なり合うことができる。したがって、電極３１４ａ、３１４ｂを形成するために使用される材料は、材料がクリスタル表面（例えば、サファイア表面）及びマスク（例えば、インクマスク）に接着することを可能にする特性を有する必要があり得る。電極３１４ａ、３１４ｂを形成するために使用される材料又は複数の材料はまた、低インピーダンス及び良好な伝導率（例えば、低ＤＣ抵抗）、低い電極−皮膚間のインピーダンス、電極３１４ａ、３１４ｂの引っ掻きを低減するための高硬度、クリスタル２０４よりも高い弾性率（例えば、電極３１４のクラックがクリスタル２０４を通って伝播する可能性を軽減するために）、ＨＡＦ又は他の接着剤との適合性、及び良好な生体適合性（例えば、デバイスのユーザへの有害反応を引き起こす可能性がない）などの特性を単独で又は組み合わせて有することができる。
[００６３]
図３Ｅは、クリスタル２０４の内面３０２上の接着剤３２２の例示的な堆積を示す。接着剤３２２は、図２を参照して説明したように、内側リング３２２ａ及び外側リング３２２ｂ内に堆積されてもよい。接着剤の内側リング３２２ａは、第１のマスクの内側リング３００ａ上に配置されてもよい。接着剤の外側リング３２２ｂは、第２のマスク３０８の複数の開口部３１０から外向きに、第２のマスク３０８上に配置されてもよい。場合によっては、接着剤３２２は、ＰＳＡ又はＨＡＦを含んでもよい。
[００６４]
図４は、図３Ｂに示すクリスタル２０４の一部分の断面を示し、第１のマスク３００と第２のマスク３０８との間の重なり合いを示す。第２のマスク３０８は、第１のマスク３００が第２のマスク３０８とクリスタル２０４の内面３０２との間に配置されるように、クリスタル２０４の内面３０２上の第１のマスク（例えば、外側リング３００ｂ）に重なり合うことができる。
[００６５]
図５は、図３Ｃ又は図３Ｄに示すクリスタル２０４の断面を示し、第１の電極３１４ａ（又は第２の電極）と第１のマスク３００（例えば、第１のマスクの外側リング３００ｂ）との間の重なり合いを示す。第１の電極３１４ａは、第１のマスク３００が第１の電極３１４ａとクリスタル２０４の内面３０２との間に配置されるように、クリスタル２０４の内面３０２上の第１のマスク３００（又は第１のマスクの外側リング３００ｂ）に重なり合うことができる。
[００６６]
いくつかの実施形態では、図３Ｃ、図３Ｄ、及び図５に示す電極３１４ａ、３１４ｂは、インジウムチタン酸化物（indium titanium oxide、ＩＴＯ）又は別の透明材料を使用して形成することができる。これらの実施形態では、電極３１４ａ、３１４ｂは、クリスタル２０４の下に配置されたセンササブシステムによって放出される光に対して透明であってもよく、したがって、電極３１４ａ、３１４ｂは、クリスタル２０４の外面３１６のより大きな部分（又は全て）の上に延びてもよい。図６は、ＩＴＯベースの電極の例示的な層構造を示す。図示のように、積層体６００は、クリスタル上の酸化アルミニウム（Ａｌ２Ｏ３）の層６０２、酸化アルミニウムの層６０２上のＩＴＯの層６０４、酸化アルミニウムの層６０４上の二酸化ケイ素（ＳｉＯ２）の第１の層６０６、二酸化ケイ素の第１の層６０６上の窒化ケイ素（Ｓｉ３Ｎ４）の層６０８、窒化ケイ素の層６０８上の二酸化ケイ素の第２の層６１０、及び二酸化ケイ素の第２の層６１０上のダイヤモンド状炭素又は別の硬質コーティングの層６１２を含むことができる。あるいは、窒化ケイ素の層６０８及び二酸化ケイ素の第２の層６１０は、堆積されなくてもよく、又はＩＴＯの層６０４のみが堆積されてもよく、又はＩＴＯ層の層６０４及び二酸化ケイ素の第１の層６０６のみが堆積されてもよい。層の数又は種類の他の変形もまた、積層体６００を形成するために使用されてもよい。層のそれぞれは、ＩＲ光又は可視光に対して透明であってもよい。
[００６７]
図７Ａ〜図７Ｃは、電極（例えば、電子デバイスの筐体の一部を形成するクリスタルの外面上の電極）と電子デバイスの内部の電気接点との間の代替的な電気的接続を示す。いくつかの実施例では、図７Ａ〜図７Ｃに示すクリスタルは、円形の外周を有してもよい。他の実施例では、クリスタルは、楕円形、正方形、矩形などの外周を有してもよい。図７Ａ〜図７Ｃを参照して説明する技術は、様々な外周形状を有するクリスタル、異なる組成を有するクリスタルなどに適用することができる。いくつかの実施形態では、図７Ａ〜図７Ｃに示す特徴は、電子デバイスの外面上の１つより多くの電極を電子デバイスの内部の構成要素に電気的に接続するように繰り返すことができる。
[００６８]
図７Ａでは、電極７００は、クリスタル７０４の表面７０２上にＰＶＤ堆積された薄膜電極であってもよい。電極７００が堆積された表面７０２は、電子デバイスの外部にあるクリスタル７０４の表面であってもよい（すなわち、電極７００は、クリスタル７０４の外面７０２上に堆積されてもよい）。図示のように、電極７００を形成するために使用される導電材料は、材料がクリスタル７０４の縁部７０６又は外周の周囲に巻き付いて、電子デバイスの内部にあるクリスタル７０４の表面７１０上（すなわち、クリスタル７０４の内面７１０上）の電気接点７０８を形成するように、クリスタル７０４上に堆積されてもよい。場合によっては、電気接点７０８は、（例えば、図３Ｃ、図３Ｄ、及び図３Ｅに示すように）電極７００よりもはるかに小さい、クリスタル７０４の周辺の周りの円弧をトレースするタブであってもよい。他の場合には、電気接点７０８は、円弧形状であってもよく、クリスタル７０４の外面７０２上の電極７００によってトレースされた円弧と同様のサイズの円弧をトレースすることができる。
[００６９]
場合によっては、電極７００及び電気接点７０８を形成するために使用される導電材料（単数又は複数）は、単一の動作（又は材料（単数又は複数）がクリスタル７０４の外面７０２、縁部７０６、及び内面７１０上に堆積される動作の単一のセット）でクリスタル７０４の外面７０２、縁部７０６、及び内面７１０上に堆積されてもよい。他の場合には、電極７００を形成するために使用される材料（単数又は複数）は、電極７００がクリスタル７０４の外面７０２上に堆積される１つ以上の動作とは別個に実行される動作で、クリスタル７０４の縁部７０６又は内面７１０上に堆積されてもよい。これらの後者の実施例では、材料（単数又は複数）は、材料が重なり合うように堆積させることができる。場合によっては、電極７００を形成するために使用される１つ以上の材料のセットは、クリスタル７０４の縁部７０６又は内面７１０上に堆積される１つ以上の材料のセットと異なっていてもよい。
[００７０]
いくつかの実施形態では、クリスタル７０４の外面７０２、縁部７０６、及び内面７１０上に堆積された導電材料（単数又は複数）は、エルビウムの層を含んでもよい。いくつかの実施形態では、エルビウムの層は、ステンレス鋼（ＳＵＳ）の層、又はダイヤモンド状炭素（diamond like carbon、ＤＬＣ）の層でコーティングされてもよい。他の実施形態では、電極７００又はクリスタル７０４の縁部７０６のみが、ステンレス鋼又はＤＬＣの層でコーティングされてもよい。いくつかの実施例では、エルビウムの層は、アルミニウムチタン窒化物（ＡｌＴｉＮ）又はクロム炭窒化ケイ素（ＣｒＳｉＣＮ）のＰＶＤ堆積された層でコーティングされてもよい。
[００７１]
いくつかの実施形態では、１つ以上のマスク（例えば、１つ以上のインクマスク）を、（例えば、図３Ａ〜図３Ｅ、図４、及び図５を参照して説明したように）クリスタルの内面に適用することができる。これらの実施形態では、電極７００及び電気接点７０８を形成するために使用される導電材料のうちの１つ以上は、マスク（単数又は複数）の上に適用されてもよい。したがって、導電材料（単数又は複数）、及び導電材料（単数又は複数）がクリスタル７０４上に堆積される方法は、クリスタル７０４及びマスク（単数又は複数）を形成するために使用されるインク又は他の材料への導電材料（単数又は複数）の接着を確実にするように選択されてもよい。
[００７２]
図７Ａに示すように、クリスタル７０４の内面７１０の周辺帯は、電子デバイスの別の筐体部材７１４の凹状レッジ７１２に（例えば、クリスタル７０４が筐体部材７１４に重なり合うように）取り付けることができる。そのような実施形態では、クリスタル７０４は、熱活性化フィルム（ＨＡＦ）などの接着剤７１６を使用して、筐体部材７１４に取り付けられてもよい。したがって、接着剤７１６又は導電材料（単数又は複数）、及びクリスタル７０４が筐体部材７１４に取り付けられる方法は、クリスタル７０４の筐体部材７１４への接着を確実にするように選択されてもよい。
[００７３]
電気接点７０８は、クリスタル７０４が筐体部材７１４に取り付けられたときに、電気接点７０８が筐体部材７１４の凹状レッジ７１２を越えて延びて、電気接点７０８を電子デバイスの内部でアクセス可能にする、十分に大きな幅（例えば、クリスタル７０４の半径に沿って十分に大きな幅）を有してもよい。場合によっては、フレックス回路、他の可撓性導体、又は他の導電性要素を、電気接点７０８にはんだ付けする又は別の方法で電気的に接続して、信号が電極７００から受信される又は電極７００に印加されることを可能にしてもよい。
[００７４]
図７Ｂでは、電極７１８は、クリスタル７２２の表面７２０上にＰＶＤ堆積された薄膜電極であってもよい。電極７１８が堆積された表面７２０は、電子デバイスの外部にあるクリスタル７２２の表面であってもよい（すなわち、電極７１８は、クリスタル７２２の外面７２０上に堆積されてもよい）。クリスタル７２２上に電極７１８を堆積する前又は後に、貫通クリスタルビア７２４を、クリスタル７２２にドリル加工しても、又は別の方法でクリスタル７２２に切削してもよい。貫通クリスタルビア７２４は、クリスタル７２２（又は電極７１８）の外面７２０からクリスタル７２２の内面７２６まで延びてもよい。ビア７２４は、ステンレス鋼（ＳＵＳ）などの導電材料７２８でコーティング又は充填されてもよく、導電材料７２８は、電極７１８によって覆う、それと重なり合う、又は別の方法でそれに電気的に接続することができる。場合によっては、ビア７２４内の導電材料７２８は、ビア７２４内に成形又は接着されてもよい。導電材料７２８は、電子デバイスの内部にあるクリスタル７２２の表面７２６上（すなわち、クリスタルの内面上）に電気接点７３０を提供することができる。場合によっては、ビア７２４内の導電材料７２８は、クリスタル７２２の内面７２６の一部分と重なり合ってもよく、又はクリスタル７２２の内面７２６上に堆積された別の導電性要素に接続されてもよい。
[００７５]
電極７１８を形成し、かつビア７２４内に堆積させるために使用される導電材料（単数又は複数）は、同じであっても、又は異なっていてもよい。いくつかの実施形態では、電極７１８を形成するために使用される導電材料（単数又は複数）は、エルビウムの層を含んでもよい。エルビウムの層は、ステンレス鋼（ＳＵＳ）の層、又はダイヤモンド状炭素（ＤＬＣ）の層でコーティングされてもよく、又はコーティングされなくてもよい。いくつかの実施例では、エルビウムの層は、アルミニウムチタン窒化物（ＡｌＴｉＮ）又はクロム炭窒化ケイ素（ＣｒＳｉＣＮ）のＰＶＤ堆積された層でコーティングされてもよい。
[００７６]
図７Ｂに示すように、クリスタル７２２の内面７２６の周辺帯は、電子デバイスの別の筐体部材７３４の凹状レッジ７３２に（例えば、クリスタル７２２が筐体部材７３４に重なり合うように）取り付けることができる。そのような実施形態では、クリスタル７２２は、ＨＡＦなどの接着剤７３６を使用して、筐体部材７３４に取り付けられてもよい。したがって、接着剤７３６、及びクリスタル７２２が筐体部材７３４に取り付けられる方法は、クリスタル７２２の筐体部材７３４への接着を確実にするように選択されてもよい。
[００７７]
クリスタル７２２が筐体部材７３４に取り付けられる場合、ビア７２４は、凹状レッジ７３２と重なり合う又は凹状レッジ７３２の内部にあり、電気接点７３０が電子デバイスの内部でアクセス可能になるように、配置されてもよい。場合によっては、フレックス回路、他の可撓性導体、又は他の導電性要素を、電気接点７３０にはんだ付けする又は別の方法で電気的に接続して、信号が電極７１８から受信される又は電極７１８に印加されることを可能にしてもよい。
[００７８]
図７Ｃでは、電極７３８は、クリスタル７４０と電子デバイスの別の筐体部材７４２との間に取り付けられた金属円弧形状要素であってもよい。いくつかの実施形態では、電極７３８は、単一の金属リング形状電極（例えば、１つの電極）であってもよい。これらの実施形態では、電子デバイスの内部にあるクリスタル７４０の表面（例えば、クリスタル７４０の内面７４４）の周辺帯は、電極７３８の凹状レッジ７４６に（例えば、クリスタル７４０が電極７３８と重なり合うように）取り付けられてもよく、電極７３８は、筐体部材７４２の凹状レッジ７５０に（例えば、電極７３８が筐体部材７４２と重なり合うように）取り付けられてもよい。他の実施形態では、電極７３８は、円弧形状であってもよく、クリスタル７４０と筐体部材７４２との間の２つ以上の円弧形状電極のうちの１つであってもよい。これらの実施形態では、クリスタル７４０の内面の周辺帯は、複数の円弧形状電極７３８の凹状レッジ７４６に（例えば、クリスタル７４０が電極７３８と重なり合うように）取り付けられてもよく、円弧形状電極７３８のそれぞれは、筐体部材７４２の凹状レッジ７５０に（例えば、電極７３８が筐体部材７４２と重なり合うように）取り付けられてもよい。場合によっては、複数の円弧形状電極７３８は、可撓性シール若しくはガスケットによって、又は（例えば、筐体部材７４２の剛性延長部、この剛性延長部は電極７３８が取り付けられた凹状レッジ７５０の延長部を含むことができる）剛性セパレータによって、互いに電気的に絶縁されてもよい。場合によっては、電極７３８は、クリスタル７４０が電極７３８に取り付けられる前に、筐体部材７４２に取り付けられてもよい。
[００７９]
電極７３８は、エルビウムなどの導電材料で形成してもよい。いくつかの実施形態では、電極７３８は、ステンレス鋼（ＳＵＳ）又はＤＬＣの層でコーティングされてもよい。あるいは、電極は、ステンレス鋼（ＳＵＳ）又はＤＬＣで形成されてもよい。いくつかの実施例では、エルビウムの層は、アルミニウムチタン窒化物（ＡｌＴｉＮ）又はクロム炭窒化ケイ素（ＣｒＳｉＣＮ）のＰＶＤ堆積された層でコーティングされてもよい。電子デバイス内部の電極７３８の表面７５４は、電子デバイスの内部の構成要素を電極７３８に接続するための電気接点を提供することができる。
[００８０]
場合によっては、クリスタル７４０の縁部７５６又は外周は、電極７３８に直接当接してもよく、電極７３８の縁部７５８は、筐体部材７４２に直接当接してもよい。他の場合には、接着剤、シール、ガスケット、又は充填剤が、クリスタル７４０と電極７３８との間の間隙、又は電極７３８と筐体部材７４２との間の間隙を充填してもよい。
[００８１]
図７Ｃに示すように、クリスタル７４０の内面７４４の周辺帯は、電極７３８の凹状レッジ７４６に取り付けられてもよく、電極７３８の内面７５４の周辺帯は、筐体部材７４２に取り付けられてもよい。そのような実施形態では、ＨＡＦなどの接着剤７４８又は７５２を使用して、クリスタル７４０は、電極７３８に取り付けられてもよく、又は電極７３８は、筐体部材７４２に取り付けられてもよい。したがって、接着剤７４８又は７５２、及びそれぞれの要素が取り付けられる方法は、クリスタル７４０の電極７３８への接着（又は電極７３８の筐体部材７４２への接着）を確実にするように選択されてもよい。
[００８２]
電極７３８が筐体部材７４２に取り付けられる場合、電極７３８は、凹状レッジ７５０と重なり合う又は凹状レッジ７５０の内部にあり、電極７３８が電子デバイスの内部でアクセス可能になるように、配置されてもよい。場合によっては、フレックス回路、他の可撓性導体、又は他の導電性要素を、電極７３８にはんだ付けする又は別の方法で電気的に接続して、信号が電極７３８から受信される又は電極７３８に印加されることを可能にしてもよい。
[００８３]
図８Ａ〜図８Ｄは、代替的なクリスタルプロファイル、及び電子デバイスの他の筐体部材へのクリスタルの代替的な取り付け（例えば、構造的取り付け）を示す。いくつかの実施例では、クリスタルは、円形の外周を有してもよい。他の実施例では、クリスタルは、楕円形、正方形、矩形などの外周を有してもよい。図８Ａ〜図８Ｄを参照して説明する技術は、様々な外周形状を有するクリスタル、異なる組成を有するクリスタルなどに適用することができる。図８Ａ〜８Ｄのそれぞれは、ウォッチなどの電子デバイスの外面（例えば、背面）、及び電子デバイスの外面の断面を示す。
[００８４]
図８Ａでは、クリスタル８００は、電子デバイスの別の筐体部材８０２に取り付けられている。クリスタル８００は、電子デバイスの外面の一部を形成する外面８０４と、電子デバイスの内部の構成要素に面する内面８０６とを含む。
[００８５]
クリスタル８００の内面８０６の周辺帯は、筐体部材８０２の凹状レッジ８６４に（例えば、クリスタル８００が筐体部材８０２に重なり合うように）取り付けることができる。そのような実施形態では、クリスタル８００は、ＨＡＦなどの接着剤を使用して、筐体部材８０２に取り付けられてもよい。接着剤、及びクリスタル８００が筐体部材８０２に取り付けられる方法は、クリスタル８００の筐体部材８０２への接着を確実にするように選択されてもよい。
[００８６]
クリスタル８００は、様々に構成することができるが、図８Ａでは、多数の貫通クリスタルビア８１０の内側のクリスタルの部分などのクリスタル８００の内面８０６の内側部分８０８は、平坦である。多数の貫通クリスタルビア８１０の外側の部分などの内面８０６の外側部分８１２は、内面８０６の内側部分８０８に対して凹状又は内向きに傾斜している（図中では下向きに傾斜している）。対照的に、クリスタル８００の外面８０４は、凸状であってもよい。したがって、クリスタル８００の厚さは、その中心軸からその外周まである程度変化してもよい。
[００８７]
いくつかの実施形態では、１つ以上の円弧形状電極８１４（例えば、２つの電極）が、クリスタル８００の外周から内向きに、クリスタル８００の外面８０４の周囲に配置されてもよい。他の実施形態では、電極８１４は、他の形状を有してもよく、又は外周まで若しくは外周の周囲に延びてもよい。電極８１４は、ＰＶＤ堆積された薄膜電極であってもよい。場合によっては、電極８１４は、貫通クリスタルビア８１０によって電子デバイスの内部構成要素に接続されてもよく、貫通クリスタルビア８１０は、場合によっては、クリスタル８００の内面８０６の平坦な内側部分８０８を貫通してドリル加工又は形成されてもよい。他の場合には、電極８１４は、クリスタル８００の縁部若しくは外周の周囲に巻き付く導電材料によって、又は図７Ａ〜図７Ｃに示す方法のいずれかで、電子デバイスの内部構成要素に接続されてもよい。
[００８８]
場合によっては、センササブシステムなどの構成要素は、クリスタル８００の内面８０６の内側平坦部分に取り付けられてもよい。
[００８９]
図８Ｂでは、クリスタル８１６は、電子デバイスの別の筐体部材８１８に取り付けられている。クリスタル８１６は、電子デバイスの外面の一部を形成する外面８２０と、電子デバイスの内部の構成要素に面する内面８２２とを含む。
[００９０]
クリスタル８１６の内面８２２の周辺帯は、筐体部材８１８の凹状レッジ８２４に（例えば、クリスタル８１６が筐体部材８１８に重なり合うように）取り付けることができる。そのような実施形態では、クリスタル８１６は、ＨＡＦなどの接着剤を使用して、筐体部材８１８に取り付けられてもよい。接着剤、及びクリスタル８１６が筐体部材８１８に取り付けられる方法は、クリスタル８１６の筐体部材８１８への接着を確実にするように選択されてもよい。
[００９１]
クリスタル８１６は、様々に構成することができるが、図８Ｂでは、クリスタル８１６は、均一な厚さを有する。クリスタル８１６の内面８２２は、凹状であってもよく、クリスタル８１６の外面８２０は、凸状であってもよい。構成要素（例えば、センササブシステム）をクリスタル８１６に取り付けるための平坦な表面を提供するために、凸状外面８２８及び平坦な内面８６６を有する二次クリスタル８２６を、クリスタル８１６の内面８２２の内側部分に取り付けることができる。二次（又は内側）クリスタル８２６は、透明接着剤を使用して一次（又は外側）クリスタル８１６に取り付けられてもよい。場合によっては、二次クリスタル８２６は、多数の貫通クリスタルビア８３０の内側の一次クリスタル８１６に取り付けられてもよい。
[００９２]
いくつかの実施形態では、１つ以上の円弧形状電極８３２（例えば、２つの電極）が、クリスタル８１６の外周から内向きに、クリスタル８１６の外面の周囲に配置されてもよい。他の実施形態では、電極８３２は、他の形状を有してもよく、又は外周まで若しくは外周の周囲に延びてもよい。電極８３２は、ＰＶＤ堆積された薄膜電極であってもよい。場合によっては、電極８３２は、貫通クリスタルビア８３０によって電子デバイスの内部構成要素に接続されてもよい。他の場合には、電極８３２は、クリスタル８１６の縁部若しくは外周の周囲に巻き付く導電材料によって、又は図７Ａ〜図７Ｃに示す方法のいずれかで、電子デバイスの内部構成要素に接続されてもよい。
[００９３]
図８Ｃ及び図８Ｄはそれぞれ、電子デバイスの別の筐体部材に取り付けられたクリスタルを示す。クリスタルは、電子デバイスの外面の一部を形成する外面と、電子デバイスの内部の構成要素に面する内面とを含む。図８Ｃ及び図８Ｄのそれぞれでは、クリスタルは、平坦な内面と凸状の外面とを有する。図８Ｃ及び８Ｄに示すクリスタルは、図８Ａ及び図８Ｂに示すクリスタルよりも製造が容易であり得る。
[００９４]
図８Ｃでは、クリスタル８３４は、電子デバイスの別の筐体部材８３６に取り付けられている。クリスタル８３４は、電子デバイスの外面の一部を形成する外面８３８と、電子デバイスの内部の構成要素に面する内面８４０とを含む。
[００９５]
クリスタル８３４の内面８４０の周辺帯は、筐体部材の凹状レッジ８４２に（例えば、クリスタル８３４が筐体部材８３６に重なり合うように）取り付けることができる。そのような実施形態では、クリスタル８３４は、ＨＡＦなどの接着剤を使用して、筐体部材８３６に取り付けられてもよい。接着剤、及びクリスタル８３４が筐体部材８３６に取り付けられる方法は、クリスタル８３４の筐体部材８３６への接着を確実にするように選択されてもよい。
[００９６]
いくつかの実施形態では、１つ以上の円弧形状電極８４４（例えば、２つの電極）が、クリスタル８３４の外面８３８の外周の周囲に配置されてもよい。他の実施形態では、電極８４４は、クリスタル８３４の外面８３８上の他の形状又は他の位置を有してもよい。電極８４４は、ＰＶＤ堆積された薄膜電極であってもよい。場合によっては、電極８４４は、クリスタル８３４の縁部若しくは外周の周囲に巻き付く導電材料によって、又は図７Ａ〜図７Ｃに示す方法のいずれかで、電子デバイスの内部構成要素に接続されてもよい。
[００９７]
場合によっては、センササブシステムなどの構成要素は、クリスタル８３４の内面８４０に取り付けられてもよい。
[００９８]
図８Ｄでは、クリスタル８６０は、クリスタル８３４が図８Ｃの別の筐体部材８３６に取り付けられる方法と同様に、電子デバイスの別の筐体部材８４６に取り付けられている。例えば、クリスタル８６０の内面８４８の周辺帯は、筐体部材８４６の凹状レッジ８５０に（例えば、クリスタル８６０が筐体部材８４６に重なり合うように）取り付けることができる。クリスタル８６０は、ＨＡＦなどの接着剤を使用して、筐体部材８４６に取り付けられてもよい。接着剤、及びクリスタル８６０が筐体部材８４６に取り付けられる方法は、クリスタル８６０の筐体部材８４６への接着を確実にするように選択されてもよい。
[００９９]
クリスタル８６０が取り付けられた筐体部材８４６は、更に別の筐体部材（例えば、第２の筐体部材８５２）に取り付けられてもよい。第１の筐体部材８４６の内面８５４の周辺帯は、第２の筐体部材８５２の凹状レッジ８５６に（例えば、第１の筐体部材８４６が第２の筐体部材８５２に重なり合うように）取り付けることができる。第１の筐体部材８４６は、ＨＡＦなどの接着剤を使用して、第２の筐体部材８５２に取り付けられてもよい。接着剤、及び第１の筐体部材８４６が第２の筐体部材８５２に取り付けられる方法は、第１の筐体部材８４６の第２の筐体部材８５２への接着を確実にするように選択されてもよい。場合によっては、第１の筐体部材８４６は、第２の筐体部材８５２からクリスタル８６０上の電極８５８を電気的に絶縁してもよく、又は不適合な材料間の遷移を提供してもよく、又はクリスタル８６０のためのキャリアを提供してもよく、又は電子デバイスの筐体の組み立てを容易にしてもよい。
[０１００]
いくつかの実施形態では、１つ以上の円弧形状電極８５８（例えば、２つの電極）が、クリスタル８６０の外面の外周の周囲に配置されてもよい。他の実施形態では、電極８５８は、クリスタル８６０の外面８６２上の他の形状又は他の位置を有してもよい。電極８５８は、ＰＶＤ堆積された薄膜電極であってもよい。場合によっては、電極８５８は、クリスタルの縁部若しくは外周の周囲に巻き付く導電材料によって、又は図７Ａ〜図７Ｃに示す方法のいずれかで、電子デバイスの内部構成要素に接続されてもよい。
[０１０１]
場合によっては、センササブシステムなどの構成要素は、クリスタル８６０の内面８４８に取り付けられてもよい。
[０１０２]
図９は、図３Ａ〜図３Ｅ、図４、図５、及び図７Ａ〜図７Ｃを参照して説明するようにクリスタル２０４に適用されたマスク及び電極を有する、図２に示す裏側筐体部材２０２及びクリスタル２０４の外面（例えば、皮膚に面する表面）を示す。
[０１０３]
クリスタル２０４の外面は、その上にＰＶＤ堆積された第１の電極２４２ａ及び第２の電極２４２ｂを有してもよい。場合によっては、第１の電極２４２ａ及び第２の電極２４２ｂは、円弧形状（例えば、半円形状）であってもよく、マスク２２４（図２に示す）によって表されるマスクに形成された中央開口部２２６及び開口部２３０のセットの周囲に配置されてもよい。第１の電極２４２ａ及び第２の電極２４２ｂは、クリスタル２０４の縁部まで延びてもよく、場合によっては、クリスタル２０４の外周の周囲にクリスタル２０４の内面まで巻き付くことができ、又はクリスタル２０４に形成された導電ビアに接続されてもよく、若しくは別の方法で、第１の電極２４２ａ及び第２の電極２４２ｂの一方若しくは両方に信号を印加する若しくはそれらによって感知された信号を受信するウォッチ本体内の要素に電気的に接続されてもよい。場合によっては、第１の電極２４２ａ及び第２の電極２４２ｂは、裏側筐体部材２０２から（例えば、非導電性ガスケット又は接着剤によって）電気的に絶縁されてもよく、又は裏側筐体部材２０２は、非導電性であってもよい。場合によっては、第１の電極２４２ａ及び第２の電極２４２ｂは、エルビウムで形成されてもよく、又はエルビウムを含んでもよい。
[０１０４]
図１０は、図２に示すクリスタル上に取り付けられた図２のセンササブシステム２１６を示す。図１０はまた、センササブシステム２１６を取り囲むフレックス回路１０００を示し、これは、電極２４２とセンササブシステム２１６との間に電気的接続を提供することができる一方で、またセンササブシステム２１６と電極２４２との間の電気ノイズ緩和バリア（又はＥシールド）として動作する接地を提供することができる。電極２４２は、図１０には示されていないが、電気接点１００２に接続され、この電気接点１００２は、クリスタル２０４の内面上にあり、フレックス回路１０００内のトレース及び電極２４２（クリスタル２０４の外面上にある）の両方に接続されている。フレックス回路１０００内のトレースは、導電性エポキシを介して電気接点１００２に接続されてもよく、電気接点１００２をセンササブシステム２１６に接続することができる。プロセッサ１００４は、センササブシステム２１６の一部であってもよく、プロセッサ１００４は、フレックス回路１００６を介して別のプロセッサ又は他の回路に接続されてもよい。
[０１０５]
ここで図１１及び図１２を参照して、図１Ｂに示すようなウォッチ本体内に提供することができるような、クラウンアセンブリ１１００の一例を示す。図１１は、クラウンアセンブリ１１００の分解図を示し、図１２は、ウォッチ本体の前面又は背面から見たときのクラウンアセンブリ１１００の組み立てられた断面を示す。クラウンアセンブリ１１００は、図１Ｂを参照して説明した筐体などの筐体１２００の開口部を通って延びるように構成された導電性回転シャフト１１０２を含んでもよい。ユーザにより回転可能なクラウン１１０４は、筐体１２００の外部のシャフト１１０２に機械的に接続され（すなわち、取り付けられ）てもよい。クラウン１１０４は、電子デバイスのユーザによって回転させて、次いでシャフト１１０２を回転させることができる。場合によっては、クラウン１１０４はまた、ユーザによって引っ張る又は押して、シャフト１１０２をその軸に沿って並進させてもよい。クラウン１１０４は、筐体１２００内の回路に電気的に接続されてもよいが、筐体１２００から電気的に絶縁されてもよい。
[０１０６]
クラウン１１０４は、シャフト１１０２に電気的に接続されてもよい。場合によっては、クラウン１１０４の少なくとも一部及びシャフト１１０２の少なくとも一部は、（例えば、導電性セラミック又はステンレス鋼などの同じ材料から）一緒に成形、機械加工、又は他の方法で形成されてもよい。
[０１０７]
いくつかの実施形態では、クラウン１１０４は、導電性セラミック又はステンレス鋼で形成されても（又は導電性セラミック若しくはステンレス鋼コアを有しても）よい。コアは、エルビウムのＰＶＤ堆積された層にコーティングされてもよく、このコア及び／又はエルビウムの層は、電極として機能する。いくつかの実施形態では、クラウン１１０４は、非導電材料（又は他の絶縁体）のリング１２０４によって取り囲まれた導電性中心部分１２０２を有してもよい。非導電性リング１２０４は、筐体１２００へのクラウン１１０４の短絡を防止するのに役立つことができる。非導電材料のリング１２０４は、場合によっては、導電材料の別のリング１２０６によって取り囲まれてもよい。いくつかの実施形態では、クラウン１１０４は、薄い非導電性コーティングによって覆われた導電性表面を有してもよい。非導電性コーティングは、導電性表面とクラウン１１０４（又は、クラウンアセンブリ１１００を含む電子デバイス）のユーザの皮膚との間の容量結合のための誘電体を提供することができる。同じ又は異なる実施形態では、クラウン１１０４は、筐体１２００に面するクラウン１１０４の表面上に非導電性コーティングを有してもよい。
[０１０８]
クラウン１１０４が筐体１２００の外部に配置された状態で、シャフトが筐体１２００の開口部を通って挿入された後、シャフト保持器１１０６は、筐体１２００の内部（例えば、ウォッチ本体筐体の内部）のシャフト１１０２に機械的に接続されてもよい。場合によっては、シャフト保持器１１０６は、ナットを含んでもよく、シャフト１１０２は、ナットのねじ山付き雌部分と係合するねじ山付き雄部分を有してもよい。場合によっては、シャフト保持器１１０６は、導電性であってもよく、又はその上に導電性コーティングを有してもよく、シャフト保持器１１０６のシャフト１１０２への機械的接続により、シャフト保持器１１０６とシャフト１１０２との間に電気的接続が形成されてもよい。代替的な実施形態（図示せず）では、シャフト保持器１１０６は、シャフト１１０２と一体的に形成されてもよく、シャフト１１０２は、筐体１２００の開口部を通って筐体１２００の内側から挿入され、次いでクラウン１１０４に取り付けられてもよい（例えば、クラウン１１０４は、シャフト１１０２上にねじ留めされてもよい）。
[０１０９]
いくつかの実施形態では、カラー１１０８は、筐体１２００の開口部と位置合わせされてもよく、カラー保持器１１１０は、カラー１１０８に結合されて、カラー１１０８が挿入される筐体１２００の側面とは反対側の筐体１２００の側面からカラー１１０８を筐体１２００に対して保持することができる。いくつかの実施形態では、カラー保持器１１１０は、カラー１１０８の雄部分上のねじ山及びカラー保持器１１１０の雌部分上の対応するねじ山を介して、カラー１１０８に結合されてもよい。任意選択的に、カラー１１０８を開口部を通して挿入する前に、合成ゴム、及びフルオロポリマーエラストマー（例えば、Ｖｉｔｏｎ）、シリコーン、又は別の圧縮性材料で作製されたガスケット１１１２（例えば、Ｉリング）を、カラー１１０８の上に配置してもよく、カラー１１０８へのカラー保持器１１１０の取り付けにより、ガスケット１１１２を圧縮することができる。圧縮されたガスケット１１１２は、カラー１１０８及びカラー保持器１１１０に安定性を提供すること、又はカラー１１０８と筐体１２００との間に水分バリアを提供することができる。カラー１１０８及びカラー保持器１１１０は、シャフト１１０２をカラー１１０８を通して挿入する前に、互いに取り付けられ、それによって筐体１２００に取り付けられてもよい。Ｖｉｔｏｎ、シリコーン、又は別の圧縮性材料で作製された別のガスケット１１１４（例えば、Ｙリング）は、カラー１１０８を開口部を通して挿入する前又は挿入した後であるが、シャフト１１０２がカラー１１０８を通って挿入される前に、カラー１１０８の上に配置されてもよい。第２のガスケット１１１４は、クラウン１１０４と筐体１２００又はクラウン１１０４とカラー１１０８との間に水分バリアを提供してもよい。
[０１１０]
また、シャフト１１０２をカラー１１０８を通して挿入する前に、かつ場合によっては、カラー１１０８を筐体１２００の開口部内に挿入する前に、絶縁体１１１６が、カラー１１０８に挿入され若しくはカラー１１０８の内側上に堆積されてもよく、又はシャフト１１０２の周囲に配置され若しくはシャフト１１０２上に堆積されてもよい。絶縁体１１１６はまた、シャフト１１０２がカラー１１０８に挿入される際に、挿入、配置、又は堆積されてもよい。場合によっては、絶縁体１１１６は、カラー１１０８に（例えば、筐体１２００の内部に配置されたカラー１１０８の一部分に）挿入された（例えば、圧入された）非導電性スリーブ又はブッシング（例えば、プラスチックスリーブ）を含んでもよい。絶縁体１１１６は、また、あるいは代わりに、カラー上にオーバーモールドされた（例えば、カラー１１０８の開口部内かつクラウン１１０４に面するカラー１１０８の表面の上に成形された）非導電性スリーブを含んでもよい。絶縁体１１１６は、また、あるいは代わりに、カラー１１０８上（例えば、カラー１１０８の内面上）の非導電性コーティング、若しくはシャフト１１０２上の非導電性コーティング、又はシャフト１１０２を取り囲む１つ以上の非導電性ガスケットのセットを含んでもよい。シャフト１１０２がカラー１１０８に挿入されると、絶縁体１１１６は、シャフト１１０２とカラー１１０８との間に配置され、シャフト１１０２の導電部分（又はシャフト１１０２全体）をカラー１１０８から絶縁するのに役立つことができる。
[０１１１]
別の絶縁体１１１８は、シャフト保持器１１０６とカラー保持器１１１０との間に配置されてもよい。例えば、非導電性（例えば、プラスチック）ワッシャ、プレート、又はシムは、シャフト保持器１１０６とカラー保持器１１１０との間のカラー保持器１１１０の内部に取り付けられてもよい。場合によっては、非導電性ワッシャは、ステンレス鋼で形成されたプレートなどのプレート１１２０によって担持されてもよい。これらの場合では、非導電性ワッシャは、プレート１１２０をカラー保持器１１１０に溶接（例えば、レーザー溶接）することによって、カラー保持器１１１０の内部に取り付けられてもよい。非導電性ワッシャ又は他の要素は、シャフト保持器１１０６のための軸受面を提供してもよい。
[０１１２]
図１１及び図１２に示すように、１つ以上のＯリング１１２２、１１２４、又は他のガスケットは、シャフト１１０２がカラー１１０８に挿入される前に、シャフト１１０２の上に配置されてもよい。Ｏリング１１２２、１１２４は、合成ゴム、及びフルオロポリマーエラストマー、シリコーン、又は別の圧縮性材料で形成されてもよい。場合によっては、Ｏリング１１２２、１１２４は、シャフト１１０２とカラー１１０８との間にシールを提供してもよい。Ｏリング１１２２、１１２４はまた、シャフト１１０２とカラー１１０８との間の絶縁体として機能してもよい。いくつかの実施形態では、Ｏリング１１２２、１１２４は、シャフト１１０２の凹部に嵌合されてもよい。加えて、低摩擦リング１２０８又は充填剤が、クラウン１１０４とカラー１１０８との間のカラー１１０８の頂部の周囲に配置されてもよい。あるいは、低摩擦リング１２０８又は充填剤は、クラウン１１０４とカラー１１０８との間のクラウン１１０４に取り付けられてもよい。いくつかの実施形態では、シャフト１１０２は、滑らかであってもよく（図示せず）、Ｏリング１１２２、１１２４を使用せずに、より厚い又はより近い嵌合絶縁体１１１６内で回転してもよい。
[０１１３]
いくつかの実施形態では、ブラケット１１２６は、カラー保持器１１１０又は筐体１２００内の別の要素に取り付けられてもよい（例えば、レーザー溶接されてもよい）。ブラケット１１２６は、バネ付勢導体１１２８を支持し、シャフト保持器１１０６と（又は、場合によっては、シャフトがシャフト保持器を通って延びる場合（図示せず）など、シャフト１１０２の端部と）機械的かつ電気的に接触してバネ付勢導体１１２８を維持してもよい。図示のように、バネ付勢導体１１２８は、軸１１３８の周りにバネ付勢された剪断プレートを含んでもよく、この軸１１３８は、シャフト１１０２の第２の軸１１４０に対して垂直であり、かつ第２の軸１１４０から半径方向外向きである。例として、剪断プレートは、円形であるように示されているが、剪断プレートはまた、他の形状を有してもよい。いくつかの実施形態では、シャフト保持器１１０６又はシャフト端部に当接する剪断プレートの表面は、シャフト１１０２の複数回の回転又は並進後にシャフト保持器１１０６又はシャフト端部が剪断プレートを介して摩耗する可能性を軽減するために、（例えば、コバルトクロム（ＣｏＣｒ又は硬質クロム）のＰＶＤ堆積されたコーティングによって）硬化されてもよい。剪断プレート（及び場合によっては、バネ付勢導体１１２８の全体）を金又は別の材料でメッキして、（例えば、剪断プレートを硬化剤でコーティングする前に）電気伝導率を向上させることができる。場合によっては、バネ付勢導体１１２８は、金属片（例えば、ステンレス鋼）から形成（例えば、スタンピング又は屈曲）されてもよい。他の場合には、バネ付勢導体１１２８は、他の方法で形成されてもよい。シャフト１１０２の軸に垂直な剪断プレートの長さ及び厚さは、剪断プレートとシャフト保持器１１０６又はシャフト端部との間の良好な電気的接触を（シャフト１１０２の回転中でも）確実にするために、十分に高いバネ定数と、一方で、シャフト保持器１１０６又はシャフト端部が剪断プレートを介して（又はその上のコーティングを介して）摩耗する可能性を軽減するために、十分に低いバネ定数との間のバランスを提供するように最適化することができる。平坦又は比較的平坦な剪断プレートは、シャフト１１０２の軸１１４０に沿ったクラウンアセンブリ１１００の寸法を低減することができる。
[０１１４]
いくつかの実施形態では、シャフト１１０２、シャフト保持器１１０６、若しくはクラウン１１０４の大部分又は全体は、非導電性コーティングでコーティングされてもよいが、クラウン１１０４の外部導電性表面、及びバネ付勢導体１１２８に接触するシャフト１１０２又はシャフト保持器１１０６の一部分にコーティングされてもよい。
[０１１５]
シャフト１１０２が並進可能である場合、シャフト１１０２の筐体１２００内へ（例えば、ウォッチ本体の筐体内へ）の並進により、バネ付勢導体１１２８（又はその剪断プレート）を変形させることがある。しかしながら、バネ付勢導体１１２８のバネ付勢により、シャフト１１０２の並進に関してシャフト１１０２が第１の位置又は第２の位置にあるかにかかわらず、バネ付勢導体１１２８（又はその剪断プレート）にシャフト保持器又はシャフト端部との電気的接触を維持させることができる。バネ付勢導体１１２８は、フレックス回路又はプリント回路基板（ＰＣＢ）などの基板１１３０上又は基板１１３０内に形成された回路などの回路に電気的に接続されてもよい。場合によっては、バネ付勢導体１１２８は、回路基板１１３０に表面実装されてもよい（例えば、表面実装技術プロセスを使用することによって、はんだ付けされる、又は別の方法で機械的に接続されるなど）。導電性グリースが、シャフト保持器１１０６又はシャフト１１０２と、バネ付勢導体１１２８の剪断プレート又は他の部材との間に配置されてもよい。回路は、バネ付勢導体１１２８、シャフト保持器１１０６、及びシャフト１１０２を介して、クラウン１１０４と電気通信してもよい（又はシャフト１１０２の端部がシャフト保持器１１０６を通って突出する場合、回路は、バネ付勢導体１１２８及びシャフト１１０２を介してクラウン１１０４と電気通信してもよい）。
[０１１６]
ドームスイッチなどの触知（タック（tac））スイッチ１２１０は、回路に電気的に接続され、回路基板１１３０に機械的に接続されてもよい。場合によっては、タックスイッチ１２１０は、回路基板１１３０に表面実装されてもよい（はんだ付けされる、又は別の方法で機械的に接続されるなど）。バネ付勢導体１１２８の剪断プレートは、シャフト保持器１１０６とタックスイッチ１２１０との間に配置されてもよい。タックスイッチ１２１０は、シャフト１１０２の並進に応じて動作可能であってもよい。したがって、ユーザがクラウン１１０４を押圧すると、シャフト１１０２は、筐体１２００内に（例えば、ウォッチ本体の筐体内に）並進して、タックスイッチ１２１０を作動させ、多数の状態のうちの１つにタックスイッチ１２１０をすることができる。ユーザがクラウン１１０４上の圧力を解放する、又はクラウン１１０４を筐体１２００から外向きに引っ張ると、タックスイッチ１２１０は、タックスイッチ１２１０のタイプ若しくは構成に応じて、それが押圧されたときに置かれた状態に留まること、又は別の状態に進むこと、又は２つの状態間でトグルすることができる。
[０１１７]
タックスイッチ１２１０及びバネ付勢導体１１２８が電気的に接続された回路は、光学エンコーダ１１３２の一部分を担持する１つ以上の回路、並びに図３Ｃ、図３Ｄ、図３Ｅ、図４〜図６、図７Ａ〜図７Ｃ、及び図８Ａ〜図８Ｄ、図９、及び図１０を参照して説明した電極、又はクラウン１１０４若しくは他の電極から受信される若しくはそれらに提供される信号を受信及び処理するプロセッサへのインタフェース１１３４などの他の回路要素の一部であってもよく、又はそれらに電気的に接続されてもよい。例として、図１１は、光学エンコーダ１１３２の１つ以上の発光器及び光検出器のセットが接続されている回路１１３６（例えば、フレックス回路又はＰＣＢ）を示す。発光器（単数又は複数）は、光学エンコーダ１１３２のエンコーダパターン又は他の回転部分を照明してもよく、光学エンコーダ１１３２のエンコーダパターン又は他の回転部分は、シャフト保持器１１０６上に担持（例えば、形成、印刷、など）されてもよい。光検出器（単数又は複数）は、発光器（単数又は複数）によって放出された光の反射を受光してもよく、プロセッサは、クラウン１１０４及びシャフト１１０２の回転方向、回転速度、角度位置、並進、又は他の状態（単数又は複数）を判定してもよい。
[０１１８]
バネ付勢導体１１２８は、プロセッサに接続されてもよい。プロセッサは、図１１に示す回路のうちの１つ以上に実装又は結合されてもよい。プロセッサは、ユーザがクラウン１１０４にタッチしているか否かを判定する、又は、クラウン１１０４を介してユーザから受信された若しくはユーザに提供された信号に基づいて、ユーザの生物学的パラメータを判定すること、又は、クラウン１１０４から受信した若しくはクラウン１１０４に提供された信号に基づいて、他のパラメータを判定することができる。場合によっては、プロセッサは、図３Ｃ、図３Ｄ、図３Ｅ、図４〜図６、図７Ａ〜図７Ｃ、図８Ａ〜図８Ｄ、及び図９〜図１２に記載されたクラウン及び電極を心電計として動作させて、クラウン及び電極を含むウォッチのユーザに対するＥＣＧを提供してもよい。
[０１１９]
図１１及び図１２に示すクラウンアセンブリ１１００の代替的実施形態では、バネ付勢導体１１２８は、シャフト１１０２の側面又はシャフト保持器１１０６の側面に接触するように付勢された導電性ブラシを含んでもよい。導電性ブラシは、シャフト１１０２の回転又は並進を介してシャフト１１０２又はシャフト保持器１１０６と電気的接触を維持することができ、タックスイッチ１２１０を支持する回路などの回路に電気的に接続されてもよい。
[０１２０]
図１３は、生物学的パラメータを感知することができるウォッチ本体１３００の立面図を示す。ウォッチ本体１３００は、図１Ｂを参照して説明したウォッチ本体の一例であってもよい。ウォッチ本体１３００は、筐体１３０２によって画定され、筐体１３０２は、ディスプレイ又はディスプレイカバーの一部である第１のクリスタル１３０４と、（例えば、図３Ｃ、図３Ｄ、図３Ｅ、図４〜図６、図７Ａ〜図７Ｃ、図８Ａ〜図８Ｄ、図９、及び図１０を参照して説明したように）１つ以上の電極１３０８を支持する外面を有する第２のクリスタル１３０６と、ウォッチ本体１３００の側壁を画定する１つ以上の他の筐体部材１３１０と、クラウン１３１２と、を含んでもよい。ウォッチ本体１３００は、ユーザの手首１３１４又は他の身体部分に当接してもよく、ウォッチバンド又は他の要素（図示せず）によってユーザに付着されてもよい。ユーザの手首１３１４に当接すると、第２のクリスタル１３０６上の電極１３０８は、ユーザの皮膚に接触することができる。ユーザは、指１３１６を用いてクラウン１３１２の導電部分にタッチすることができる。ユーザは、クラウン１３１２が導電性である場所に応じて、かつユーザの好みに応じて、様々な方法でクラウン１３１２にタッチすることができる。場合によっては、ユーザは、ユーザの手首にもタッチしている間に、クラウン１３１２にタッチすることができる。しかしながら、高い皮膚間インピーダンスは、信号が電極１３０８からユーザの手首１３１４を介してユーザの指１３１６へ、続いてクラウン１３１２へと（又はその逆も同様に）移動する可能性を低減する傾向がある。ＥＣＧを取得するための意図された信号経路は、ユーザの腕及び胸部の両方を介して、第２のクリスタル１３０６上の電極１３０８のうちの１つとクラウン１３１２との間である。
[０１２１]
図１４は、ウォッチ本体の縁部（例えば、ウォッチバンドを取り付けることができる縁部）から見たときの、図１１及び図１２に示すクラウンアセンブリ１１００の断面を示す。図１４に示すクラウンアセンブリ１１００は、クラウン１１０４が幾分異なる構成を有するという点で、図１１及び図１２に示すクラウンアセンブリとは異なる。例えば、クラウン１１０４は、非導電性リング１４０２によって取り囲まれた導電性中心部分１４００を有する。非導電性リングは、接着剤１４０４によって導電性中心部分１４００に取り付けられてもよい。
[０１２２]
図１４に示すように、クラウンアセンブリ１１００は、その下にディスプレイを取り付けることができるクリスタル１４０６に隣接して配置されてもよい。場合によっては、ディスプレイは、タッチ感知ディスプレイであってもよい。いくつかの実施形態では、ディスプレイはまた、力感知ディスプレイであってもよい。図１４は、圧縮性ガスケット１４１０が第１及び第２の容量性プレート１４１２、１４１４によって境界をつけられ、かつクリスタル１４０６と筐体１２００との間に配置された、力感知ディスプレイ用の力センサ１４０８の一例を示す。
[０１２３]
図１５は、電子デバイスのユーザからＥＣＧ又は他の生物学的パラメータを取得するために使用することができる電子デバイスの概略図１５００を示す。場合によっては、電子デバイスは、ウォッチ本体を含んでもよい。図示のように、電子デバイスは、クリスタル１５０４上の第１の電極１５０２と、クリスタル１５０４上の任意選択の第２の電極１５０６と、ユーザにより回転可能なクラウン１５１０の表面上の第３の電極１５０８とを含んでもよい。第３の電極１５０８は、第１の電極１５０２（及び任意選択の第２の電極１５０６）がユーザの皮膚に対して（例えば、ユーザの手首に対して）配置されている間に、ユーザの指によって接触されるように動作可能であってもよい。場合によっては集積回路（integrated circuit、ＩＣ）、特定用途向け集積回路（application-specific integrated circuit、ＡＳＩＣ）、フィールドプログラマブルゲートアレイ（field programmable gate array、ＦＰＧＡ）、システムインパッケージ（system in package、ＳＩＰ）、システムオンチップ（system on a chip、ＳＯＣ）などで提供されてもよいプロセッサ１５１２は、ユーザからＥＣＧを取得しても、又はユーザの別の生物学的パラメータを判定するように動作可能であってもよい。ＥＣＧ又は他の生物学的パラメータは、ユーザが第１の電極１５０２、任意選択の第２の電極１５０６、及び第３の電極１５０８と接触している間の第１の電極１５０２、任意選択の第２電極１５０６、及び第３の電極１５０８における電圧に基づいて判定されてもよい。
[０１２４]
場合によっては、電圧は、第１の電極１５０２及び第３の電極１５０８のみで感知されてもよい。他の場合には、第２の電極１５０６は、電子デバイスに接地されてもよく、それによって、ユーザが電子デバイスに接地されてもよく、第２の電極１５０６における電圧（すなわち、接地電圧）を使用して、第１の電極１５０２及び第３の電極１５０８で測定された信号から電子デバイス又は他の環境源によって発生したノイズを除去することができる。これにより、第１及び第３の電圧のより正確な読み取り（又は処理）をもたらすことができる。
[０１２５]
図示のように、第１の電極１５０２における信号又は電圧は、第１の増幅器１５１４によって増幅されてもよく、第３の電極１５０８における信号又は電圧は、第２の増幅器１５１６によって増幅されてもよい。
[０１２６]
図１６は、本明細書に記載されるウォッチ又はウェアラブル電子デバイスなどの、ウォッチ又は他のウェアラブル電子デバイスを着用しているユーザの生物学的パラメータを判定する例示的方法１６００を示す。
[０１２７]
ブロック１６０２において、電子デバイス上の第１の電極を介してユーザに接地電圧を任意選択的に印加する。第１の電極は、電子デバイスの筐体の一部を形成するクリスタルの外面上にあってもよい。１６０２における動作（単数又は複数）は、例えば、図１５を参照して説明したプロセッサによって、図３Ｃ、図３Ｄ、図３Ｅ、図４〜図６、図７Ａ〜図７Ｃ、図８Ａ〜図８Ｄ、図９、図１０、及び図１５を参照して説明した電極のうちの１つを使用して実行されてもよい。
[０１２８]
ブロック１６０４において、電子デバイス上の第２の電極における第１の電圧又は信号を感知する。第２の電極はまた、クリスタルの外面上にあってもよい。１６０４における動作（単数又は複数）は、例えば、図１５を参照して説明したプロセッサによって、図３Ｃ、図３Ｄ、図３Ｅ、図４〜図６、図７Ａ〜図７Ｃ、図８Ａ〜図８Ｄ、図９、図１０、及び図１５を参照して説明した電極のうちの１つを使用して実行されてもよい。
[０１２９]
ブロック１６０６において、電子デバイス上の第３の電極における第２の電圧又は信号を感知する。第３の電極はまた、電子デバイスのユーザにより回転可能なクラウン上、電子デバイスのボタン上、又は電子デバイスの筐体の別の表面上にあってもよい。いくつかの実施形態では、接地電圧が印加され、第１の電圧又は信号が、ユーザの一方の腕の手首上で感知され、第２の電圧又は信号が、（ユーザの他方の腕の手の指に属する指先により）ユーザの指先上で感知される。１６０６における動作（単数又は複数）は、例えば、図１５を参照して説明したプロセッサによって、図３Ｃ、図３Ｄ、図３Ｅ、図４〜図６、図７Ａ〜図７Ｃ、図８Ａ〜図８Ｄ、図９、図１０、及び図１５を参照して説明した電極のうちの１つを使用して実行されてもよい。
[０１３０]
ブロック１６０８において、任意選択の接地電圧、第１の電圧又は信号、及び第２の電圧又は信号から、ユーザの生物学的パラメータを判定してもよい。接地電圧は、第１及び第２の電圧若しくは信号の基準を提供してもよく、又は、別の方法で使用して、第１及び第２の電圧若しくは信号からノイズを拒否してもよい。第１及び第２の電圧がユーザの身体の異なる部分から得られる場合、生物学的パラメータは、ユーザの心エコー図であってもよい。１６０８における動作（単数又は複数）は、例えば、図１５を参照して説明したプロセッサによって実行されてもよい。
[０１３１]
図１７は、電子デバイス１７００のサンプル電気ブロック図を示し、電子デバイスは、場合によっては、図１〜図１５を参照して説明したウォッチ若しくは他のウェアラブル電子デバイスのいずれか、又は他のポータブル若しくはウェアラブル電子デバイスの形態を取ってもよい。電子デバイス１７００は、ディスプレイ１７０５（例えば、発光ディスプレイ）と、プロセッサ１７１０と、電源１７１５と、メモリ１７２０又は記憶デバイスと、センサ１７２５と、入出力（Ｉ／Ｏ）機構１７３０（例えば、入出力デバイス、入出力ポート、又は触覚入出力インタフェース）とを含んでもよい。プロセッサ１７１０は、電子デバイス１７００の動作のうちの一部又は全てを制御してもよい。プロセッサ１７１０は、電子デバイス１７００の構成要素の一部又は全てと、直接的又は間接的のいずれかで通信することができる。例えば、システムバス又は他の通信機構１７３５は、プロセッサ１７１０、電源１７１５、メモリ１７２０、センサ１７２５、及び入出力機構１７３０の間の通信を提供することができる。
[０１３２]
データ若しくは命令を処理、受信、又は送信することができる任意の電子デバイスとして、プロセッサ１７１０を実装することができる。例えば、プロセッサ１７１０は、マイクロプロセッサ、中央演算処理装置（central processing unit、ＣＰＵ）、特定用途向け集積回路（ＡＳＩＣ）、デジタル信号プロセッサ（digital signal processor、ＤＳＰ）、又はそのようなデバイスの組み合わせであってもよい。本明細書に記載する場合、用語「プロセッサ」とは、単一のプロセッサ若しくは処理ユニット、複数のプロセッサ若しくは複数の処理ユニット、他の適切に構成されたコンピューティング要素（単数又は複数）を包含することを意図するものである。
[０１３３]
電子デバイス１７００の構成要素が、複数のプロセッサによって制御されてもよいことを留意すべきである。例えば、電子デバイス１７００の選択構成要素（例えば、センサ１７２５）は、第１のプロセッサによって制御されてもよく、電子デバイス１７００の他の構成要素（例えば、ディスプレイ１７０５）は、第２のプロセッサによって制御されてもよく、第１のプロセッサと第２のプロセッサは、互いに通信していてもよく、又は通信していなくてもよい。場合によっては、プロセッサ１７１０は、ユーザのＥＣＧなどの、電子デバイスのユーザの生物学的パラメータを判定してもよい。
[０１３４]
電源１７１５は、電子デバイス１７００にエネルギを提供することのできる任意のデバイスにより実装することができる。例えば、電源１７１５は、１つ以上のバッテリ又は充電式バッテリであってもよい。加えて、又は代わりに、電源１７１５は、電子デバイス１７００を壁コンセントなどの別の電源に接続する電源コネクタ又は電源コードであってもよい。
[０１３５]
メモリ１７２０は、電子デバイス１７００によって使用することができる電子データを記憶することができる。例えば、メモリ１７２０は、例えば、オーディオファイル及びビデオファイル、文書及びアプリケーション、デバイス設定及びユーザの好み、タイミング信号、制御信号、並びにデータ構造又はデータベースなどの、電子データ又はコンテンツを記憶してもよい。メモリ１７２０は、任意のタイプのメモリとして構成することができる。単なる例示であるが、メモリ１７２０は、ランダムアクセスメモリ、読み出し専用メモリ、フラッシュメモリ、取り外し可能メモリ、他の種類の記憶素子、又はそのようなデバイスの組み合わせとして実装されてもよい。
[０１３６]
電子デバイス１７００は、電子デバイス１７００上のほぼ任意の場所に配置された１つ以上のセンサ１７２５も含んでもよい。センサ（単数又は複数）１７２５は、圧力、光、タッチ、熱、移動、相対運動、生体データ（例えば、生物学的パラメータ）などだがこれらに限定されない、１つ以上の種類のパラメータを感知するように構成することができる。例えば、センサ（単数又は複数）１７２５は、熱センサ、位置センサ、光センサ又は光学センサ、加速度計、圧力変換器、ジャイロスコープ、磁気計、ヘルスモニタリングセンサなどを含んでもよい。加えて、１つ以上のセンサ１７２５は、以下に限定されないが、静電容量、超音波、抵抗、光、超音波、圧電、及び熱感知技術を含む任意の好適な感知技術を利用してもよい。いくつかの実施例では、センサ１７２５は、本明細書に記載される電極（例えば、電子デバイス１７００の筐体の一部を形成するクリスタルの外面上の１つ以上の電極及び／又は電子デバイスのクラウン、ボタン、若しくは他の筐体部材上の電極）のうちの１つ以上を含んでもよい。
[０１３７]
Ｉ／Ｏ機構１７３０は、ユーザ又は別の電子デバイスからのデータを送信及び／又は受信してもよい。Ｉ／Ｏデバイスは、ディスプレイ、タッチ検知入力表面、１つ以上のボタン（例えば、グラフィカルユーザインタフェース「ホーム」ボタン）、１つ以上のカメラ、１つ以上のマイクロフォン若しくはスピーカ、マイクロフォンポートなどの１つ以上のポート、及び／又はキーボードを含んでもよい。加えて、又は代わりに、Ｉ／Ｏデバイス又はポートは、無線及び／又は有線ネットワーク接続などの通信ネットワークを介して、電子信号を送信することができる。無線及び有線ネットワーク接続の例としては、セルラー接続、Ｗｉ−Ｆｉ（登録商標）接続、Ｂｌｕｅｔｏｏｔｈ（登録商標）接続、ＩＲ接続、及びイーサネット接続が挙げられるが、これらに限定されない。
[０１３８]
前述の説明は、説明の都合上、説明した実施形態の完全な理解をもたらすために特定の専門用語を使用している。しかし、記述される実施形態を実施するために、具体的な詳細は必要とされないことは、当業者には明らかであろう。従って、本明細書に述べられる特定の実施形態の前述の説明は、実例及び説明の目的で提示されている。これらの説明は、網羅的であること、又は開示されるまさにその形態に実施形態を限定することをターゲットとしたものではない。上記の教示を考慮すれば、多くの変更及び変形が可能であることが、当業者には明らかであろう。
[書類名]特許請求の範囲
[請求項１]
電子デバイスであって、
筐体と、
前記筐体に固着され、かつ、
前記電子デバイスの内部にある第１の表面と、
前記電子デバイスの外部にある第２の表面と、
を含む、
クリスタルと、
前記クリスタルの前記第２の表面上の第１の電極と、
前記第１の電極がユーザの皮膚に対して配置されている間に、前記電子デバイスの前記ユーザによって接触されるように配置された第２の電極と、
前記第１の電極及び前記第２の電極における電圧に基づいて、前記ユーザの生物学的パラメータを判定するように動作可能なプロセッサと、
を備え、
前記電圧は、前記ユーザが前記第１の電極及び前記第２の電極と接触している間に測定される、
電子デバイス。
[請求項２]
クラウンアセンブリを更に備え、前記クラウンアセンブリは、
前記筐体の開口部を通って延びるシャフトと、
前記筐体の外部の前記シャフトに取り付けられたユーザにより回転可能なクラウンと、
を含み、
前記第２の電極は、前記ユーザにより回転可能なクラウンの表面を含む、
請求項１に記載の電子デバイス。
[請求項３]
前記筐体の開口部を通って突出するボタンを更に備え、
前記第２の電極は、前記ボタンの表面を含む、
請求項１に記載の電子デバイス。
[請求項４]
前記第２の電極は、前記筐体の非クリスタル表面上に形成されている、請求項１に記載の電子デバイス。
[請求項５]
前記第１の電極は、前記クリスタルの縁部の周囲に巻き付き、前記第１の表面まで延びる、請求項１に記載の電子デバイス。
[請求項６]
前記クリスタルの前記第１の表面上のインクマスクを更に備え、
前記第１の電極は、前記インクマスクと重なり合い、
前記インクマスクは、前記クリスタルの前記第１の表面と前記第１の電極との間に配置されている、
請求項５に記載の電子デバイス。
[請求項７]
前記クリスタルは、サファイアから形成されている、請求項１に記載の電子デバイス。
[請求項８]
前記第１の電極から前記クリスタルの前記第１の表面まで延びる導電ビアを更に備える、請求項１に記載の電子デバイス。
[請求項９]
前記筐体は、筐体部材を更に含み、
前記クリスタルは、前記筐体部材と重なり合い、
接着剤は、前記クリスタルを前記筐体部材に取り付ける、
請求項１に記載の電子デバイス。
[請求項１０]
前記接着剤は、熱活性化フィルムを含む、請求項９に記載の電子デバイス。
[請求項１１]
電子ウォッチであって、
筐体と、
前記筐体に固着され、かつ、
前記ウォッチ本体の内部にある第１の表面と、
前記ウォッチ本体の外部にある第２の表面と、
を含む、
クリスタルと、
クラウンアセンブリであって、
前記筐体の開口部を通って延びるシャフトと、
前記筐体の外部の前記シャフトに取り付けられたユーザにより回転可能なクラウンと、
を含む、クラウンアセンブリと、
前記クリスタルの前記第２の表面上の第１の電極と、
前記クリスタルの前記第２の表面上の第２の電極と、
前記ユーザにより回転可能なクラウンの表面上の第３の電極であって、前記第１の電極及び前記第２の電極がユーザの一部分に対して配置されている間に、前記ユーザの指によって接触されるように配置されている、第３の電極と、
前記第１の電極、前記第２の電極、及び前記第３の電極における電圧に基づいて、前記ユーザの心電図を判定するように動作可能なプロセッサと、
を備える、電子ウォッチ。
[請求項１２]
前記第１の電極及び前記第２の電極のそれぞれが、円弧形状であり、前記クリスタルの周辺に配置されている、請求項１１に記載のウォッチ本体。
[請求項１３]
前記第１の電極及び前記第２の電極のそれぞれが、前記クリスタルの縁部の周囲に前記第１の表面まで巻き付く、請求項１１に記載のウォッチ本体。
[請求項１４]
筐体と、
前記筐体の開口部を通って延びるシャフトと、
前記シャフトに機械的かつ電気的に接続され、かつ前記筐体の外部にあるクラウンと、
前記シャフトに機械的かつ電気的に接続され、かつ前記筐体の内部にあるシャフト保持器と、
前記シャフト又は前記シャフト保持器のうちの少なくとも１つに機械的かつ電気的に接続されたバネ付勢導体と、
前記バネ付勢導体に電気的に接続された回路と、
を備える、電子デバイスであって、
前記回路は、前記バネ付勢導体、前記シャフト保持器、及び前記シャフトを介して前記クラウンと電気通信する、
電子デバイス。
[請求項１５]
前記筐体の前記開口部と位置合わせされ、前記シャフトの周囲に配置されたカラーと、
前記カラーに結合されて、前記カラーを前記筐体に対して保持するカラー保持器と、
前記シャフトと前記カラーとの間の絶縁体と、
を更に備える、
請求項１４に記載の電子デバイス。
[請求項１６]
前記絶縁体は、前記シャフト上の非導電性コーティングを含む、請求項１５に記載の電子デバイス。
[請求項１７]
前記シャフト保持器と前記カラー保持器との間に第２の絶縁体を更に備える、請求項１５に記載の電子デバイス。
[請求項１８]
前記導電性クラウンは、
導電性中心部分と、
前記導電性中心部分を取り囲む非導電材料のリングと、
を含む、請求項１４に記載の電子デバイス。
[請求項１９]
前記クラウンは、非導電性コーティングによって覆われた導電性表面を有し、前記非導電性コーティングは、前記クラウンと前記電子デバイスのユーザの皮膚との間の容量結合のための誘電体を提供する、請求項１４に記載の電子デバイス。
[請求項２０]
前記クラウンは、前記筐体に面する前記クラウンの表面上に非導電性コーティングを有する、請求項１４に記載の電子デバイス。
[請求項２１]
前記シャフト保持器によって担持された光学エンコーダを更に備える、請求項１４に記載の電子デバイス。
[請求項２２]
触知スイッチを更に備え、
前記シャフトは、並進可能であり、
前記バネ付勢導体は、前記シャフトの端部又は前記シャフト保持器のうちの少なくとも１つと接触するように付勢された剪断プレートを含み、
前記剪断プレートは、前記シャフトの並進に応じて変形可能であり、
前記触知スイッチは、前記シャフトの並進に応じて動作可能である、
請求項１４に記載の電子デバイス。
[請求項２３]
触知スイッチを更に備え、
前記シャフトは、並進可能であり、
前記バネ付勢導体は、前記シャフトの側面又は前記シャフト保持器のうちの少なくとも１つと接触するように付勢された導電性ブラシを含み、
前記触知スイッチが、前記シャフトの並進に応じて動作可能である、
請求項１４に記載の電子デバイス。
[請求項２４]
前記回路は、フレックス回路を含み、
前記バネ付勢導体は、前記フレックス回路に表面実装されている、
請求項１４に記載の電子デバイス。
[書類名]        要約書
[要約]
ウォッチなどの電子デバイスは、クリスタルを含む筐体を有する。クリスタルは、電子デバイスの内部にある第１の表面と、電子デバイスの外部にある第２の表面とを有する。１つ以上の電極は、物理蒸着（ＰＶＤ）によってクリスタルの外面上に堆積される。追加の電極は、第１の電極がユーザの皮膚に対して配置されている間に、電子デバイスのユーザの指によって接触されるように動作可能である。追加の電極は、電子デバイスのユーザにより回転可能なクラウン上、電子デバイスのボタン上、又は電子デバイスの筐体の別の表面上に配置されてもよい。電子デバイスのプロセッサは、電極における電圧に基づいてユーザの生物学的パラメータを判定するように動作可能である。生物学的パラメータは、心エコー図であってもよい。
[書類名]        図面
[図１Ａ]
2021512429.tif 000003
[図１Ｂ]
2021512429.tif 000004
[図２]
2021512429.tif 000005
[図３Ａ]
2021512429.tif 000006
[図３Ｂ]
2021512429.tif 000007
[図３Ｃ]
2021512429.tif 000008
[図３Ｄ]
2021512429.tif 000009
[図３Ｅ]
2021512429.tif 000010
[図４]
2021512429.tif 000011
[図５]
2021512429.tif 000012
[図６]
2021512429.tif 000013
[図７Ａ]
2021512429.tif 000014
[図７Ｂ]
2021512429.tif 000015
[図７Ｃ]
2021512429.tif 000016
[図８Ａ]
2021512429.tif 000017
[図８Ｂ]
2021512429.tif 000018
[図８Ｃ]
2021512429.tif 000019
[図８Ｄ]
2021512429.tif 000020
[図９]
2021512429.tif 000021
[図１０]
2021512429.tif 000022
[図１１]
2021512429.tif 000023
[図１２]
2021512429.tif 000024
[図１３]
2021512429.tif 000025
[図１４]
2021512429.tif 000026
[図１５]
2021512429.tif 000027
[図１６]
2021512429.tif 000028
[図１７]
2021512429.tif 000029
【図１Ａ】
2021512429.tif 000030
【図１Ｂ】
2021512429.tif 000031
【図２】
2021512429.tif 000032
【図３】
2021512429.tif 000033
【図４Ａ】
2021512429.tif 000034
【図４Ｂ】
2021512429.tif 000035
【図５Ａ】
2021512429.tif 000036
【図５Ｂ】
2021512429.tif 000037
【図５Ｃ】
2021512429.tif 000038
【図５Ｄ】
2021512429.tif 000039
【図５Ｅ】
2021512429.tif 000040
【図５Ｆ】
2021512429.tif 000041
【図５Ｇ】
2021512429.tif 000042
【図５Ｈ】
2021512429.tif 000043
【図６Ａ】
2021512429.tif 000044
【図６Ｂ】
2021512429.tif 000045
【図６Ｃ】
2021512429.tif 000046
【図６Ｄ】
2021512429.tif 000047
【図６Ｅ】
2021512429.tif 000048
【図６Ｆ】
2021512429.tif 000049
【図６Ｇ】
2021512429.tif 000050
【図６Ｈ】
2021512429.tif 000051
【図６Ｉ】
2021512429.tif 000052
【図６Ｊ】
2021512429.tif 000053
【図６Ｋ】
2021512429.tif 000054
【図６Ｌ】
2021512429.tif 000055
【図６Ｍ】
2021512429.tif 000056
【図６Ｎ】
2021512429.tif 000057
【図６Ｏ】
2021512429.tif 000058
【図６Ｐ】
2021512429.tif 000059
【図６Ｑ】
2021512429.tif 000060
【図６Ｒ】
2021512429.tif 000061
【図６Ｓ】
2021512429.tif 000062
【図６Ｔ】
2021512429.tif 000063
【図６Ｕ】
2021512429.tif 000064
【図６Ｖ】
2021512429.tif 000065
【図６Ｗ】
2021512429.tif 000066
【図６Ｘ】
2021512429.tif 000067
【図６Ｙ】
2021512429.tif 000068
【図６Ｚ】
2021512429.tif 000069
【図６ＡＡ】
2021512429.tif 000070
【図６ＡＢ】
2021512429.tif 000071
【図６ＡＣ】
2021512429.tif 000072
【図６ＡＤ】
2021512429.tif 000073
【図６ＡＥ】
2021512429.tif 000074
【図７Ａ】
2021512429.tif 000075
【図７Ｂ】
2021512429.tif 000076
【図７Ｃ】
2021512429.tif 000077
【図８Ａ】
2021512429.tif 000078
【図８Ｂ】
2021512429.tif 000079
【図８Ｃ】
2021512429.tif 000080
【図８Ｄ】
2021512429.tif 000081
【図８Ｅ】
2021512429.tif 000082
【図８Ｆ】
2021512429.tif 000083
【図８Ｇ】
2021512429.tif 000084
【図８Ｈ】
2021512429.tif 000085
【図８Ｉ】
2021512429.tif 000086
【図８Ｊ】
2021512429.tif 000087
【図８Ｋ】
2021512429.tif 000088
【図８Ｌ】
2021512429.tif 000089
【図８Ｍ】
2021512429.tif 000090
【図８Ｎ】
2021512429.tif 000091
【図８Ｏ】
2021512429.tif 000092
【図８Ｐ】
2021512429.tif 000093
【図８Ｑ】
2021512429.tif 000094
【図８Ｒ】
2021512429.tif 000095
【図８Ｓ】
2021512429.tif 000096
【図９Ａ】
2021512429.tif 000097
【図９Ｂ】
2021512429.tif 000098
【図１０Ａ】
2021512429.tif 000099
【図１０Ｂ】
2021512429.tif 000100
【図１０Ｃ】
2021512429.tif 000101
【図１０Ｄ】
2021512429.tif 000102
【図１０Ｅ】
2021512429.tif 000103
【図１０Ｆ】
2021512429.tif 000104
【図１０Ｇ】
2021512429.tif 000105
【図１０Ｈ】
2021512429.tif 000106
【図１０Ｉ】
2021512429.tif 000107
【図１０Ｊ】
2021512429.tif 000108
【図１１】
2021512429.tif 000109
【図１２Ａ】
2021512429.tif 000110
【図１２Ｂ】
2021512429.tif 000111
【図１２Ｃ】
2021512429.tif 000112
【図１２Ｄ】
2021512429.tif 000113
【図１２Ｅ】
2021512429.tif 000114
【図１２Ｆ】
2021512429.tif 000115
【図１２Ｇ】
2021512429.tif 000116
【図１２Ｈ】
2021512429.tif 000117
【図１２Ｉ】
2021512429.tif 000118
【図１２Ｊ】
2021512429.tif 000119
【図１２Ｋ】
2021512429.tif 000120
【図１２Ｌ】
2021512429.tif 000121
【図１２Ｍ】
2021512429.tif 000122
【図１２Ｎ】
2021512429.tif 000123
【図１２Ｏ】
2021512429.tif 000124
【図１２Ｐ】
2021512429.tif 000125
【図１２Ｑ】
2021512429.tif 000126
【図１２Ｒ】
2021512429.tif 000127
【図１２Ｓ】
2021512429.tif 000128
【図１３Ａ】
2021512429.tif 000129
【図１３Ｂ】
2021512429.tif 000130
【図１４Ａ】
2021512429.tif 000131
【図１４Ｂ】
2021512429.tif 000132
【図１４Ｃ】
2021512429.tif 000133
【図１４Ｄ】
2021512429.tif 000134
【図１４Ｅ】
2021512429.tif 000135
【図１４Ｆ】
2021512429.tif 000136
【図１４Ｇ】
2021512429.tif 000137
【図１４Ｈ】
2021512429.tif 000138
【図１４Ｉ】
2021512429.tif 000139
【図１５】
2021512429.tif 000140
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ディスプレイと、１つ以上の入力デバイスとを有する第１の電子デバイスにおいて、
前記ディスプレイ上に、ウェアラブル電子デバイスであり、かつ前記第１の電子デバイスとペアリングされている、第２の電子デバイスのヘルスモニタリング機能を使用することに関するチュートリアルの第１の部分を表示することと、
前記１つ以上の入力デバイスを介して、前記チュートリアルを進める要求を検出することと、
前記チュートリアルを進める前記要求を検出したことに応じて、
前記ディスプレイ上に、前記第２の電子デバイスの前記ヘルスモニタリング機能に関する生物学的データの測定に向けた前記第２の電子デバイス上で１つ以上の入力を提供する命令を表示することと、
前記ディスプレイ上に、アクティブ化されると、前記生物学的データを測定することなく、前記チュートリアルの完了を可能にする第１のアフォーダンスを同時に表示することと、
前記第２の電子デバイス上で前記１つ以上の入力を提供する前記命令及び前記第１の選択可能なユーザインタフェースオブジェクトを表示した後に、
前記生物学的データが前記第２の電子デバイスによって正常に測定されたというインジケーションに対応する通信が前記第２の電子デバイスから受信されたとの判定に従って、
前記ディスプレイ上に、前記チュートリアルの前記第１の部分とは異なる前記チュートリアルの第２の部分を表示することと、
前記第１のアフォーダンスの選択が前記第１の電子デバイスによって検出されたとの判定に従って、
前記ディスプレイ上に、前記チュートリアルの前記第１の部分が完了したことを示すメッセージを表示することと、
前記ディスプレイ上に、前記チュートリアルの前記第１の部分とは異なる前記チュートリアルの前記第２の部分を表示することを取り止めることと、
を含む、方法。
【請求項２】
前記ディスプレイ上に、前記第２の電子デバイスの前記ヘルスモニタリング機能を使用することに関する前記チュートリアルの前記第１の部分を表示する前に、前記第２の電子デバイスから、前記第２の電子デバイス上の前記ヘルスモニタリング機能の前記使用を制御するように構成されたアプリケーションが前記第２の電子デバイス上で開かれているというインジケーションを受信することと、
前記第２の電子デバイス上の前記ヘルスモニタリング機能の前記使用を制御するように構成された前記アプリケーションが開かれているという前記インジケーションを受信したことに応じて、前記ディスプレイ上に、前記第２の電子デバイスの前記ヘルスモニタリング機能を使用するための前記チュートリアルに対応する通知を表示することと、
を更に含む、請求項１に記載の方法。
【請求項３】
（削除）
【請求項４】
前記チュートリアルの前記第１の部分内に、前記第２の電子デバイスの前記ヘルスモニタリング機能に関する生物学的データの前記測定から導出することができる起こり得る結果の複数のグラフィカル表現を表示すること、
を更に含む、請求項１又は２に記載の方法。
【請求項５】
前記測定された生物学的データは、心拍リズム評価及び心拍数評価を含む医学的特性を評価するために使用され、前記評価の前記起こり得る結果は、
正常な結果、
異常な心拍リズムパターン結果、
異常な心拍数結果、及び
不確定結果、
からなる群から選択される、請求項４に記載の方法。
【請求項６】
第１の結果概要の一部分を含む、前記起こり得る結果の少なくとも第１の起こり得る結果を表示している間に、前記１つ以上の入力デバイスを介して、前記第１の結果概要に関連付けられた拡張アフォーダンスのユーザアクティブ化を検出することと、
前記拡張アフォーダンスの前記ユーザアクティブ化を検出したことに応じて、前記ディスプレイ上に、前記第１の結果概要の全てを表示することと、
を更に含む、請求項４又は５に記載の方法。
【請求項７】
起こり得る結果の前記複数のグラフィカル表現は、第１の起こり得る結果に関する第１のアニメーションの表示を含む第１のグラフィカル表現と、第２の起こり得る結果に関する第２のアニメーションを含む第２のグラフィカル表現と、を含み、前記第１のアニメーションと前記第２のアニメーションとが、同期される、請求項４から６のいずれか一項に記載の方法。
【請求項８】
前記ディスプレイ上に、起こり得る結果の前記複数のグラフィカル表現を表示している間に、前記１つ以上の入力デバイスを介して、スクロールジェスチャを検出することと、
前記スクロールジェスチャを検出したことに応じて、前記複数のグラフィカル表現をスクロールすることと、
前記ディスプレイ上に、第３の起こり得る結果に関する第３のアニメーションを含む第３のグラフィカル表現を表示することであって、前記第３のアニメーションは、前記第１のアニメーション及び前記第２のアニメーションと同期される、表示することと、
を更に含む、請求項７に記載の方法。
【請求項９】
前記第１のアニメーションは、固定位置でアニメーション化される前記アニメーションの第１の部分と、前記固定位置から第２の位置にアニメーション移動する前記アニメーションの第２の部分と、を含む、請求項７又は８に記載の方法。
【請求項１０】
前記第２の電子デバイスから前記通信を受信する前に、前記第２の電子デバイスから、前記生物学的データが前記第２の電子デバイスによって測定され始めたというインジケーションに対応する事前の通信を受信することと、
前記第２の電子デバイスから前記事前の通信を受信したことに応じて、前記ディスプレイ上に、前記生物学的データが前記第２の電子デバイスによって測定されているというインジケーションを表示することと、
を更に含む、請求項１から９のいずれか一項に記載の方法。
【請求項１１】
前記チュートリアルの前記第２の部分は、前記第２の電子デバイスによって測定された前記生物学的データに基づいて得られた情報を表すグラフィカルアニメーションを含む、請求項１から１０のいずれか一項に記載の方法。
【請求項１２】
前記チュートリアルの前記第１の部分は、前記第２の電子デバイスの前記ヘルスモニタリング機能によって検出することができない１つ以上の健康又はフィットネス特性のインジケーションを含む、請求項１から１１のいずれか一項に記載の方法。
【請求項１３】
前記ディスプレイ上に、前記チュートリアルの前記第２の部分を表示した後に、前記ディスプレイ上に、ヘルスアプリケーションのユーザインタフェースを表示することと、
前記１つ以上の入力デバイスを介して、記録された生体情報を見るためのアフォーダンスのユーザアクティブ化を検出することと、
生体情報の既存の記録を見るための前記アフォーダンスの前記ユーザアクティブ化を検出したことに応じて、前記ディスプレイ上に、生体情報の既存の記録に対応する第１の複数の表現を表示することと、
を更に含む、請求項１から１２のいずれか一項に記載の方法。
【請求項１４】
生体情報の既存の記録を見るための前記アフォーダンスは、生体情報の既存の記録の数のインジケーションを含む、請求項１３に記載の方法。
【請求項１５】
生体情報の既存の記録の前記第１の複数の表現は、異常な評価結果を有する第１の既存の記録に対応する第１の表現を含み、前記第１の表現が、第１の視覚的特性で表示される前記異常な評価結果のインジケーションを含む、請求項１３又は１４に記載の方法。
【請求項１６】
生体情報の既存の記録の前記第１の複数の表現は、ユーザ指定の症状に関連付けられた第２の既存の記録に対応する第２の表現を含み、前記第２の表現は、前記第２の既存の記録に関連付けられたユーザ指定の症状の数のインジケーションを含む、請求項１３から１５のいずれか一項に記載の方法。
【請求項１７】
生体情報の既存の記録の前記第１の複数の表現は、任意のユーザ指定の症状に関連付けられていない第３の既存の記録に対応する第３の表現を含み、前記第３の表現は、前記第３の既存の記録に関連付けられたユーザ指定の症状のインジケーションを含まない、請求項１３から１６のいずれか一項に記載の方法。
【請求項１８】
前記ユーザ指定の症状は、前記症状が指定され保存された後に変更することができない、請求項１６又は１７に記載の方法。
【請求項１９】
更に、記録された生体情報を見るための前記アフォーダンスの前記ユーザアクティブ化を検出したことに応じて、前記ディスプレイ上に、第１の分類アフォーダンス及び第２の分類アフォーダンスを含む複数の分類アフォーダンスを表示することと、
前記１つ以上の入力デバイスを介して、前記第１の分類アフォーダンスのユーザアクティブ化を検出することと、
前記第１の分類アフォーダンスの前記ユーザアクティブ化を検出したことに応じて、前記ディスプレイ上に、生体情報の既存の記録に対応する第２の複数の表現を表示することであって、前記第２の複数の表現は、第１のタイプの評価結果に関連付けられた既存の記録に対応する、表示することと、
前記１つ以上の入力デバイスを介して、前記第２の分類アフォーダンスのユーザアクティブ化を検出することと、
前記第２の分類アフォーダンスのユーザアクティブ化を検出したことに応じて、前記ディスプレイ上に、生体情報の既存の記録に対応する第３の複数の表現を表示することであって、前記第３の複数の表現は、第２のタイプの評価結果に関連付けられた既存の記録に対応する、表示することと、
を更に含む、請求項１３から１８のいずれか一項に記載の方法。
【請求項２０】
前記１つ以上の入力デバイスを介して、第１の評価結果に対応する第１の既存の記録に対応する前記第１の複数の表現の第１の表現のユーザ選択を検出することと、
前記第１の表現の前記ユーザ選択を検出したことに応じて、前記第１の既存の記録の第１の詳細ビューを表示することと、
前記第１の既存の記録の前記第１の詳細ビューを表示している間に、前記１つ以上の入力デバイスを介して、情報アフォーダンスのユーザアクティブ化を検出することと、
前記情報アフォーダンスの前記ユーザアクティブ化を検出したことに応じて、前記ディスプレイ上に、結果概要、及び前記チュートリアルの前記第１の部分からの対応する起こり得る結果からのアニメーションを表示することと、
を更に含む、請求項１３から１９のいずれか一項に記載の方法。
【請求項２１】
第１の評価結果に対応する前記第１の既存の記録の前記第１の詳細ビューを表示している間に、前記１つ以上の入力デバイスを介して、エクスポートアフォーダンスのユーザアクティブ化を検出することと、
前記エクスポートアフォーダンスのユーザアクティブ化を検出したことに応じて、前記第１の既存の記録に関する情報を含む文書を作成することと、
を更に含む、請求項２０に記載の方法。
【請求項２２】
前記チュートリアルの前記第１の部分は、前記第２の電子デバイスの１つ以上の設定を変更するように構成されたユーザインタフェースを表示している間に前記第１の電子デバイスによって受信された入力に応じて表示される、請求項１から２１のいずれか一項に記載の方法。
【請求項２３】
ディスプレイを含む１つ以上の出力デバイスと、１つ以上の入力デバイスとを有する第１の電子デバイスの１つ以上のプロセッサによって実行されるように構成された１つ以上のプログラムを記憶するコンピュータ可読記憶媒体であって、前記第１の電子デバイスは、第２の電子デバイスとペアリングされており、前記１つ以上のプログラムは、請求項１及び２並びに４から２２のいずれか一項に記載の方法を実行する命令を含む、コンピュータ可読記憶媒体。
【請求項２４】
第２の電子デバイスとペアリングされている第１の電子デバイスであって、
ディスプレイと、
１つ以上の入力デバイスと、
１つ以上のプロセッサと、
前記１つ以上のプロセッサによって実行されるように構成された１つ以上のプログラムを記憶するメモリと、
を備え、
前記１つ以上のプログラムは、請求項１及び２並びに４から２２のいずれか一項に記載の方法を実行する命令を含む、
第１の電子デバイス。
【請求項２５】
第２の電子デバイスとペアリングされている第１の電子デバイスであって、
ディスプレイと、
１つ以上の入力デバイスと、
請求項１及び２並びに４から２２のいずれか一項に記載の方法を実行する手段と、
を備える、第１の電子デバイス。
【請求項２６】
ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、前記１つ以上のプログラムは、
前記ディスプレイ上に、ウェアラブル電子デバイスであり、かつ前記第１の電子デバイスとペアリングされている、第２の電子デバイスのヘルスモニタリング機能を使用することに関するチュートリアルの第１の部分を表示し、
前記１つ以上の入力デバイスを介して、前記チュートリアルを進める要求を検出し、
前記チュートリアルを進める前記要求を検出したことに応じて、前記ディスプレイ上に、前記第２の電子デバイスの前記ヘルスモニタリング機能に関する生物学的データの測定に向けた前記第２の電子デバイス上で１つ以上の入力を提供する命令を表示し、
前記ディスプレイ上に、アクティブ化されると、前記生物学的データを測定することなく、前記チュートリアルの完了を可能にする第１のアフォーダンスを同時に表示し、
前記第２の電子デバイス上で前記１つ以上の入力を提供する前記命令及び前記第１の選択可能なユーザインタフェースオブジェクトを表示した後に、
前記生物学的データが前記第２の電子デバイスによって正常に測定されたというインジケーションに対応する通信が前記第２の電子デバイスから受信されたとの判定に従って、
前記ディスプレイ上に、前記チュートリアルの前記第１の部分とは異なる前記チュートリアルの第２の部分を表示し、
前記第１のアフォーダンスの選択が前記第１の電子デバイスによって検出されたとの判定に従って、
前記ディスプレイ上に、前記チュートリアルの前記第１の部分が完了したことを示すメッセージを表示し、
前記ディスプレイ上に、前記チュートリアルの前記第１の部分とは異なる前記チュートリアルの前記第２の部分を表示することを取り止める、
命令を含む、非一時的コンピュータ可読記憶媒体。
【請求項２７】
ディスプレイと、
１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムは、
前記ディスプレイ上に、ウェアラブル電子デバイスであり、かつ前記第１の電子デバイスとペアリングされている、第２の電子デバイスのヘルスモニタリング機能を使用することに関するチュートリアルの第１の部分を表示し、
前記１つ以上の入力デバイスを介して、前記チュートリアルを進める要求を検出し、
前記チュートリアルを進める前記要求を検出したことに応じて、前記ディスプレイ上に、前記第２の電子デバイスの前記ヘルスモニタリング機能に関する生物学的データの測定に向けた前記第２の電子デバイス上で１つ以上の入力を提供する命令を表示し、
前記ディスプレイ上に、アクティブ化されると、前記生物学的データを測定することなく、前記チュートリアルの完了を可能にする第１のアフォーダンスを同時に表示し、
前記第２の電子デバイス上で前記１つ以上の入力を提供する前記命令及び前記第１の選択可能なユーザインタフェースオブジェクトを表示した後に、
前記生物学的データが前記第２の電子デバイスによって正常に測定されたというインジケーションに対応する通信が前記第２の電子デバイスから受信されたとの判定に従って、
前記ディスプレイ上に、前記チュートリアルの前記第１の部分とは異なる前記チュートリアルの第２の部分を表示し、
前記第１のアフォーダンスの選択が前記第１の電子デバイスによって検出されたとの判定に従って、
前記ディスプレイ上に、前記チュートリアルの前記第１の部分が完了したことを示すメッセージを表示し、
前記ディスプレイ上に、前記チュートリアルの前記第１の部分とは異なる前記チュートリアルの前記第２の部分を表示することを取り止める、
命令を含む、第１の電子デバイス。
【請求項２８】
第１の電子デバイスであって、
ディスプレイと、
１つ以上の入力デバイスと、
前記ディスプレイ上に、ウェアラブル電子デバイスであり、かつ前記第１の電子デバイスとペアリングされている、第２の電子デバイスのヘルスモニタリング機能を使用することに関するチュートリアルの第１の部分を表示する手段と、
前記１つ以上の入力デバイスを介して、前記チュートリアルを進める要求を検出する手段と、
前記チュートリアルを進める前記要求を検出したことに応じて、
前記ディスプレイ上に、前記第２の電子デバイスの前記ヘルスモニタリング機能に関する生物学的データの測定に向けた前記第２の電子デバイス上で１つ以上の入力を提供する命令を表示し、
前記ディスプレイ上に、アクティブ化されると、前記生物学的データを測定することなく、前記チュートリアルの完了を可能にする第１のアフォーダンスを同時に表示する手段と、
前記第２の電子デバイス上で前記１つ以上の入力を提供する前記命令及び前記第１の選択可能なユーザインタフェースオブジェクトを表示した後に、
前記生物学的データが前記第２の電子デバイスによって正常に測定されたというインジケーションに対応する通信が前記第２の電子デバイスから受信されたとの判定に従って、
前記ディスプレイ上に、前記チュートリアルの前記第１の部分とは異なる前記チュートリアルの第２の部分を表示し、
前記第１のアフォーダンスの選択が前記第１の電子デバイスによって検出されたとの判定に従って、
前記ディスプレイ上に、前記チュートリアルの前記第１の部分が完了したことを示すメッセージを表示し、
前記ディスプレイ上に、前記チュートリアルの前記第１の部分とは異なる前記チュートリアルの前記第２の部分を表示することを取り止める、
手段と、
を備える、第１の電子デバイス。
【請求項２９】
ディスプレイと、生体センサを含む１つ以上の入力デバイスとを有する第１の電子デバイスにおいて、
前記ディスプレイ上に、前記第１の電子デバイスが生体情報を検出する準備ができていることを示す第１のユーザインタフェースを表示することと、
第１の基準を満たす前記生体センサによる第１の入力を検出することと、
前記生体センサによる前記第１の入力を検出したことに応じて、前記生体センサによって検出された生体情報を記録することを開始することと、
前記ディスプレイ上に、前記第１のユーザインタフェースとは異なる第２のユーザインタフェースを表示することであって、前記第２のユーザインタフェースは、前記生体情報の記録の進行のインジケーションを含む、表示することと、
前記生体情報の少なくとも一部分を記録した後に、前記１つ以上の入力デバイスを介して、前記第１の基準がもはや満たされないことを検出することと、
前記第１の基準が第１の期間の間にもはや満たされないことを検出したことに応じて、前記生体情報の記録の進行の前記インジケーションをリセットし、前記第２のユーザインタフェースの表示を維持することと、
前記第１の基準が前記第１の期間より長い第２の期間の間にもはや満たされないことを検出したことに応じて、前記第２のユーザインタフェースの表示を前記第１のユーザインタフェースと置き換えることと、
を含む、方法。
【請求項３０】
前記記録された生体情報は、前記生体センサによって検出された前記生体情報から導出された心電図記録を含む、請求項２９に記載の方法。
【請求項３１】
前記第１のユーザインタフェースを表示する前に、ヘルスモニタリングアプリケーションに対応するアプリケーションアフォーダンスを含むホーム画面を表示することと、
前記１つ以上の入力デバイスを介して、前記アプリケーションアフォーダンスのユーザアクティブ化を検出することと、
前記アプリケーションアフォーダンスの前記ユーザアクティブ化を検出したことに応じて、前記ディスプレイ上に、前記第１のユーザインタフェースを表示することと、
を更に含む、請求項２９又は３０に記載の方法。
【請求項３２】
前記アプリケーションアフォーダンスの前記ユーザアクティブ化を検出した後に所定の時間が経過した後に、前記生体センサ上の前記第１の入力を要求する通知が、前記第１のユーザインタフェース内に表示される、請求項３１に記載の方法。
【請求項３３】
前記生体センサは、接触ベースのセンサであり、前記生体センサによる前記第１の入力は、前記生体センサ上で接触が検出されると、前記第１の基準を満たす、請求項２９から３２のいずれか一項に記載の方法。
【請求項３４】
前記第１のユーザインタフェースは、前記第１の電子デバイスが生体情報を検出する準備ができていることを示すグラフィカルアニメーションを含み、前記グラフィカルアニメーションは、第１の形状を形成する複数の移動オブジェクトから構成されている、請求項２９から３３のいずれか一項に記載の方法。
【請求項３５】
前記グラフィカルアニメーションの前記複数の移動オブジェクトは、前記ディスプレイが前記第１のユーザインタフェースから前記第２のユーザインタフェースに遷移する際に、前記第１の形状から前記第１の形状とは異なる第２の形状に遷移する、請求項３４に記載の方法。
【請求項３６】
更に、前記第１の基準が前記第１の期間の間にもはや満たされないことを検出したことに応じて、前記グラフィカルアニメーションの前記複数の移動オブジェクトを前記第１の形状と前記第２の形状との間の中間形状に遷移させること、
を更に含む、請求項３５に記載の方法。
【請求項３７】
前記第２のユーザインタフェースを表示し、かつ前記生体情報を記録している間に、前記第２の形状にある前記グラフィカルアニメーション内に、前記記録された生体情報の視覚的表現を表示することであって、前記記録された生体情報は、前記記録された生体情報の前記視覚的表現を前記グラフィカルアニメーション内に表示することができるように、フィルタリングされスケーリングされる、表示すること、
を更に含む、請求項３４から３６のいずれか一項に記載の方法。
【請求項３８】
前記第２のユーザインタフェースは、前記記録された生体情報からの前記生体情報の視覚化に対応するグラフィカル表現、及び前記生体情報の前記記録を完了するための残りの時間を示すタイマーを含む、請求項２９から３７のいずれか一項に記載の方法。
【請求項３９】
前記生体情報を記録している間に、前記１つ以上の入力デバイスを介して、第２の基準が満たされることを検出することと、
前記第２の基準が満たされることを検出したことに応じて、前記第２のユーザインタフェース内に、前記第２の基準に関する通知を表示することと、
を更に含む、請求項２９から３８のいずれか一項に記載の方法。
【請求項４０】
前記第２の基準は、閾値を上回る移動量が検出されたときに満たされ、
前記通知は、前記移動量を減少させるべきであることを示す、
請求項３９に記載の方法。
【請求項４１】
前記第２の基準は、少なくとも第３の期間の間に前記閾値を上回る前記移動量が検出されたときに満たされ、
前記通知は、前記第１の電子デバイスを静止位置に移動すべきであることを示す、
請求項３９又は４０に記載の方法。
【請求項４２】
前記第２の基準は、前記第１の入力のタイプとは異なるタイプを有する第２の入力が第１の入力デバイス上で検出されたときに満たされ、
前記通知は、前記第２の入力を前記第１の入力デバイス上で繰り返すべきではないことを示す、
請求項３９から４１のいずれか一項に記載の方法。
【請求項４３】
前記第２の基準は、前記生体情報の記録がまだ完了していないときに前記生体センサによって前記第１の入力がもはや検出されないときに満たされ、
前記通知は、前記第１の入力を前記生体センサ上で維持すべきであることを示す、
請求項３９から４２のいずれか一項に記載の方法。
【請求項４４】
第１の生体情報の第１の記録及び前記第１の生体情報とは異なる第２の生体情報の第２の記録を取った後、第２の電子デバイスに、前記記録された第１の生体情報及び前記記録された第２の生体情報を送信すること、
を更に含む、請求項２９から４３のいずれか一項に記載の方法。
【請求項４５】
所定の時間の間、心拍数情報を検出することと、
前記検出された心拍数情報が第１の条件を満たすとの判定に従って、前記ディスプレイ上に、高い心拍数を示す通知を表示することと、
前記１つ以上の入力デバイスを介して、前記通知のユーザアクティブ化を検出することと、
前記通知の前記ユーザアクティブ化を検出したことに応じて、前記ディスプレイ上に、前記第１のユーザインタフェースを表示することと、
を更に含む、請求項２９から４４のいずれか一項に記載の方法。
【請求項４６】
進行の前記インジケーションは、カウントダウンタイマーである、請求項２９から４５のいずれか一項に記載の方法。
【請求項４７】
ディスプレイと、生体センサを含む１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項２９から４６のいずれか一項に記載の方法を実行する命令を含む、コンピュータ可読記憶媒体。
【請求項４８】
ディスプレイと、
生体センサを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項２９から４６のいずれか一項に記載の方法を実行する命令を含む、
第１の電子デバイス。
【請求項４９】
ディスプレイと、
生体センサを含む１つ以上の入力デバイスと、
請求項２９から４６のいずれか一項に記載の方法を実行する手段と、
を備える、第１の電子デバイス。
【請求項５０】
ディスプレイと、生体センサを含む１つ以上の入力デバイスと有する第１の電子デバイスの１つ以上のプロセッサによって実行されるように構成された１つ以上のプログラムを記憶する非一時的コンピュータ可読記憶媒体であって、前記１つ以上のプログラムは、
前記ディスプレイ上に、前記第１の電子デバイスが生体情報を検出する準備ができていることを示す第１のユーザインタフェースを表示し、
第１の基準を満たす前記生体センサによる第１の入力を検出し、
前記生体センサによる前記第１の入力を検出したことに応じて、
前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示し、
前記生体情報の少なくとも一部分を記録した後に、前記１つ以上の入力デバイスを介して、前記第１の基準がもはや満たされないことを検出し、
前記第１の基準が第１の期間の間にもはや満たされないことを検出したことに応じて、前記生体情報の記録の前記インジケーションをリセットし、前記第２のユーザインタフェースの表示を維持し、
前記第１の基準が前記第１の期間より長い第２の期間の間にもはや満たされないことを検出したことに応じて、前記第２のユーザインタフェースの表示を前記第１のユーザインタフェースと置き換える、
命令を含む、非一時的コンピュータ可読記憶媒体。
【請求項５１】
ディスプレイと、
生体センサを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムは、
前記ディスプレイ上に、前記第１の電子デバイスが生体情報を検出する準備ができていることを示す第１のユーザインタフェースを表示し、
第１の基準を満たす前記生体センサによる第１の入力を検出し、
前記生体センサによる前記第１の入力を検出したことに応じて、
前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示し、
前記生体情報の少なくとも一部分を記録した後に、前記１つ以上の入力デバイスを介して、前記第１の基準がもはや満たされないことを検出し、
前記第１の基準が第１の期間の間にもはや満たされないことを検出したことに応じて、前記生体情報の記録の進行の前記インジケーションをリセットし、前記第２のユーザインタフェースの表示を維持し、
前記第１の基準が前記第１の期間より長い第２の期間の間にもはや満たされないことを検出したことに応じて、前記第２のユーザインタフェースの表示を前記第１のユーザインタフェースと置き換える、
命令を含む、第１の電子デバイス。
【請求項５２】
第１の電子デバイスであって、
ディスプレイと、
生体センサを含む１つ以上の入力デバイスと、
前記ディスプレイ上に、前記第１の電子デバイスが生体情報を検出する準備ができていることを示す第１のユーザインタフェースを表示する手段と、
第１の基準を満たす前記生体センサによる第１の入力を検出する手段と、
前記生体センサによる前記第１の入力を検出したことに応じて、
前記生体センサによって検出された生体情報を記録することを開始し、
前記ディスプレイ上に、前記第１のユーザインタフェースとは異なる、前記生体情報の記録の進行のインジケーションを含む第２のユーザインタフェースを表示する、
手段と、
前記生体情報の少なくとも一部分を記録した後に、前記１つ以上の入力デバイスを介して、前記第１の基準がもはや満たされないことを検出する手段と、
前記第１の基準が第１の期間の間にもはや満たされないことを検出したことに応じて、前記生体情報の記録の進行の前記インジケーションをリセットし、前記第２のユーザインタフェースの表示を維持する手段と、
前記第１の基準が前記第１の期間より長い第２の期間の間にもはや満たされないことを検出したことに応じて、前記第２のユーザインタフェースの表示を前記第１のユーザインタフェースと置き換える手段と、
を備える、第１の電子デバイス。
【請求項５３】
ディスプレイと、一体型生体センサを有する第１の入力デバイスを含む１つ以上の入力デバイスとを有する第１の電子デバイスにおいて、
前記ディスプレイ上に、前記生体センサから生体情報をキャプチャするためのアプリケーションのユーザインタフェースを表示することと、
前記生体センサから生体情報をキャプチャするための前記アプリケーションの前記ユーザインタフェースを表示している間に、前記第１の入力デバイスの第１のアクティブ化を検出することと、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行することと、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続けることと、
を含む、方法。
【請求項５４】
前記第１の電子デバイスは、前記第１の入力デバイスのアクティブ化を検出し、前記第１の入力デバイスの前記アクティブ化に応答するように構成されており、前記アクティブ化は、生体情報の前記キャプチャとは異なり、かつ生体情報の前記キャプチャとは無関係である、請求項５３に記載の方法。
【請求項５５】
前記アプリケーションは、前記第１の入力デバイスの前記アクティブ化を検出することなく、前記第１の電子デバイスに前記生体情報をキャプチャさせるように構成されている、請求項５３又は５４に記載の方法。
【請求項５６】
前記生体情報をキャプチャする前に、前記第１の入力デバイスの第２のアクティブ化を検出することと、
前記第１の入力デバイスの前記第２のアクティブ化を検出したことに応じて、前記既定の動作を実行することと、
を更に含む、
請求項５３から５５のいずれか一項に記載の方法。
【請求項５７】
前記既定の動作は、既定のユーザインタフェースを表示することを含む、請求項５３から５６のいずれか一項に記載の方法。
【請求項５８】
前記既定の動作は、前記ディスプレイ上に、デジタル仮想アシスタントのユーザインタフェースを表示することを含む、請求項５３から５７のいずれか一項に記載の方法。
【請求項５９】
前記第１の基準は、前記生体情報をキャプチャすることが第１の閾値時間未満の間に行われたときに満たされる、請求項５３から５８のいずれか一項に記載の方法。
【請求項６０】
前記第１の入力デバイスに関連付けられた前記既定の動作を実行することなく、前記生体情報をキャプチャし続けた後に、前記第１の入力デバイスの第２のアクティブ化を検出することと、
前記第１の入力デバイスの前記第２のアクティブ化を検出したことに応じて、
前記第１の入力デバイスの前記第１のアクティブ化を検出した後に前記第１の入力デバイスの前記第２のアクティブ化が所定の時間内に検出されたとの判定に従って、前記生体情報のキャプチャを中断する、前記第１の入力デバイスに関連付けられた前記既定の動作を実行することと、
前記第１の入力デバイスの前記第１のアクティブ化を検出した後に前記第１の入力デバイスの前記第２のアクティブ化が前記所定の時間後に検出されたとの判定に従って、前記第１の入力デバイスに関連付けられた前記既定の動作を実行することなく、前記生体情報をキャプチャし続けることと、
を更に含む、請求項５３から５９のいずれか一項に記載の方法。
【請求項６１】
前記生体センサから前記生体情報をキャプチャすると、前記第１の電子デバイスの触覚フィードバックコントローラを自動的に無効にすることと、
前記生体情報のキャプチャを完了すると、前記触覚フィードバックコントローラを自動的に再び有効にすることと、
を更に含む、請求項５３から６０のいずれか一項に記載の方法。
【請求項６２】
前記生体センサから前記生体情報をキャプチャすると、前記第１の電子デバイスの無線通信無線機を自動的に無効にし、前記生体情報をキャプチャしている間に受信された電子通信に対応する通知を含む、第１のタイプの通知が表示されるのを防止することと、
前記生体情報のキャプチャを完了すると、前記無線通信無線機を自動的に再び有効にし、前記第１のタイプの通知が表示されることを可能にすることと、
を更に含む、請求項５３から６１のいずれか一項に記載の方法。
【請求項６３】
ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項５３から６２のいずれか一項に記載の方法を実行する命令を含む、コンピュータ可読記憶媒体。
【請求項６４】
ディスプレイと、
一体型生体センサを有する第１の入力デバイスを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項５３から６２のいずれか一項に記載の方法を実行する命令を含む、
第１の電子デバイス。
【請求項６５】
ディスプレイと、
一体型生体センサを有する第１の入力デバイスを含む１つ以上の入力デバイスと、
請求項５３から６２のいずれか一項に記載の方法を実行する手段と、
を備える、第１の電子デバイス。
【請求項６６】
ディスプレイと、一体型生体センサを有する第１の入力デバイスを含む１つ以上の入力デバイスとを有する第１の電子デバイスの１つ以上のプロセッサによって実行されるように構成された１つ以上のプログラムを記憶する非一時的コンピュータ可読記憶媒体であって、前記１つ以上のプログラムは、
前記ディスプレイ上に、前記生体センサから生体情報をキャプチャするためのアプリケーションのユーザインタフェースを表示し、
前記生体センサから生体情報をキャプチャするための前記アプリケーションの前記ユーザインタフェースを表示している間に、前記第１の入力デバイスの第１のアクティブ化を検出し、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、
命令を含む、非一時的コンピュータ可読記憶媒体。
【請求項６７】
ディスプレイと、
一体型生体センサを有する第１の入力デバイスを含む１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムが、
前記ディスプレイ上に、前記生体センサから生体情報をキャプチャするためのアプリケーションのユーザインタフェースを表示し、
前記生体センサから生体情報をキャプチャするための前記アプリケーションの前記ユーザインタフェースを表示している間に、前記第１の入力デバイスの第１のアクティブ化を検出し、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、
命令を含む、第１の電子デバイス。
【請求項６８】
ディスプレイと、
一体型生体センサを有する第１の入力デバイスを含む１つ以上の入力デバイスと、
前記ディスプレイ上に、前記生体センサから生体情報をキャプチャするためのアプリケーションのユーザインタフェースを表示する手段と、
前記生体センサから生体情報をキャプチャするための前記アプリケーションの前記ユーザインタフェースを表示している間に、前記第１の入力デバイスの第１のアクティブ化を検出する手段と、
前記第１の入力デバイスの前記第１のアクティブ化を検出したことに応じて、かつ前記生体センサから生体情報をキャプチャしている間に、
前記生体センサで生体情報をキャプチャすることに向かう進行に基づく第１の基準が満たされるときに、前記第１の入力デバイスの前記第１のアクティブ化が検出されたとの判定に従って、前記生体情報のキャプチャを中断する、前記第１の入力デバイスに関連付けられた既定の動作を実行し、
前記第１の基準が満たされないときに前記第１の入力デバイスの前記第１のアクティブ化が検出されたとの判定に従って、前記第１の入力デバイスに関連付けられた前記既定の動作を実行することなく、前記生体情報をキャプチャし続ける、
手段と、
を備える、第１の電子デバイス。
【請求項６９】
ディスプレイと、１つ以上の入力デバイスとを有する第１の電子デバイスにおいて、
前記第１の電子デバイスと通信している生体センサを用いて生体情報をキャプチャすることと、
前記ディスプレイ上に、前記生体センサによってキャプチャされた前記生体情報に基づいて判定された医学的特性の評価の表現を含むユーザインタフェースを表示することと、
前記医学的特性の前記評価の表現を含む前記ユーザインタフェースを表示している間に、前記１つ以上の入力デバイスを介して、一連の１つ以上の入力を検出し、ユーザ指定の症状を前記医学的特性の前記評価に追加することと、
前記一連の１つ以上の入力を検出したことに応じて、
前記ユーザ指定の症状のうちの少なくとも１つが対応する基準を満たすとの判定に従って、前記ディスプレイ上に、ユーザによってアクティブ化されると、即時の治療を求めるためのプロセスを開始するアフォーダンスを含む、第１のユーザインタフェースを表示することと、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示することと、
を含む、方法。
【請求項７０】
前記ディスプレイ上に、前記医学的特性の前記評価の前記表現を表示している間に、第１の入力デバイスを介して、スクロール入力を検出することと、
前記スクロール入力を検出したことに応じて、前記医学的特性の前記評価の前記表現を含む第２のユーザインタフェースをスクロールすることと、
前記ディスプレイ上に、前記ユーザ指定の症状を前記評価に追加するための症状追加アフォーダンスを表示することと、
を更に含む、請求項６９に記載の方法。
【請求項７１】
更に、前記ユーザ指定の症状が前記対応する基準を満たさないとの判定に従って、前記１つ以上の入力デバイスを介して、スクロールジェスチャを検出することと、
前記１つ以上の入力デバイスを介して、前記スクロールジェスチャを検出したことに応じて、前記ディスプレイ上に、治療を求めるためのオプションを表示することと、
を更に含む、請求項６９又は７０に記載の方法。
【請求項７２】
前記ユーザ指定の症状は、重篤な症状に対応する第１の症状を含み、前記第１の症状に対応するユーザ指定の症状の前記１つ以上の表現の第１の表現は、第１の視覚的特性で表示される、請求項６９から７１のいずれか一項に記載の方法。
【請求項７３】
前記医学的特性は、心拍リズム特性及び心拍数特性を含み、前記医学的特性の前記評価の前記表示された表現は、心拍リズム評価概要及び心拍数評価概要を含む、請求項６９から７２のいずれか一項に記載の方法。
【請求項７４】
前記心拍リズム評価が異常な結果に対応し、かつ前記心拍数評価が異常な結果に対応する場合、前記心拍リズム評価概要は、第１の視覚的特性で表示され、前記心拍数評価概要は、前記第１の視覚的特性で表示される、請求項７３に記載の方法。
【請求項７５】
前記心拍リズム評価が異常な結果に対応し、かつ前記心拍数評価が正常な結果に対応する場合、前記心拍リズム評価概要は、前記第１の視覚的特性で表示され、前記心拍数評価概要は、前記第１の視覚的特性で表示されない、請求項７３又は７４に記載の方法。
【請求項７６】
前記心拍数評価が異常な結果に対応し、かつ前記心拍リズム評価が正常な結果に対応する場合、前記心拍数評価概要は、前記第１の視覚的特性で表示され、前記心拍リズム評価概要は、前記第１の視覚的特性で表示されない、請求項７３から７５のいずれか一項に記載の方法。
【請求項７７】
前記心拍数評価が非常に異常な結果に対応し、前記心拍リズム評価に関して判定を行うことができないようになる場合、前記心拍数評価概要は、第１の視覚的特性で表示され、前記心拍リズム評価概要は、前記第１の視覚的特性で表示される、請求項７３から７６のいずれか一項に記載の方法。
【請求項７８】
前記医学的特性の前記評価が判定できないとの判定に従って、前記評価の前記表現内に、前記評価が不確定であったというインジケーションを表示すること、
を更に含む、請求項６９から７７のいずれか一項に記載の方法。
【請求項７９】
前記医学的特性の前記評価は、正常な結果であり、前記ユーザ指定の症状を追加するための前記一連の１つ以上の入力は、前記正常な結果に対応する前記評価の前記表現を表示している間に検出される、請求項６９から７８のいずれか一項に記載の方法。
【請求項８０】
前記医学的特性の前記評価の前記表現を表示している間に、前記１つ以上の入力デバイスを介して、情報アフォーダンスのユーザアクティブ化を検出することと、
前記情報アフォーダンスの前記ユーザアクティブ化を検出したことに応じて、前記ディスプレイ上に、前記評価に関するテキスト情報を表示することと、
を更に含む、請求項６９から７９のいずれか一項に記載の方法。
【請求項８１】
前記生体センサで前記生体情報をキャプチャすると、前記第１の電子デバイスの無線通信無線機を自動的に無効にし、通知が表示されることを防止することと、
前記生体情報のキャプチャを完了すると、前記無線通信無線機を自動的に再び有効にし、通知が表示されることを可能にすることと、
を更に含む、請求項６９から８０のいずれか一項に記載の方法。
【請求項８２】
前記一連の１つ以上の入力を検出した後に、確認ボタンのユーザアクティブ化を検出することと、
前記確認ボタンの前記ユーザアクティブ化を検出したことに応じて、第２の電子デバイス上に前記医学的特性の前記評価の対応する表現を表示するために、前記第１の電子デバイスから前記第２の電子デバイスに前記医学的特性の前記評価を送信することと、
を更に含む、請求項６９から８１のいずれか一項に記載の方法。
【請求項８３】
前記ユーザ指定の症状は、前記確認ボタンの前記ユーザアクティブ化を検出した後に変更することができない、請求項８２に記載の方法。
【請求項８４】
ディスプレイと、１つ以上の入力デバイスとを有する第１の電子デバイスの１つ以上のプロセッサによって実行されるように構成された１つ以上のプログラムを記憶するコンピュータ可読記憶媒体であって、前記１つ以上のプログラムは、請求項６９から８３のいずれか一項に記載の方法を実行する命令を含む、コンピュータ可読記憶媒体。
【請求項８５】
ディスプレイと、
１つ以上の入力デバイスと、
１つ以上のプロセッサと、
前記１つ以上のプロセッサによって実行されるように構成された１つ以上のプログラムを記憶するメモリと、
を備える、第１の電子デバイスであって、
前記１つ以上のプログラムは、請求項６９から８３のいずれか一項に記載の方法を実行する命令を含む、
第１の電子デバイス。
【請求項８６】
ディスプレイと、
１つ以上の入力デバイスと、
請求項６９から８３のいずれか一項に記載の方法を実行する手段と、
を備える、第１の電子デバイス。
【請求項８７】
ディスプレイと、１つ以上の入力デバイスとを有する第１の電子デバイスの１つ以上のプロセッサによって実行されるように構成された１つ以上のプログラムを記憶する非一時的コンピュータ可読記憶媒体であって、前記１つ以上のプログラムは、
前記第１の電子デバイスと通信している生体センサを用いて生体情報をキャプチャし、
前記ディスプレイ上に、前記生体センサによってキャプチャされた前記生体情報に基づいて判定された医学的特性の評価の表現を含むユーザインタフェースを表示し、
前記医学的特性の前記評価の表現を含む前記ユーザインタフェースを表示している間に、前記１つ以上の入力デバイスを介して、一連の１つ以上の入力を検出し、ユーザ指定の症状を前記医学的特性の前記評価に追加し、
前記一連の１つ以上の入力を検出したことに応じて、
前記ユーザ指定の症状のうちの少なくとも１つが対応する基準を満たすとの判定に従って、前記ディスプレイ上に、ユーザによってアクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、
命令を含む、非一時的コンピュータ可読記憶媒体。
【請求項８８】
ディスプレイと、
１つ以上の入力デバイスと、
１つ以上のプロセッサと、
前記１つ以上のプロセッサによって実行されるように構成された１つ以上のプログラムを記憶するメモリと、
を備える、第１の電子デバイスであって、前記１つ以上のプログラムは、
前記第１の電子デバイスと通信している生体センサを用いて生体情報をキャプチャし、
前記ディスプレイ上に、前記生体センサによってキャプチャされた前記生体情報に基づいて判定された医学的特性の評価の表現を含むユーザインタフェースを表示し、
前記医学的特性の前記評価の表現を含む前記ユーザインタフェースを表示している間に、前記１つ以上の入力デバイスを介して、一連の１つ以上の入力を検出し、ユーザ指定の症状を前記医学的特性の前記評価に追加し、
前記一連の１つ以上の入力を検出したことに応じて、
前記ユーザ指定の症状のうちの少なくとも１つが対応する基準を満たすとの判定に従って、前記ディスプレイ上に、ユーザによってアクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、
命令を含む、第１の電子デバイス。
【請求項８９】
第１の電子デバイスであって、
ディスプレイと、
１つ以上の入力デバイスと、
前記第１の電子デバイスと通信している生体センサを用いて生体情報をキャプチャする手段と、
前記ディスプレイ上に、前記生体センサによってキャプチャされた前記生体情報に基づいて判定された医学的特性の評価の表現を含むユーザインタフェースを表示する手段と、
前記医学的特性の前記評価の前記表現を含む前記ユーザインタフェースを表示している間に、前記１つ以上の入力デバイスを介して、一連の１つ以上の入力を検出し、ユーザ指定の症状を前記医学的特性の前記評価に追加する手段と、
前記一連の１つ以上の入力を検出したことに応じて、
前記ユーザ指定の症状のうちの少なくとも１つが対応する基準を満たすとの判定に従って、前記ディスプレイ上に、ユーザによってアクティブ化されると、即時の治療を求めるためのプロセスを開始するアフォーダンスを含む、第１のユーザインタフェースを表示し、
前記ユーザ指定の症状が前記対応する基準を満たさないとの判定に従って、前記ディスプレイ上に、前記第１のユーザインタフェースを表示することなく、前記医学的特性の前記評価の前記表現及びユーザ指定の症状の１つ以上の表現を表示する、
手段と、
を備える、第１の電子デバイス。
【請求項９０】
ディスプレイと、１つ以上の入力デバイスとを有する電子デバイスであって、複数の生体センサに動作可能に接続された、電子デバイスにおいて、
前記複数の生体センサの第１の生体センサから第１の生体情報を受信することと、
前記第１の生体情報を受信したことに応じて、かつ前記第１の生体情報が第１の基準を満たすとの判定に従って、前記ディスプレイ上に、追加の生体情報を検出するための第１のアフォーダンスと、第２のアフォーダンスとを含む警告を表示することと、
前記１つ以上の入力デバイスを介して、ユーザ入力を受信することと、
前記ユーザ入力が前記第１のアフォーダンスのユーザアクティブ化に対応するとの判定に従って、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信するプロセスを開始することと、
前記ユーザ入力が前記第２のアフォーダンスのユーザアクティブ化に対応するとの判定に従って、
前記複数の生体センサの前記第２の生体センサから前記第１の生体情報に関連付けられた前記第２の生体情報を受信することを取り止めることと、
を含む、方法。
【請求項９１】
前記第１の生体情報は、第１の時間に記録された生体情報、及び前記第１の時間とは異なる第２の時間に記録された生体情報を含む、請求項９０に記載の方法。
【請求項９２】
前記生体情報は、心臓に関連する情報に関する、請求項９０又は９１に記載の方法。
【請求項９３】
前記第１の基準は、異常な心拍リズム情報を含む、請求項９２に記載の方法。
【請求項９４】
前記警告は、前記第１の生体情報が前記電子デバイスによって記録された１つ以上の時刻を含む、請求項９０から９３のいずれか一項に記載の方法。
【請求項９５】
前記警告は、前記第１の生体情報に基づいて特定された医学的状態のインジケーションを含む、請求項９０から９４のいずれか一項に記載の方法。
【請求項９６】
前記警告は、治療を求めるためのインジケーションを含む、請求項９０から９５のいずれか一項に記載の方法。
【請求項９７】
前記第１の生体センサは、１つ以上のフォトダイオードセンサを含む、請求項９０から９６のいずれか一項に記載の方法。
【請求項９８】
前記第２の生体センサは、前記１つ以上の入力デバイスの第１の入力デバイスと一体化されている、請求項９０から９７のいずれか一項に記載の方法。
【請求項９９】
前記第１のアフォーダンスの前記ユーザアクティブ化を受信したことに応じて、かつ前記第２の生体情報を受信する前に、前記ディスプレイ上に、前記第２の生体情報を受信することに関連付けられた第１のアプリケーションを表示すること、
を更に含む、請求項９０から９８のいずれか一項に記載の方法。
【請求項１００】
前記第１のアプリケーションを表示した後、かつ前記第２の生体情報を受信する前に、前記１つ以上の入力デバイスの第１の入力デバイス上のユーザ入力を検出することであって、前記第２の生体センサは、前記第１の入力デバイスと一体化されている、検出することと、
前記ユーザ入力を検出したことに応じて、前記第２の生体センサから前記第２の生体情報を受信することと、
を更に含む、請求項９９に記載の方法。
【請求項１０１】
前記第２の生体情報は、前記ユーザ入力が前記第１の入力デバイス上で維持されている間に、前記第２の生体センサから受信される、請求項１００に記載の方法。
【請求項１０２】
ディスプレイと、１つ以上の入力デバイスとを有する電子デバイスの１つ以上のプロセッサによって実行されるように構成された１つ以上のプログラムを記憶するコンピュータ可読記憶媒体であって、前記電子デバイスは、複数の生体センサに動作可能に接続されており、前記１つ以上のプログラムは、請求項９０から１０１のいずれか一項に記載の方法を実行する命令を含む、コンピュータ可読記憶媒体。
【請求項１０３】
複数の生体センサに動作可能に接続された電子デバイスであって、
ディスプレイと、
１つ以上の入力デバイスと、
前記１つ以上のプロセッサによって実行されるように構成された１つ以上のプログラムを記憶するメモリと、
を備え、
前記１つ以上のプログラムは、請求項９０から１０１のいずれか一項に記載の方法を実行する命令を含む、
電子デバイス。
【請求項１０４】
複数の生体センサに動作可能に接続された電子デバイスであって、
ディスプレイと、
１つ以上の入力デバイスと、
請求項９０から１０１のいずれか一項に記載の方法を実行する手段と、
を備える、電子デバイス。
【請求項１０５】
ディスプレイと、１つ以上の入力デバイスとを有する電子デバイスの１つ以上のプロセッサによって実行されるように構成された１つ以上のプログラムを記憶するコンピュータ可読記憶媒体であって、前記電子デバイスは、複数の生体センサに動作可能に接続されており、前記１つ以上のプログラムは、
前記複数の生体センサの第１の生体センサから第１の生体情報を受信し、
前記第１の生体情報を受信したことに応じて、かつ前記第１の生体情報が第１の基準を満たすとの判定に従って、前記ディスプレイ上に、追加の生体情報を検出するための第１のアフォーダンスと、第２のアフォーダンスとを含む警告を表示し、
前記１つ以上の入力デバイスを介して、ユーザ入力を受信し、
前記ユーザ入力が前記第１のアフォーダンスのユーザアクティブ化に対応するとの判定に従って、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信するプロセスを開始し、
前記ユーザ入力が前記第２のアフォーダンスのユーザアクティブ化に対応するとの判定に従って、
前記複数の生体センサの前記第２の生体センサから前記第１の生体情報に関連付けられた前記第２の生体情報を受信することを取り止める、
命令を含む、コンピュータ可読記憶媒体。
【請求項１０６】
複数の生体センサに動作可能に接続された電子デバイスであって、
ディスプレイと、
１つ以上の入力デバイスと、
前記１つ以上のプロセッサによって実行されるように構成された１つ以上のプログラムを記憶するメモリと、
を備え、前記１つ以上のプログラムは、
前記複数の生体センサの第１の生体センサから第１の生体情報を受信し、
前記第１の生体情報を受信したことに応じて、かつ前記第１の生体情報が第１の基準を満たすとの判定に従って、前記ディスプレイ上に、追加の生体情報を検出するための第１のアフォーダンスと、第２のアフォーダンスとを含む警告を表示し、
前記１つ以上の入力デバイスを介して、ユーザ入力を受信し、
前記ユーザ入力が前記第１のアフォーダンスのユーザアクティブ化に対応するとの判定に従って、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信するプロセスを開始し、
前記ユーザ入力が前記第２のアフォーダンスのユーザアクティブ化に対応するとの判定に従って、
前記複数の生体センサの前記第２の生体センサから前記第１の生体情報に関連付けられた前記第２の生体情報を受信することを取り止める、
命令を含む、電子デバイス。
【請求項１０７】
複数の生体センサに動作可能に接続された電子デバイスであって、
ディスプレイと、
１つ以上の入力デバイスと、
前記複数の生体センサの第１の生体センサから第１の生体情報を受信する手段と、
前記第１の生体情報を受信したことに応じて、かつ前記第１の生体情報が第１の基準を満たすとの判定に従って、前記ディスプレイ上に、追加の生体情報を検出するための第１のアフォーダンスと、第２のアフォーダンスとを含む警告を表示する手段と、
前記１つ以上の入力デバイスを介して、ユーザ入力を受信する手段と、
前記ユーザ入力が前記第１のアフォーダンスのユーザアクティブ化に対応するとの判定に従って、
前記第１のアフォーダンスの前記ユーザアクティブ化を受信した後に、前記第１の生体センサとは異なる前記複数の生体センサの第２の生体センサから前記第１の生体情報に関連付けられた第２の生体情報を受信するプロセスを開始する手段と、
前記ユーザ入力が前記第２のアフォーダンスのユーザアクティブ化に対応するとの判定に従って、
前記複数の生体センサの前記第２の生体センサから前記第１の生体情報に関連付けられた前記第２の生体情報を受信することを取り止める手段と、
を備える、電子デバイス。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ディスプレイと、生体センサと、１つ以上の入力デバイスとを有する第１の電子デバイスにおいて、
前記第１の電子デバイスの前記生体センサで生体情報をキャプチャすることと、
前記生体センサで前記生体情報をキャプチャしたことに応じて、前記ディスプレイ上に、医学的特性の評価の表現を含む第１のユーザインタフェースを表示することであって、前記医学的特性の前記評価のタイプは、前記生体センサによってキャプチャされた前記生体情報に基づいて判定される、表示することと、
前記医学的特性の前記評価の前記表現を含む前記第１のユーザインタフェースを表示している間に、前記１つ以上の入力デバイスを介して、前記医学的特性の前記評価にユーザ指定の症状を追加することに向けた一連の１つ以上の入力を検出することと、
ユーザ指定の症状を追加することに向けた前記一連の１つ以上の入力を検出したことに応じて、
前記ユーザ指定の症状のうちの少なくとも１つが対応する基準を満たすとの判定に従って、
前記ディスプレイ上に、アクティブ化されると、即時の治療を求めるためのプロセスを開始するアフォーダンスを含む第２のユーザインタフェースを表示することと、
前記ユーザ指定の症状が前記対応する基準を満たさないとの判定に従って、
前記ディスプレイ上に、前記医学的特性の前記評価の前記表現を含む前記第１のユーザインタフェースを表示することであって、前記第１のユーザインタフェースは、前記ユーザ指定の症状のインジケーションを含む、表示することと、
前記ディスプレイ上に、前記第２のユーザインタフェースを表示することを取り止めることと、
を含む、方法。
【請求項２】
前記ディスプレイ上に、前記医学的特性の前記評価の前記表現を含む前記第１のユーザインタフェースを表示している間に、第１の入力デバイスを介して、スクロール入力を検出することと、
前記スクロール入力を検出したことに応じて、前記医学的特性の前記評価の前記表現を含む前記第１のユーザインタフェースをスクロールすることと、
前記ディスプレイ上に、前記ユーザ指定の症状を前記評価に追加するための症状追加アフォーダンスを表示することと、
を更に含む、請求項１に記載の方法。
【請求項３】
更に、前記ユーザ指定の症状が前記対応する基準を満たさないとの判定に従って、前記１つ以上の入力デバイスを介して、スクロールジェスチャを検出することと、
前記１つ以上の入力デバイスを介して、前記スクロールジェスチャを検出したことに応じて、前記ディスプレイ上に、治療を求めるためのオプションを表示することと、
を更に含む、請求項１又は２に記載の方法。
【請求項４】
前記ユーザ指定の症状は、重篤な症状に対応する第１の症状を含み、前記第１の症状に対応するユーザ指定の症状の前記１つ以上の表現の第１の表現は、第１の視覚的特性で表示される、請求項１から３のいずれか一項に記載の方法。
【請求項５】
前記医学的特性は、心拍リズム特性及び心拍数特性を含み、前記医学的特性の前記評価の前記表現を含む前記表示された第１のユーザインタフェースは、心拍リズム評価概要及び心拍数評価概要を含む、請求項１から４のいずれか一項に記載の方法。
【請求項６】
前記心拍リズム評価が異常な結果に対応し、かつ前記心拍数評価が異常な結果に対応する場合、前記心拍リズム評価概要は、第１の視覚的特性で表示され、前記心拍数評価概要は、前記第１の視覚的特性で表示される、請求項５に記載の方法。
【請求項７】
前記心拍リズム評価が異常な結果に対応し、かつ前記心拍数評価が正常な結果に対応する場合、前記心拍リズム評価概要は、前記第１の視覚的特性で表示され、前記心拍数評価概要は、前記第１の視覚的特性で表示されない、請求項５又は６に記載の方法。
【請求項８】
前記心拍数評価が異常な結果に対応し、かつ前記心拍リズム評価が正常な結果に対応する場合、前記心拍数評価概要は、前記第１の視覚的特性で表示され、前記心拍リズム評価概要は、前記第１の視覚的特性で表示されない、請求項５から７のいずれか一項に記載の方法。
【請求項９】
前記心拍数評価が非常に異常な結果に対応し、前記心拍リズム評価に関して判定を行うことができないようになる場合、前記心拍数評価概要は、第１の視覚的特性で表示され、前記心拍リズム評価概要は、前記第１の視覚的特性で表示される、請求項５から８のいずれか一項に記載の方法。
【請求項１０】
前記医学的特性の前記評価が判定できないとの判定に従って、前記評価の前記表現を含む前記第１のユーザインタフェース内に、前記評価が不確定であったというインジケーションを表示すること、
を更に含む、請求項１から９のいずれか一項に記載の方法。
【請求項１１】
前記医学的特性の前記評価は、正常な結果であり、前記ユーザ指定の症状を追加するための前記一連の１つ以上の入力は、前記正常な結果に対応する前記評価の前記表現を表示している間に検出される、請求項１から１０のいずれか一項に記載の方法。
【請求項１２】
前記医学的特性の前記評価の前記表現を含む前記第１のユーザインタフェースを表示している間に、前記１つ以上の入力デバイスを介して、情報アフォーダンスのユーザアクティブ化を検出することと、
前記情報アフォーダンスの前記ユーザアクティブ化を検出したことに応じて、前記ディスプレイ上に、前記評価に関するテキスト情報を表示することと、
を更に含む、請求項１から１１のいずれか一項に記載の方法。
【請求項１３】
前記生体センサで前記生体情報をキャプチャすると、前記第１の電子デバイスの無線通信無線機を自動的に無効にし、通知が表示されることを防止することと、
前記生体情報のキャプチャを完了すると、前記無線通信無線機を自動的に再び有効にし、通知が表示されることを可能にすることと、
を更に含む、請求項１から１２のいずれか一項に記載の方法。
【請求項１４】
前記一連の１つ以上の入力を検出した後に、確認ボタンのユーザアクティブ化を検出することと、
前記確認ボタンの前記ユーザアクティブ化を検出したことに応じて、第２の電子デバイス上に前記医学的特性の前記評価の対応する表現を表示するために、前記第１の電子デバイスから前記第２の電子デバイスに前記医学的特性の前記評価を送信することと、
を更に含む、請求項１から１３のいずれか一項に記載の方法。
【請求項１５】
前記ユーザ指定の症状は、前記確認ボタンの前記ユーザアクティブ化を検出した後に変更することができない、請求項１４に記載の方法。
【請求項１６】
請求項１から１５のいずれか一項に記載の方法をコンピュータに実行させる、コンピュータプログラム。
【請求項１７】
請求項１６に記載のコンピュータプログラムを記憶するメモリと、
前記メモリに記憶された前記コンピュータプログラムを実行することが可能な１つ以上のプロセッサとを備える、電子デバイス。
【請求項１８】
請求項１から１５のいずれか一項に記載の方法を実行する手段を含む電子デバイス。
【手続補正書】
【提出日】令和2年9月23日(2020.9.23)
【手続補正１】
【補正対象書類名】図面
【補正対象項目名】図１Ａ
【補正方法】変更
【補正の内容】
【図１Ａ】
2021512429.tif 000141
【国際調査報告】
2021512429.tif 000142
2021512429.tif 000143
2021512429.tif 000144
2021512429.tif 000145